(57)【要約】【課題】本発明は、生化学的／化学的サンプリング、検知、アッセイ及び応用の分野に関する。【解決手段】本発明は、試料採取／検知／アッセイを使用が容易な、結果を取得しやすい、高感度な、使いやすい、小さな試料体積（例えば、０．５μＬ以下）を使用する、専門家でない人により操作される、携帯電話で読み取られる、もしくはコストが低いものにするか、又はそれらの組み合わせを達成する、サンプリング、検知、アッセイ装置又は方法を提供する。【選択図】図１
2020128999.tif 000002
【特許請求の範囲】
【請求項１】
試料中の分析物を分析するための装置であって、
第１のプレート及び第２のプレートを含み、
ｉ．前記プレートが異なる構成になるように互いに対して移動可能であり、
ｉｉ．１つ又は両方のプレートが可撓性であり、
ｉｉｉ．各プレートが、そのそれぞれの表面に、分析物を含む試料を接触させるための試料接触領域を有し、かつ
ｉｖ．前記プレートの１つ又は両方が、それぞれのプレートに固定されたスペーサを含み、前記スペーサが、柱形状、実質的に平坦な上面、所定の実質的に均一な高さ、及び分析物の寸法より少なくとも約２倍大きい所定の一定のスペーサ間距離を有し、可撓性プレートについて、スペーサ間距離（ＩＳＤ）の４乗を可撓性プレートの厚さ（ｈ）及び可撓性プレートのヤング率（Ｅ）で割り算したＩＳＤ４／（ｈＥ）が、１０６μｍ３／ＧＰａ以下であり、前記スペーサのうちの少なくとも１つのスペーサが、前記試料接触領域内にあり、
前記構成の１つは開放構成であり、ここでは、２つのプレートが離され、プレート間の間隔がスペーサにより調節されず、試料がプレートの１つ又は両方に付着しており、
別の構成は、開放構成で試料を付着させた後に構成された閉鎖構成であり、前記閉鎖構成において、前記試料の少なくとも一部が、前記２つのプレートにより非常に均一な厚さの層へと圧縮されて前記プレートに対して実質的に静止し、前記層の均一な厚さが、前記２つのプレートの内表面により限定され、前記プレート及び前記スペーサにより調節され、２５０μｍ以下の平均厚さを有し、
前記閉鎖構成で、検出器が、前記試料の少なくとも一部の中の分析物を検出する、装置。
【請求項２】
分析物を検出する検出器をさらに含む、請求項１に記載の装置。
【請求項３】
１つ又は両方のプレートにおいて、所定の領域を有する乾燥結合部位をさらに含み、前記乾燥結合部位が、前記試料中の分析物に結合し、それを固定化する、請求項１または２に記載の装置。
【請求項４】
１つ又は両方のプレートに塗布された乾燥試薬をさらに含む、請求項１〜３のいずれか一項に記載の装置。
【請求項５】
１つ又は両方のプレートにおいて、放出可能な乾燥試薬を含む、請求項１〜４のいずれか一項に記載の装置。
【請求項６】
１つ又は両方のプレートにおいて、乾燥試薬が試料に放出され始める時間を遅らせる放出時間制御材料を含む、請求項１〜４のいずれか一項に記載の装置。
【請求項７】
前記装置は、１つ又は両方のプレートにおいて試薬を含み、前記試薬が、抗凝血剤及び／又は染色試薬を含む、請求項１に記載の装置。
【請求項８】
１つ又は両方のプレート上に、１つ以上の乾燥結合部位、及び／又は１つ以上の放出可能な乾燥試薬部位をさらに含む、請求項１〜７のいずれか一項に記載の装置。
【請求項９】
前記分析物が、分子、細胞、組織、ウイルス及び異なる形状のナノ粒子を含み、前記分子が、タンパク質、ペプチド、ＤＮＡ、ＲＮＡ、核酸又はその他の分子を含む、請求項１〜８のいずれか一項に記載の装置。
【請求項１０】
前記分析物が、白血球、赤血球及び血小板を含む、請求項１〜９のいずれか一項に記載の装置。
【請求項１１】
前記分析物が染色される、請求項１〜１０のいずれか一項に記載の装置。
【請求項１２】
均一な厚さの層を調節するスペーサが、少なくとも１％の充填率を有し、前記充填率が、均一な厚さの層と接触するスペーサ面積と、均一な厚さの層と接触する総プレート面積との比である、請求項１〜１１のいずれか一項に記載の装置。
【請求項１３】
均一な厚さの層を調節するスペーサについて、スペーサのヤング率とスペーサの充填率との乗積が１０ＭＰａ以上であり、前記充填率が、スペーサ接触面積と、総プレート面積との比である、請求項１〜１２のいずれか一項に記載の装置。
【請求項１４】
均一な厚さの層を調節するスペーサについて、スペーサのヤング率とスペーサの充填率との乗積が１０ＭＰａ以上であり、前記充填率が、均一な厚さの層と接触するスペーサ面積と、均一な厚さの層と接触する総プレート面積との比である、請求項１〜１３のいずれか一項に記載の装置。
【請求項１５】
可撓性プレートについて、前記可撓性プレートの厚さと前記可撓性プレートのヤング率との乗積が、６０ＧＰａ−μｍ〜７５０ＧＰａ−μｍの範囲内にある、請求項１〜１４のいずれか一項に記載の装置。
【請求項１６】
可撓性プレートについて、スペーサ間距離（ＩＳＤ）の４乗を可撓性プレートの厚さ（ｈ）及び可撓性プレートのヤング率（Ｅ）で割り算したＩＳＤ４／（ｈＥ）が、１０６μｍ３／ＧＰａ以下である、請求項１〜１５のいずれか一項に記載の装置。
【請求項１７】
１つ又は両方のプレートが、前記プレートの表面又は内部のいずれか一方に、前記プレートの位置情報を提供する位置マーカーを含む、請求項１〜１６のいずれか一項に記載の装置。
【請求項１８】
１つ又は両方のプレートが、前記プレート表面又は内部のいずれか一方に、前記試料及び／又はプレートの構造の横方向寸法の情報を提供するスケールマーカーを含む、請求項１〜１７のいずれか一項に記載の装置。
【請求項１９】
１つ又は両方のプレートが、前記プレート表面又は内部のいずれか一方に、前記試料の画像化を支援する画像化マーカーを含む、請求項１〜１８のいずれか一項に記載の装置。
【請求項２０】
前記スペーサが、位置マーカー、スケールマーカー、画像化マーカー、又はそれらの任意の組み合わせとして機能する、請求項１〜１９のいずれか一項に記載の装置。
【請求項２１】
前記均一な厚さの層の平均厚さが、１．８μｍ〜３．８μｍの範囲にあり、かつ前記試料が他の液体で希釈されていない全血である、請求項１〜２０のいずれか一項に記載の装置。
【請求項２２】
前記均一な厚さの層の平均厚さが、試料中の分析物の最小寸法にほぼ等しい、請求項１〜２１のいずれか一項に記載の装置。
【請求項２３】
前記スペーサ間距離が、７μｍ〜２００μｍの範囲内にある、請求項１〜２２のいずれか一項に記載の装置。
【請求項２４】
前記スペーサ間距離が、４００μｍ以下である、請求項１〜２３のいずれか一項に記載の装置。
【請求項２５】
前記スペーサが、周期的に配置される、請求項１〜２４のいずれか一項に記載の装置。
【請求項２６】
前記スペーサが、円形、多角形、環形、正方形、長方形、長円形、楕円形又はそれらの任意の組み合わせから選択される断面形状を有する柱である、請求項１〜２５のいずれか一項に記載の装置。
【請求項２７】
各スペーサが、少なくとも１である、その高さに対するスペーサの横方向寸法の比を有する、請求項１〜２６のいずれか一項に記載の装置。
【請求項２８】
前記スペーサの最小の横方向寸法が、０．５μｍ〜１００μｍの範囲内である、請求項１〜２７のいずれか一項に記載の装置。
【請求項２９】
前記スペーサの最小の横方向寸法が、０．５μｍ〜１０μｍの範囲内である、請求項１〜２８のいずれか一項に記載の装置。
【請求項３０】
i．前記装置を画像化するための撮像装置と、
ii．前記装置の異なる領域を画像化するように構成されたスキャナと
をさらに含み、前記スペーサが、スペーサの周期的アレイを含む、
請求項３に記載の装置。
【請求項３１】
前記可撓性プレートの厚さと、前記可撓性プレートのヤング率との積が、１００〜５５０ＧＰａ−μｍの範囲にある、請求項１〜３０のいずれか一項に記載の装置。
【請求項３２】
前記プレートの少なくとも１つが透明である、請求項１〜３１のいずれか一項に記載の装置。
【請求項３３】
前記スペーサが、長方形格子アレイに配置され、かつ、３０μｍの高さと、ｘ方向に１１０μｍ、ｙ方向に１２０μｍの、２つの隣接するスペーサ間の中心間距離とを有する、請求項１〜３２のいずれか一項に記載の装置。
【請求項３４】
前記可撓性プレートが、１０μｍ〜２００μｍの範囲内にある厚さを有する、請求項１〜３３のいずれか一項に記載の装置。
【請求項３５】
前記層の厚さの変化が１０％未満である、請求項１〜３４のいずれか一項に記載の装置。
【請求項３６】
前記層の厚さの変化が５％未満である、請求項１〜３５のいずれか一項に記載の装置。
【請求項３７】
第１のプレート及び第２のプレートが前記プレートとは別個の材料であるヒンジにより接続され、かつ前記ヒンジに沿ってプレートを折り畳むことによって開放構成から閉鎖構成に変化するように構成される、請求項１〜３６のいずれか一項に記載の装置。
【請求項３８】
試料付着から６０秒以下の時間内に前記試料を分析するように構成される、請求項１〜３７のいずれか一項に記載の装置。
【請求項３９】
前記閉鎖構成では、前記装置が、試料付着から６０秒以下の時間内に前記試料を分析するように構成される、請求項１〜３８のいずれか一項に記載の装置。
【請求項４０】
前記乾燥結合部位が捕捉剤を含む、請求項３または８に記載の装置。
【請求項４１】
前記乾燥結合部位が抗体又は核酸を含む、請求項３、８、および４０のいずれか一項に記載の装置。
【請求項４２】
前記放出可能な乾燥試薬が、標識された試薬である、請求項５または６に記載の装置。
【請求項４３】
前記放出可能な乾燥試薬が、蛍光標識された試薬である、請求項５、６、および４２のいずれか一項に記載の装置。
【請求項４４】
前記放出可能な乾燥試薬が、細胞染色剤である、請求項５、６、４２、および４３のいずれか一項に記載の装置。
【請求項４５】
前記検出器が光信号を検出する光検出器である、請求項１〜４４のいずれか一項に記載の装置。
【請求項４６】
前記検出器が電気信号を検出する電気検出器である、請求項１〜４５のいずれか一項に記載の装置。
【請求項４７】
前記間隔が、前記プレートを直接的にエンボス加工するか又は前記プレートを射出成形することによってプレートに固定される、請求項１〜４６のいずれか一項に記載の装置。
【請求項４８】
前記プレート及び前記スペーサの材料が、ポリスチレン、ＰＭＭＡ、ＰＣ、ＣＯＣ、ＣＯＰ又は他種のプラスチックから選択される、請求項１〜４７のいずれか一項に記載の装置。
【請求項４９】
携帯電話を用いて試料を迅速に分析するためのシステムであって、
（ａ）請求項１〜４８のいずれか一項に記載の装置と；
（ｂ）
ｉ．試料を検出及び／又は画像化するための１つ以上のカメラ、
ｉｉ．検出された信号及び／又は試料の画像を受信及び／又は処理し、遠隔通信するための、電子機器、信号プロセッサ、ハードウェア及びソフトウェア
を含む移動通信装置と；
（ｃ）移動通信装置又は外部源のいずれか一方からの光源と
を含み、
前記請求項１〜４８のいずれか一項に記載の装置内の検出器が、移動通信装置によって提供され、閉鎖構成で試料中の分析物を検出する、システム。
【請求項５０】
前記プレートのうちの１つが、分析物に結合する結合部位を有し、前記均一な試料厚さの層の少なくとも一部が、前記結合部位の上にあり、かつ前記結合部位の平均横方向線形寸法よりも実質的に小さい、請求項４９に記載のシステム。
【請求項５１】
（ｄ）試料を保持し、前記移動通信装置に搭載されるように構成されたハウジング
をさらに含む、請求項４９または５０に記載のシステム。
【請求項５２】
前記ハウジングが、前記移動通信装置による前記試料の画像化及び／又は信号処理を容易にするための光学素子と、前記光学素子を前記移動通信装置に保持するように構成されたマウントとを含む、請求項５１に記載のシステム。
【請求項５３】
前記ハウジング内の前記光学素子の素子が、ハウジングに対して移動可能である、請求項５２に記載のシステム。
【請求項５４】
前記移動通信装置が、医療専門家、医療機関又は保険会社に、検査結果を伝達するように構成される、請求項４９〜５３のいずれか一項に記載のシステム。
【請求項５５】
前記移動通信装置が、医療専門家、医療機関又は保険会社に、検査及び対象に関する情報を伝達するようにさらに構成される、請求項４９〜５４のいずれか一項に記載のシステム。
【請求項５６】
前記移動通信装置が、検査の情報をクラウドネットワークに伝達するように、かつクラウドネットワークが、前記情報を処理して検査結果を洗練するようにさらに構成される、請求項４９〜５５のいずれか一項に記載のシステム。
【請求項５７】
前記移動通信装置が、検査及び対象に関する情報をクラウドネットワークに伝達するように、かつクラウドネットワークが、前記情報を処理して検査結果を洗練し、洗練された検査結果を対象に返信するようにさらに構成される、請求項４９〜５６のいずれか一項に記載のシステム。
【請求項５８】
前記移動通信装置が、医療専門家から、処方、診断又は勧告を受信するように構成される、請求項４９〜５７のいずれか一項に記載のシステム。
【請求項５９】
前記移動通信装置が、
（ａ）前記試料の画像をキャプチャするために、
（ｂ）画像内の検査位置及び対照位置を分析するために、かつ
（ｃ）前記検査位置の分析から取得された値と、迅速診断検査を特徴付ける閾値とを比較するために
ハードウェア及びソフトウェアと共に構成される、請求項４９〜５８のいずれか一項に記載のシステム。
【請求項６０】
試料中の分析物を分析するための方法であって、
（ａ）請求項１〜４７のいずれか一項に記載の装置に試料を付着させるステップと；
（ｂ）結果を生成するために、前記装置に付着させた試料中の分析物を、分析装置を用いてアッセイするステップと
を含む、方法。
【請求項６１】
前記分析物が、分子（例えば、タンパク質、ペプチド、ＤＮＡ、ＲＮＡ、核酸又はその他の分子）、細胞、代謝産物、組織、ウイルス、または異なる形状のナノ粒子を含む、請求項６０に記載の方法。
【請求項６２】
前記分析物が、白血球、赤血球及び血小板を含む、請求項６０または６１に記載の方法。
【請求項６３】
前記アッセイステップが、白血球差次的アッセイを行う段階を含む、請求項６０〜６２のいずれか一項に記載の方法。
【請求項６４】
前記試料が、体液である、請求項６０〜６３のいずれか一項に記載の方法。
【請求項６５】
前記試料が、血液、唾液又は尿である、請求項６０〜６４のいずれか一項に記載の方法。
【請求項６６】
前記試料が、液体で希釈されていない全血である、請求項６０〜６５のいずれか一項に記載の方法。
【請求項６７】
前記試料中の細胞を染色するステップ、並びに顆粒球、好中球、リンパ球、単球、好酸球又は好塩基球の数を計数するステップを含む、請求項６０〜６６のいずれか一項に記載の方法。
【請求項６８】
請求項１〜４８のいずれか一項に記載の装置を取得するステップと、
前記装置の１つ又は両方のプレートに試料を付着させるステップと、
前記プレートを閉鎖構成に配置し、前記プレートの少なくとも一部に外からの力を加えるステップと、
プレートが閉鎖構成にある時に、均一な厚さの層における前記分析物を分析するステップと
を含む、試料を分析するための方法。
【請求項６９】
前記プレートが前記閉鎖構成になった後、外からの力を除去するステップと、
前記プレートが前記閉鎖構成にある時に、血液細胞を前記均一な厚さの層内で画像化するステップと、
前記画像のある領域内の血液細胞の数を計数するステップと
を含む、請求項６８に記載の方法。
【請求項７０】
前記スペーサ間距離が、２０μｍ〜２００μｍの範囲内である、請求項６８または６９に記載の方法。
【請求項７１】
前記スペーサの充填率とヤング率の積が２ＭＰａ以上であり、前記充填率が、スペーサ接触面積と、総プレート面積との比である、請求項６８〜７０のいずれか一項に記載の方法。
【請求項７２】
前記第１及び第２のプレートの表面平滑度変化が３０ｎｍより小さい、請求項６８〜７１のいずれか一項に記載の方法。
【請求項７３】
前記試料が、抗凝血剤が添加されていない、希釈されていない全血である、請求項６８〜７２のいずれか一項に記載の方法。
【請求項７４】
前記分析ステップが、前記試料中の細胞を染色する段階、並びに顆粒球、好中球、リンパ球、単球、好酸球又は好塩基球の数を計数する段階を含む、請求項６８〜７３のいずれか一項に記載の方法。
【請求項７５】
前記分析ステップが、
ｉ．前記均一な厚さの層内の細胞を照射する段階、
ｉｉ．ＣＣＤ又はＣＭＯＳセンサを用いて細胞の１つ以上の画像を撮像する段階、
ｉｉｉ．コンピュータを用いて画像内の細胞を識別する段階、及び
ｉｖ．画像のある領域内の細胞を計数する段階
によって行われる画像化ステップと計数ステップとを含む、請求項６８〜７４のいずれか一項に記載の方法。
【請求項７６】
前記外からの力が、人の手によって提供される、請求項６８〜７５のいずれか一項に記載の方法。
【請求項７７】
前記均一な厚さの層内の、ナトリウム、カリウム、塩化物、重炭酸塩、血液尿素、窒素、マグネシウム、クレアチニン、グルコース、カルシウム、ＨＤＬコレステロール、ＬＤＬコレステロールレベル及び／又はトリグリセリドレベルを計測するステップをさらに含む、請求項６８〜７６のいずれか一項に記載の方法。
【請求項７８】
１つ又は両方のプレートに塗布された乾燥試薬をさらに含む、請求項６８〜７７のいずれか一項に記載の方法。
【請求項７９】
前記スペーサが、円形、多角形、環形、正方形、長方形、長円形、楕円形又はそれらの任意の組み合わせから選択される断面形状を有する柱である、請求項６８〜７８のいずれか一項に記載の方法。
【請求項８０】
前記スペーサの間の間隔が、ほぼＲＢＣの平均厚さである、請求項６８〜７９のいずれか一項に記載の方法。
【請求項８１】
前記分析ステップが、血液中の細胞を画像化する段階を含む、請求項６８〜８０のいずれか一項に記載の方法。
【請求項８２】
細胞が、赤血球、白血球又は血小板を含む、請求項６８〜８１のいずれか一項に記載の方法。
【請求項８３】
前記血液の分析ステップが、前記血液中の細胞、ウイルス又は細菌を画像化する段階を含む、請求項６８〜８２のいずれか一項に記載の方法。
【請求項８４】
前記血液の分析ステップが、タンパク質又は核酸を検出する段階を含む、請求項６８〜８３のいずれか一項に記載の方法。
【請求項８５】
前記血液の分析ステップが、
前記スペーサを用いて試料の厚さを決定すること、画像化によって横方向面積を決定すること、及び２Ｄ画像を用いて赤血球の面積を計算すること、を含む、血球を計測する段階
を含む、請求項６８〜８４のいずれか一項に記載の方法。
【請求項８６】
前記血液の分析ステップが、血液中の、赤血球濃度、白血球濃度、又は血小板濃度を計測する段階を含む、請求項６８〜８５のいずれか一項に記載の方法。
【請求項８７】
(i)請求項１〜４８に記載の装置を得るステップ；(ii)プレートのうち一つの表面に色素を載置するステップ；(iii)色素による組織の染色のための飽和インキュベーション時間を加速させるべく、組織の厚さを減少させるために、プレートを閉鎖するステップを含む、組織を迅速に染色する方法。
【請求項８８】
前記スペーサが、５０μｍ以下の高さを有する、請求項６８〜８６のいずれか一項に記載の方法。
【請求項８９】
前記スペーサが、５μｍ以下の高さを有する、請求項６８〜８６及び８８のいずれか一項に記載の方法。
【請求項９０】
前記スペーサが、３０μｍの高さを有する、請求項６８〜８６及び８８のいずれか一項に記載の方法。
【請求項９１】
前記試料は組織であり、染色試薬が用いられる、請求項６８〜８６及び８８〜９０のいずれか一項に記載の方法。
【請求項９２】
前記試料は組織であり、染色試薬が用いられ、染色は免疫組織化学的（ＩＨＣ）染色である、請求項６８〜８６及び８８〜９１のいずれか一項に記載の方法。
【請求項９３】
前記試料が液体で希釈されていない全血である、請求項１〜４８のいずれか一項に記載の装置。
【請求項９４】
前記試料が、羊水、房水、硝子体液、血液（例えば全血、分画血液、血漿、又は血清等）、母乳、脳脊髄液（ＣＳＦ）、耳垢（耳あか）、乳糜、糜汁、内リンパ液、外リンパ液、糞便、呼気、胃酸、胃液、リンパ液、粘液（鼻漏及び粘液質を含む）、心膜液、腹膜液、胸膜液、膿液、炎症性分泌物、唾液、呼気凝縮液、皮脂、精液、喀痰、汗、滑液、涙液、嘔吐物及び尿液から選択される生体試料である、請求項１〜４８のいずれか一項に記載の装置。
【請求項９５】
前記試料が生体試料、環境試料、化学試料又は臨床試料である、請求項１〜４８のいずれか一項に記載の装置。
【請求項９６】
前記装置が、複数のスケールマークと、撮像装置と、処理装置とをさらに含み、
（i）前記複数のスケールマークの少なくとも一部は、周期的に配置されたスペーサーを含み、
（ii）前記撮像装置は前記スケールマークと前記装置とを画像化し、
（iii）前記処理装置は、前記撮像装置によって画像化された１つ以上の画像を処理する、
請求項６８に記載の方法。
【請求項９７】
前記装置は、
i．前記装置を画像化するための撮像装置、および
ii．前記撮像装置からの１つ以上の画像を処理するための処理装置であって、前記処理装置は、画像処理アルゴリズムを使用して前記１つ以上の画像を処理し、前記画像処理アルゴリズムは、粒子数アルゴリズム、ＬＵＴ（ルックアップテーブル）フィルタ、粒子フィルタ、パターン認識アルゴリズム、形態学的決定アルゴリズム、ヒストグラム、ラインプロファイル、地形表現、２進数換算、カラーマッチングプロファイルからなる群より選択される１つ以上を含む、前記処理装置
をさらに含む、請求項６８に記載の方法。
【請求項９８】
前記装置は、
i．前記装置を画像化するための撮像装置と、
ii．前記装置の異なる領域を画像化するように構成されたスキャナと
をさらに含み、前記スペーサが、スペーサの周期的アレイを含む、
請求項６８に記載の方法。
【請求項９９】
前記スペーサが、柱形状と、実質的に平坦な上面と、所定の実質的に均一な高さと、前記分析物のサイズよりも少なくとも２倍大きい所定のスペーサ間距離とを有し、前記スペーサのヤング率と前記スペーサの充填率との積は２０ＭＰａ以上であり、前記充填率は、前記スペーサの接触面積と総プレート面積との比であり、スペーサ間距離（ＩＳＤ）の４乗を可撓性プレートの厚さ（ｈ）及びヤング率（Ｅ）で割り算したＩＳＤ４／（ｈＥ）は、５×１０５μｍ３／ＧＰａ以下であり、前記可撓性プレートの厚さと、前記可撓性プレートのヤング率との積が、１００〜５５０ＧＰａ−μｍの範囲である、請求項６８〜９８のいずれか一項に記載の方法。
【請求項１００】
前記スペーサが周期的に配置され、ｙ方向の場合とは異なる、ｘ方向の２つの隣接するスペーサ間の中心間距離を有し、ｘ方向はｙ方向に垂直である、請求項６８〜９９のいずれか一項に記載の方法。
【請求項１０１】
前記プレートが、前記試料接触領域内にウェルをさらに含む、請求項６８〜１００のいずれか一項に記載の方法。
【請求項１０２】
前記プレートは、前記プレートの異なる位置で異なるプレート厚さを有し、前記異なるプレート厚さは、前記異なる位置で試料厚さを制御する、請求項６８〜１０１のいずれか一項に記載の方法。
【請求項１０３】
試薬の拡散時間を減少させるために前記試料厚さを減少させ、閉鎖構成において、前記装置は、試料付着から６０秒以下で前記試料を分析するように構成されている、請求項６８〜１０２のいずれか一項記載の方法。
【請求項１０４】
前記装置は、１つ又は両方のプレートに塗布された乾燥試薬をさらに含み、前記試薬は、捕捉剤、検出剤、化学化合物、光標識、放射性標識、酵素、抗体、タンパク質、核酸、ＤＮＡ、ＲＮＡ、脂質、炭水化物、塩、金属、界面活性剤、溶媒、又はそれらの任意の組み合わせを含む、請求項６８〜１０３のいずれか一項記載の方法。
【請求項１０５】
プレートが複数の試薬部位を有し、測定時間が、アッセイの飽和インキュベーション時間より長いが、２つの隣接する部位の間の顕著な相互拡散の時間よりも短い、請求項６８〜１０４のいずれか一項に記載の方法。
【請求項１０６】
前記分析するステップが、洗浄なしで行われる、請求項６８〜１０５のいずれか一項記載の方法。
【請求項１０７】
前記試料が流動可能ではない、請求項６８〜１０６のいずれか一項記載の方法。
【請求項１０８】
前記分析するステップが、分析物に関連した信号を計測することにより、前記分析物を検出及び／又は定量化する測定装置を使用し、前記信号は、光学信号、電気信号、機械的信号、化学−物理的信号、又はそれらの任意の組み合わせである、請求項６８〜１０７のいずれか一項記載の方法。
【請求項１０９】
前記分析するステップが、前記試料を画像化することと、モバイル通信装置を使用して結果を通信することとを含み、前記モバイル通信装置が、（ｉ）前記試料を検出及び／又は画像化するための１つまたは複数のカメラと、（ii）検出された信号及び／又は前記試料の画像を受信及び／又は処理し、遠隔通信するための信号プロセッサ、ハードウェア及びソフトウェアとを含む、請求項６８〜１０７のいずれか一項記載の方法。
【請求項１１０】
前記分析するステップが、（ａ）撮像装置を使用して、データを生成するために前記試料を画像化すること、及び、（ｂ）処理装置を使用して、前記撮像装置からのデータを処理することを含み、前記処理することは、処理されたデータを、装置に格納されたデータベースと比較して、対象によって実行される行動コースのための命令を検索することを含む、請求項６８〜１０９のいずれか一項記載の方法。
【請求項１１１】
前記分析するステップが、（ａ）撮像装置を使用して、データを生成するために前記試料を画像化すること、及び、（ｂ）処理装置を使用して撮像装置からのデータを処理することを含み、前記処理することは、試験の精度を決定することを含む、請求項６８〜１１０のいずれか一項記載の方法。
【請求項１１２】
前記分析するステップが、撮像装置を使用した画像化を含み、前記試料の画像化が、前記試料とともにスペーサを画像化することを含み、前記スペーサが周期的アレイにあり、前記スペーサがスケールマーカーとして使用される、請求項６８〜１１１のいずれか一項記載の方法。
【請求項１１３】
前記分析するステップが、撮像装置を使用した、前記スペーサの撮像を含む、１つ以上の画像の撮像を含み、前記スペーサは周期的アレイにあり、前記スペーサはスケールマーカーとして使用される、請求項６８〜１１２のいずれか一項記載の方法。
【請求項１１４】
前記分析するステップが、（ａ）撮像装置を使用して、前記プレート間の試料の１つ以上の画像を取得すること、及び、（ｂ）スキャナを使用して前記試料の異なる領域をスキャンすることを含む、請求項６８〜１１３のいずれか一項記載の方法。
【請求項１１５】
前記スペーサが異なる領域に分割され、各領域がそれぞれのスペーサ高さを有する、請求項６８〜１１４のいずれか一項記載の方法。
【請求項１１６】
前記試料が、血液、血清、血漿、鼻腔スワブ、鼻咽頭洗浄液、唾液、尿、胃液、脊髄液、涙、便、粘液、汗、耳垢、油、腺分泌物、脳脊髄液、組織、精液、膣液、腫瘍組織由来の間質液、眼液、脊髄液、咽頭スワブ、呼気、髪、指の爪、皮膚、生検、胎盤液、羊水、臍帯血、リンパ液、腔液、痰、膿、微生物叢、胎便、母乳、呼気凝縮液、鼻スワブ、咽頭スワブ、大便試料、髪、指の爪、耳垢、結締組織、筋肉組織、神経組織、上皮組織、軟骨、がん性試料、又は骨からなる群より選択される生物学的試料である、請求項６８〜１１５のいずれか一項記載の方法。
【発明の詳細な説明】
【技術分野】
【０００１】
相互参照
本願は、２０１５年９月１４日出願の仮出願第６２／２１８，４５５号、２０１６年２月９日出願の仮出願第６２／２９３，１８８号、２０１６年３月８日出願の仮出願第６２／３０５，１２３号、２０１６年７月３１日出願の仮出願第６２／３９６，１８１号の利益を主張し、また、２０１５年８月１０日出願の第６２／２０２，９８９号、２０１５年９月１４日出願の第６２／２１８，４５５号、２０１６年２月９日出願の第６２／２９３，１８８号、２０１６年３月８日出願の第６２／３０５，１２３及び２０１６年７月３１日出願の第６２／３６９，１８１号の利益を主張する２０１６年８月１０日出願のＰＣＴ出願第ＰＣＴ／ＵＳ２０１６／０４６４３７号の利益を主張し、全ての出願が、あらゆる目的のために全体で本明細書に組み込まれる。
【０００２】
分野
本発明は、生化学的／化学的サンプリング、検知、アッセイ及び応用の分野に関する。
【背景技術】
【０００３】
背景
生化学的試料、特に血液試料の分析では、プロセス（例えば、試薬の結合、混合など）を加速し、パラメータ（例えば、分析物濃度、試料体積など）を定量化し、試料採取及び計測過程を簡略化し、小体積の試料を対処することができ、アッセイ全過程を１分間未満で実行可能にし、スマートフォン（例えば、携帯電話）でアッセイを実行可能にし、非専門者が自分でアッセイすることを実行可能にし、検査結果をローカル、遠隔、又はワイヤレスで異なる関係者に通信可能にする、という特徴を有する方法及び装置を必要とする。本発明は、これらの需要に対処する方法、装置、及びシステムに関する。
【発明の概要】
【０００４】
以下の概要は、本発明の全ての特徴及び態様を含むことを意図するものではない。本発明は、従来の多くの検知方法及び装置に比べて、生化学的検知（免疫学的アッセイ、核酸アッセイ、電解質分析などを含むが、これらに限定されない）をより速くし、より敏感にし、ステップがより少なく、より実行しやすく、必要な試料の量がより少なく、専門的な支援に対する需要がより少なく又は減少し（又は不要）、及び／又はコストがより低い、方法、装置及びシステムに関する。
【０００５】
現在の多くの実験室検査の目標は、試料の中のある分析物の絶対濃度を正確に決定することである。例えば、ＲＢＣ検査は、規定量の全血中の赤血球の数を計数し、次に、全血の１マイクロリットルあたりの赤血球の数を計算することを含む。しかし、このような計測は、通常、特別な計器及び／又は比較的小体積の生体液を正確に測定できる正確な測定装置（正確なピペットなど）を必要とするため、特別な検査センターを利用しない場合（即ち、「家庭で」、「薬局で」又は「臨床現場」の環境において）、実行に困難な場合がある。
【０００６】
関連体積の計測
多くのアッセイは、試料の中のある分析物の絶対濃度を提供する。しかし、小体積（例えば、１００ｎＬ〜１０μｌ）しか分析しない場合、そのようなアッセイの結果は非常に不正確になる。これは、小体積では正確に分注及び／又は計測することが困難なためである。
【０００７】
いくつかのアッセイにおいて、液体試料を、スペーサにより離された２つのプレートの間に配置して、分析することができる。理論的に、分析される試料の体積は、分析される試料の面積と分析される試料の厚さを乗算することで計算できる。しかし、実際には、このような推定は、容易に行えず、様々な原因で非常に不正確である。例として、いくつかの装置は、ビーズを用いてプレートを離間させ、ビーズ又はこれらのプレートの１つのいずれかが変形可能である。このような装置は以下の理由で不正確になりやすい：
・球状のスペーサは、これらのプレートとの接触領域がはるかに小さい（ほぼ１つの点になる）。このような装置では、はるかに小さい接触領域のため、単位あたりに加えられた押圧力に対して、プレートと球体との接触領域に加えられる圧力がはるかに大きい。大きな圧力のため、球体及び／又はプレート（それらが可撓性であれば）が変形し、任意の計測値が歪む。
・球状のスペーサは、通常、２つのプレートの間にランダムに分布している。球状のスペーサがランダムに分布しているので、スペーサ間距離は大きく変化し、いくつかの距離はかなり大きい。これにより、スペーサ及び／又はプレート（それらが可撓性であれば）は、いくつかの領域において他の領域と比較してはるかに大きく変形し、結果も歪む。
・互いに近接してランダムに配置されたスペーサは、分析物（例えば、細胞）の移動を妨害する障害物となる可能性があるため、より多くの困難を引き起こす可能性がある、分析物又は細胞の「塊」を生成する恐れがある。
・これらのプレートの１つが大きく変形すると、細胞を溶解させる可能性があり、細胞計数の作業においてエラーを引き起こす可能性がある。
・分析される領域における球状のスペーサの数も、スペーサ及び／又はこれらのプレートの１つが変形した程度も試料ごとに異なるので、体積の計算は不正確である。
・変形のため、分子がこれらのプレートの１つの表面に拡散することに必要な時間は変化する。
【０００８】
球状のスペーサを用いた装置において、分析された試料の部分の体積は、ａ）分析された試料の体積における球体を数え、ｂ）一層の試料の厚さを実験的に推定する（例えば、プレートの間の距離を計算するために使用できる既知濃度の較正物質を含有する非混和性液体などの内部標準を添加する）ことにより、潜在的に推定することができる。しかし、これらの余分なステップは、実行に不便であり、トッププレート及び／又はスペーサが使用中に大きく変形するため、このような装置から取得した計測値は依然としてそれほど正確ではない。
【０００９】
対照的に、本発明の方法及び装置の実施形態は、実質的に均一な高さ、ほぼ均一な断面（例えば、真直ぐな側壁を有する柱）及び平面の（すなわち、「平坦な」）頂部を有する、一定かつ定義された距離（すなわち、ポアソン統計によるランダムな位置ではない）で互いに離された規則的なパターンで、これらのプレートの１つ以上のプレートに固定されたスペーサに依存する。本方法及び装置のいくつかの実施形態を使用している間に、スペーサ及びプレートは、いかなる寸法においても著しく圧縮又は変形せず、少なくともプレートが閉鎖位置にありかつ毛管力により引っ張られている場合、著しく圧縮又は変形しない。本装置は、本装置の使用において、データが取得される試料の一部の体積（すなわち、「関連体積」又は分析される領域内の試料の一部の体積）を非常に容易かつ正確に計算でき、場合によっては、たとえ未知の量の試料が装置に付着したとしても、アッセイを開始する前に計算することさえできる。閉鎖位置では、プレートは実質的に平坦であり（試料の厚さが均一であることを意味する）、分析領域内のスペーサの数及び寸法が分かっているので、該領域内の試料の体積を容易に高精度で計算することができる。アッセイを行った後、領域内のスペーサを数えたり、又は一層の試料の厚さを推定せずに、関連体積の試料を決定することができる。特定量の試料を装置内に付着させる必要もある。さらに、インキュベーションの開始時に、別の領域に比べてある領域に集中するのではなく、分析物分子を関連体積全体にわたって（ポアソン統計に許容される程度まで）均一に分布させるべきである。
【００１０】
短縮された反応時間
既知であるが、水性環境において多くの分析物の拡散定数が非常に低いため、多くのアッセイでは長いインキュベーション時間（常に数時間、場合によっては数日）、攪拌、及び混合を促進する薬剤又は力の使用を必要とする。このようなアッセイは、分析物がこれらのプレートのある初期位置から、遠隔の場所に横方向に拡散可能であるに設計される（例えば、Ｗｅｉら、Ｎｕｃｌ．  Ａｃｉｄｓ  Ｒｅｓ．  ３３：  ｅ７８及びＴｏｅｇｌら、Ｊ．  Ｂｉｏｍｏｌ．  Ｔｅｃｈ．  ２００３  １４：  １９７−２０４を参照する）。結果を取得することに数時間かかることがあるため、このようなシステムには制限がある。さらに、結果を取得した場合、通常、反応が終了した時点で反応が平衡に達しているとは確実には言い難い。特に、この不確かさのため、試料の中の分析物の絶対濃度を推定することが不可能になる。
【００１１】
以下で詳細に説明するように、本方法及び装置のいくつかの実施形態において、スペーサの高さ及びアッセイ終点は、アッセイ中に分析物が横方向に拡散する量を制限するように選択することができる。これらの場合、そのようなアッセイ（典型的には結合アッセイ）は、非常に短い時間で実行することができる。また、試料全体が分析されていないか又は未知の量であっても、試料の中の分析物の濃度を非常に正確に推定することができる。
【００１２】
これらの実施形態において、閉鎖構成で標的実体が、厚さが均一な層の厚さにわたって拡散することに要する時間以上の時間（すなわち、分析物があるプレートから他のプレートに垂直に拡散することに要する時間よりも短い時間）ｉ、及び標的実体が結合部位の所定の面積の線形寸法にわたって横方向に拡散することに要する時間より短い時間（すなわち、分析物が結合部位の一方の側から他の側に横方向に拡散することに要する時間）より短い時間ｉｉで、アッセイを停止させかつ／又はアッセイ結果を読み取ることができる。このような「局所的結合」構成では、分析領域のすぐ上にある試料の体積であるため、データを取得する試料の一部の体積（「関連する体積」）を合理的かつ正確に推定することができる。実際に、データを取得する試料の一部の体積は、アッセイの開始前に知ることができる。このような「局所的結合」の実施形態は、試料及び任意の検出試薬が結合部位の上にある薄層としてプレスされるので、任意の検体及び／又は検出試薬の間の結合が、試料を薄層としてプレスしていない実施形態（例えば、一滴の試料が単に結合部位を有するプレートの上部に置かれる場合）より迅速に平衡に達する、という付加的な利点を有する。このように、多くの場合、数分ではなく数秒で結合平衡に達し、このように、多くのアッセイ、特に結合アッセイは、例えば１分未満で非常に迅速に完了することができる。
【００１３】
多重化
また、「局所的結合」構成は、異なる反応を互いに流体的に隔離することなく多重アッセイを実行することを可能にする。言い換えれば、複数のアッセイを、アッセイが互いに隔離されていない（すなわち、流体的隔離なし）開放環境で実行することができる。例えば、局所的結合の実施形態において、同一の試料の中の２種の異なる分析物を並行してアッセイすることができ、分析物があるアッセイ領域から他のアッセイ領域に拡散する前にアッセイを停止させかつ／又はアッセイ結果を読み取るので、試料の中の分析物が互いに流体的に隔離されていなくても、試料の中のこれらの分析物の絶対濃度をそれぞれ確定することができる。
【００１４】
単に試料を２つのプレートの間に挟んで、拡散が制限される方法でアッセイを行うことにより、流体的隔離なしで、１つの試料に対して複数のアッセイを行うことができ、いくつかの利点がある。例えば、体積が未知の一滴の試料（例えば、血液）を単に滴下し、試料とプレートをプレスすることで試料をプレートに広げ、試料を一定の時間インキュベーションして、装置内の複数の部位から読み取りを行うことにより、アッセイを完了することができる。正確な流体移送及び／又は計測装置がなくては実行しにくい、規定量の試料をいくつかのチャンバに移すことは、本方法を実施する場合には必要ではない。なお、上記の理由で、アッセイは非常に迅速である。さらに、プレートを「壁」を有するものに製造する必要がないので、装置の製造が容易である。最後に、プレートのいずれにも、ポート、すなわち、装置が閉鎖位置にある時に試料又は試薬の添加又は除去のために潜在的に使用されるポートを必要としない。
【００１５】
増幅表面
また、本装置及び方法のいくつかの実施形態において、装置は、「増幅表面」を含むことができ、例えば、検出試薬により生成された蛍光又は発光などの信号を増強する表面を参照されたい。場合によっては、ナノプラズモン効果（例えば、表面増強ラマン散乱）により信号を増強することができる。ＬｉなどのＯｐｔｉｃｓ  Ｅｘｐｒｅｓｓ  ２０１１  １９：３９２５−３９３６及びＷＯ２０１２／０２４００６は、増幅表面による信号増強の例を記載しており、参照により本明細書に組み込まれる。場合によっては、増幅表面は、ディスク・カップルド・ドット・オン・ピラー・アンテナアレイ（Ｄ２ＰＡ）であってもよく、これは米国特許第９，０１３，６９０号に記載されている。使用において、信号を増強可能に構成されていない検出器と比較して、増幅表面を含む装置は信号を１０３倍以上増幅することができ、従って、非常に高い感度での分析物検出を可能にする。いくつかの実施形態において、例えばＷＯ２０１４１４４１３３に記載の方法を用いて、試料の関連体積の中の分析物（特にサンドイッチアッセイ法を用いて検出された非細胞分析物）の量をデジタル的にカウントすることができる。増幅表面の使用は、場合によっては、アッセイを、スマートフォンなどを用いて読み取ることを可能にする。
【００１６】
その他の特徴
本装置の実施形態において、プレートが水性環境に浸漬されている場合、１つ以上のプレートに固定されたスペーサの位置が変更されたり、又はスペーサが押し流されることはない。スペーサは、球形ではなく、静電力、重力などのような弱い力によりプレートの表面に固定されていない。いくつかの実施形態において、スペーサを有するプレートは一体型であってもよい。多くの実施形態において、スペーサは、予め製造して次にプレートに固定される（例えば、接着されるなど）ものではない。むしろ、スペーサを、エンボス及び／又は微細加工（例えば、フォトリソグラフィ）プロセスを用いて、プレート上に成長させてもよく、かつ／又はエッチングしてもよい。
【００１７】
閉鎖位置において、トッププレート（可撓性であってもよい）が、分析されている試料の一部（試料の「関連体積」）の上で大きく変形しないように、スペーサのパラメータ（例えば、それらの断面、間隔及び密度など）を最適化することができる。場合によっては、スペーサのパラメータは、トッププレートの柔軟性により調節することができる。例えば、トッププレートがより可撓性であれば、スペーサは互いにより近くなる可能性がある。同様に、トッププレートの可撓性が低ければ、スペーサがより遠くなる可能性がある。
【００１８】
さらに、本装置の多くの実施形態の使用において、装置を閉めた後、分析物は装置を通って指向的に移動することがない。このように、Ａｕｓｔｉｎ（米国特許第６，６３２，６５２号）に記載されているように、閉鎖構成では、分析物が選別又は分画されず、そして（例えば、重力又は電気泳動により）装置を強制的かつ指向的に流れない可能性がある。多くの場合、装置を電源に結合して起電力を発生させる必要はない。多くの実施形態において、試料が広げられている間に、分析物（細胞）の通過を妨害する「障害物」がないので、分析物は、別の領域に比べてある領域に集中しているようではなく、関連体積全体にわたって（ポアソン統計に許容される程度まで）均一に分布する。さらに、他の装置において、カバープレートの機能は、液体の漏出を防止するために装置を密閉することであり、そのため、いずれのプレートにも試料がない場合、カバープレートは基板の上部に配置することができる。このような装置は、開放したプレート表面に液体を押しつけて、分析できる試料の薄層を生成することをしない。また、その他の装置において、柱の重要な機能は、ナノ粒子（例えば、細胞など）を「フィルタリング」又は選別することである。従って、柱の間の距離は、カバープレートと基板との間の間隔を均一にするという目的ではなく、選別されたナノ粒子によって決定される。最後に、Ａｕｓｔｉｎの装置のような多くの装置において、選別の精度は、主にプレート間の間隔ではなく、柱の間の距離により制御され、プレート間の間隔の制御は、重要ではないと思われる。従って、このような開示では、柱のサイズ、形状、柱間の間隔などを変化させることにより、プレート間隔の均一性を変更することはない。
【００１９】
上記を考慮して、本装置及び方法は、使用しやすく、安価で、製造しやすく、非常に迅速な、液体試料の中の分析物（又は装置及び方法が多重方式で実装されている場合は複数の分析物）の絶対濃度を決定する方法を提供する。
【００２０】
本発明の１つの態様は、より簡単かつ迅速及び／又はより優れたアッセイのために、一対の互いに移動可能なプレートを使用して小体積の試料又は１つ若しくは複数の試薬又はその両方を操作する手段である。該操作は、試料の再形成、試料流動の強制、試料と試薬の接触、試料量の計測、拡散距離の短縮、衝突頻度の増加など（これらはすべてある種のアッセイに対して有益な影響を及ぼす）を含むが、これらに限定されない。本発明において、プレート上の特別な特徴及び特性、プレートを取り扱う特別な方法、並びに試薬及び試料を取り扱う特別な方法は、アッセイにおける優位性を提供する。
【００２１】
本発明の１つの態様は、プレートに付着した液体試料の小さな液滴の少なくとも一部を、制御された、所定の、そして広い領域にわたって均一な厚さを有する薄膜にする手段である。該均一な厚さは、１μｍ未満ほど薄くてもよい。さらに、本発明は、環境への蒸発がなく、同じ均一な厚さを長期間維持することを可能にする。
【００２２】
本発明の別の態様は、ピペットなどを使用せずに、本発明によって形成された所定の均一に薄い試料の厚さを利用して試料の一部又は全体の体積を決定する手段である。
【００２３】
本発明の別の態様は、平坦な頂部及びほぼ均一な横断面を有する柱形状を有する（２つのプレート間の間隔を制御するための）スペーサの一実施形態である。このようなスペーサは、ボール（ビーズ）状のスペーサと比べて、試料の厚さの制御における多くの優位性を提供する。
【００２４】
本発明の別の態様は、平坦な頂部及びほぼ均一な横断面を有する柱形状を有する（２つのプレート間の間隔を制御するための）スペーサの複数の実施形態である。このようなスペーサは、ボール（ビーズ）状のスペーサと比べて、試料の厚さの制御における多くの優位性を提供する。
【００２５】
本発明の別の態様は、試料の２つの部分の間で流体的な分離を使用せずに、試料の他の部分ではなく、主に試料のほんの一部でのみ特定の化学反応（又は混合）を発生させる手段である。
【００２６】
本発明の別の態様は、試料の異なる部分の間で流体的な分離を使用せずに、試料の他の部分ではなく、主に試料のほんの一部でのみ複数の化学反応（又は混合）を発生させる手段である。このように、本発明は、異なる反応部位の間で流体的に分離することなく、小さい一滴の試料を用いて多重アッセイを並行して行うことを可能にする。
【００２７】
本発明の別の態様は、アッセイ（例えば、免疫学的アッセイ、核酸アッセイなど）をより迅速にする手段である。例えば、飽和インキュベーション時間（分子間の結合が平衡に達する時間）を数時間から６０秒未満に短縮する。
【００２８】
本発明の別の態様は、増幅表面、大きな又は明るい標識などを含む、１つの方法又は複数の方法の組み合わせにより検出感度を有意に向上させる手段である。
【００２９】
本発明の別の態様は、例えば０．５μＬ（マイクロリットル）以下のような、非常に少量の試料を用いてアッセイを行う手段である。
【００３０】
本発明の別の態様は、微小な体液を対象から直接的に検査領域又は試料領域に付着させることを可能にすることにより、アッセイを簡略化する手段である。
【００３１】
本発明の別の態様は、プレートに試薬を予め塗布することによりアッセイを簡略化かつ加速する手段である。例えば、プレートに捕捉剤及び検出剤を予め塗布し、乾燥する。別の例は、全ての必要な検出試薬をプレートに予め塗布し、他の試薬を付着させる必要なく、予め塗布されたプレートに試料を付着させることにより検知を行う。
【００３２】
本発明の別の態様は、携帯電話によってアッセイの読み取りを実行する手段である。
【００３３】
本発明の別の態様は、１対のプラスチックの間に自分の体液（例えば唾液）を直接滴下して、６０秒内に自身のバイオマーカーを自分で検査することを可能にする手段である。
[本発明1001]
試料中の分析物を分析するための装置であって、
第1のプレート及び第2のプレートと、分析物を検出する検出器とを含み、
ｉ．前記プレートが異なる構成になるように互いに対して移動可能であり、
ｉｉ．1つ又は両方のプレートが可撓性であり、
ｉｉｉ．各プレートが、そのそれぞれの表面に、試料を分析物と接触させるための試料接触領域を有し、
ｉｖ．前記プレートの1つ又は両方が、それぞれのプレートに固定されたスペーサを含み、前記スペーサが、所定の実質的に均一な高さ、及び7μｍ〜200μｍの範囲内にある所定の一定のスペーサ間距離を有し、前記スペーサのうちの少なくとも1つのスペーサが、前記試料接触領域内にあり、
前記構成の1つは開放構成であり、ここでは、2つのプレートが離され、プレート間の間隔がスペーサにより調節されず、試料がプレートの1つ又は両方に付着しており、
別の構成は、開放構成で試料を付着させた後に構成された閉鎖構成であり、前記閉鎖構成において、前記試料の少なくとも一部が、前記2つのプレートにより非常に均一な厚さの層へと圧縮されて前記プレートに対して実質的に静止し、前記層の均一な厚さが、前記2つのプレートの内表面により限定され、前記プレート及び前記スペーサにより調節され、小さいばらつきで5μｍ以下の平均厚さを有し、
前記閉鎖構成で、前記検出器が、前記試料の少なくとも一部の中の分析物を検出する、装置。
[本発明1002]
1つ又は両方のプレートに塗布された乾燥試薬をさらに含む、本発明1001の装置。
[本発明1003]
1つ又は両方のプレートにおいて、所定の領域を有する乾燥結合部位をさらに含み、前記乾燥結合部位が、前記試料中の分析物に結合し、それを固定化する、前記本発明のいずれかの装置。
[本発明1004]
1つ又は両方のプレートにおいて、放出可能な乾燥試薬と、前記放出可能な乾燥試薬が前記試料中に放出される時間を遅らせる放出時間制御材料とをさらに含む、前記本発明のいずれかの装置。
[本発明1005]
前記放出時間制御材料が、乾燥試薬が試料に放出され始める時間を少なくとも3秒まで遅らせる、本発明1004の装置。
[本発明1006]
前記試薬が、抗凝血剤及び／又は染色試薬を含む、本発明1002の装置。
[本発明1007]
1つ又は両方のプレート上に、1つ以上の乾燥結合部位、及び／又は1つ以上の試薬部位をさらに含む、前記本発明のいずれかの装置。
[本発明1008]
前記分析物が、分子（例えば、タンパク質、ペプチド、ＤＮＡ、ＲＮＡ、核酸又はその他の分子）、細胞、組織、ウイルス及び異なる形状のナノ粒子を含む、前記装置発明のいずれかの装置。
[本発明1009]
前記分析物が、白血球、赤血球及び血小板を含む、前記装置発明のいずれかの装置。
[本発明1010]
前記分析物が染色される、前記装置発明のいずれかの装置。
[本発明1011]
均一な厚さの層を調節するスペーサが、少なくとも1％の充填率を有し、前記充填率が、均一な厚さの層と接触するスペーサ面積と、均一な厚さの層と接触する総プレート面積との比である、前記本発明のいずれかの装置。
[本発明1012]
均一な厚さの層を調節するスペーサについて、スペーサのヤング率とスペーサの充填率との乗積が10ＭＰａ以上であり、前記充填率が、均一な厚さの層と接触するスペーサ面積と、均一な厚さの層と接触する総プレート面積との比である、前記本発明のいずれかの装置。
[本発明1013]
可撓性プレートについて、前記可撓性プレートの厚さと前記可撓性プレートのヤング率との乗積が、60ＧＰａ−μｍ〜750ＧＰａ−μｍの範囲内にある、前記本発明のいずれかの装置。
[本発明1014]
可撓性プレートについて、スペーサ間距離（ＩＳＤ）の4乗を可撓性プレートの厚さ（ｈ）及び可撓性プレートのヤング率（Ｅ）で割り算したＩＳＤ4／（ｈＥ）が、106μｍ3／ＧＰａ以下である、前記本発明のいずれかの装置。
[本発明1015]
1つ又は両方のプレートが、前記プレートの表面又は内部のいずれか一方に、前記プレートの位置情報を提供する位置マーカーを含む、前記本発明のいずれかの装置。
[本発明1016]
1つ又は両方のプレートが、前記プレート表面又は内部のいずれか一方に、前記試料及び／又はプレートの構造の横方向寸法の情報を提供するスケールマーカーを含む、前記本発明のいずれかの装置。
[本発明1017]
1つ又は両方のプレートが、前記プレート表面又は内部のいずれか一方に、前記試料の画像化を支援する画像化マーカーを含む、前記本発明のいずれかの装置。
[本発明1018]
前記スペーサが、位置マーカー、スケールマーカー、画像化マーカー、又はそれらの任意の組み合わせとして機能する、前記本発明のいずれかの装置。
[本発明1019]
前記均一な厚さの層の平均厚さが、2μｍ〜2．2μｍの範囲にあり、かつ前記試料が血液である、前記本発明のいずれかの装置。
[本発明1020]
前記均一な厚さの層の平均厚さが、2．2μｍ〜2．6μｍの範囲にあり、かつ前記試料が血液である、前記本発明のいずれかの装置。
[本発明1021]
前記均一な厚さの層の平均厚さが、1．8μｍ〜2μｍの範囲にあり、かつ前記試料が血液である、前記本発明のいずれかの装置。
[本発明1022]
前記均一な厚さの層の平均厚さが、2．6μｍ〜3．8μｍの範囲にあり、かつ前記試料が血液である、前記本発明のいずれかの装置。
[本発明1023]
前記均一な厚さの層の平均厚さが、1．8μｍ〜3．8μｍの範囲にあり、かつ前記試料が他の液体で希釈されていない全血である、前記本発明のいずれかの装置。
[本発明1024]
前記均一な厚さの層の平均厚さが、試料中の分析物の最小寸法にほぼ等しい、前記本発明のいずれかの装置。
[本発明1025]
前記スペーサ間距離が、7μｍ〜50μｍの範囲内にある、前記本発明のいずれかの装置。
[本発明1026]
前記スペーサ間距離が、50μｍ〜120μｍの範囲内にある、前記本発明のいずれかの装置。
[本発明1027]
前記スペーサ間距離が、120μｍ〜200μｍの範囲内にある、前記本発明のいずれかの装置。
[本発明1028]
前記スペーサ間距離が、実質的に周期的である、前記本発明のいずれかの装置。
[本発明1029]
前記スペーサが、円形、多角形、環形、正方形、長方形、長円形、楕円形又はそれらの任意の組み合わせから選択される断面形状を有する柱である、前記本発明のいずれかの装置。
[本発明1030]
前記スペーサが柱形状を有しかつ実質的に平坦な上面を有し、各スペーサについて、その高さに対するスペーサの横方向寸法の比が少なくとも1である、前記本発明のいずれかの装置。
[本発明1031]
各スペーサが、
少なくとも1である、その高さに対するスペーサの横方向寸法の比
を有する、前記本発明のいずれかの装置。
[本発明1032]
前記スペーサの最小の横方向寸法が、前記試料中の分析物の最小の寸法より小さいか、又は実質的に等しい、前記本発明のいずれかの装置。
[本発明1033]
前記スペーサの最小の横方向寸法が、0．5μｍ〜100μｍの範囲内である、前記本発明のいずれかの装置。
[本発明1034]
前記スペーサの最小の横方向寸法が、0．5μｍ〜10μｍの範囲内である、前記本発明のいずれかの装置。
[本発明1035]
前記試料が血液である、前記本発明のいずれかの装置。
[本発明1036]
前記試料が液体で希釈されていない全血である、前記本発明のいずれかの装置。
[本発明1037]
前記試料が、羊水、房水、硝子体液、血液（例えば全血、分画血液、血漿、又は血清等）、母乳、脳脊髄液（ＣＳＦ）、耳垢（耳あか）、乳糜、糜汁、内リンパ液、外リンパ液、糞便、呼気、胃酸、胃液、リンパ液、粘液（鼻漏及び粘液質を含む）、心膜液、腹膜液、胸膜液、膿液、炎症性分泌物、唾液、呼気凝縮液、皮脂、精液、喀痰、汗、滑液、涙液、嘔吐物及び尿液から選択される生体試料である、前記本発明のいずれかの装置。
[本発明1038]
前記試料が生体試料、環境試料、化学試料又は臨床試料である、前記本発明のいずれかの装置。
[本発明1039]
前記スペーサが柱形状を有し、前記スペーサの側壁角が、少なくとも1μｍの曲率半径を有する円形状を有する、前記本発明のいずれかの装置。
[本発明1040]
前記スペーサが、少なくとも100／ｍｍ2の密度を有する、前記本発明のいずれかの装置。
[本発明1041]
前記スペーサが、少なくとも1000／ｍｍ2の密度を有する、前記本発明のいずれかの装置。
[本発明1042]
前記プレートの少なくとも1つが透明である、前記本発明のいずれかの装置。
[本発明1043]
前記プレートの少なくとも1つが、可撓性ポリマーで製造される、前記本発明のいずれかの装置。
[本発明1044]
プレートを圧縮する圧力について、スペーサが圧縮可能ではなく、かつ／又は独立してプレートのうち1つのみが可撓性である、前記本発明のいずれかの装置。
[本発明1045]
前記可撓性プレートが、10μｍ〜200μｍの範囲内にある厚さを有する、前記本発明のいずれかの装置。
[本発明1046]
前記変化が30％未満である、前記本発明のいずれかの装置。
[本発明1047]
前記変化が10％未満である、前記本発明のいずれかの装置。
[本発明1048]
前記変化が5％未満である、前記本発明のいずれかの装置。
[本発明1049]
第1のプレート及び第2のプレートが接続され、かつプレートを折り畳むことによって開放構成から閉鎖構成に変化するように構成される、前記本発明のいずれかの装置。
[本発明1050]
第1のプレート及び第2のプレートが1つのヒンジで接続され、かつ前記ヒンジに沿ってプレートを折り畳むことによって開放構成から閉鎖構成に変化するように構成される、前記本発明のいずれかの装置。
[本発明1051]
第1のプレート及び第2のプレートが前記プレートとは別個の材料であるヒンジにより接続され、かつ前記ヒンジに沿ってプレートを折り畳むことによって開放構成から閉鎖構成に変化するように構成される、前記本発明のいずれかの装置。
[本発明1052]
第1のプレート及び第2のプレートが単一の材料片で製造され、かつプレートを折り畳むことによって開放構成から閉鎖構成に変化するように構成される、前記本発明のいずれかの装置。
[本発明1053]
均一な厚さの試料の層が、少なくとも1ｍｍ2の横方向面積にわたって均一である、前記本発明のいずれかの装置。
[本発明1054]
60秒以下の時間内に前記試料を分析するように構成される、前記本発明のいずれかの装置。
[本発明1055]
前記閉鎖構成では、最終的な試料厚さ装置が、60秒以下の時間内に前記試料を分析するように構成される、前記本発明のいずれかの装置。
[本発明1056]
前記閉鎖構成では、最終的な試料厚さ装置が、10秒以下の時間内に前記試料を分析するように構成される、前記本発明のいずれかの装置。
[本発明1057]
前記乾燥結合部位が捕捉剤を含む、前記本発明のいずれかの装置。
[本発明1058]
前記乾燥結合部位が抗体又は核酸を含む、前記本発明のいずれかの装置。
[本発明1059]
前記放出可能な乾燥試薬が、標識された試薬である、前記本発明のいずれかの装置。
[本発明1060]
前記放出可能な乾燥試薬が、蛍光標識された試薬である、前記本発明のいずれかの装置。
[本発明1061]
前記放出可能な乾燥試薬が、蛍光標識された抗体である、前記本発明のいずれかの装置。
[本発明1062]
前記放出可能な乾燥試薬が、細胞染色剤である、前記本発明のいずれかの装置。
[本発明1063]
前記検出器が光信号を検出する光検出器である、前記本発明のいずれかの装置。
[本発明1064]
。
[本発明1065]
前記検出器が電気信号を検出する電気検出器である、前記本発明のいずれかの装置。
[本発明1066]
前記間隔が、前記プレートを直接的にエンボス加工するか又は前記プレートを射出成形することによってプレートに固定される、前記装置発明のいずれかの装置。
[本発明1067]
前記プレート及び前記スペーサの材料が、ポリスチレン、ＰＭＭＡ、ＰＣ、ＣＯＣ、ＣＯＰ又は他種のプラスチックから選択される、前記装置発明のいずれかの装置。
[本発明1068]
携帯電話を用いて試料を迅速に分析するためのシステムであって、
（ａ）前記本発明のいずれかの装置と；
（ｂ）
ｉ．試料を検出及び／又は画像化するための1つ以上のカメラ、
ｉｉ．検出された信号及び／又は試料の画像を受信及び／又は処理し、遠隔通信するための、電子機器、信号プロセッサ、ハードウェア及びソフトウェア
を含む移動通信装置と；
（ｃ）移動通信装置又は外部源のいずれか一方からの光源と
を含み、
前記本発明のいずれかの装置内の検出器が、移動通信装置によって提供され、閉鎖構成で試料中の分析物を検出する、システム。
[本発明1069]
前記プレートのうちの1つが、分析物に結合する結合部位を有し、前記均一な試料厚さの層の少なくとも一部が、前記結合部位の上にあり、かつ前記結合部位の平均横方向線形寸法よりも実質的に小さい、前記システム発明のいずれかのシステム。
[本発明1070]
（ｄ）試料を保持し、前記移動通信装置に搭載されるように構成されたハウジング
をさらに含む、前記システム発明のいずれかのシステム。
[本発明1071]
前記ハウジングが、前記移動通信装置による前記試料の画像化及び／又は信号処理を容易にするための光学素子と、前記光学素子を前記移動通信装置に保持するように構成されたマウントとを含む、前記システム発明のいずれかのシステム。
[本発明1072]
前記ハウジング内の前記光学素子の素子が、ハウジングに対して移動可能である、前記システム発明のいずれかのシステム。
[本発明1073]
前記移動通信装置が、医療専門家、医療機関又は保険会社に、検査結果を伝達するように構成される、前記システム発明のいずれかのシステム。
[本発明1074]
前記移動通信装置が、医療専門家、医療機関又は保険会社に、検査及び対象に関する情報を伝達するようにさらに構成される、前記システム発明のいずれかのシステム。
[本発明1075]
前記移動通信装置が、検査の情報をクラウドネットワークに伝達するように、かつクラウドネットワークが、前記情報を処理して検査結果を洗練するようにさらに構成される、前記システム発明のいずれかのシステム。
[本発明1076]
前記移動通信装置が、検査及び対象に関する情報をクラウドネットワークに伝達するように、かつクラウドネットワークが、前記情報を処理して検査結果を洗練し、洗練された検査結果を対象に返信するようにさらに構成される、前記システム発明のいずれかのシステム。
[本発明1077]
前記移動通信装置が、医療専門家から、処方、診断又は勧告を受信するように構成される、前記システム発明のいずれかのシステム。
[本発明1078]
前記移動通信装置が、
（ａ）前記試料の画像をキャプチャするために、
（ｂ）画像内の検査位置及び対照位置を分析するために、かつ
（ｃ）前記検査位置の分析から取得された値と、迅速診断検査を特徴付ける閾値とを比較するために
ハードウェア及びソフトウェアと共に構成される、前記システム発明のいずれかのシステム。
[本発明1079]
前記プレートのうち少なくとも1つが、アッセイ試薬が貯蔵された貯蔵部位を含む、前記システム発明のいずれかのシステム。
[本発明1080]
前記カメラのうち少なくとも1つが、前記ＣＲＯＦ装置からの信号を読み取る、前記システム発明のいずれかのシステム。
[本発明1081]
前記移動通信装置が、ＷｉＦｉ又はセルラネットワークを介して、前記遠隔地と通信する、前記システム発明のいずれかのシステム。
[本発明1082]
前記移動通信装置が、携帯電話である、前記システム発明のいずれかのシステム。
[本発明1083]
携帯電話を用いて試料中の分析物を迅速に分析するための方法であって、
（ａ）前記システム発明のいずれかの装置に試料を付着させるステップと；
（ｂ）結果を生成するために、前記装置に付着させた試料中の分析物をアッセイするステップと；
（ｃ）移動通信装置からの結果を移動通信装置から離れた位置に伝達するステップと
を含む、方法。
[本発明1084]
前記分析物が、分子（例えば、タンパク質、ペプチド、ＤＮＡ、ＲＮＡ、核酸又はその他の分子）、細胞、組織、ウイルス及び異なる形状のナノ粒子を含む、前記方法発明のいずれかの方法。
[本発明1085]
前記分析物が、白血球、赤血球及び血小板を含む、前記方法発明のいずれかの方法。
[本発明1086]
前記アッセイステップが、白血球差次的アッセイを行う段階を含む、前記方法発明のいずれかの方法。
[本発明1087]
前記遠隔地での結果を分析して、分析結果を提供するステップと、
前記遠隔地からの前記分析結果を前記移動通信装置に伝達するステップと
を含む、前記方法発明のいずれかの方法。
[本発明1088]
前記分析が、遠隔地で医療専門家によって行われる、前記方法発明のいずれかの方法。
[本発明1089]
前記移動通信装置が、遠隔地にいる医療専門家から、処方、診断又は勧告を受信する、前記方法発明のいずれかの方法。
[本発明1090]
前記試料が、体液である、前記方法発明のいずれかの方法。
[本発明1091]
前記試料が、血液、唾液又は尿である、前記方法発明のいずれかの方法。
[本発明1092]
前記試料が、液体で希釈されていない全血である、前記方法発明のいずれかの方法。
[本発明1093]
前記アッセイステップが、前記試料中の分析物を検出する段階を含む、前記方法発明のいずれかの方法。
[本発明1094]
前記分析物が、バイオマーカーである、前記方法発明のいずれかの方法。
[本発明1095]
前記分析物が、タンパク質、核酸、細胞又は代謝産物である、前記方法発明のいずれかの方法。
[本発明1096]
赤血球の数を計数するステップを含む、前記方法発明のいずれかの方法。
[本発明1097]
白血球の数を計数するステップを含む、前記方法発明のいずれかの方法。
[本発明1098]
前記試料中の細胞を染色するステップ、並びに好中球、リンパ球、単球、好酸球及び好塩基球の数を計数するステップを含む、前記方法発明のいずれかの方法。
[本発明1099]
ステップ（ｂ）において行ったアッセイが、結合アッセイ又は生化学的アッセイである、前記方法発明のいずれかの方法。
[本発明1100]
前記装置発明のいずれかの装置を取得するステップと、
前記装置の1つ又は両方のプレートに試料を付着させるステップと、
前記プレートを閉鎖構成に配置し、前記プレートの少なくとも一部に外からの力を加えるステップと、
プレートが閉鎖構成にある時に、均一な厚さの層における前記のものを分析するステップと
を含む、試料を分析するための方法。
[本発明1101]
以下のステップ：
（ａ）試料を取得するステップと；
（ｂ）異なる構成になるように互いに対して移動可能な第1のプレート及び第2のプレートを取得するステップであって、各プレートが、実質的に平坦な試料接触表面を有し、1つ又は両方のプレートが可撓性であり、1つ又は両方のプレートが、それぞれの試料接触表面に固定されたスペーサを含み、
スペーサが、
ｖｉ．所定の実質的に均一な高さと、
ｖｉｉ．実質的に均一な断面及び平坦な上面を有する柱の形状と、
ｖｉｉｉ．1以上の、高さに対する幅の比と、
ｉｘ．10μｍ〜200μｍの範囲内にある所定の一定のスペーサ間距離と、
ｘ．1％以上の充填率と、を有する、ステップと；
（ｃ）プレートが開放構成に構成されている時に、試料を1つ又は両方のプレートに付着させるステップであって、前記開放構成とは、2つのプレートが部分的に又は完全に離され、プレート間の間隔がスペーサにより調節されない構成である、ステップと；
（ｄ）（ｃ）の後、2つのプレートを用いて、試料の少なくとも一部を、プレートの試料接触表面によって限定された実質的に均一な厚さの層へと圧縮するステップであって、該層の均一な厚さが、スペーサ及びプレートにより調節され、10％より小さいばらつきで1．8μｍ〜3μｍの範囲内にある平均値を有し、
前記圧縮ステップが以下の段階：
前記2つのプレートを一体に合わせる段階、
閉鎖構成へと前記プレートを一緒に押し付けるように、並行して又は順次のいずれかで前記プレートのうち少なくとも1つのプレートのある領域を適切に押す段階であって、前記適切に押す段階により前記試料の前記少なくとも一部を介して前記プレートに実質的に均一な圧力を発生させ、前記押す段階により前記試料の前記少なくとも一部を前記プレートの前記試料接触面間に横方向に広げ、前記閉鎖構成が、均一な厚さ領域の前記層において前記プレート間の前記間隔が前記スペーサにより調節される構成である、段階、を含む、ステップと；
（ｅ）プレートが閉鎖構成である場合、均一な厚さの層における前記のものを分析するステップと
を含み、
前記充填率が、総プレート面積に対するスペーサ接触面積の比であり、
前記適切に押す段階が、前記プレートの外面の形状の違いに関わらず、ある領域に加えた圧力を実質的に一定にする方法であり、
前記並行して押す段階が、同時に所望の領域に圧力を加え、前記順次押す段階が、所定の領域の一部に圧力を加え、かつ徐々に他の領域に移行する、
前記分析方法発明のいずれかの方法。
[本発明1102]
前記プレートが前記閉鎖構成になった後、外からの力を除去するステップと、
前記プレートが前記閉鎖構成にある時に、前記血液細胞を前記均一な厚さの層内で画像化するステップと、
前記画像のある領域内の血液細胞の数を計数するステップと
を含む、前記分析方法発明のいずれかの方法。
[本発明1103]
前記スペーサ間距離が、20μｍ〜200μｍの範囲内である、前記分析方法発明のいずれかの方法。
[本発明1104]
前記スペーサ間距離が、5μｍ〜20μｍの範囲内である、前記分析方法発明のいずれかの方法。
[本発明1105]
前記スペーサの充填率とヤング率の積が2ＭＰａ以上である、前記分析方法発明のいずれかの方法。
[本発明1106]
前記表面変化が30ｎｍより小さい、前記分析方法発明のいずれかの方法。
[本発明1107]
前記（ｂ）の血液試料が、抗凝血剤が添加されていない、希釈されていない全血である、前記分析方法発明のいずれかの方法。
[本発明1108]
前記付着ステップ（ｂ）が、
ｉ．ヒトの皮膚を穿刺して皮膚上に小滴の血液を放出する段階、及び
ｉｉ．血液移送器具を使用せずに前記小滴の血液を一つ又は両方の前記プレートと接触させる段階
により行われる、前記分析方法発明のいずれかの方法。
[本発明1109]
前記分析ステップが、赤血球の数を計数する段階を含む、前記分析方法発明のいずれかの方法。
[本発明1110]
前記分析ステップが、白血球の数を計数する段階を含む、前記分析方法発明のいずれかの方法。
[本発明1111]
前記分析ステップが、前記試料中の細胞を染色する段階、並びに好中球、リンパ球、単球、好酸球及び好塩基球の数を計数する段階を含む、前記分析方法発明のいずれかの方法。
[本発明1112]
前記画像化ステップと計数ステップが、
ｉ．前記均一な厚さの層内の細胞を照射する段階、
ｉｉ．ＣＣＤ又がＣＭＯＳセンサを用いて細胞の1つ以上の画像を撮像する段階、
ｉｉｉ．コンピュータを用いて画像内の細胞を識別する段階、及び
ｉｖ．画像のある領域内の細胞を計数する段階
によって行われる、前記分析方法発明のいずれかの方法。
[本発明1113]
前記外からの力が、人の手によって提供される、前記分析方法発明のいずれかの方法。
[本発明1114]
前記均一な厚さの層内の、ナトリウム、カリウム、塩化物、重炭酸塩、血液尿素、窒素、マグネシウム、クレアチニン、グルコース、カルシウム、ＨＤＬコレステロール、ＬＤＬコレステロールレベル及び／又はトリグリセリドレベルを計測するステップをさらに含む、前記分析方法発明のいずれかの方法。
[本発明1115]
1つ又は両方のプレートに塗布された乾燥試薬をさらに含む、前記分析方法発明のいずれかの方法。
[本発明1116]
前記均一な厚さの試料層が、±5％までの厚さ均一性を有する、前記分析方法発明のいずれかの方法。
[本発明1117]
前記スペーサが、円形、多角形、環形、正方形、長方形、長円形、楕円形又はそれらの任意の組み合わせから選択される断面形状を有する柱である、前記分析方法発明のいずれかの方法。
[本発明1118]
前記スペーサの間の間隔が、ほぼＲＢＣの平均厚さである、前記分析方法発明のいずれかの方法。
[本発明1119]
前記分析ステップが、血液中の細胞を画像化する段階を含む、前記分析方法発明のいずれかの方法。
[本発明1120]
細胞が、赤血球、白血球又は血小板を含む、前記分析方法発明のいずれかの方法。
[本発明1121]
前記血液の分析ステップが、前記血液中のがん細胞、ウイルス又は細菌を画像化する段階を含む、前記分析方法発明のいずれかの方法。
[本発明1122]
前記血液の分析ステップが、タンパク質又は核酸を検出する段階を含む、前記分析方法発明のいずれかの方法。
[本発明1123]
前記血液の分析ステップが、
前記スペーサを用いて試料の厚さを決定すること、画像化によって横方向面積を決定すること、及び2Ｄ画像を用いて赤血球の面積を計算すること、を含む、血球を計測する段階
を含む、前記分析方法発明のいずれかの方法。
[本発明1124]
前記血液の分析ステップが、血液中の赤血球濃度を計測する段階を含む、前記分析方法発明のいずれかの方法。
[本発明1125]
前記血液の分析ステップが、血液中の白血球濃度を計測する段階を含む、前記分析方法発明のいずれかの方法。
[本発明1126]
前記血液の分析ステップが、血液中の血小板濃度を計測する段階を含む、前記分析方法発明のいずれかの方法。
【図面の簡単な説明】
【００３４】
当業者であれば、以下に説明する図面は説明のためのものに過ぎないことを理解するであろう。図面は、決して本教示の範囲を限定することを意図しない。図面は一定の比率によるものでない可能性がある。現在の実験データポイントを示す図面において、データポイントを結ぶ線はデータの閲覧を指導するためのもののみであり、他の手段ではない。
（図１）ＣＲＯＦ（圧縮調節開放流）の実施形態の図である。図（ａ）は、スペーサを有する第１のプレートと、第２のプレートとを示す。図（ｂ）は、開放構成で、第１のプレート（図示）又は第２のプレート（図示せず）又はその両方（図示せず）に試料を付着させることを示す。図（ｃ）は、（ｉ）２つのプレートを用いて試料を広げて（試料がプレートの間で流れる）、試料の厚さを減少させることと、（ｉｉ）スペーサ及びプレートを用いて閉鎖構成における試料の厚さを調節することとを示す。各プレートの内面は、１つ以上の結合部位及び／又は貯蔵部位（図示せず）を有してもよい。
（図２）結合部位又は貯蔵部位を有するプレートを示す。図（ａ）は、結合部位を有するプレートを示す。図（ｂ）は、試薬貯蔵部位を有するプレートを示す。図（ｃ）は、結合部位を有する第１のプレートと、試薬貯蔵部位を有する第２のプレートとを示す。図（ｄ）は、複数の部位（結合部位及び／又は貯蔵部位）を有するプレートを示す。
（図３）試料の厚さを減少させることによりアッセイインキュベーション時間を短縮する方法のフローチャート及び概略図である。図（ａ）は、基板表面に少なくとも１つの結合部位を有する第１のプレートを示す。図（ｂ）は、第２のプレート（第１のプレートと異なる寸法を有してもよい）を示す。図（ｃ）は、基板表面（図示）又はカバープレート（図示せず）又はその両方（図示せず）上に試料（標的結合実体を含む）を付着させることを示す。図（ｄ）は、第１の及び第２のプレートを互いに向かい合うように移動させ、かつプレート間の間隔を減少させることによって試料の厚さを減少させることを示す。厚さが減少した試料をインキュベートする。試料の厚さが減少すると、インキュベーション時間が短縮される。該方法のいくつかの実施形態は、スペーサを使用して間隔を調整し、スペーサは図示していない。
（図４）２つのプレート、スペーサ及び圧縮（断面で示されている）を使用して試料の厚さを減少させることによって結合時間又は混合時間を短縮することを示す。図（ａ）は、試料中の実体を固体表面の結合部位に結合する時間を減少させることを示す（Ｘ−（体積から表面））。図（ｂ）は、プレートの表面に貯蔵された実体（例えば、試薬）を他の表面上の結合部位に結合するために要する時間を短縮することを示す（Ｘ−（表面から別の表面））。図（ｃ）は、該プレートと他のプレートとの間に挟まれた試料に、プレートの表面に貯蔵された試薬を添加するために要する時間を短縮することを示す（Ｘ−（表面から体積））。
（図５）可撓性プレートにおける局所的な曲りを回避するか又は低減する方法を示す。図（ａ）は、所定の試料及び圧縮条件下で、可撓性プレート（第２のプレート、例えばプラスチックフィルム）に対して、スペーサ間距離が大き過ぎ、かつ第１のプレートが剛性であると仮定すると、該プレートが、閉鎖構成で、２つの隣接するスペーサの間に局所的なたるみ（すなわち、内側に曲がる）を有することを示す。プレート間の試料は描かれていない。図（ｂ）は、適切なスペーサ間距離及び適切な圧縮力を使用することによって、図（ａ）の可撓性プレートの局所的な曲り（たるみ）を低減するか又は実質的に回避することを示す。プレート間の試料は描かれていない。
（図６）プレート間隔（試料の厚さ）の調整に対する大きな塵埃の影響を低減することを示す。図（ａ）は、２つの剛性プレートを使用する場合、スペーサの高さよりも大きい厚さを有する塵埃が、スペーサによる意図されたプレートの間の距離の調整を破壊する可能性がある（従って、意図された試料の厚さ調整を破壊する）ことを示す。プレート間の試料は描かれていない。図（ｂ）は、適切な可撓性プレート及び適切なスペーサ間距離を使用して、塵埃の影響を塵埃の周りの小さい領域に遮断し、他の領域で、プレート間隔（従って、試料の厚さ）は、塵埃ではなく、スペーサによって調整されることを示す。この図における第１のプレートは剛性であり、第２のプレートは可撓性であり、スペーサが最初に第１のプレートに固定される。図（ｃ）は、適切な可撓性プレート及び適切なスペーサ間距離を使用して、塵埃の影響を塵埃の周りの小さい領域に遮断し、他の領域で、プレート間隔（従って、試料の厚さ）は、塵埃ではなく、スペーサによって調整されることを示す。この図における第１のプレートは剛性であり、第２のプレートは可撓性であり、スペーサが最初に第２のプレートに固定される。
（図７）適切なスペーサ配置及び（複数の）可撓性プレートを使用することによってプレートの表面平坦度変化の影響を低減することを示す。図（ａ）は、所望の試料の厚さに比べて、表面平坦度変化が非常に大きく、それにより試料の厚さを決定する際に誤差を生じることを示す。この図において、１つのプレートのみが大きな平坦度変化を有する（実際には、２つのプレートはいずれも大きな平坦度変化を有する）。プレート間の試料は描かれていない。図（ｂ）は、プレートの表面平坦度変化距離を示し、それ（λ）は表面高さの局所最大値から隣接する局所最小値までの距離である。図（ｃ）は、どのようにプレートの１つ又は両方を可撓性にし、かつ適切なスペーサ間距離及び適切な圧力を使用して閉鎖構成でそれらが開放構成にある時の最初の表面平坦度変化を修正することにより、小さな表面平坦度変化を実現するかを示す。プレート間の試料は描かれていない。図（ｄ）は、可撓性第２のプレート及び適切なスペーサ間距離を使用することにより、試料の厚さ変化をプレートの初期表面平坦度変化より小さくすることを示す。可撓性プレートと剛性プレートの輪郭は一致する。プレート間の試料は描かれていない。
（図８）試料の厚さ調整のためのプレート及び密閉スペーサ（ウェル）を示す。図（ａ）は、第１のプレート及び第２のプレートを示し、第１のプレートは密閉スペーサ（ウェル）を有する。図（ｂ）は、開放構成で、第１のプレート（図示）又は第２のプレート（図示せず）又はその両方（図示せず）に試料を付着させることを示す。図（ｃ）は、（ｉ）２つのプレートを用いて試料を広げて（試料がプレートの間で流れる）、試料の厚さを減少させることと、（ｉｉ）スペーサ及びプレートを用いて閉鎖構成における試料の厚さを調節することとを示す。
（図９）密閉スペーサ（ウェル）を使用して試料の厚さ調整を行う他の実施形態を示す。図（ａ）は、第１のプレート及び第２のプレートを示し、ここで、第１のプレートは密閉スペーサ（ウェル）を有し、ウェル内に少なくとも１つのスペーサを有する。図（ｂ）は、開放構成で、第１のプレート（図示）又は第２のプレート（図示せず）又はその両方（図示せず）に試料を付着させることを示す。図（ｃ）は、（ｉ）２つのプレートを用いて試料を広げて（試料がプレートの間で流れる）、試料の厚さを減少させることと、（ｉｉ）スペーサ及びプレートを用いて閉鎖構成における試料の厚さを調節することとを示す。図（ｄ）は、第１のプレート及び第２のプレートの他の実施形態を示し、第１のプレートのウェルにスペーサがない。
（図１０）本発明の例示的な実施形態、すなわち一方のプレートの１つの結合部位と他方のプレートの複数の貯蔵部位を使用する単一のＣＲＯＦ装置における多重検出を概略的に示す。図（ａ）及び（ｂ）は、それぞれ例示的な装置の斜視図及び断面図である。
（図１１）本発明のさらなる例示的な実施形態、すなわち一方のプレートの１つの貯蔵部位と他方のプレートの複数の結合部位を使用する単一のＣＲＯＦ装置における多重検出を概略的に示す。図（ａ）及び（ｂ）は、それぞれ例示的な装置の斜視図及び断面図である。
（図１２）本発明のさらなる例示的な実施形態、すなわち一方のプレートの複数の結合部位と他方のプレートの複数の対応する貯蔵部位を使用する単一のＣＲＯＦ装置における多重検出を概略的に示す。図（ａ）及び（ｂ）は、それぞれ例示的な装置の斜視図及び断面図である。
（図１３）図１３Ａは、飽和インキュベーション時間が３０秒未満であるアッセイを達成するために、３０μｍのスペーサ高さのスペーサアレイとともにＣＲＯＦを使用するＱＭＡＸアッセイを概略的に示す。図１３Ｂは捕えられた標識対インキュベーション時間の信号の計測であり、図１３Ａに記載のＱＭＡＸアッセイの飽和インキュベーション時間が３０秒未満であることを示す。
（図１４）洗浄を行う（不均一アッセイ）場合、及び洗浄を行わない（均一アッセイ）場合の、３０μｍのギャップ（ＣＲＯＦ装置に対して）を有するＱＡＸ及びＱＭＡＸアッセイの実験的に測定されたＬｏＤ（検出限界）を示す。
（図１５）（ｉ）ガラス基板上に少量の試料を滴下し、（ｉｉ）試料領域がＣＲＯＦの閉鎖構成で拡張した場合の上面図及び断面図を示す。
（図１６）本明細書で使用されるいくつかの用語の意味を示す。
（図１７）プレートにおけるスペーサ。（ａ）柱状スペーサの寸法が４６μｍ×４６μｍでありかつ柱間の距離が５４μｍであり、また（ｂ）柱状スペーサの寸法が１０μｍ×７０μｍでありかつ柱間の距離が１０μｍの画像の上面図であり、また（ｃ）柱状スペーサの寸法が３０μｍ×４０μｍでありかつスペーサの高さが２μｍであり、また（ｄ）柱状スペーサの寸法が３０μｍ×４０μｍでありかつスペーサの高さが３０μｍの眺望図ＳＥＭである。
（図１８）ＩＤＳ、プレートの厚さ及び材料が試料厚さに与える影響を示す。異なるプレート及びスペーサ材料、異なるプレートの厚さ及び異なる試料での、スペーサ間の距離（ＩＤＳ）に対する、試料の厚さの偏差及び均一性の計測値。ＣＲＯＦ装置の基板は、２５０μｍ厚の未処理平面ＰＭＭＡ（寸法が２５．４ｍｍ×２５．４ｍｍである）である。Ｘ‐プレートは、周期的な柱状スペーサアレイを含み、スペーサの高さが５μｍであり、形状が長方形であり（柱の横方向の寸法が１０×１０μｍであり、断面がほとんど均一であり、角が丸められる）、スペーサ間距離が２０μｍ、５０μｍ、１００μｍ、２００μｍ、５００μｍであり、寸法が２５．４ｍｍ×２５．４ｍｍのＰＭＭＡ又はＰＳで製造される。試料は、２μＬの血液（指で直接触れて滴下する）、唾液又はＰＢＳ（ピペットで滴下する）であり、ＣＲＯＦ装置を手でプレスしかつ１インチ×１インチの領域で擦り、かつプレス後に自己保持される。図面において、標示
2020128999.tif 000003
は血液試料を使用する１７５μｍ厚のＰＭＭＡ用の標示であり、標示
2020128999.tif 000004
は唾液試料を使用する１７５μｍ厚のＰＭＭＡ用の標示であり、標示
2020128999.tif 000005
はＰＢＳ試料を使用する１２５μｍ厚のＰＳ用の標示であり、標示
2020128999.tif 000006
は血液試料を使用する５０μｍ厚のＰＭＭＡ用の標示であり、標示
2020128999.tif 000007
は血液試料を使用する２５μｍ厚のＰＳ用の標示である。
（図１９）Ｘ−プレートのＩＳＤ４／（ｈｘＥ）（プロット図では、ｘ＝１）値に対する、試料の厚さの偏差及び均一性の計測値を示す。ＩＳＤはスペーサ間距離であり、ｈは材料の高さ（厚さ）であり、Ｅは材料のヤング率であり、ｘは典型的な範囲が１〜３のフィッティングパラメータである。該テストでは、ＣＲＯＦ装置の基板は、２５０μｍ厚の未処理ＰＭＭＡ（寸法は２５．４ｍｍ×２５．４ｍｍである）であり、Ｘ‐プレートは１７５μｍ厚の未処理ＰＭＭＡ、１２５μｍ厚の未処理ＰＳ、５０μｍ厚の未処理ＰＭＭＡ、及び２５μｍ厚の未処理ＰＳ（寸法は２５．４ｍｍ×２５．４ｍｍである）であり、それは、周期的な柱状スペーサアレイを含み、スペーサの高さが５μｍであり、形状が長方形であり（柱の横方向の寸法が１０×１０μｍであり、断面がほとんど均一であり、角が丸められる）、スペーサ間距離が２０μｍ、５０μｍ、１００μｍ、２００μｍ、５００μｍであり、試料は、２μＬの血液（指で直接触れて滴下する）、唾液又はＰＢＳ（ピペットで滴下する）であり、ＣＲＯＦ装置を手でプレスしかつ１インチ×１インチの領域で擦り、かつプレス後に自己保持される。ＩＳＤ４／（ｈｘ＝１Ｅ）の計算において、ＰＭＭＡのヤング率は２．５ＧＰａ、ＰＳのヤング率は３．３ＧＰａである。ＩＳＤ４／（ｈＥ）の値が１０６μｍ３／ＧＰａより大きい場合、ＣＲＯＦ装置の性能は悪化する。図面において、標示
2020128999.tif 000008
は血液試料を使用する１７５μｍ厚のＰＭＭＡ用の標示であり、標示
2020128999.tif 000009
は唾液試料を使用する１７５μｍ厚のＰＭＭＡ用の標示であり、標示
2020128999.tif 000010
はＰＢＳ試料を使用する１２５μｍ厚のＰＳ用の標示であり、標示
2020128999.tif 000011
は血液試料を使用する５０μｍ厚のＰＭＭＡ用の標示であり、標示
2020128999.tif 000012
は血液試料を使用する２５μｍ厚のＰＳ用の標示である。
（図２０）Ｘ−プレート上の異なる柱状スペーサの寸法及び高さでの、スペーサ間の距離に対する、試料の厚さの偏差及び均一性の計測値を示す。ＣＲＯＦ装置の基板は、１ｍｍ厚の未処理ガラス（寸法は２５．４ｍｍ×２５．４ｍｍである）であり、Ｘ‐プレートは１２５μｍ厚の未処理ＰＳ（寸法は２５．４ｍｍ×２５．４ｍｍである）であり、それは、スペーサの高さが５μｍであり、形状が長方形であり（柱の横方向の寸法が１０×１０μｍであり、断面がほとんど均一であり、角が丸められる）、スペーサ間距離が２０μｍ、５０μｍ、１００μｍ、２００μｍ、５００μｍである周期的な柱状スペーサアレイ
2020128999.tif 000013
と、柱の横方向の寸法が４０×４０μｍであり、スペーサ間距離が６０μｍ、１５０μｍ、及び２００μｍである周期的な柱状スペーサアレイ
2020128999.tif 000014
と、スペーサの高さが１２μｍであり、形状が長方形であり、柱の横方向の寸法が４０×４０μｍであり、スペーサ間距離が１５０μｍ、２００μｍである周期的な柱状スペーサアレイ
2020128999.tif 000015
と、スペーサの高さが２２μｍであり、形状が長方形であり、柱の横方向の寸法が４０×４０μｍであり、スペーサ間距離が１５０μｍ、２００μｍである周期的な柱状スペーサアレイ
2020128999.tif 000016
とを含み、試料は、ＰＢＳ（ピペットで滴下する）であり、５μｍ厚のＣＲＯＦの場合は２μＬの試料を使用し、１２μｍ厚のＣＲＯＦの場合は５μＬの試料を使用し、２２μｍ厚のＣＲＯＦの場合は９μＬの試料を使用し、ＣＲＯＦ装置を手でプレスしかつ１インチ×１インチの領域で擦り、かつプレス後に自己保持される。（図中の線は視線誘導のためのものである。）
（図２１）全ての１５０μｍ未満の試料用のＩＳＤを保持する異なる柱の幅と柱の高さとの比に対する、試料の厚さの偏差及び均一性の測定値を示す。ＣＲＯＦ装置の基板は、１ｍｍ厚の未処理ガラス（寸法が２５．４ｍｍ×２５．４ｍｍである）である。ＣＲＯＦ装置を手でプレスしかつ１インチ×１インチの領域で擦り、かつプレス後に自己保持される。上図における標示付きの試料は以下のとおりである：  Ａ．１２５μｍ厚のＰＳで製造されたＸ‐プレート
2020128999.tif 000017
、左から右へ：  １：Ｘ‐プレート柱寸法１０×１０μｍ、高さ２２μｍ、ＩＳＤ  １００μｍ、９μＬ  ＰＢＳ緩衝液、比（ｗ／ｈ）＝０．４５；  ２：Ｘ‐プレート柱寸法１０×１０μｍ、高さ１２μｍ、ＩＳＤ  １００μｍ、５μＬ  ＰＢＳ緩衝液、比（ｗ／ｈ）＝０．８３；  ３：Ｘ‐プレート柱寸法４０×４０μｍ、高さ２２μｍ、ＩＳＤ  １５０μｍ、９μＬ  ＰＢＳ緩衝液、比（ｗ／ｈ）＝１．８１；  ４：Ｘ‐プレート柱寸法４０×４０μｍ、高さ５μｍ、ＩＳＤ  １００μｍ、２μＬ  ＰＢＳ緩衝液、比（ｗ／ｈ）＝２；  ５：Ｘ‐プレート柱寸法４０×４０μｍ、高さ１２μｍ、ＩＳＤ  １５０μｍ、５μＬ  ＰＢＳ緩衝液、比（ｗ／ｈ）＝３．３３；  ６：Ｘ‐プレート柱寸法４０×４０μｍ、高さ５μｍ、ＩＳＤ  １５０μｍ、２μＬ  ＰＢＳ緩衝液、比（ｗ／ｈ）＝８；  ７：Ｘ‐プレート柱寸法７０×７０μｍ、高さ５μｍ、ＩＳＤ  １５０μｍ、２μＬ  ＰＢＳ緩衝液、比（ｗ／ｈ）＝１４。  Ｂ．１７５μｍ厚のＰＭＭＡで製造されたＸ‐プレート
2020128999.tif 000018
、左から右へ：  １：Ｘ‐プレート柱寸法１０×１０μｍ、高さ２２μｍ、ＩＳＤ  １００μｍ、５μＬ  血液、比（ｗ／ｈ）＝０．４５；  ２：Ｘ‐プレート柱寸法１０×１０μｍ、高さ５μｍ、ＩＳＤ  ５０μｍ、２μＬ  血液、比（ｗ／ｈ）＝２；  ３：Ｘ‐プレート柱寸法３０×３０μｍ、高さ３０μｍ、ＩＳＤ  ８０μｍ、１２μＬ  血液、比（ｗ／ｈ）＝１；  ４：Ｘ‐プレート柱寸法３０×３０μｍ、高さ１０μｍ、ＩＳＤ  ８０μｍ、１μＬ  血液、比（ｗ／ｈ）＝３；  ５：Ｘ‐プレート柱寸法３０×３０μｍ、高さ２μｍ、ＩＳＤ  ８０μｍ、１μＬ  血液、比（ｗ／ｈ）＝１５。  Ｃ．５０μｍ厚のＰＭＭＡで製造されたＸ‐プレート
2020128999.tif 000019
、左から右へ：  １：Ｘ‐プレート柱寸法１０×１０μｍ、高さ５μｍ、ＩＳＤ  ５０μｍ、２μＬ  血液、比（ｗ／ｈ）＝２  Ｄ．２５μｍ厚のＰＳで製造されたＸ‐プレート
2020128999.tif 000020
、左から右へ：１：１：Ｘ‐プレート柱寸法１０×１０μｍ、高さ５μｍ、ＩＳＤ  ５０μｍ、２μＬ  血液、比（ｗ／ｈ）＝２。
（図２２）Ｘ‐プレートのスペーサ間距離及び柱の寸法／高さに対する、試料の厚さの偏差及び均一性の測定値を示し、ＣＲＯＦ装置の基板は、１ｍｍ厚の未処理ガラス（寸法は２５．４ｍｍ×２５．４ｍｍである）であり、Ｘ‐プレートは１２５μｍ厚の未処理ＰＳ（寸法は２５．４ｍｍ×２５．４ｍｍである）であり、それは、スペーサの高さが５μｍであり、形状が長方形であり（柱の横方向の寸法が１０×１０μｍであり、断面がほとんど均一であり、角が丸められる）、スペーサ間距離が２０μｍ、５０μｍ、１００μｍ、２００μｍ、５００μｍである周期的な柱状スペーサアレイ
2020128999.tif 000021
と、柱の横方向の寸法が４０×４０μｍであり、スペーサ間距離が６０μｍ、１５０μｍ、及び２００μｍである周期的な柱状スペーサアレイ
2020128999.tif 000022
と、スペーサの高さが１２μｍであり、形状が長方形であり、柱の横方向の寸法が４０×４０μｍであり、スペーサ間距離が６０μｍ、１５０μｍ、２００μｍである周期的な柱状スペーサアレイ
2020128999.tif 000023
と、スペーサの高さが２２μｍであり、形状が長方形であり、柱の横方向の寸法が４０×４０μｍであり、スペーサ間距離が１５０μｍ、２００μｍである周期的な柱状スペーサアレイ
2020128999.tif 000024
とを含み、試料は、ＰＢＳ（ピペットで滴下する）であり、５μｍ厚のＣＲＯＦの場合は２μＬの試料を使用し、１２μｍ厚のＣＲＯＦの場合は５μＬの試料を使用し、２２μｍ厚のＣＲＯＦの場合は９μＬの試料を使用し、ＣＲＯＦ装置を手でプレスしかつ１インチ×１インチの領域で擦り、かつプレス後に自己保持される。（図中の線は視線誘導のためのものである。）
（図２３）一定の柱の寸法（３０×３８μｍ）、柱の高さ（２μｍ）及びスペーサ間距離（８０×８２μｍ）を有し、未処理ＰＭＭＡで製造されたＸ−プレートの異なる厚さ（２５μｍ〜５２５μｍ）に対する、試料の厚さの偏差及び均一性の計測値を示し、ここで、基板は、１ｍｍ厚の未処理ガラス（寸法は２５．４ｍｍ×２５．４ｍｍである）であり、試料は、指で直接触れて滴下した１μＬの血液であり、ＣＲＯＦ装置を手でプレスしかつ１インチ×１インチの領域で擦り、かつプレス後に自己保持される。
（図２４）測定されたＣＲＯＦ装置の間隔寸法の偏差／均一性（標示付きの親水性‐親水性
2020128999.tif 000025
及び標示付きの親水性‐疎水性
2020128999.tif 000026
の異なる組み合わせ）を示し、血液量が０．１μＬ〜０．５μＬであり、Ｘ−プレート柱寸法（３０×３８μｍ）、柱の高さ（２μｍ）及びスペーサ間距離（８０×８２μｍ）が同じであり、ここで、基板は１ｍｍ厚のガラス（寸法が２５．４  ｍｍ×２５．４ｍｍである）であり、Ｘ−プレートは１７５μｍ厚のＰＭＭＡで製造され、寸法が２５．４ｍｍ×２５．４ｍｍである。血液は、指で直接触れて滴下し、ＣＲＯＦ装置を手でプレスしかつ１インチ×１インチの領域で擦り、かつプレス後に自己保持される。
（図２５）標示
2020128999.tif 000027
付きの１ｍｍ厚の未処理ガラス、又は標示
2020128999.tif 000028
付きの２５０μｍ厚の未処理ＰＭＭＡで製造された基板（寸法は２５．４ｍｍ×２５．４ｍｍである）に対する、試料の厚さの偏差及び均一性の測定値を示し、ここで、Ｘ‐プレートは１７５μｍ厚の未処理ＰＭＭＡ（寸法は２５．４ｍｍ×２５．４ｍｍである）であり、それは、周期的な柱状スペーサアレイを含み、スペーサの高さが５μｍであり、形状が長方形であり（柱の横方向の寸法が１０×１０μｍであり、断面がほとんど均一であり、角が丸められる）、スペーサ間距離が５０μｍ、１００μｍ、２００μｍ、５００μｍであり、試料は、２μＬの血液（指で直接触れて滴下する）であり、ＣＲＯＦ装置を手でプレスしかつ１インチ×１インチの領域で擦り、かつプレス後に自己保持される。
（図２６）異なる手によるプレス時間（０秒〜６０秒）でのテストに対する、試料の厚さの偏差及び均一性の計測値を示し、ここで、ＣＲＯＦ装置は２５０μｍ厚の未処理ＰＭＭＡ（寸法は２５．４ｍｍ×２５．４ｍｍである）であり、Ｘ−プレートは１７５μｍ厚の未処理ＰＭＭＡ（寸法は２５．４ｍｍ×２５．４ｍｍである）であり、それは、周期的な柱状スペーサアレイを含み、スペーサの高さが２μｍであり、形状が長方形であり、（柱の横方向の寸法が３０×３８μｍであり、横断面と丸い角がほとんど均一である）、スペーサ間距離が８０μｍであり、試料は、指で直接触れて滴下した１μＬの血液であり、ＣＲＯＦ装置を手でプレスしかつ１インチ×１インチの領域で擦り、かつプレス後に自己保持される。
（図２７）ランダムボールスペーサ又は規則的な柱状スペーサ（Ｘ−プレート）を使用するための平均ＩＳＤに対する、試料の厚さの偏差及び均一性の計測値を示し、ＣＲＯＦ装置は１ｍｍ厚の未処理ガラス（寸法は２５．４ｍｍ×２５．４ｍｍである）であり、Ｘ−プレートは１７５μｍの厚さの未処理ＰＭＭＡ（寸法は２５．４ｍｍ×２５．４ｍｍである）であり、それは、周期的な柱状スペーサアレイを含み、スペーサの高さが５μｍであり、形状が長方形であり（柱の横方向の寸法が１０×１０μｍであり、横断面と丸い角がほとんど均一である）、スペーサ間距離が２０μｍ、５０μｍ、１００μｍであり、試料は、２μＬのＰＢＳであり、ＣＲＯＦ装置を手でプレスしかつ１インチ×１インチの領域で擦り、かつプレス後に自己保持される。前記ボールは、ＰＢＳ中の平均直径が４μｍ（サイズ変化５％）のソーダ石灰マイクロスフェアである。マイクロスフェアは、４×１０５／μＬ、０．９×１０５／μＬ及び０．２×１０５／μＬの濃度でＰＢＳ中に分布し、それぞれ２０μｍ、５０μｍ及び１００μｍのプレス後の平均スペーサ間距離に対応する。２２０μｍ厚の未処理ガラス（寸法は２５．４ｍｍ×２５．４ｍｍである）及び１７５μｍ厚の未処理ＰＭＭＡ（寸法は２５．４ｍｍ×２５．４ｍｍである）の二種類のカバープレートを使用する。全ての装置を手でプレスしかつ１インチ×１インチの領域で擦り、かつプレス後に自己保持される。標示
2020128999.tif 000029
はＸ‐プレート用の標示であり、標示
2020128999.tif 000030
はスペーサとするビーズ、カバープレートとする２２０μｍ厚のガラスプレート用の標示であり、標示
2020128999.tif 000031
はスペーサとするビーズ、カバープレートとする１７５μｍ厚のＰＭＭＡフィルム用の標示である。
（図２８）異なるＸ−プレートの厚さ（２５μｍ〜３５０μｍ）と基板の厚さ（２５μｍ〜７５０μｍ）に対する、試料の厚さの偏差及び均一性の測定値を示す。Ｘ‐プレートは、一定の柱の寸法（３０×３８μｍ）、柱の高さ（１０μｍ）及びスペーサ間距離（８０×８２μｍ）を有し、２５μｍ、１７５μｍ、３５０μｍ厚の未処理ＰＭＭＡで製造され、ここで、基板は、２５μｍ、５０μｍ、１７５μｍ、２５０μｍ、７５０μｍ厚の未処理ＰＭＭＡ（寸法は２５．４ｍｍ×２５．４ｍｍである）で製造される。試料は、指で直接触れて滴下した４μＬの血液であり、ＣＲＯＦ装置を手でプレスしかつ１インチ×１インチの領域で擦り、かつプレス後に自己保持される。図において、標示
2020128999.tif 000032
は２５μｍ厚のＸ‐プレート用の標示であり、標示
2020128999.tif 000033
は１７５μｍ厚のＸ‐プレート用の標示であり、標示
2020128999.tif 000034
は３５０μｍ厚のＸ‐プレート用の標示である。
（図２９）（ａ）Ｘ‐装置における血球の顕微鏡写真（４０×）を示し、ここで、プレート間隔（従って、試料の厚さ）は１μｍ、２μｍ、３μｍ及び５μｍである。間隔が１μｍであるＸ‐装置は、ＲＢＣの大部分（９９％）を溶解し、血小板は溶解しない。間隔が２μｍであるＸ‐装置は、各ＲＢＣを上手く分離し、かつＲＢＣを単一層にする。間隔が３μｍであるＸ‐装置において、いくつかの積み重ねられたＲＢＣが観察され、間隔が５μｍであるＸ‐装置において、より多くの積み重ねられたＲＢＣが観察される。計数時には、単層細胞（２μｍのＸ‐装置）が好ましい。図２９は、さらに（ｂ）赤血球面積（２Ｄ上面図から測定）とＣＲＯＦプレートの横方向総面積との比を示す。プレート間隔（すなわち、サンプルの厚さ）が２μｍである場合に、それは最も大きく、その原因は、２μｍ未満の場合にいくつかのＲＢＣが溶解し、２μｍより大きい場合にＲＢＣが重なりかつ回転することにより、２Ｄ画像でのＲＢＣ面積が小さくなることである。
（図３０）スマートフォンによるＢＣＩ（ＣＲＯＦと撮像による血球計数）の概略図（ａ）及び装置（ｂ）の写真を示す。スマートフォン−ＢＣＩを使用した血液検査では、まず１人がカードを持って（１）、指を刺した後、カードに触れて少量の血液を指からＣＲＯＦカードに直接滴下し（２）、カードを閉じ（３）、指でプレスし（４）、それを放して、カードを光学アダプタに挿入し（５）、最後にスマートフォンを使用して該カードを撮影し、撮影された写真から、ソフトウェアは血液量、血球数及び他のパラメータを計測する（６）。（ｂ）は、ｐ−ＢＣＩのための実際のスマートフォンとアダプタの写真である。
（図３１）異なる最終ギャップを有するＣＲＯＦカード中の新鮮な未希釈全血（ａ）と貯蔵された未希釈全血（ｂ）の明視野光学顕微鏡画像、及び異なる閉じ込めギャップに対応するＲＢＣ挙動の図である。刺された指から取り出された新鮮な血液は、抗凝血剤を有し、商業的供給者から貯蔵された血液は、抗凝血剤を有する。（ａ−１〜ａ−６）と（ｂ−１〜ｂ−６）において、それぞれｇ＝２、２．２、２．６、３、５及び１０μｍである。（ｃ）は、横断面と平面図の概略図を示し、（１）ＲＢＣが相互に分離し、２μｍのギャップのＣＲＯＦにおいて観察可能な重なりを有しないことと、（２）ギャップが２μｍよりも大きいＣＲＯＦにおいてＲＢＣが互いに重なることとを示す。
（図３２）光学アダプタを備えたスマートフォン（ａ）とデジタル一眼（ＤＳＬＲ）カメラを備えた高解像度顕微鏡（ｂ）によって撮影された同じ試料（ＣＲＯＦカード中の撮影した新鮮な血液）の明視野（１）と蛍光（２）画像である。画像から分かるように、光学アダプタを備えたスマートフォンは、高解像度顕微鏡及びカメラに類似する血球写真の品質を有する。
（図３３）典型的なＷＢＣ及びＰＬＴの計測された光強度とそれらの分離細胞の位置との比較を示す。ＷＢＣの直径（ＦＷＨＭ）は約１２μｍであり、ＰＬＴの直径（ＦＷＨＭ）は約２μｍである。ＷＢＣの最大強度は、ＰＬＴより約３倍大きい。強度及び面積により、ＷＢＣの全体の強度はＰＬＴより約１０８倍大きい。従って、低い拡大倍率（例えば４×）を用いると、ＷＢＣの面積が小さくなり、全体の強度も低下する。このような場合には、ＰＬＴの信号は無視することができる。
（図３４）（ａ）緑色チャネル光の強度と赤色チャネル強度の点分布図と、（ｂ）画像内の５９４個のＷＢＣの赤色／緑色チャネルの強度比のヒストグラムとを示す。この画像から明らかなように、細胞は３つの異なる区域（指向として陰影区域に示される）に集合し、３つの主な白血球サブセットに対応する。
【発明を実施するための形態】
【００３５】
例示的な態様の詳細な説明
以下の詳細な説明は、本発明のいくつかの実施形態を示すが、限定するものではない。本明細書で使用されるセクション見出し及び任意のサブタイトルは構成目的に過ぎず、任意の方式で記載された主題を限定するものと理解されるべきではない。セクション見出し及び／又はサブタイトルの内容はセクション見出し及び／又はサブタイトルに限定されず、本発明の全体の説明に適用される。
【００３６】
任意の出版物の引用は、本出願日の前に開示されるためであり、本発明が先の発明によりその出版物よりも先行する権利がないことを認めるものと理解されるべきではない。また、提供される公開日は、独立して確認する必要のある、実際の公開日と異なる可能性がある。
【００３７】
本発明は、特に試料中の分析物及び／又は実体の、定量化、結合及び／又は検知を改善及び／又は加速する方法、装置及びシステムに関する。
【００３８】
定義
別に定義されない限り、本明細書で使用される全ての技術及び科学用語は、本開示の属する分野の当業者によって一般的に理解されるものと同じ意味を有する。以下にいくつかの例示的な方法及び材料を説明するが、本教示の実践又は検査において、本明細書に記載の類似又は同一の任意の方法及び材料を用いてもよい。
【００３９】
用語「ポリヌクレオチド」、「ヌクレオチド」、「ヌクレオチド配列」、「核酸」、「核酸分子」、「核酸配列」及び「オリゴヌクレオチド」は、変換可能に使用され、かつそれぞれ用語を用いた文脈に応じて各用語の複数を含んでもよい。
【００４０】
本明細書で使用される用語「捕捉剤」とは、例えば、核酸分子、ポリペプチド分子又はその結合相手に特異的に結合できる任意の他の分子又は化合物のような結合メンバーを指し、例えば第１の核酸分子に相補的なヌクレオチド配列を有する第２の核酸分子、抗原を特異的に認識する抗体、抗体によって特異的に認識された抗原、標的分子に特異的に結合できる核酸アプタマー等である。
【００４１】
用語「二次捕捉剤」は、「検出剤」とも呼ばれ、抗原に非常に特異的な親和性を有する一群の生体分子又は化学化合物を指す。二次捕捉剤は、光学的に検出可能な標識（例えば酵素、蛍光標識）に密着結合することができ、あるいはそれ自体は生体結合により光学的に検出可能な標識に結合されて他の検出剤によって検出することができる（Ｈｅｒｍａｎｓｏｎ、「Ｂｉｏｃｏｎｊｕｇａｔｅ  Ｔｅｃｈｎｉｑｕｅｓ」  Ａｃａｄｅｍｉｃ  Ｐｒｅｓｓ、第２版、２００８）。
【００４２】
用語「捕捉剤−反応性基」は、捕捉剤と反応できる分子の中の化学的機能の部分を指し、つまり捕捉剤の中の一部（例えばヒドロキシ、チオール、カルボキシル又はアミン基）と反応して、安定かつ強力な共有結合を生成するものである。
【００４３】
用語「特異的結合」と「選択的結合」とは、異なる標的分析物を有する不均質混合物内に存在する特定の標的分析物に優先的に結合する捕捉剤の能力を指す。特異的又は選択的結合は、相互作用して試料の中の所望の（例えば、活性化）標的分析物と望ましくない（例えば、不活性化）標的分析物とを区別し、一般的に約１０倍超〜１００倍以上（例えば、約１０００又は１００００倍を超える）である。
【００４４】
本明細書で使用される用語「試料」は、一種又は複数種の関心対象の分析物又は実体含有の材料又は材料の混合物に関する。特定の実施形態において、試料は、生体試料（例えば細胞、組織、体液及び糞便）から得ることができる。関心対象となる体液は、羊水、房水、硝子体液、血液（例えば全血、分画血液、血漿、血清等）、母乳、脳脊髄液（ＣＳＦ）、耳垢（耳あか）、乳糜、糜汁、内リンパ液、外リンパ液、糞便、胃酸、胃液、リンパ液、粘液（鼻漏及び粘液質を含む）、心膜液、腹膜液、胸膜液、膿液、炎症性分泌物、唾液、皮脂（皮膚の油）、精液、喀痰、汗、滑液、涙液、嘔吐物、尿及び呼気凝縮液を含むが、これらに限定されない。特定の実施形態において、試料は、対象（例えばヒト）から得ることができ、かつ対象アッセイに用いられる前に処理することができる。例えば、分析の前に、使用前に組織試料からタンパク質／核酸を抽出することができ、その方法は公知である。特定の実施形態において、試料は臨床試料、例えば患者から採取した試料であってもよい。
【００４５】
用語「分析物」とは、異なる形状を有する分子（例えばタンパク質、ペプチド、ＤＮＡ、ＲＮＡ、核酸又は他の分子）、細胞、組織、ウイルス及びナノ粒子を指す。
【００４６】
用語「アッセイ」とは、分析物の存在及び／又は存在量を検出するために試料を検査することを指す。
【００４７】
本明細書で使用されるように、用語「決定」、「計測」及び「評価」は、「アッセイ」と変換可能に使用され、かつ定量的及び定性的決定を含む。
【００４８】
本明細書で使用されるように、用語「発光標識」（ｌｉｇｈｔ−ｅｍｉｔｔｉｎｇ  ｌａｂｅｌ）とは、外部励起下で発光できる標識を指す。それは発光することができる。蛍光標識（色素分子又は量子ドットを含む）と発光標識（例えば電気又は化学発光標識）は、蛍光標識のタイプである。外部励起は、蛍光用の光（光子）、電界発光用の電流及び化学発光用の化学反応を指す。外部励起は、上記の組み合わせであってもよい。
【００４９】
語句「標識された分析物」とは、発光標識で検出可能に標識された分析物を指し、その結果、標識の存在を評価することにより前記分析物を検出することができる。標識された分析物は、直接標識されてもよく（すなわち、分析物自体は、強力な結合、例えば共有結合又は非共有結合を介して標識に直接結合されてもよい）、標識された分析物は、間接的に標識されてもよい（すなわち、分析物は直接標識された二次捕捉剤に結合される）。
【００５０】
核酸についての用語「ハイブリダイゼーション」と「結合」は変換可能に使用される。
【００５１】
用語「捕捉剤／分析物複合体」とは、捕捉剤と分析物の特異的結合から生じる複合体を指す。一般的に、捕捉剤と捕捉剤用の分析物は「特異的結合条件」又は「特異的結合に適する条件」の下で互いに特異的に結合し、それらの条件（塩濃度、ｐＨ、界面活性剤、タンパク質濃度、温度等）は、溶液中で捕捉剤と分析物との間に結合が生じることを可能にする条件である。それらの条件、特に抗体及びその抗原及び核酸ハイブリダイゼーションについての条件は、当該分野で周知である（例えばＨａｒｌｏｗ及びＬａｎｅ（Ａｎｔｉｂｏｄｉｅｓ：Ａ  Ｌａｂｏｒａｔｏｒｙ  Ｍａｎｕａｌ  Ｃｏｌｄ  Ｓｐｒｉｎｇ  Ｈａｒｂｏｒ  Ｌａｂｏｒａｔｏｒｙ、Ｃｏｌｄ  Ｓｐｒｉｎｇ  Ｈａｒｂｏｒ、ＮＹ（１９８９）、Ａｕｓｕｂｅｌら、Ｓｈｏｒｔ  Ｐｒｏｔｏｃｏｌｓ  ｉｎ  Ｍｏｌｅｃｕｌａｒ  Ｂｉｏｌｏｇｙ、第５版、Ｗｉｌｅｙ＆Ｓｏｎｓ、２００２を参照）。
【００５２】
対象は、あらゆるヒト又は非ヒトの動物とすることができる。対象は、本方法を実施する人、患者、検査センターの顧客等であってもよい。
【００５３】
本明細書で使用されるように、「分析物」は、本方法の検査に適する任意の物質である。
【００５４】
本明細書で使用されるように、「診断試料」とは、対象から得られた、身体副産物である（例えば体液）任意の生体試料を指す。診断試料は、液体の形態で対象から直接得ることができ、又は、身体副産物を溶液（例えば緩衝液）に置くことにより対象から得ることができる。例示的な診断試料は、唾液、血清、血液、喀痰、尿、汗、涙液、精液、糞便、呼気、生体組織、粘液等を含むが、これらに限定されない。
【００５５】
本明細書で使用されるように、「環境試料」とは、環境から得られた任意の試料を指す。環境試料は、河川、湖、池、海洋、氷河、氷山、雨、雪、下水、貯水池、水道水、飲料水等からの液体試料；土壌、堆肥、砂、岩石、コンクリート、木材、煉瓦、汚泥等からの固体試料；及び空気、水中熱通気口、工業排気ガス、車両排気ガス等からの気体試料を含んでもよい。一般的に、本発明の方法を用いて試料を分析する前に、非液体形態の試料を液体形態に変換する。
【００５６】
本明細書で使用されるように、「食品試料」は、動物の消費、例えば、ヒトの消費に適する任意の試料を指す。食品試料は、原材料、調理済み食品、動植物由来の食品、前処理済み食品及び部分的に又は完全に処理された食品等を含んでもよい。一般的に、本発明の方法を用いて試料を分析する前に、非液体形態の試料を液体形態に変換する。
【００５７】
本明細書で使用される用語「診断」とは、ある方法又は分析物を用いて、関心対象の病気又は病状の結果を鑑定し、予測し、及び／又はその治療反応を予測することを指す。診断は、病気又は病状に罹患する可能性又は体質を予測すること、病気又は病状の重篤度を推定すること、病気又は病状の進行のリスクを決定すること、治療に対する臨床的応答を評価すること、及び／又は治療に対する応答を予測することを含んでもよい。
【００５８】
本明細書で使用されるように、「バイオマーカー」とは、関心対象の試料から発見された任意の分子又は化合物であり、対象における関心対象の病気又は病状の存在又はその体質を診断するか、又はそれに関連付けることが知られており、前記試料は対象から採取される。バイオマーカーは、ポリペプチド又はその複合体（例えば抗原、抗体）、核酸（例えばＤＮＡ、ｍｉＲＮＡ、ｍＲＮＡ）、薬物代謝物、脂質、炭水化物、ホルモン、ビタミン等を含むが、これらに限定されず、関心対象の病気又は病状に関連することが知られている。
【００５９】
本明細書で使用され、健康状態の診断に関連付けられる「状態」とは、その他の生理学的状態と区別することができる心身の生理学的状態を指す。場合によっては、健康状態は、病気と診断されない可能性がある。例示的な関心対象となる健康状態は、栄養上の健康、老化、環境有害物質、農薬、除草剤、合成ホルモン類似体への曝露、妊娠、閉経、男性休止、睡眠、ストレス、糖尿病前症、運動、疲労、化学的バランス等を含むが、これらに限定されない。用語「ビオチン部分」とは、ビオチン又はビオチン類似体（例えばデスチオビオチン、オキシビオチン、２’−イミノビオチン、ジアミノビオチン、ビオチンスルホキシド、ビオシチン等）を含む親和性試薬を指す。ビオチン部分は、少なくとも１０−８Ｍの親和力でストレプトアビジンに結合される。ビオチン親和性試薬は、リンカー、例えば─ＬＣ−ビオチン、─ＬＣ−ＬＣ−ビオチン、─ＳＬＣ−ビオチン又は─ＰＥＧｎ−ビオチンを含んでもよく、ｎは３〜１２である。
【００６０】
用語「増幅」とは、信号の大きさの増幅を指し、例えば、信号における少なくとも１０倍の増幅、少なくとも１００倍の増幅、少なくとも１０００倍の増幅、少なくとも１００００倍の増幅又は少なくとも１０００００倍の増幅である。
【００６１】
用語「実体」とは、「結合部位」に結合するタンパク質、ペプチド、ＤＮＡ、ＲＮＡ、核酸、分子（小分子又は大分子）、細胞、組織、ウイルス、異なる形状のナノ粒子を指すが、これらに限定されない。実体は、捕捉剤、検出剤及び遮断剤を含む。「実体」は「分析物」を含み、これらの二つの用語は、交換可能に使用される。
【００６２】
用語「結合部位」とは、試料中の実体を固定化することができる固体表面上の位置を指す。
【００６３】
用語「実体パートナー」とは、「結合部位」に位置し、かつ実体に結合するタンパク質、ペプチド、ＤＮＡ、ＲＮＡ、核酸、分子（小分子又は大分子）、細胞、組織、ウイルス、異なる形状のナノ粒子を指すが、これらに限定されない。実体は、捕捉剤、検出剤、二次検出剤又は「捕捉剤／分析物複合体」を含むが、これらに限定されない。
【００６４】
交換可能に使用される用語「スマートフォン」又は「携帯電話」とは、カメラ及び通信ハードウェアとソフトウェアを有し、カメラを使用して画像を撮影し、カメラによって撮影された画像を処理し、遠隔地にデータを通信することができる携帯電話のタイプを指す。いくつかの実施形態において、スマートフォンはフラッシュライトを有する。
【００６５】
ある領域の「平均線形寸法」という用語は、該領域の面積に４を乗算し該領域の周長で割って取得するものに等しい長さと定義される。例えば、該領域は矩形であり、幅がＷで、長さがＬであれば、該矩形の線形寸法の平均値は、４＊Ｗ＊Ｌ／（２＊（Ｌ＋Ｗ））である（「＊」が乗算を示し、「／」が割り算を示す）。この定義により、平均線形寸法はそれぞれ、幅がＷの正方形についてはＷであり、直径がｄの円形についてはｄである。領域は結合部位又は貯蔵部位の領域を含むが、これらに限定されない。
【００６６】
周期構造配列の「周期」という用語は、ある構造の中心から、最も近い隣接した同じ構造の中心までの距離を指す。
【００６７】
用語「貯蔵部位」とは、試料に添加される試薬を含む、プレート上のある領域の部位を指し、かつ前記試薬は、試薬と接触する試料に溶解し、拡散することができる。
【００６８】
用語「関連」とは、分析物の検出、試料中又はプレート上の分析物又は実体の定量化及び／又は制御、試料又はプレートに添加される試薬の定量化又は制御に関連することを指す。
【００６９】
表面の「親水性」、「湿潤性」又は「濡れ性」という用語は、表面上の試料の接触角が９０度より小さいことを指す。
【００７０】
表面の「疎水性」、「非湿潤性」又は「非濡れ性」という用語は、表面上の試料の接触角が９０度以上であることを指す。
【００７１】
量の「変化」という用語は、実際の値と目標値又は量の平均値との差を指す。量の「相対的変化」という用語は、変化と目標値又は量の平均値との比を指す。例えば、ある量の目標値がＱで、実際の値が（Ｑ＋Δ）である場合、Δは変化であり、かつΔ／（Ｑ＋Δ）は、相対的変化である。用語「相対的な試料の厚さ変化」とは、試料の厚さ変化と平均試料の厚さとの比を指す。
【００７２】
用語「光透過性」とは、光信号の伝送を可能にする材料の特性を指し、特に断らない限り、用語「光信号」とは、試料、プレート、スペーサ、スケールマーク、使用される任意の構造、又はそれらの任意の組み合わせの特性を検出するために使用される光信号を指す。
【００７３】
用語「非試料体積」とは、ＣＲＯＦプロセスにおける閉鎖構成で、プレートの間の体積が、試料ではなく、試料以外の他の物体によって占有されることを指す。これらの物体はスペーサ、気泡、粉塵又はそれらの任意の組み合わせを含むが、これらに限定されない。一般的に、「非試料体積」は試料内部に混入している。
【００７４】
用語「飽和インキュベーション時間」とは、二つのタイプの分子（例えば、捕捉剤及び分析物）の間の結合が平衡に達することに必要な時間を指す。表面固定化アッセイについて、「飽和インキュベーション時間」とは、試料中の標的分析物（実体）とプレート表面上の結合部位との間の結合が平衡に達することに必要な時間、すなわち、結合部位によって捕捉され固定化された標的分子（実体）の平均数が統計学的にほぼ一定になった後の時間を指す。
【００７５】
場合により、「分析物」と「結合実体」と「実体」は、交換可能に使用される。
【００７６】
「プロセッサ」、「通信装置」、「モバイル装置」は、計算タスクを実行するための基本的な電子部品（メモリ、入出力インタフェース、中央処理ユニット、命令、ネットワークインタフェース、電源などのうちの１つ以上を含む）を含むコンピュータシステムを指す。コンピュータシステムは、特定のタスクを実行するための命令を含む汎用コンピュータであってもよく、専用コンピュータであってもよい。
【００７７】
信号又はデータ通信の説明に使用される「サイト」又は「位置」とは、装置又は対象が存在するローカル領域を指す。サイトは、建築構造（例えば病院）内の部屋、又は広い地理的に定義された領域内の小さい地理的に定義された領域を指す。第２のサイトから離れた第１のサイトに対して、リモートサイト又はリモート位置は、距離及び／物理的障害によって第２のサイトから物理的に離された第１のサイトである。リモートサイトは、建築構造中の第２のサイトから離れた第１のサイト、第２のサイトと異なる建築構造にある第１のサイト、第２のサイトと異なる都市にある第１のサイトであってもよい。
【００７８】
本明細書で使用されるように、用語「試料採取サイト」とは、対象から試料を得る位置を指す。試料採取位置は、例えば小売店の位置（例えば、チェーンストア、薬局、スーパーマーケット又はデパート）、プロバイダーのオフィス、医師のオフィス、病院、対象の家、軍関係の敷地、雇用主サイト又は他のサイト又はサイトの組み合わせであってもよい。本明細書で使用されるように、用語「試料採取サイト」とは、さらに、該サイトに位置し、あるいは該サイトに所属するビジネス、サービス又は施設の所有者又は代表者を指す。
【００７９】
本明細書で使用されるように、「生データ」は、試料の特性又は特徴を検出するか又は測定するセンサ、カメラ、他のコンポーネント及び機器からの信号及び直接読み取りデータを含む。
【００８０】
本明細書で使用されるように、「プロセス管理」とは、試料分析プロセスなどのプロセスの実行を計画及び／又はモニタリングするための任意の数の方法及びシステムを指す。
【００８１】
当業者であれば、本発明は、本明細書の記述又は図面に記載された構造の詳細、コンポーネントの配置、カテゴリ選択、重み付け、所定の信号制限又はステップへの適用に限定されないことを理解すべきである。本発明は、他の実施形態も可能であり、また様々な方法で実施又は実行することができる
【００８２】
本明細書及び添付の特許請求の範囲で使用されるように、文脈上明確に指示されない限り、例えば、用語「単数」が使われる場合、単数形の「１つの（ａ）」、「１つの（ａｎ）」及び「その（ｔｈｅ）」は、複数の意味も含むことを注意しなければならない。例えば、「分析物」を言及すると、単一の分析物及び複数の分析物を含み、「捕捉剤」を言及すると、単一の捕捉剤及び複数の捕捉剤を含み、「検出剤」を言及すると、単一の検出剤及び複数の検出剤を含み、「試薬」を言及すると、単一の試薬及び複数の試薬を含む。
【００８３】
試料、特に血液を分析するための装置及びシステム、並びにそれらの使用方法
本明細書において、試料、特に血液中の分析物を分析するための装置が提供される。いくつかの実施形態において、前記装置は、第１のプレート及び第２のプレート、試料中の分析物を検出する検出器を含み、
前記プレートは、異なる構成になるように互いに対して（例えば、ヒンジを介して）移動可能であり、
１つ又は両方のプレートは可撓性であり、
各プレートは、そのそれぞれの表面に、試料を分析物と接触させるための試料接触領域を有し、
前記プレートの１つ又は両方は、それぞれのプレートで固定されたスペーサを含み、前記スペーサは、所定の実質的に均一な高さ、及び７μｍ〜２００μｍ（例えば、７μｍ〜５０μｍ（ミクロン）、５０μｍ〜１２０μｍ又は１２０μｍ〜２００μｍ）の範囲内にある所定の一定のスペーサ間距離を有し、少なくとも１つのスペーサは、試料接触領域内にあり、
前記構成の１つは、２つのプレートが離され、プレート間の間隔がスペーサにより調節されず、試料が１つ又は両方のプレートに付着する開放構成であり、
別の構成は、開放構成で試料を付着させた後に構成された閉鎖構成であり、前記閉鎖構成で、試料の少なくとも一部が、２つのプレートによって高度に均一な厚さの層へと圧縮され、プレートに対して実質的に停滞し（すなわち、電流又は方向性の流れが実質的にない）、（少なくとも０．１ｍｍ２、少なくとも０．５ｍｍ２又は少なくとも１ｍｍ２の横方向面積を有することができる）層の均一な厚さは、２つのプレートの内面によって閉じ込められ、プレート及びスペーサにより調節され、かつ小さいばらつきで（例えば、１０％未満、５％未満又は１％未満の変化）５μｍ以下（例えば、１．８μｍ〜２μｍ、２μｍ〜２．２μｍ、２．２μｍ〜２．６μｍ、又は２．６μｍ〜３．８μｍ）である平均厚さを有し、閉鎖構成で、検出器は試料の少なくとも一部の分析物を検出する。
【００８４】
以下に説明するように、装置は、分子（例えば、タンパク質、ペプチド、ＤＮＡ、ＲＮＡ、核酸又はその他の分子）、細胞、組織、ウイルス及び異なる形状のナノ粒子を含む分析物を分析し、例えば、装置に配置された血液試料中の細胞（例えば、赤血球及び白血球）を計数することに用いられる。
【００８５】
いくつかの実施形態において、該装置は、１つ又は両方のプレートに塗布された乾燥試薬を含んでもよい。いくつかの実施形態において、乾燥試薬は、試料中の分析物に結合し、分析物を１つ又は両方のプレートの表面に固定することができる。これらの実施形態において、前記試薬は、例えば、抗体又は他の特異的結合剤であってもよい。この乾燥試薬は、所定の領域を有することができる。他の実施形態において、装置は、１つ以上のプレート上の放出可能な乾燥試薬、例えば細胞染色などの標識試薬又は抗体などの標識検出試薬を含むことができる。場合によっては、放出可能な乾燥試薬を含む放出時間制御材料がプレート上に存在してもよく、放出時間制御材料は、放出可能な乾燥試薬が試料に放出される時間を遅らせる。場合によっては、放出時間制御材料は、乾燥試薬が試料に放出され始める時間を、少なくとも３秒、例えば少なくとも５秒又は少なくとも１０秒遅らせる。いくつかの実施形態において、駆動装置は、複数の乾燥結合部位及び／又は複数の試薬部位を含むことができ、それによってマルチプレックスアッセイを実行することを可能にする。場合によっては、乾燥結合部位が占める領域は、プレートが閉鎖位置にある時に試薬部位が占める領域に対向することができる。
【００８６】
いくつかの実施形態では、前記試薬は、抗凝固剤及び／又は染色試薬を含む。
【００８７】
いくつかの実施形態において、分析物は、分子（例えば、タンパク質、ペプチド、ＤＮＡ、ＲＮＡ、核酸又はその他の分子）、細胞、組織、ウイルス及び異なる形状のナノ粒子であってもよい。いくつかの実施形態において、分析物は、白血球、赤血球及び血小板であってもよい。いくつかの実施形態において、分析物は染色される。
【００８８】
いくつかの実施形態において、均一な厚さの層を調節するスペーサ（すなわち、層内でプレートを互いに離すスペーサ）は、少なくとも１％の「充填率」を有し、例えば、少なくとも２％又は少なくとも５％を有し、充填率は、均一な厚さの層と接触するスペーサ面積と、均一な厚さの層と接触する総プレート面積との比である。いくつかの実施形態において、均一な厚さの層を調節するスペーサについて、スペーサのヤング率にスペーサの充填率を乗算して１０ＭＰａ以上であり、例えば、少なくとも１５ＭＰａ又は少なくとも２０ＭＰａであり、充填率は、均一な厚さの層と接触するスペーサ面積と、均一な厚さの層と接触する総プレート面積との比である。いくつかの実施形態において、可撓性プレートの厚さに可撓性プレートのヤング率を乗算し、６０〜７５０ＧＰａ−μｍの範囲内にあり、例えば、１００〜３００ＧＰａ−μｍ、３００〜５５０ＧＰａ−μｍ又は５５０〜７５０ＧＰａ−μｍである。いくつかの実施形態において、可撓性プレートについて、スペーサ間距離（ＩＳＤ）の４乗を可撓性プレートの厚さ（ｈ）及び可撓性プレートのヤング率（Ｅ）で割り算したＩＳＤ４／（ｈＥ）は、１０６μｍ３／ＧＰａ以下であり、例えば、１０５μｍ３／ＧＰａ未満、１０４μｍ３／ＧＰａ未満又は１０３μｍ３／ＧＰａ未満である。
【００８９】
いくつかの実施形態において、１つ又は両方のプレートは、プレート表面又は内部のいずれか一方に位置して該プレートの位置情報を提供する位置マーカーを含み、例えば、分析しようとする位置、又は血液が付着する位置である。場合によっては、１つ又は両方のプレートは、プレート表面又は内部のいずれか一方に位置して血液試料及び／又はプレートの構造の横方向寸法情報を提供するスケールマーカーを含んでもよい。いくつかの実施形態において、１つ又は両方のプレートは、プレート表面又は内部のいずれか一方に位置して試料の画像化を支援する画像化マーカーを含む。例えば、画像化マーカーは、画像化装置の焦点を合わせるのを助け、画像化装置を装置上のある位置に向けることができる。いくつかの実施形態において、スペーサは、位置マーカー、スケールマーカー、画像化マーカー、又はそれらの任意の組み合わせとして機能することができる。
【００９０】
いくつかの実施形態において、均一な厚さの層の平均厚さは２μｍ〜２．２μｍの範囲内にあり、かつ試料は血液である。いくつかの実施形態において、均一な厚さの層の平均厚さは２．２μｍ〜２．６μｍの範囲内にあり、かつ試料は血液である。いくつかの実施形態において、均一な厚さの層の平均厚さは１．８μｍ〜２μｍの範囲内にあり、かつ試料は血液である。いくつかの実施形態において、均一な厚さの層の平均厚さは２．６μｍ〜３．８μｍの範囲内にあり、かつ試料は血液である。いくつかの実施形態において、均一な厚さの層の平均厚さは１．８μｍ〜３．８μｍの範囲内にあり、かつ試料は他の液体で希釈されることがない全血である。
【００９１】
場合によっては、均一な厚さの層の平均厚さは、試料中の分析物、例えば赤血球又は別の細胞の最小寸法にほぼ等しい。
【００９２】
いくつかの実施形態において、スペーサ間距離は、実質的に周期的である。場合によっては、スペーサは規則的なパターンであってもよく、隣接するスペーサ間の間隔はほぼ同じであってもよい。スペーサは、円形、多角形、環形、正方形、長方形、長円形、楕円形又はそれらの任意の組み合わせから選択される断面形状を有する柱であってもよく、いくつかの実施形態において、実質的に平坦な上面を有し、各スペーサについて、その高さに対するスペーサの横方向寸法の比は少なくとも１である。場合によっては、スペーサの最小横方向寸法は、試料中の分析物の最小寸法より小さいか又はそれに実質的に等しい。スペーサの最小横方向寸法は、０．５μｍ〜１００μｍの範囲内にあり、例えば、２μｍ〜５０μｍ又は０．５μｍ〜１０μｍの範囲内にある。
【００９３】
いくつかの実施形態において、試料は全血、例えば臨床試料由来の血液であってもよい。場合によっては、血液は、個体から血液を採取することによって、例えば、個体の皮膚を穿刺し、採取した血液を（血液移送装置を用いずに）プレートの１つに接触させることによって取得することができる。いくつかの実施形態において、試料は、希釈されていない全血である。
【００９４】
いくつかの実施形態において、スペーサは柱形状を有し、スペーサの側壁角は、少なくとも１μｍ、例えば少なくとも１．２μｍ、少なくとも１．５μｍ又は少なくとも２．０μｍの曲率半径を有する円形状を有する。スペーサは、任意の適切な密度、例えば少なくとも１０００／ｍｍ２の密度、少なくとも２０００／ｍｍ２の密度、少なくとも５，０００／ｍｍ２の密度、又は少なくとも１０，０００／ｍｍ２の密度などの少なくとも１０００／ｍｍ２の密度を有する。
【００９５】
該装置において、少なくとも１つのプレートは透明であり、それによってアッセイを光学的に読み取ることを可能にする。同様に、該装置において、少なくとも１つのプレートは、可撓性ポリマーで製造されてもよく、それによってプレートをともに圧縮することによって試料を効率的に広げることを可能にする。いくつかの実施形態において、プレートを圧縮する圧力に対して、スペーサは圧縮性ではなく、及び／又は独立して、プレートのうち１つのみが可撓性である。可撓性プレートは、１０μｍ〜２００μｍ、例えば１０μｍ〜５０μｍ、５０μｍ〜１５０μｍ又は１５０μｍ〜２００μｍの範囲内の厚さを有することができる。上述したように、閉鎖位置において、均一な厚さの層の厚さは、小さな変化を有することができる。いくつかの実施形態において、変化は、３０％未満、２０％未満、１０％未満、５％未満又は２％未満であってもよく、該領域の厚さが＋／−３０％、＋／−２０％、＋／−１０％、＋／−５％又は＋／−２％の平均厚さを超えないことを意味する。
【００９６】
いくつかの実施形態において、第１のプレート及び第２のプレートは接続され、かつプレートを折り畳むことにより、開放構成から閉鎖構成に変化するように構成される。いくつかの実施形態において、第１のプレート及び第２のプレートは、ヒンジにより接続され、かつヒンジに沿って装置が曲がるようにプレートを折り畳むことにより、開放構成から閉鎖構成に変化するように構成される。ヒンジは、プレートに取り付けられた別個の材料であってもよく、場合によっては、プレートはプレートと一体となってもよい。いくつかの実施形態において、第１のプレート及び第２のプレートは、単一の材料片で製造され、例えばヒンジに沿って、プレートを折り畳むことにより、開放構成から閉鎖構成に変化するように構成される。
【００９７】
いくつかの実施形態において、該装置は、試料を非常に迅速に分析するように構成される。場合によっては、分析は、６０秒以下、３０秒、２０秒以下又は１０秒以下で行われてもよい。
【００９８】
任意の実施形態において、乾燥結合部位は、抗体又は核酸などの捕捉剤を含むことができる。いくつかの実施形態において、放出可能な乾燥試薬は、蛍光標識された試薬、例えば蛍光標識された抗体又はロマノフスキー染色液、レーシュマン染色液、メイ‐グリンヴァルト染色液、ギムザ染色液、ジェンナー染色液、ライト染色液、又はそれらの任意の組み合わせ（例えば、ライト‐ギムザ染色液）のような細胞染色液などの標識試薬であってもよい。このような染色液は、メチオニンブルーを有するエオシンＹ又はエオシンＢを含むことができる。いくつかの実施形態において、染色液は、ヘマトキシリンなどのアルカリ性染色液であってもよい。
【００９９】
いくつかの実施形態において、検出器は、光信号を検出する光検出器であってもよい。いくつかの実施形態において、検出器は、電気信号を検出する電気検出器であってもよい。
【０１００】
いくつかの実施形態において、プレートの直接エンボス加工又はプレートの射出成形により、スペーサはプレート上に固定される。
【０１０１】
いくつかの実施形態において、プレート及びスペーサの材料は、ポリスチレン、ＰＭＭＡ、ＰＣ、ＣＯＣ、ＣＯＰ又は他のプラスチックで構成される。
【０１０２】
さらに携帯電話を用いて試料を迅速に分析するシステムを提供する。いくつかの実施形態において、該システムは、（ａ）上記のような装置と；（ｂ）移動通信装置（例えば、ｉｐｈｏｎｅなどの携帯電話）であって、ｉ、試料を検出及び／又は画像化するための１つ以上のカメラ、ｉｉ、検出された信号及び／又は試料の画像を受信及び／又は処理し、遠隔通信するための電子機器、信号プロセッサ、ハードウェア及びソフトウェアを含む、装置と；（ｃ）移動通信装置又は外部ソースのいずれかからの光源と、を含むことができる。場合によっては、装置内の検出器は、移動通信装置によって提供され、閉鎖構成で試料中の分析物を検出することができる。
【０１０３】
該システムにおいて、プレートのうちの１つは分析物に結合する結合部位を有することができ、均一な試料厚さ層の少なくとも一部は、結合部位の上方に位置し、かつ結合部位の平均横方向線形寸法より実質的に小さい。
【０１０４】
いくつかの実施形態において、システムは、
（ｄ）試料を保持し、移動通信装置に搭載されるように構成されたハウジング
をさらに含むことができる。ハウジングは、移動通信装置によって試料の画像化及び／又は信号処理を容易にするための光学素子と、光学素子を移動通信装置に保持するように構成されたマウントとを含むことができる。場合によっては、試料が少なくとも２つのチャネルにおいて画像化されるように、ハウジング内の装置の光学素子（例えば、レンズ、フィルタ、反射ミラー、プリズム又はビームスプリッタ）はハウジングに対して移動可能であってもよい。
【０１０５】
いくつかの実施形態において、移動通信装置は、医療専門家（例えば、ＭＤ）、医療機関（例えば、病院又は試験研究室）又は保険会社に、検査結果を伝達するように構成される。さらに、移動通信装置は、医療専門家、医療施設、又は保険会社と対象に関する情報（例えば、対象の年齢、性別、体重、住所、名前、事前検査結果、過去の病歴など）を伝達するように構成されてもよい。いくつかの実施形態において、移動通信装置は、医療専門家から処方、診断又は勧告を受信するように構成される。例えば、いくつかの実施形態において、移動通信装置は、医療専門家が診断を与える遠隔地にアッセイ結果を送信することができる。診断は、移動通信装置を介して対象に通信することができる。いくつかの実施形態において、移動通信装置は、さらに、検査の情報をクラウドネットワークに伝達するように構成されてもよく、かつクラウドネットワークは、検査結果を洗練するために該情報を処理する。いくつかの実施形態において、移動通信装置は、検査の情報をクラウドネットワークに伝達するように構成されてもよく、かつクラウドネットワークは、検査結果を洗練するために該情報を処理し、洗練された検査結果を対象に返信する。
【０１０６】
いくつかの実施形態において、移動通信装置は、それが（ａ）試料の画像を取り込み、（ｂ）画像内の検査位置及び制御位置を分析し、そして（ｃ）検査位置の分析から得られた値を、迅速診断試験を特徴付ける閾値と比較することを可能にするハードウェア及びソフトウェアを含むことができる。場合によっては、移動通信装置は、無線又はセルラネットワークを介して遠隔地と通信する。いずれの実施形態においても、移動通信装置は携帯電話であってもよい。
【０１０７】
該システムは、（ａ）試料をシステムの装置に付着させるステップと；（ｂ）装置に付着した試料中の分析物をアッセイして結果を生成するステップと；（ｃ）移動通信装置からの結果を移動通信装置から離れた位置に伝達するステップと、を含む方法に用いることができる。該方法は、遠隔地での結果を分析して、分析結果を提供し、また遠隔地からの分析結果を移動通信装置に伝達することを含むことができる。上述のように、分析は、遠隔地の医療専門家によって行われてもよい。また、いくつかの実施形態において、移動通信装置は、遠隔地の医療専門家から処方、診断又は勧告を受信することができる。
【０１０８】
例えば、該方法において、分析物は、分子（例えば、タンパク質、ペプチド、ＤＮＡ、ＲＮＡ、核酸又はその他の分子）、細胞、組織、ウイルス及び異なる形状のナノ粒子であってもよい。いくつかの実施形態において、分析物は、白血球、赤血球及び血小板であってもよい。
【０１０９】
この方法において、試料は、採血部位から装置上に直接的に移すことができる希釈されていない全血であってもよい。いくつかの実施形態において、血液試料は臨床試料である。
【０１１０】
いくつかの実施形態において、アッセイステップは、試料中の検体、例えば血液中のタンパク質、核酸、細胞又は代謝産物などのバイオマーカーを検出することを含むことができる。このアッセイは、例えば、結合アッセイ又は生化学アッセイであってもよい。
【０１１１】
いくつかの実施形態において、該方法は赤血球の数を計数し、かつ／又は白血球の数を計数することを含む。場合によっては、該方法は、試料中の細胞を染色し、試料中の好中球、リンパ球、単球、好酸球及び好塩基球のうちの１種類以上の数を計数することを含むことができる。
【０１１２】
いくつかの実施形態において、該方法は、感染症、炎症、アレルギー、喘息、免疫障害（例えば、自己免疫障害又は免疫不全）、白血病（例えば、慢性骨髄性白血病、慢性リンパ球性白血病）、骨髄異形成症候群又は骨髄増殖性新生物（例えば、骨髄線維症）のための潜在的な診断を得るために、（少なくとも好中球、好酸球及びリンパ球のため）白血球分化を実行することに用いられてもよい。
【０１１３】
さらに試料を分析する方法を提供する。いくつかの実施形態において、該方法は、前記装置を取得し、試料を装置の１つ又は両方のプレートに配置するステップと；プレートを閉鎖構成にして、少なくとも一部のプレートに外からの力を加えるステップと；プレートが閉鎖構成にある時に均一な厚さの層内の試料中の分析物を分析するステップと、を含むことができる。
【０１１４】
いくつかの実施態様において、該方法は以下のステップ（ａ）〜（ｅ）を含む：
（ａ）試料を取得し、
（ｂ）異なる構成になるように互いに対して移動可能な第１のプレート及び第２のプレートを取得し、
各プレートは、実質的に平坦な試料接触表面を有し、１つ又は両方のプレートは可撓性であり、前記プレートの１つ又は両方は、それぞれの試料接触表面に固定されたスペーサを含み、
スペーサが、
ｉ．所定の実質的に均一な高さと、
ｉｉ．実質的に均一な断面及び平坦な上面を有する柱の形状と、
ｉｉｉ．１以上の、高さに対する幅の比と、
ｉｖ．１０μｍ〜２００μｍの範囲内にある所定の一定のスペーサ間距離と、
ｖ．１％以上の充填率と、を有し
（ｃ）プレートが開放構成に構成されている時に、試料をプレートのうちの１つ又は両方に付着させ、
前記開放構成とは、２つのプレートが部分的に又は完全に離され、かつプレート間の距離がスペーサにより調節されない構成であり、
（ｄ）（ｃ）の後、２つのプレートを用いて、試料の少なくとも一部を、プレートの試料接触表面により限定された実質的に均一な厚さの層へと圧縮し、
該層の均一な厚さは、スペーサ及びプレートにより調節され、１０％より小さいばらつきで１．８μｍ〜３μｍの範囲内にある平均値を有し、
前記圧縮は、以下：
前記２つのプレートを一体に合わせることと、
閉鎖構成へと前記プレートを押し付けるように、並行して又は順次のいずれかで前記プレートのうち少なくとも１つのプレートの１つの領域を適切に押すことを含み、前記適切に押すことにより前記試料の前記少なくとも一部を介して前記プレートに略均一な圧力を発生させ、前記押すことにより前記試料の前記少なくとも一部を前記プレートの前記試料接触面間に横方向に広げ、前記閉鎖構成が、均一な厚さ領域の前記層において前記プレート間の前記距離が前記スペーサにより調節される構成であり、
（ｅ）プレートが閉鎖構成にある時に、均一な厚さの層内の血液を分析し、
前記充填率は、総プレート面積に対するスペーサ接触面積の比であり、
前記適切に押すことは、前記プレートの外面の形状の違いに関わらず、ある領域に加えた圧力を実質的に一定にする方法であり、
前記並行して押すことは、同時に所望の領域に圧力を加え、前記順次押すことは、所定の領域の一部に圧力を加え、かつ徐々に他の領域に移行する。
【０１１５】
いくつかの実施形態において、該方法は、プレートを閉鎖構成にした後に、外からの力を除去するステップと、プレートを閉鎖構成にする時に、均一な厚さの層内を画像化するステップと、画像の領域内の細胞などの分析物の数を計数するステップとを含むことができる。上述のように、これらの実施形態において、スペーサ間距離は、２０μｍ〜２００μｍ又は５μｍ〜２０μｍの範囲にあってもよい。これらの実施形態において、スペーサの充填率とヤング率の積は、２ＭＰａ以上である。いくつかの実施形態において、表面変化は、３０ｎｍより小さい。
【０１１６】
いくつかの実施形態において、試料は、抗凝固剤が添加されていない希釈されていない全血である。これらの実施形態において、付着ステップ（ｂ）は、ｉ．ヒトの皮膚を穿刺して皮膚上に小滴の血液を放出する段階と、ｉｉ．血液移送器具を使用せずに前記小滴の血液を一つ又は両方の前記プレートと接触させる段階によって行うことができる。
【０１１７】
分析ステップは、例えば、赤血球の数を計数する、及び／又は白血球の数を計数することによって行うことができる。いくつかの実施形態において、該方法は、試料中の細胞を染色し、好中球、リンパ球、単球、好酸球及び好塩基球、又はそれらの任意の組み合わせの数を計数することを含むことができる。
【０１１８】
これらのいずれかの実施形態においても、画像化と計数は、ｉ、均一な厚さの層内の細胞を照射するステップと；ｉｉ、ＣＣＤ又はＣＭＯＳセンサを用いて、細胞の１つ以上の画像を取るステップと；ｉｉｉ、コンピュータを用いて画像内の細胞を識別するステップと；ｉｖ、画像の領域内の細胞の数を計数するステップによって行うことができる。
【０１１９】
いくつかの実施形態において、外からの力は、例えば、親指などの指を使用して押し込むことによって、又は親指と同じ手の人差し指のような別の指で挟むことによって、人間の手によって提供されてもよい。
【０１２０】
いくつかの実施形態において、前記方法は、均一な厚さの層内の、ナトリウム、カリウム、塩化物、重炭酸塩、血液尿素、窒素、マグネシウム、クレアチニン、グルコース、カルシウム、ＨＤＬコレステロールＬＤＬコレステロールレベル及び／又はトリグリセリドレベルを計測することを含むことができる。このようなアッセイを行う方法の詳細は、既知の方法から適応させることができる。
【０１２１】
いくつかの実施形態において、１つ以上のプレートは、１つ又は両方のプレート上に塗布された乾燥試薬（例えば、結合剤、染色剤、検出剤又はアッセイ反応物）を含むことができる。
【０１２２】
いくつかの実施形態において、均一な厚さの試料の層は、＋／−５％まで、例えば＋／−２％まで、又は＋／−１％までの厚さ均一性を有することができる。
【０１２３】
いくつかの実施形態において、スペーサは、円形、多角形、環形、正方形、長方形、長円形、楕円形又はそれらの任意の組み合わせから選択される断面形状を有する柱であってもよい。いくつかの実施形態において、スペーサ間の間隔は、ほぼ赤血球の平均厚さである。
【０１２４】
試料は、様々な異なる方法で分析することができる。例えば、いくつかの実施形態において、分析ステップは、赤血球、血球細胞などの血液中の細胞又は血小板を画像化することを含む。分析は、血液中のがん細胞、ウイルス又は細菌を画像化することを含む。いくつかの実施態様において、該方法は、タンパク質又は核酸の検出を含む血液分析を含むことができる。
【０１２５】
いくつかの実施形態において、分析は、スペーサを用いて試料の厚さを決定し、画像化によって横方向面積を決定し、かつ２Ｄ画像を用いて赤血球の面積を計算することを含む、血球を計測するステップを含むことができる。該方法は、血液中の赤血球濃度、血液中の白血球濃度、及び／又は血液中の血小板濃度を計測することを含むことができる。
【０１２６】
上記いずれかの実施形態において、試料は全血であってもよい。
【０１２７】
免疫組織化学
免疫組織化学（ＩＨＣ）染色方法において、（例えば、パラホルムアルデヒド中で）組織試料を固定し、必要に応じてワックスに包埋し、１００μｍ未満の厚さ（例えば２μｍ〜６μｍの厚さ）の薄切片にスライスし、そしてスライドガラスのような支持体上にのせる。一旦のせられると、組織切片は、濃度が増加するアルコール洗浄剤を用いて脱水され、キシレンのような界面活性剤を用いて除去されてもよい。
【０１２８】
大部分のＩＨＣ方法において、一次及び二次抗体を使用することができる。そのような方法において、一次抗体は、関心対象の抗原（例えば、バイオマーカー）に結合し、かつ標識されていない。二次抗体は、一次抗体に結合し、レポーター分子又は溶液中にあるレポーター分子を動員することができるリンカー分子（例えば、ビオチン）のいずれかに直接コンジュゲートする。あるいは、一次抗体自体は、レポーター分子又は溶液中にあるレポーター分子を動員することができるリンカー分子（例えば、ビオチン）のいずれかに直接コンジュゲートすることができる。レポーター分子は、発蛍光団（例えば、ＦＩＴＣ、ＴＲＩＴＣ、ＡＭＣＡ、フルオレセイン及びローダミン）と、アルカリホスファターゼ（ＡＰ）及びホースラディッシュペルオキシダーゼ（ＨＲＰ）等のような酵素とを含み、その中に様々な蛍光、発色及び化学発光基質、例えば、ＤＡＢ又はＢＣＩＰ／ＮＢＴがある。
【０１２９】
直接法において、結合緩衝液中、組織切片を標識一次抗体（例えば、ＦＩＴＣ結合抗体）とともにインキュベートする。一次抗体は組織切片中で抗原と直接的に結合する。組織切片を洗浄して全ての未結合一次抗体を除去した後に、顕微鏡で切片を分析する。
【０１３０】
間接法において、組織内の標的抗原と結合する非標識一次抗体とともに、組織をインキュベートする。組織切片を洗浄して未結合一次抗体を除去した後に、一次抗体と結合する標識二次抗体とともに組織切片をインキュベートする。
【０１３１】
抗原の免疫組織化学的染色の後に、別の色素、例えば、ヘマトキシリン、ヘキスト色素及びＤＡＰＩで組織切片を染色することにより、対比を提供する、及び／又は他の特徴を識別する。
【０１３２】
本装置は、組織試料に対する免疫組織化学的（ＩＨＣ）染色のために用いることができる。これらの実施形態において、該装置は、
第１のプレート及び第２のプレートを含み、
前記プレートが異なる構成になるように互いに対して移動可能であり、
１つ又は両方のプレートが可撓性であり、
各プレートが、そのそれぞれの表面上に、組織試料又はＩＨＣ染色液と接触するための試料接触領域を有し、
前記第１のプレートの試料接触領域が滑らかで、かつ平坦的であり、
前記第２のプレートが、プレートに固定されかつ実質的に均一的な所定の高さと７μｍ〜２００μｍの範囲にある所定の一定のスペーサ間距離とを有するスペーサを含み、
前記構成のうち１つは開放構成であり、これは前記２つのプレートが完全に又は部分的に離され、前記プレート間の間隔がスペーサにより調節されない構成であり、
別の構成は、閉鎖構成であり、これは開放構成で試料及び前記ＩＨＣ染色液を付着させた後に構成された構成であり、この閉鎖構成においては、少なくとも一部の試料が２つのプレートの間に位置し、少なくとも一部の染色液層が少なくとも一部の試料と第２のプレートとの間に位置し、そのうち、少なくとも一部の染色液層の厚さが、プレート、試料及びスペーサにより調節され、試料表面と第２のプレート表面との間には、小さいばらつきで２５０μｍ以下である平均距離を有する。
【０１３３】
いくつかの実施形態において、前記装置は、１つ又は両方のプレート上に塗布された乾燥ＩＨＣ染色剤を含んでもよい。
【０１３４】
いくつかの実施形態において、前記装置は、第２のプレート上に塗布された乾燥ＩＨＣ染色剤を含んでもよく、かつ該ＩＨＣ染色液は、乾燥ＩＨＣ染色剤を溶解させる液体を含む。前記試料の厚さが２μｍ〜６μｍである、請求項１に記載の装置。
【０１３５】
さらに、以下を含む、携帯電話を用いて組織試料を迅速に染色して分析するシステムを提供する：
（ａ）前記のような、試料、染色液及び装置；
（ｂ）
ｉ．試料を検出及び／又は画像化するための１つ以上のカメラ、
ｉｉ．検出された信号及び／又は試料の画像を受信及び／又は処理し、遠隔通信するための電子機器、信号プロセッサ、ハードウェア及びソフトウェア
を含む移動通信装置；及び
（ｃ）移動通信装置又は外部源のいずれか一方からの光源。
【０１３６】
さらに、以下のステップを含む、携帯電話を用いて組織試料を迅速に染色して分析する方法を提供する：
（ａ）組織試料と染色液を上記システムの装置に付着させ、２つのプレートを閉鎖構成にするように配置し、
（ｂ）画像化、データ処理及び通信ためのハードウェアとソフトウェアを有する携帯電話を取得し、
（ｃ）携帯電話により、ＣＲＯＦ装置に配置された組織試料を分析して結果を生成し、
（ｄ）携帯電話からの結果を、携帯電話から離れた位置に伝達する。
【０１３７】
さらに、以下のステップ（ａ）〜（ｄ）を含む、組織試料を分析する方法を提供する：
（ａ）組織試料を取得し、
（ｂ）染色液を取得し、
（ｂ）第１のプレート及び第２のプレートを取得し、
前記プレートが異なる構成になるように互いに対して移動可能であり、
１つ又は両方のプレートが可撓性であり、
各プレートが、そのそれぞれの表面上に、組織試料又はＩＨＣ染色液と接触するための試料接触領域を有し、
第１のプレートの試料接触領域が滑らかで、平坦であり、
第２のプレートが、プレートに固定されかつ実質的に均一的な所定の高さと７μｍ〜２００μｍの範囲にある所定の一定のスペーサ間距離とを有するスペーサを含み、
（ｃ）プレートが開放構成に構成されている時に、組織試料及び染色液をプレートに付着させ、
前記開放構成が、２つのプレートが部分的に又は完全に離され、かつプレート間の間隔がスペーサにより調節されない構成であり、
（ｄ）（ｃ）の後、２つのプレートを用いて少なくとも一部の組織試料及び少なくとも一部の染色液を閉鎖構成に圧縮し、
前記閉鎖構成において、少なくとも一部の試料が２つのプレートの間に位置し、少なくとも一部の染色液層が少なくとも一部の試料と第２のプレートとの間に位置し、前記少なくとも一部の染色液層の厚さが、プレート、試料及びスペーサにより調節され、試料表面と第２のプレート表面との間には、小さいばらつきで２５０μｍ以下である平均距離を有する。
【０１３８】
他の実施形態の全てのメリット及び利点（例えば、加速された反応、より速い結果等）を、該装置、システム及び方法に応用することができる。
【０１３９】
また、他の実施形態の文脈において記載された全てのパラメータ（例えば、スペーサの寸法、間隔及び形状、スペーサとプレートの可撓性、及び該装置とシステムの使用方法等）を、この部分において記載されたＩＨＣ実施形態に編入してもよい。
【０１４０】
例えば、いくつかの実施形態において、均一な厚さの層を調節するスペーサ（すなわち、層内でプレートを互いに離すスペーサ）は、少なくとも１％の「充填率」、例えば、少なくとも２％又は少なくとも５％を有し、該充填率は、均一な厚さの層と接触するスペーサ面積と、均一な厚さの層と接触する総プレート面積との比である。いくつかの実施形態において、均一な厚さの層を調節するスペーサについて、スペーサのヤング率にスペーサの充填率を乗算して１０ＭＰａ以上であり、例えば、少なくとも１５ＭＰａ又は少なくとも２０ＭＰａであり、充填率は、均一な厚さの層と接触するスペーサ面積と、均一な厚さの層と接触する総プレート面積との比である。いくつかの実施形態において、可撓性プレートの厚さに可撓性プレートのヤング率を乗算し、６０〜５５０ＧＰａ−μｍの範囲内にあり、例えば、１００〜３００ＧＰａ−μｍである。いくつかの実施形態において、可撓性プレートについて、スペーサ間距離（ＩＳＤ）の４乗を、可撓性プレートの厚さ（ｈ）及び可撓性プレートのヤング率（Ｅ）で割り算したＩＳＤ４／（ｈＥ）は、１０６μｍ３／ＧＰａ以下であり、例えば、１０５μｍ３／ＧＰａ未満、１０４μｍ３／ＧＰａ未満又は１０３μｍ３／ＧＰａ未満である。
【０１４１】
いくつかの実施形態において、１つ又は両方のプレートは、プレート表面又は内部のいずれか一方に位置して該プレートの位置情報、例えば、分析される位置、又は切片を付着させる位置を提供する位置マーカーを含む。場合によっては、１つ又は両方のプレートは、プレート表面又は内部のいずれか一方に位置して切片及び／又はプレートの構造の横方向寸法情報を提供するスケールマーカーを含んでもよい。いくつかの実施形態において、１つ又は両方のプレートは、プレート表面又は内部のいずれか一方に位置して試料の画像化を支援する画像化マーカーを含む。例えば、画像化マーカーは、画像化装置の焦点を合わせるのを助け、画像化装置を装置上のある位置に向けることができる。いくつかの実施形態において、スペーサは、位置マーカー、スケールマーカー、画像化マーカー、又はそれらの任意の組み合わせとして機能することができる。
【０１４２】
いくつかの実施形態において、スペーサ間距離は、実質的に周期的である。場合によっては、スペーサは規則的なパターンであってもよく、隣接するスペーサ間の間隔はほぼ同じであってもよい。スペーサは、円形、多角形、環形、正方形、長方形、長円形、楕円形又はそれらの任意の組み合わせから選択される断面形状を有する柱であってもよく、いくつかの実施形態において、実質的に平坦な上面を有し、各スペーサについて、その高さに対するスペーサの横方向寸法の比は少なくとも１である。場合によっては、スペーサの最小横方向寸法は、試料中の分析物の最小寸法より小さいか又はそれに実質的に等しい。スペーサの最小横方向寸法は、０．５μｍ〜１００μｍの範囲内にあり、例えば、２μｍ〜５０μｍ又は０．５μｍ〜１０μｍの範囲内にある。
【０１４３】
いくつかの実施形態において、スペーサは柱形状を有し、スペーサの側壁角は、少なくとも１μｍ、例えば少なくとも１．２μｍ、少なくとも１．５μｍ又は少なくとも２．０μｍの曲率半径を有する円形状を有する。スペーサは、任意の適切な密度、例えば少なくとも１０００／ｍｍ２の密度、少なくとも２０００／ｍｍ２の密度、少なくとも５，０００／ｍｍ２の密度、又は少なくとも１０，０００／ｍｍ２の密度などの少なくとも１０００／ｍｍ２の密度を有する。
【０１４４】
該装置において、少なくとも１つのプレートは透明であり、それによってアッセイを光学的に読み取ることを可能にする。同様に、該装置において、少なくとも１つのプレートは、可撓性ポリマーで製造されてもよく、それによってプレートをともに圧縮することによって試料を効率的に広げることを可能にする。いくつかの実施形態において、プレートを圧縮する圧力に対して、スペーサは圧縮性ではなく、及び／又は独立して、プレートのうち１つのみが可撓性である。可撓性プレートは、２０μｍ〜２００μｍ、例えば５０μｍ〜１５０μｍの範囲内の厚さを有することができる。上述したように、閉鎖位置において、均一な厚さの層の厚さは、小さな変化を有することができる。いくつかの実施形態において、変化は、１０％未満、５％未満又は２％未満であってもよく、該領域の厚さが＋／−１０％、＋／−５％又は＋／−２％の平均厚さを超えないことを意味する。
【０１４５】
いくつかの実施形態において、第１のプレート及び第２のプレートは接続され、かつ該装置は、プレートを折り畳むことにより、開放構成から閉鎖構成に変化させることができる。いくつかの実施形態において、第１のプレート及び第２のプレートは、ヒンジにより接続されてもよく、かつ該装置は、ヒンジに沿って装置が曲がるようにプレートを折り畳むことにより、開放構成から閉鎖構成に変化させることができる。ヒンジは、プレートに取り付けられた別個の材料であってもよく、場合によっては、プレートはプレートと一体となってもよい。
【０１４６】
いくつかの実施形態において、該装置は、切片を非常に迅速に分析することができる。場合によっては、分析は、６０秒以下、３０秒、２０秒以下又は１０秒以下で行われてもよい。
【０１４７】
任意の実施形態において、乾燥結合部位は、抗体又は核酸などの捕捉剤を含むことができる。いくつかの実施形態において、放出可能な乾燥試薬は、蛍光標識された試薬、例えば蛍光標識された抗体又はロマノフスキー染色液、レーシュマン染色液、メイ‐グリンヴァルト染色液、ギムザ染色液、ジェンナー染色液、ライト染色液、又はそれらの任意の組み合わせ（例えば、ライト‐ギムザ染色液）のような細胞染色液などの標識試薬であってもよい。このような染色液は、メチオニンブルーを有するエオシンＹ又はエオシンＢを含むことができる。いくつかの実施形態において、染色液は、ヘマトキシリンなどのアルカリ性染色液であってもよい。
【０１４８】
いくつかの実施形態において、（ｄ）試料を保持し、移動通信装置に搭載されるように構成されたハウジングを、システムはさらに含むことができる。ハウジングは、移動通信装置によって試料の画像化及び／又は信号処理を容易にするための光学素子と、光学素子を移動通信装置に保持するように構成されたマウントとを含むことができる。場合によっては、試料が少なくとも２つのチャネルにおいて画像化されるように、装置の光学素子（例えば、レンズ、フィルタ、反射ミラー、プリズム又はビームスプリッタ）が移動可能であってもよい。
【０１４９】
いくつかの実施形態において、移動通信装置は、医療専門家（例えば、ＭＤ）、医療機関（例えば、病院又は試験研究室）又は保険会社に、検査結果を伝達するように構成される。さらに、移動通信装置は、医療専門家、医療施設、又は保険会社と対象に関する情報（例えば、対象の年齢、性別、体重、住所、名前、事前検査結果、過去の病歴など）を伝達するように構成されてもよい。いくつかの実施形態において、移動通信装置は、医療専門家から処方、診断又は勧告を受信するように構成される。例えば、いくつかの実施形態において、移動通信装置は、医療専門家が診断を与える遠隔地にアッセイ結果を送信することができる。診断は、移動通信装置を介して対象に通信することができる。
【０１５０】
いくつかの実施形態において、移動通信装置は、それが（ａ）試料の画像を取り込み、（ｂ）画像内の検査位置及び制御位置を分析し、そして（ｃ）検査位置の分析から得られた値を、迅速診断試験を特徴付ける閾値と比較することを可能にするハードウェア及びソフトウェアを含むことができる。場合によっては、移動通信装置は、無線又はセルラネットワークを介して遠隔地と通信する。いずれの実施形態においても、移動通信装置は携帯電話であってもよい。
【０１５１】
該システムは、（ａ）試料をシステムの装置に付着させるステップと、（ｂ）装置に付着させた試料をアッセイして結果を生成するステップと、（ｃ）移動通信装置からの結果を移動通信装置から離れた位置に伝達するステップとを含む方法に用いることができる。該方法は、遠隔地での結果を分析して、分析結果を提供し、また遠隔地からの分析結果を移動通信装置に伝達することを含むことができる。上述のように、分析は、遠隔地の医療専門家によって行われてもよい。また、いくつかの実施形態において、移動通信装置は、遠隔地の医療専門家から処方、診断又は勧告を受信することができる。
【０１５２】
本発明は、組織切片を分析する方法をさらに提供する。いくつかの実施形態において、該方法は、前記装置を取得し、切片を装置の１つ又は両方のプレートに付着させるステップと、プレートを閉鎖構成にして、少なくとも一部のプレートに外からの力を加えるステップと、プレートが閉鎖構成に場合に、均一な厚さの層内の試料を分析するステップとを含んでもよい。
【０１５３】
いくつかの実施態様において、該方法は以下のステップ（ａ）〜（ｄ）を含む：
（ａ）組織切片を取得し、
（ｂ）異なる構成になるように互いに対して移動可能な第１のプレート及び第２のプレートを取得し、
各プレートが、実質的に平坦な試料接触表面を有し、前記プレートの１つ又は両方が可撓性であり、１つ又は両方のプレートが、それぞれの試料接触表面に固定されたスペーサを含み、
スペーサが、
ｉ．所定の実質的に均一な高さと、
ｉｉ．実質的に均一な断面及び平坦な上面を有する柱の形状と、
ｉｉｉ．１以上の、高さに対する幅の比と、
ｉｖ．１０μｍ〜２００μｍの範囲内にある所定の一定のスペーサ間距離と、
ｖ．１％以上の充填率と、を有し、
（ｃ）プレートが開放構成に構成されている時に、切片を１つ又は両方のプレートに付着させ、
前記開放構成とは、２つのプレートが部分的に又は完全に離され、プレート間の間隔がスペーサにより調節されない構成であり、
（ｄ）（ｃ）の後、２つのプレートを用いて、切片の少なくとも一部を、プレートの試料接触表面により限定された実質的に均一な厚さの層へと圧縮し、
該層の均一な厚さが、スペーサ及びプレートにより調節され、１０％より小さいばらつきで１．８μｍ〜３μｍの範囲内にある平均値を有し、
前記圧縮が以下：
前記２つのプレートを一体に合わせることと
閉鎖構成へと前記プレートを一緒に押し付けるように、並行して又は順次のいずれかで前記プレートのうち少なくとも１つのプレートのある領域を適切に押すこと、を含み、
前記適切に押すことにより、前記試料の前記少なくとも一部を介して前記プレートに略均一な圧力を発生させ、前記押すことにより、前記試料の前記少なくとも一部を前記プレートの前記試料接触面間に横方向に広げ、前記閉鎖構成が、均一な厚さ領域の前記層において前記プレート間の前記距離が前記スペーサにより調節される構成であり、
（ｅ）プレートが閉鎖構成にある時に、均一な厚さの層内の切片を分析し、
前記充填率が、総プレート面積に対するスペーサ接触面積の比であり、
前記適切に押すことが、前記プレートの外面の形状の違いに関わらず、ある領域に加えた圧力を実質的に一定にする方法であり、
前記並行して押すことが、同時に所望の領域に圧力を加え、前記順次押す段階が、所定の領域の一部に圧力を加え、かつ徐々に他の領域に移行する。
【０１５４】
いくつかの実施形態において、該方法は、プレートが閉鎖構成になった後、外からの力を除去するステップと、プレートが閉鎖構成にある時に、均一な厚さの層内の切片を画像化するステップとを含んでもよい。上述のように、これらの実施形態において、スペーサ間距離は、２０μｍ〜２００μｍ又は５μｍ〜２０μｍの範囲にあってもよい。これらの実施形態において、スペーサの充填率とヤング率の積は、２ＭＰａ以上である。いくつかの実施形態において、表面変化は、３０ｎｍより小さい。
【０１５５】
これらのいずれかの実施形態において、画像化と計数は、ｉ、均一な厚さの層内の切片を照射するステップと、ｉｉ、ＣＣＤ又はＣＭＯＳセンサを用いて、切片の１つ以上の画像を取るステップによって行うことができる。
【０１５６】
いくつかの実施形態において、外からの力は、例えば、親指などの指を使用して押し込むことによって、又は親指と同じ手の人差し指のような別の指で挟むことによって、人間の手によって提供されてもよい。
【０１５７】
いくつかの実施形態において、１つ以上のプレートは、１つ又は両方のプレート（例えば、結合剤、染色剤、検出剤又はアッセイ反応物）上に塗布された乾燥試薬を含むことができる。
【０１５８】
いくつかの実施形態において、均一な厚さの試料の層は、＋／−５％まで、例えば＋／−２％まで、又は＋／−１％までの厚さ均一性を有することができる。
【０１５９】
いくつかの実施形態において、スペーサは、円形、多角形、環形、正方形、長方形、長円形、楕円形又はそれらの任意の組み合わせから選択される断面形状を有する柱であってもよい。
【０１６０】
「圧縮調節開放流」（ＣＲＯＦ）
本発明の多くの実施形態は、「圧縮調節開放流」（ＣＲＯＦ）という方法とＣＲＯＦを実行するデバイスを用いて、試料及び／又は試薬の幾何学的サイズ、位置、接触面積及び混合を操作する。
【０１６１】
用語「圧縮開放流ＣＯＦ」とは、（ｉ）他のプレートを少なくとも一部の試料の頂部に配置し、（ｉｉ）その後に２つのプレートを対向して押して２つのプレートの間の試料を圧縮することにより、プレートに付着させた流動可能試料の形状を変化させる方法を指し、該圧縮は、少なくとも一部の試料の厚さを減少させることにより、前記試料がプレートの間の開放空間に流入する。
【０１６２】
用語「圧縮調節開放流」又は「ＣＲＯＦ」（又は「自己較正圧縮開放流」又は「ＳＣＯＦ」又は「ＳＣＣＯＦ」）とは、特定のタイプのＣＯＦを指し、圧縮後に試料の一部又は全体の最終厚さは、２つのプレートの間に配置されたスペーサによって「調節」される。
【０１６３】
ＣＲＯＦにおいて、「試料の一部又は全体の最終厚さはスペーサによって調節される」という用語は、ＣＲＯＦ中に特定の試料の厚さに達すると、２つのプレートの相対移動を停止させ、これにより試料の厚さの変化も停止し、特定の厚さがスペーサによって決定されることを指す。
【０１６４】
図１に示すように、ＣＲＯＦ方法の一実施形態は、以下のステップ（ａ）〜（ｄ）を含む：
（ａ）流動可能な試料を取得し、
（ｂ）異なる構成になるように互いに対して移動可能な第１のプレート及び第２のプレートを取得し
それぞれのプレートが実質的に平坦な試料接触表面を有し、前記プレートの１つ又は両方が、所定の高さを有して対応する試料接触表面に位置するスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして前記試料を広げ、
閉鎖構成において、プレートが互いに対向して、スペーサ及び試料の関連体積がプレートの間に位置し、試料の関連体積の厚さがプレート及びスペーサにより調節され、関連体積が前記試料の全体積の少なくとも一部であり、かつ試料を広げている間は、試料が２つのプレートの間に横方向に流動する。
【０１６５】
特に断らない限り、用語「プレート」とは、ＣＲＯＦプロセスにおいて使用されるプレートを指し、それは使用可能な表面を有する固体であり、２つのプレートの間に配置された試料を他のプレートとともに圧縮して試料の厚さを減少させる。
【０１６６】
用語「プレート」又は「プレートの対」とは、ＣＲＯＦプロセスにおける２つのプレートを指す。
【０１６７】
用語「第１のプレート」又は「第２のプレート」とは、ＣＲＯＦプロセスにおいて使用されるプレートを指す。
【０１６８】
用語「プレートが互いに対向する」とは、一対のプレートが少なくとも部分的に、互いに対向する場合を指す。
【０１６９】
特に断らない限り、用語「スペーサ」又は「ストッパ」とは、２つのプレートの間に配置される場合、２つのプレートが共に圧縮される時に到達可能な２つのプレートの間の最小間隔の制限を設定する機械的な物体を指す。すなわち、圧縮の際に、スペーサは、プレート間の間隔がプリセット値（すなわち、所定値）よりも小さくならないように２つのプレートの相対移動を停止させる。スペーサは、「開放スペーサ」と「密閉スペーサ」という二種類のタイプを有する。
【０１７０】
用語「開放スペーサ」とは、液体が該スペーサの全周囲に流動しかつスペーサをわたって流れることを可能にする形状を有するスペーサを意味する。例えば、柱は開放スペーサである。
【０１７１】
用語「密閉スペーサ」とは、液体が該スペーサの全周囲に流動しかつスペーサをわたって流れることができない形状を有するスペーサを意味する。例えば、リング状スペーサはリング内液体用の密閉スペーサであり、リング状スペーサ内の液体はリング内に留まり、外部（外周囲）に出ることができない。
【０１７２】
用語「スペーサが所定の高さを有する」、及び「スペーサが所定のスペーサ間の距離を有する」とは、それぞれＣＲＯＦプロセスの前にスペーサの高さとスペーサ間の距離の値が既知であることを意味する。ＣＲＯＦプロセスの前に、スペーサの高さとスペーサ間の距離の値が既知で無い場合、それらは予め設定されない。例えば、プレートにスペーサとしてビーズを散布し、ビーズがプレートのランダムな位置に止まる場合、スペーサ間の距離は予め設定されない。スペーサ間の距離が予め設定されない別の事例は、スペーサがＣＲＯＦプロセス中に移動することである。
【０１７３】
ＣＲＯＦプロセスにおける用語「スペーサがその対応するプレートに固定される」とは、スペーサがプレートのある位置に取り付けられ、かつＣＲＯＦ中に該位置との取り付けを維持する（すなわち、各プレート上のスペーサの位置が変化しない）ことを意味する。「スペーサがその対応するプレートに固定される」の一事例は、スペーサがプレート材料で一体的に作られ、かつＣＲＯＦ中にスペーサのプレート表面に対する位置が変化しないことである。「スペーサがその対応するプレートに固定されない」の一事例は、スペーサが接着剤によりプレートに接着されるが、プレートを使用する時に、ＣＲＯＦ中に接着剤がスペーサをそのプレート表面上の元の位置に維持せず、スペーサがそのプレート表面上の元の位置から離れることである。
【０１７４】
用語「スペーサがプレートに一体的に固定される」とは、スペーサとプレートの挙動が、一体式の物体であるように、使用中に、スペーサがそのプレート上の元の位置から移動したり離れたりしないことを意味する。
【０１７５】
ＣＲＯＦプロセスにおける２つのプレートの「開放構成」という用語は、二つのプレートが部分的に又は完全に離され、プレート間の間隔がスペーサにより調節されないという構成を意味する。
【０１７６】
ＣＲＯＦプロセスにおける２つのプレートの「閉鎖構成」という用語は、プレートが互いに対向して、スペーサ及び試料の関連体積がプレートの間に位置し、試料の関連体積の厚さがプレート及びスペーサにより調節される構成を意味し、前記関連体積は前記試料の全体の体積の少なくとも一部である。
【０１７７】
ＣＲＯＦプロセスにおける用語「試料の厚さをプレート及びスペーサにより調節する」とは、プレート、試料、スペーサ及びプレート圧縮方法の所与の条件に対して、プレートの閉鎖構成で、少なくとも一部の試料の厚さをスペーサ及びプレートの特性に基づいて予め設定することができることを指す。
【０１７８】
ＣＲＯＦ装置中のプレートについての用語「内表面」又は「試料表面」とは、試料と接触するプレートの表面を指し、プレートの他の表面（試料と接触しない」は「外表面」と呼ばれる。
【０１７９】
ＣＲＯＦ装置の「Ｘ‐プレート」という用語は、プレートの試料表面上に存在するスペーサを含むプレートを指し、前記スペーサは、所定のスペーサ間距離とスペーサの高さを有し、かつ少なくとも１つのスペーサは試料接触領域内にある。
【０１８０】
用語「ＣＲＯＦ装置」とは、ＣＲＯＦプロセスを実行する装置を指す。用語「ＣＲＯＦを行う」とは、ＣＲＯＦプロセスを使用することを意味する。例えば、用語「試料にＣＲＯＦを行う」とは、試料をＣＲＯＦ装置内に入れて、ＣＲＯＦプロセスを実行することを意味し、特に明記しない限り、該試料をＣＲＯＦの最終構成に保持する。
【０１８１】
用語「ＣＲＯＦプレート」とは、ＣＲＯＦプロセスの実行に使用される２つのプレートを指す。
【０１８２】
平坦な表面についての用語「表面平滑度」又は「表面平滑度変化」とは、数マイクロメートル又はそれ以下の短距離の、平坦な表面と、完全に平坦な表面との平均偏差を指す。表面平滑度は、表面平坦度変化とは異なる。平坦な表面は、良好な表面平坦度を有するが、その表面平滑度が低い。
【０１８３】
平坦な表面についての用語「表面平坦度」又は「表面平坦度変化」とは、１０μｍ又はそれ以上の長距離の、平坦な表面と、完全に平坦な表面との平均偏差を指す。表面平坦度変化は、表面平滑度とは異なる。平坦な表面は、良好な表面平滑度を有するが、その表面平坦度が低い（すなわち、その表面平坦度変化が大きい）。
【０１８４】
プレート又は試料についての用語「相対的な表面平坦度」とは、プレートの表面平坦度変化と最終的試料厚さとの比を指す。
【０１８５】
特に断らない限り、ＣＲＯＦプロセスにおける用語「最終的試料厚さ」とは、ＣＲＯＦプロセス中のプレートの閉鎖構成における試料の厚さを指す。
【０１８６】
ＣＲＯＦにおける用語「圧縮方法」とは、２つのプレートを開放構成から閉鎖構成にする方法を指す。
【０１８７】
プレートについての用語「関心対象領域」又は「関心のある領域」とは、プレートが実行する機能に関連するプレートの領域を指す。
【０１８８】
用語「最大」とは、「それ以下」を意味する。例えば、スペーサの高さが最大１μｍであり、これはスペーサの高さが１μｍ以下であることを意味する。
【０１８９】
用語「試料面積」とは、プレート間の空間とほぼ平行でありかつ試料の厚さに垂直な方向における、試料の面積を指す。
【０１９０】
用語「試料厚さ」とは、互いに対向するプレートの表面に垂直な方向（例えば、プレートの間の距離の方向）における、試料寸法を意味する。
【０１９１】
用語「プレートの間の距離」とは、２つのプレートの内表面間の距離を指す。
【０１９２】
ＣＲＯＦにおける用語「最終的な試料の厚さの偏差」とは、所定のスペーサの高さ（スペーサの製造により決定される）と、最終的な試料厚さの平均値との間の差を意味し、その平均の最終的な試料の厚さは、所定の領域の平均値（例えば、１．６ｃｍ×１．６ｃｍの領域における２５個の異なる点（距離が４ｍｍである）の平均値）である。
【０１９３】
ＣＲＯＦプロセスにおける用語「計測された最終的試料厚さの均一性」とは、所定の試料領域において計測された最終的試料厚さの標準偏差（例えば、平均値に対する標準偏差）を意味する。
【０１９４】
ＣＲＯＦプロセスにおける用語「試料の関連体積」及び「試料の関連面積」とは、ＣＲＯＦプロセス中の、プレートに付着した試料の一部又は全体の、それぞれ体積及び面積を指し、それは対応する方法又は装置によって実行され、分析物又は実体の結合時間の減少、分析物の検出、体積の定量化、濃度の定量化、試薬の混合又は濃度（分析物、実体又は試薬）制御を含むが、これらに限定されない機能に関連する。
【０１９５】
別途指摘されない限り、用語「いくつかの実施形態」、「いくつかの実施形態において」、「本発明のいくつかの実施形態において」、「実施形態」、「１つの実施形態」、「他の実施形態」、「特定の実施形態」、「多くの実施形態」などは、全ての開示内容（すなわち全発明）に応用された実施形態である。
【０１９６】
別途指摘されない限り、ＣＲＯＦプロセスにおける物体の、用語「高さ」又は「厚さ」とは、プレートの表面と垂直な方向における物体の寸法を指す。例えば、スペーサの高さとは、プレートの表面と垂直である方向におけるスペーサの寸法であり、スペーサの高さ及びスペーサの厚さとは、同じものを意味する。
【０１９７】
別途指摘されない限り、ＣＲＯＦプロセスにおける物体の、用語「面積」とは、プレートの表面と平行な物体の面積を指す。例えば、スペーサの面積とは、プレートの表面に平行なスペーサの面積を指す。
【０１９８】
別途指摘されない限り、ＣＲＯＦプロセスにおける用語「横方向」又は「横に」とは、プレートの表面と平行な方向を指す。
【０１９９】
別途指摘されない限り、ＣＲＯＦプロセスにおける用語「幅」とは、スペーサの横方向の寸法を指す。
【０２００】
用語「試料内のスペーサ」は、スペーサが試料により取り囲まれる（例えば、試料内の柱状スペーサである）を意味する。
【０２０１】
ＣＲＯＦプロセスにおけるプレートの用語「臨界湾曲スパン」とは、２つの支持具間のプレートのスパン（すなわち、距離）を指し、所定の可撓性プレート、試料、圧力について、プレートの湾曲は、許容可能な湾曲と等しい。例えば、所定の可撓性プレート、試料及び圧力について、許容可能な湾曲が５０ｎｍであり、臨界湾曲スパンが４０μｍである場合、４０μｍ離れた２つの隣接するスペーサの間のプレートの湾曲が５０ｎｍであり、かつ２つの隣接するスペーサが４０μｍより小さい場合、湾曲が５０ｎｍより小さい。
【０２０２】
試料に関する用語「流動可能」とは、試料の厚さが減少する場合、その横方向寸法が増加することを意味する。例えば、糞便試料は流動可能であると考えられる。
【０２０３】
本発明のいくつかの実施形態において、試料の厚さがＣＲＯＦプロセスにおいて減少できる限り、ＣＲＯＦプロセスにおける試料は流動可能である必要がなく、従ってプロセスから利益を受ける。例えば、ＣＲＯＦプレートの表面に色素を載置することによって組織を染色し、ＣＲＯＦプロセスにおいて組織の厚さを減少させることで、色素による染色の飽和インキュベーション時間を加速させる。
【０２０４】
１．結合又は混合時間（Ｘ）の減少（短縮）
アッセイ又はその他の化学反応を行うインキュベーション／反応時間の減少が必要である。例えば、プレート表面に固定化された捕捉剤（すなわち固相）により試料中の標的分析物を捕捉する表面固定化アッセイにおいては、一般的に、試料中の標的分析物を捕捉するための飽和インキュベーション時間が短く、又は溶液における捕捉剤及び検出剤をプレート表面に固定化する時間が短く、又は両方がいずれも短いことが望ましい。別の事例は、捕捉剤をプレート表面に塗布する時間を短縮する需要である。別の事例は、試薬と試料との混合時間を短縮する需要である。
【０２０５】
本発明は、試料中の実体を固体表面上の結合部位に結合するために必要な飽和インキュベーション時間（すなわち実体の、体積から表面への時間）を減少（すなわち短縮）させる方法及び装置を提供する。本発明の別の態様は、プレートの表面に貯蔵された実体を他のプレート表面上の結合部位に結合するために要する時間（すなわち実体の、１つの表面から別の表面への時間）を短縮することである。本発明の別の様態は、表面に貯蔵された試薬を一定の体積の試料に添加／混合するために要する時間（すなわち試薬の、表面から一定の体積の試料に添加／混合する時間）を短縮することである。
【０２０６】
本発明は、試料（又は液体）を薄い厚さに広げる装置及び方法を用いることにより、アッセイにおける結合及び／又は混合の飽和インキュベーション時間を減少させ、これにより実体が試料厚さにわたって拡散する時間を減少させる。材料（例えば、液体又は固体又は半固体）における実体の拡散時間は、拡散距離の平方に正比例し、従って試料厚さの減少により拡散距離を減少させることができ、拡散時間及び飽和インキュベーション時間の急激減少を引き起こすことができる。薄い厚さ（例えば、狭い密閉空間）も、実体と、材料における他の実体との衝突頻度を上げ、それにより結合及び混合をさらに強化させる。本発明における方法は、さらに試料厚さの減少を、正確に、均一に、迅速かつ簡単（操作ステップがより少ない）にし、試料厚さをミクロン又はナノメートルの厚さに減少させることに適用される。これらの発明は迅速で、低コストで、ＰｏＣ、診断及び化学／生物分析の面に、高い実用性を有する。図１〜４は本発明のいくつかの実施形態を示す。
【０２０７】
１．１  試料の厚さを減少させることによる、試料中の実体を固体表面上の結合部位に結合するために必要な飽和インキュベーション時間の減少
Ｘ１．  図１〜２、３ａ及び４ａに示すように、試料中の標的実体をプレート表面にある結合部位に結合するために必要な飽和インキュベーション時間を減少させる方法は、以下のステップ（ａ）〜（ｄ）を含む：
（ａ）流動可能かつ試料内に拡散できる標的実体を含有する試料を取得し、
（ｂ）異なる構成になるように互いに対して移動可能な第１のプレート及び第２のプレートを取得し、
前記第１のプレートが、その表面に標的実体に結合するように構成された結合部位を有し、前記プレートの１つ又は両方が、その対応するプレートに固定されかつ所定の高さを有するスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして試料を広げ、
閉鎖構成において、プレートが互いに対向して、スペーサ及び試料の関連体積がプレートの間に位置し、結合部位が関連体積と接触し、試料の関連体積の厚さがプレート及びスペーサにより調節され、該厚さが、プレートが開放構成にある時の試料の最大の厚さよりわずかに薄く、
前記関連体積が、試料の一部又は全体積であり、
減少した試料厚さにより、関連体積中の標的実体を結合部位に結合するための飽和インキュベーション時間が減少する。
【０２０８】
所定の試料体積に対して、ＣＲＯＦは試料厚さを減少させるが、試料の横方向寸法を増加させる。本発明は、以上の事実を用いて、（ａ）試料の一部における局所的な結合又は混合を行い、（ｂ）流体バリアがない場合では、複数の結合又は混合部位の多重化を行って、試料流体を異なる隔離液嚢に分離させる。
【０２０９】
Ｘ２．  図１〜２、３ａ及び４ａに示すように、試料の関連体積中の標的実体を表面に結合するために必要な飽和インキュベーション時間を減少させる装置は、
（ａ）異なる構成になるように互いに対して移動可能で、（ｂ）各プレートが試料と接触するための試料接触領域を有し、該試料が試料関連体積に標的実体を有し、（ｃ）プレートの１つが標的実体を結合する結合部位を有し、（ｄ）プレートの少なくとも１つがスペーサを含み、スペーサが所定のスペーサ間距離及び高さを有し、かつそれぞれの表面に固定され、スペーサの少なくとも１つが試料接触領域内に位置するという特徴を有する、第１のプレート及び第２のプレートを含み、
前記構成の１つは、２つのプレートが部分的に又は完全に離され、プレート間の間隔がスペーサにより調節されない開放構成であり、
別の構成は、開放構成で試料を付着させた後に構成された閉鎖構成であり、前記閉鎖構成で、プレートが互いに対向し、スペーサ及び試料の関連体積がプレートの間に位置し、結合部位が関連体積と接触し、かつ試料の関連体積の厚さがプレート及びスペーサにより調節され、プレートが開放構成にある時に、該厚さが試料の最大の厚さより小さく、前記関連体積が、試料の部分又は全体の体積であり、かつ前記減少した試料厚さにより、関連体積中の標的実体を結合部位に結合するための飽和インキュベーション時間が減少する。
【０２１０】
１．２  プレートの表面に貯蔵された実体を他のプレート表面上の結合部位に結合するために必要な飽和インキュベーション時間の減少
Ｘ３．  図１、３ｃ及び４ｂに示すように、プレートの貯蔵部位に貯蔵された実体を別のプレートにある関連結合部位に結合するための飽和インキュベーション時間を減少させる方法は、以下のステップ（ａ）〜（ｄ）を含む：
（ａ）異なる構成になるように互いに対して移動可能な第１のプレート及び第２のプレートを取得し、
前記第１のプレートがその表面に結合部位を有し、前記第２のプレートがその表面に結合部位に結合する実体を含む貯蔵部位を有し、前記結合部位の面積及び貯蔵部位の面積がそのそれぞれのプレートの面積より小さく、かつ前記プレートの１つ又は両方が、各々がそのそれぞれプレートで固定されかつ所定の高さを有するスペーサを含み、
（ｂ）貯蔵部位にある実体が溶解かつ拡散できる搬送媒体を取得し、
（ｃ）プレートが開放構成に構成されている時に、プレートのうちの１つ又は両方に搬送媒体を付着させ、
前記開放構成とは、２つのプレートが部分的に又は完全に離され、プレート間の間隔がスペーサにより調節されない構成であり
（ｄ）（ｃ）の後、プレートを閉鎖構成にして試料を広げ、
閉鎖構成で、プレートが互いに対向して、スペーサ、結合部位、貯蔵部位及び少なくとも一部の搬送媒体がプレートの間に位置し、結合部位が貯蔵部位と少なくとも部分的に重なり、搬送媒体が結合部位と貯蔵部位の少なくとも一部と接触し、搬送媒体の厚さがプレート及びスペーサにより調節され、該厚さが、プレートが開放構成にある時の搬送媒体の最大の厚さよりわずかに薄く、
搬送媒体の減少した厚さにより第２のプレートに貯蔵された実体を第１のプレート上の結合部位に結合するために必要な時間を減少させる。
【０２１１】
Ｘ４．  図１、３ｃ及び４ｂに示すように、１つのプレートの貯蔵部位に貯蔵された実体を別のプレート上の結合部位に結合するための飽和インキュベーション時間を減少させる装置は、
異なる構成になるように互いに対して移動可能な第１のプレート及び第２のプレートを含み、前記第１のプレートはその表面に結合部位を有し、前記第２のプレートはその表面に結合部位に結合する実体を含む貯蔵部位を有し、前記結合部位の面積及び貯蔵部位の面積はそのそれぞれのプレートの面積より小さく、かつ前記プレートの１つ又は両方は、各々がそのそれぞれプレートで固定され、かつ所定の高さを有するスペーサを含み、
前記構成の１つは、２つのプレートが部分的に又は完全に離され、プレート間の間隔がスペーサにより調節されず、搬送媒体が前記プレートの１つ又は両方に付着し得る開放構成であり、貯蔵部位上の実体は搬送媒体内に溶解でき、かつ拡散でき、
別の構成は、開放構成で搬送媒体を付着させた後に構成された閉鎖構成であり、閉鎖構成において、プレートは互いに対向して、スペーサ、結合部位、貯蔵部位及び少なくとも一部の搬送媒体がプレートの間に位置し、結合部位は貯蔵部位と少なくとも部分的に重なり、搬送媒体は結合部位と貯蔵部位の少なくとも一部と接触し、搬送媒体の厚さはプレート及びスペーサにより調節され、プレートが開放構成にある時に、該厚さは搬送媒体の最大の厚さよりわずかに薄く、
搬送媒体の減少した厚さにより、第２のプレートの貯蔵部位上の実体を第１のプレート上の結合部位に結合するための飽和インキュベーション時間が減少する。
【０２１２】
いくつかの実施形態において、段落Ｘ３の方法及び段落Ｘ４の装置において、搬送媒体は実体又は試薬又は両者が拡散する液体を含む。
【０２１３】
いくつかの実施形態において、段落Ｘ３の方法及び段落Ｘ４の装置において、搬送媒体は、結合部位に結合する分析物（標的分析物とも呼ばれる）を含む試料である。
【０２１４】
いくつかの実施形態において、段落Ｘ３の方法及び段落Ｘ４の装置において、搬送媒体は、結合部位に結合する分析物（標的分析物とも呼ばれる）を含む試料であり、試料は、分析物に結合する検出剤である。
【０２１５】
１．３  表面に貯蔵された試薬を液体試料に添加（混合）するための時間の減少
多くのアッセイは、試料（液体を含む）に試薬を添加する必要がある。一般的に試料又は液体に添加された試薬の濃度を制御する必要がある。簡単かつ／又は低コストでこのような試薬の添加及び濃度制御を実行する新たな方法を必要とする。所望の試薬添加の２つの実例は、（ａ）抗凝固剤及び／又は染色試薬を血液試料に添加する血球計数、及び（ｂ）検出剤を添加して溶液における標的分析物を結合する免疫学的アッセイである。
【０２１６】
本発明の一態様は、このような試薬の添加及び濃度制御を簡単かつ／又は低コストにする方法、装置及びシステムである。本発明の一実施形態において、まず試薬層（例えば乾燥された試薬層）をＣＲＯＦ装置のプレート表面に載置し、次に試料をＣＲＯＦ装置に付着させて、ＣＲＯＦプロセスで試料を試薬と接触させ、かつ試料の厚さを、ＣＲＯＦプレートが開放構成にある時の試料の厚さよりも薄くさせる。試料厚さを減少させることにより、試薬の表面から全試料への拡散時間を減少させ、これにより試薬と試料混合の時間を減少させる。
【０２１７】
Ｘ５．  図１、３ｂ及び４ｃに示すように、プレート表面に貯蔵された試薬を試料と混合するための時間を減少させる方法は、以下のステップ（ａ）〜（ｄ）を含む：
（ａ）異なる構成になるように互いに対して移動可能な第１のプレート及び第２のプレートを取得し、
前記第１のプレートが、その表面に試料に添加される試薬を含む貯蔵部位を有し、該試薬が試料内に溶解し、かつ試料内に拡散でき、２つのプレートの１つ又は両方がスペーサを含み、かつ各スペーサがそのそれぞれのプレートで固定され、かつ所定の高さを有し、
（ｂ）試料を取得し、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして前記試料を広げ、
閉鎖構成で、プレートが互いに対向して、スペーサ、貯蔵部位及び試料の少なくとも一部がプレートの間に位置し、試料が貯蔵部位の少なくとも一部と接触し、貯蔵部位上の試料厚さがプレート及びスペーサにより調節され、該厚さが、プレートが開放構成にある時の試料の最大の厚さよりわずかに薄く、
試料の減少した厚さにより、貯蔵部位上の試薬と試料を混合するための時間が減少する。
【０２１８】
段落Ｘ５の方法において、プレートが閉鎖構成にある時にインキュベーションを行うステップがさらに含まれ、インキュベーション時間は、試料内に溶解した大量の試薬が試料の関連体積内に含まれるように選択される。ここで、関連体積とは、貯蔵部位に位置する試料の体積を指し、インキュベーションとは、試薬が試料内に溶解及び拡散することを可能にする過程を指す。
【０２１９】
段落Ｘ５の方法は、ステップ（ｄ）の後、プレートが閉鎖構成にある時に、閉鎖構成にある時のプレートによって調節された試料の厚さにわたって試料中の試薬が拡散する時間の因子倍以下の時間でインキュベーションし、次にインキュベーションを停止させるステップをさらに含み、ここで前記インキュベーションは、試薬が試料内に拡散することを可能にし、前記因子は、０．０００１、０．００１、０．０１、０．１、１、１．１、１．２、１．３、１．５、２、３、４、５、１０、１００、１０００、１００００又はこれらの値の間の任意の範囲である。例えば、因子が１．１で拡散時間が２０秒であれば、インキュベーション時間は２２秒以下である。好ましい実施形態において、因子は０．１、１、１．５又はこれらの値の間の任意の範囲である。
【０２２０】
Ｘ６．  図１、３ｂ及び４ｃに示すように、プレート表面に貯蔵された試薬を試料内に添加するための時間を減少させる装置は、
異なる構成になるように互いに対して移動可能な第１のプレート及び第２のプレートを含み、前記第１のプレートは、その表面に試料に添加される試薬を含む貯蔵部位を有し、該試薬は試料内に溶解し、かつ試料内に拡散でき、プレートの１つ又は両方はスペーサを含み、かつ各スペーサはそのそれぞれのプレートで固定され、所定の高さを有し、
前記構成の１つは、２つのプレートが部分的に又は完全に離され、プレート間の間隔がスペーサにより調節されず、試料が前記プレートの１つ又は両方に付着する開放構成であり、
別の構成は、開放構成で搬送媒体を付着させた後に構成された閉鎖構成であり、閉鎖構成において、プレートは互いに対向して、スペーサ、貯蔵部位及び試料の少なくとも一部がプレートの間に位置し、試料は貯蔵部位の少なくとも一部と接触し、貯蔵部位上の試料の厚さはプレート及びスペーサにより調節され、プレートが開放構成にある時に、該厚さは試料の最大の厚さよりも薄く、
試料の減少した厚さにより、貯蔵部位上の試薬と試料を混合するための時間を減少させる。
【０２２１】
段落Ｘ１〜６のいずれか１つの段落に記載の方法又は装置において、いくつかの実施形態において、試料の関連体積は、結合部位又は貯蔵部位に位置する（すなわち、その頂部に位置する）試料の体積である。
【０２２２】
段落Ｘ１〜６のいずれか１つの段落に記載の方法又は装置において、いくつかの実施形態において、試料の関連体積は、結合部位又は貯蔵部位の全領域又は一部の領域に位置する（すなわち、その頂部に位置する）試料の体積である。
【０２２３】
段落Ｘ１〜６のいずれか１つの段落に記載の方法又は装置において、いくつかの実施形態において、閉鎖構成における試料厚さに対する結合部位又は貯蔵部位の横方向寸法の比は、１．５３以上、３以上、５以上、１０以上、２０以上、３０以上、５０以上、１００以上、２００以上、１０００以上、１０，０００以上、又はこれらの値のいずれか２つの間の範囲である。
【０２２４】
段落Ｘ１〜６のいずれか１つの段落に記載の方法又は装置において、閉鎖構成における試料厚さに対する結合部位又は貯蔵部位の横方向寸法の比は、好ましい実施形態において３〜２０の間であり、別の好ましい実施形態において２０〜１００の間であり、別の好ましい実施形態において１００〜１０００の間であり、また、別の好ましい実施形態において１０００〜１００００の間である。
【０２２５】
段落Ｘ１及びＸ３のいずれか１つの段落に記載の方法において、いくつかの実施形態において、最終的に減少した試料厚さは、結合部位の面積上の試料厚さよりも顕著に小さいことによって、結合部位の外に位置する試料領域における実体を結合部位に結合するための、より長い時間を必要とする。適切なインキュベーション時間を選択した場合、結合部位に結合された実体は、主に結合部位に位置する（すなわち、ちょうど結合領域上にある試料体積）試料体積中の実体である。次に、試料中の実体濃度の計算は、試料厚さ及び結合部面積に基づく。
【０２２６】
段落Ｘ５の方法において、いくつかの実施形態において、最終的に減少した試料厚さは、貯蔵部位の面積上の試料厚さより顕著に小さいことにより、結合部位の外に位置する試料領域における実体を結合部位に結合するためのより長い時間を必要とする。
【０２２７】
適切なインキュベーション時間を選択した場合、結合部位に結合された実体は、主に結合部位に位置する（すなわち、ちょうど結合領域上にある試料体積）試料体積中の実体である。次に、試料中の実体濃度の計算は、試料厚さ及び結合部面積に基づく。
【０２２８】
段落Ｘ２、Ｘ４、Ｘ６のいずれか１つの段落に記載の方法において、プレートを開放構成から閉鎖構成にする圧縮装置をさらに含む。いくつかの実施形態において、圧縮装置は、本開示に記載の実施形態の１つ又は任意の組み合わせである。
【０２２９】
段落Ｘ２、Ｘ４、Ｘ６のいずれか１つの段落に記載の方法において、プレートを開放構成から閉鎖構成にする圧縮装置と、プレートを閉鎖構成に保持するように構成された保持装置とを含む。いくつかの実施形態において、保持装置は、本開示に記載の実施形態の１つ又は任意の組み合わせである。
【０２３０】
段落Ｘ２、Ｘ４、Ｘ６のいずれか１つの段落に記載の方法において、プレートを開放構成から閉鎖構成にする圧縮装置と、０．００１秒以下、０．０１秒以下、０．１秒以下、１秒以下、５秒以下、１０秒以下、２０秒以下、３０秒以下、４０秒以下、１分間以下、２分間以下、３分間以下、５分間以下、１０分間以下、２０分間以下、３０分間以下、６０分間以下、９０分間以下、１２０分間以下、１８０分間以下、２５０分間以下、又はこれらの値のいずれか２つの間の範囲内の時間でプレートを閉鎖構成に保持するように構成された保持装置とを含む。
【０２３１】
段落Ｘ２、Ｘ４、Ｘ６のいずれか１つの段落に記載の方法において、プレートを開放構成から閉鎖構成にする圧縮装置と、好ましい実施形態において、０．００１秒以下、０．０１秒以下、０．１秒以下、１秒以下、５秒以下、１０秒以下、２０秒以下、３０秒以下、４０秒以下、１分間以下、２分間以下、３分間以下、又はこれらの値のいずれか２つの間の範囲内の時間でプレートを閉鎖構成に保持するように構成された保持装置とを含む。
【０２３２】
最終的な試料厚さ  プレートの閉鎖構成における最終的な試料厚さは、飽和インキュベーション時間を減少させる重要な要素である可能性がある。プレートの調節された間隔に関して論じられるように、試料厚さの減少／変形後の最終的な試料厚さは、実体及び試料の性質と用途に依存する。
【０２３３】
いくつかの実施形態において、最終的な試料厚さは、約０．５μｍ（マイクロメータ）未満、約１μｍ未満、約１．５μｍ未満、約２μｍ未満、約４μｍ未満、約６μｍ未満、約８μｍ未満、約１０μｍ未満、約１２μｍ未満、約１４μｍ未満、約１６μｍ未満、約１８μｍ未満、約２０μｍ未満、約２５μｍ未満、約３０μｍ未満、約３５μｍ未満、約４０μｍ未満、約４５μｍ未満、約５０μｍ未満、約５５μｍ未満、約６０μｍ未満、約７０μｍ未満、約８０μｍ未満、約９０μｍ未満、約１００μｍ未満、約１１０μｍ未満、約１２０μｍ未満、約１４０μｍ未満、約１６０μｍ未満、約１８０μｍ未満、約２００μｍ未満、約２５０μｍ未満、約３００μｍ未満、約３５０μｍ未満、約４００μｍ未満、約４５０μｍ未満、約５００μｍ未満、約５５０μｍ未満、約６００μｍ未満、約６５０μｍ未満、約７００μｍ未満、約８００μｍ未満、約９００μｍ未満、約１０００μｍ（１ｍｍ）未満、約１．５ｍｍ未満、約２ｍｍ未満、約２．５ｍｍ未満、約３ｍｍ未満、約３．５ｍｍ未満、約４ｍｍ未満、約５ｍｍ未満、約６ｍｍ未満、約７ｍｍ未満、約８ｍｍ未満、約９ｍｍ未満、約１０ｍｍ未満、又はこれらの値のいずれか２つの間の範囲である。
【０２３４】
いくつかの実施形態において、閉鎖構成における最終的な試料厚さは、０．５μｍ（ミクロン）未満、１μｍ未満、５μｍ未満、１０μｍ未満、２０μｍ未満、３０μｍ未満、５０μｍ未満、１００μｍ未満、２００μｍ未満、３００μｍ未満、５００μｍ未満、８００μｍ未満、２００μｍ未満、１ｍｍ（ミリメートル）未満、２ｍｍ（ミリメートル）未満、４ｍｍ（ミリメートル）未満、８ｍｍ（ミリメートル）未満、又はこれらの値のいずれか２つの間の範囲である。
【０２３５】
特定の実施形態において、Ｑ方法は、最終的な試料厚さを均一にし、かつ第１のプレート及び第２のプレートの平坦な表面を用いる。
【０２３６】
本発明において、試料のインキュベーションは、振盪の有無にかかわらず、様々な温度、湿度、気体環境及び様々な持続時間で行われる。
【０２３７】
インキュベーション時間  段落Ｘ１及びＸ３のいずれか１つの段落に記載の方法は、ステップ（ｄ）の後、プレートが閉鎖構成にある時に、実体が閉鎖構成にある時のプレートにより調節される試料の厚さにわたって試料において拡散した時間の因子倍以下の時間でインキュベーションし、次にインキュベーションを停止させるステップをさらに含み、ここで前記インキュベーションは、実体を結合部位に結合することを可能にし、前記因子は、０．０００１、０．００１、０．０１、０．１、１、１．１、１．２、１．３、１．５、２、３、４、５、１０、１００、１０００、１００００又はこれらの値の間の任意の範囲である。例えば、因子が１．１で拡散時間が２０秒であれば、インキュベーション時間は２２秒以下である。好ましい実施形態において、因子は０．１、１、１．５又はこれらの値の間の任意の範囲である。
【０２３８】
段落Ｘ５のいずれか１つの段落に記載の方法は、ステップ（ｄ）の後、プレートが閉鎖構成にある時に、実体が閉鎖構成にある時のプレートにより調節される試料の厚さにわたって試料において拡散した時間の因子倍以下の時間でインキュベーションし、次にインキュベーションを停止させるステップをさらに含み、ここで前記インキュベーションは、実体を結合部位に結合することを可能にし、前記因子は、０．０００１、０．００１、０．０１、０．１、１、１．１、１．２、１．３、１．５、２、３、４、５、１０、１００、１０００、１００００又はこれらの値の間の任意の範囲である。例えば、因子が１．１で拡散時間が２０秒であれば、インキュベーション時間は２２秒以下である。好ましい実施形態において、因子は０．１、１、１．５又はこれらの値の間の任意の範囲である。
【０２３９】
段落Ｘ１、Ｘ３及びＸ５のいずれか１つの段落に記載の方法又は段落Ｘ２、Ｘ４及びＸ６のいずれか１つの段落に記載の装置において、少なくとも１つのスペーサは試料接触領域内に位置する。
【０２４０】
段落Ｘ１、Ｘ３及びＸ５のいずれか１つの段落に記載の方法又は段落Ｘ２、Ｘ４及びＸ６のいずれか１つの段落に記載の装置において、スペーサは所定のスペーサ間距離を有する。
【０２４１】
段落Ｘ１、Ｘ３、Ｘ５のいずれか１つの段落に記載の方法において、プレートが開放構成にある時のインキュベーションステップをさらに含み、ここで飽和インキュベーション時間は、０．００１秒以下、０．０１秒以下、０．１秒以下、１秒以下、５秒以下、１０秒以下、２０秒以下、３０秒以下、４０秒以下、１分間以下、２分間以下、３分間以下、５分間以下、１０分間以下、２０分間以下、３０分間以下、６０分間以下、９０分間以下、１２０分間以下、１８０分間以下、２５０分間以下、又はこれらの値のいずれか２つの間の範囲である。
【０２４２】
段落Ｘ１、Ｘ３、Ｘ５のいずれか１つの段落に記載の方法において、閉鎖構成で減少した試料厚さでの飽和インキュベーション時間は、０．００１秒以下、０．０１秒以下、０．１秒以下、１秒以下、５秒以下、１０秒以下、２０秒以下、３０秒以下、４０秒以下、１分間以下、２分間以下、３分間以下、５分間以下、１０分間以下、２０分間以下、３０分間以下、６０分間以下、９０分間以下、１２０分間以下、１８０分間以下、２５０分間以下、又はこれらの値のいずれか２つの間の範囲である。
【０２４３】
いくつかの実施形態において、まず捕捉剤を結合部位に固定化し、次に試料を結合部位と接触させ、試料中の実体を捕捉剤により捕捉し、最後に検出剤を添加して捕捉された実体と結合し、（例えば、光学方法又は電気的方法又は組み合わせにより）検出剤からの信号を読み取る。いくつかの実施形態において、捕捉剤及び検出剤以外の他の試薬（例えば遮断剤）を添加する。
【０２４４】
例えばＰｏＣの多くの応用において、追加の試薬を試料に添加するための簡単かつ／又は低コストの装置及び方法を有することが望ましい。本発明の一態様は、追加の試薬を試料に添加するための簡単かつ／又は低コストの装置及び方法に関する。添加された追加の試薬は、検出剤、遮断剤、光信号増強剤、光信号消光剤又は他の試薬を含む。本発明のいくつかの実施形態において、同じ位置に貯蔵された試薬の異なる放出時間によりアッセイ過程を制御する。異なる溶解速度を有する他の材料を添加することにより、異なる放出時間を付与することができる。
【０２４５】
特定の実施形態において、試料厚さを制御する（例えば、試料厚さと貯蔵部位面積との比及び／又は混合時間を制御する）ことにより試料に混合された試薬の濃度を制御する。
【０２４６】
２．プレート、スペーサ、スケールマーカー、試料厚さの調節
２．１  プレートの構成及び試料厚さの調節
開放構成  いくつかの実施形態において、開放構成では、２つのプレート（すなわち、第１のプレート及び第２のプレート）を互いに離す。特定の実施形態において、２つのプレートは、プレートのすべての操作期間（開放構成及び閉鎖構成を含む）において、一体に接続された片側を有し、２つのプレートの開放及び閉鎖は、本と類似する。いくつかの実施形態において、２つのプレートは、長方形（又は正方形）の形状を有し、プレートのすべての操作期間において接続された２つの長方形の辺を有する。
【０２４７】
いくつかの実施形態において、開放構成は、プレートが互いに遠く離れて、試料を１対の他のプレートの妨害なしに該１対のプレートの１つに付着させる構成を含む。
【０２４８】
いくつかの実施形態において、開放構成は、プレートが互いに遠く離れる構成を含み、その結果として、別のプレートが存在しないかのように、１つのプレートに試料を付着させる。
【０２４９】
いくつかの実施形態において、開放構成は、１対のプレートの間の距離が少なくとも１０ｎｍ、少なくとも１００ｎｍ、少なくとも１０００ｎｍ、少なくとも０．０１ｃｍ、少なくとも０．１ｃｍ、少なくとも０．５ｃｍ、少なくとも１ｃｍ、少なくとも２ｃｍ、又は少なくとも５ｃｍ、又は任意の２つの値の範囲である構成を含む。
【０２５０】
いくつかの実施形態において、開放構成は、１対のプレートが異なる向きに配向された構成を含む。いくつかの実施形態において、開放構成は、試料添加を可能にするように構成された１対のプレート間に接近ギャップを画定する構成を含む。
【０２５１】
いくつかの実施形態において、開放構成は、各プレートが試料接触表面を有し、かつプレートが１つの開放構成にある時にプレートの少なくとも１つの接触表面が露出される構成を含む。
【０２５２】
閉鎖構成及び試料厚さの調節  本発明において、２つのプレートの閉鎖構成は、２つのプレートの内面間の間隔（すなわち、距離）が２つのプレート間のスペーサによって調節される構成である。プレートの内面（「試料表面」とも呼ばれる）は、ＣＲＯＦプロセスの圧縮ステップの間において、試料と接触し、従って、閉鎖構成では、試料厚さがスペーサによって調節される。
【０２５３】
プレートを開放構成から閉鎖構成にするプロセスの間において、プレートは互いに対向し（プレートの少なくとも一部が互いに対向し）、かつ力で２つのプレートを一体にする。２つのプレートを開放構成から閉鎖構成にする場合、２つのプレートの内面は、プレートに付着させた試料を圧縮して、試料厚さを減少させ（同時に試料は、プレート間に横方向に自由に流れる）、試料の関連体積の厚さは、スペーサ、プレート、及び使用される方法、及び試料の機械的／流体的特性によって決定される。所定の試料及び所定のスペーサ、プレート及びプレートプレス法について、閉鎖構成での厚さを予め決定することができる。
【０２５４】
用語「スペーサによりプレートの内面間の間隔を調節する」又は「プレート及びスペーサにより試料厚さを調節する」又は「試料厚さはスペーサ及びプレートにより調節される」とは、ＣＲＯＦプロセスにおける試料厚さが所定のプレート、スペーサ、試料及びプレス方法によって決定されることを指す。
【０２５５】
いくつかの実施形態において、閉鎖構成で調節された試料厚さはスペーサの高さと同じであり、この場合、閉鎖構成で、スペーサは、２つのプレートに直接接触する（１つのプレートが、スペーサが固定されたプレートであり、別のプレートがスペーサと接触するプレートである）。
【０２５６】
特定の実施形態において、閉鎖構成で調節された試料厚さはスペーサの高さより大きく、この場合、閉鎖構成で、その表面に固定又は取り付けられたスペーサを有するプレートのみにスペーサが直接接触し、別のプレートと間接接触する（すなわち、間接接触である）。用語、プレートと「間接接触する」とは、スペーサとプレートとが「残量の試料層」と呼ばれる薄い試料層によって離されることを指し、その厚さは「残留物の厚さ」と呼ばれる。所定のスペーサ及びプレート、所定のプレートプレス方法及び所定の試料について、残留物の厚さを予め設定して（予め設定とは、閉鎖構成になる前を指す）、閉鎖構成で試料厚さを予め設定する。これは、所定の条件（試料、スペーサー、プレート及び圧力）について、残留層の厚さが同じであり、かつ予め較正及び／又は計算が可能であるためである。調節された試料の厚さは、スペーサの高さに試料の残留物の厚さを加えたものにほぼ等しい。
【０２５７】
多くの実施形態において、カラムの寸法及び形状は、使用前に予め特徴付けられる（すなわち、予め設定される）。予め設定された情報は、試料体積（又は関連体積）及び他のものの決定のような後続のアッセイに使用される。
【０２５８】
いくつかの実施形態において、試料厚さの調節は、プレートの間の距離を維持するようにプレートに閉鎖（圧縮）力を加えることを含む。
【０２５９】
いくつかの実施形態において、試料厚さの調節は、スペーサによってプレートの間の距離を確立すること、プレートに加えられた閉鎖力、試料の物理的特性を含み、試料の物理的特性は、好ましくは粘度及び圧縮性のうち少なくとも１つを含む。
【０２６０】
２．２  プレート
本発明において、一般的に、ＣＲＯＦのプレートは、（ｉ）スペーサとともに試料の一部又は全部の体積の厚さを調節するために用いることができ、（ｉｉ）達成しようとする試料、アッセイ又はゴールに、プレートが顕著な悪影響を及ぼさない材料で製造される。しかし、特定の実施形態において、特定の材料（従ってその特性）が特定の目的を達成するようにプレートに用いられる。
【０２６１】
いくつかの実施形態において、２つのプレートは、プレート材料、プレートの厚さ、プレートの形状、プレートの面積、プレートの柔軟性、プレートの表面特性及びプレートの光透過性の各パラメータに対して、同じ又は異なるパラメータを有する。
【０２６２】
プレートの材料  プレートは、単一材料、複合材料、多種の材料、多層の材料、合金又はその組み合わせで製造される。プレートに用いられる各材料は、無機材料、有機材料又は混合物であり、材料の例は、Ｍａｔ−１及びＭａｔ−２の段落で説明される。
【０２６３】
Ｍａｔ−１．  プレートに用いられる無機材料は、ガラス、石英、酸化物、二酸化ケイ素、窒化ケイ素、酸化ハフニウム（ＨｆＯ）、酸化アルミニウム（ＡＩＯ）、半導体（シリコン、ＧａＡｓ、ＧａＮなど）、金属（例えば、金、銀、銅、アルミニウム、チタン（Ｔｉ）、ニッケル（Ｎｉ）など）、セラミック又はそれらの任意の組み合わせを含むが、これらに限られない。
【０２６４】
Ｍａｔ−２．  スペーサに用いられる有機材料は、ポリマー（例えば、プラスチック）又はアモルファス有機材料を含むが、これらに限られない。スペーサに用いられるポリマー材料は、アクリレートポリマー、ビニルポリマー、オレフィンポリマー、セルロースポリマー、非セルロースポリマー、ポリエステルポリマー、ナイロン、環状オレフィンコポリマー（ＣＯＣ）、ポリ（メチルメタクリレート）（ＰＭＭＡ）、ポリカーボネート（ＰＣ）、環状オレフィンポリマー（ＣＯＰ）、液晶ポリマー（ＬＣＰ）、ポリアミド（ＰＡ）、ポリエチレン（ＰＥ）、ポリイミド（ＰＩ）、ポリプロピレン（ＰＰ）、ポリ（フェニレンエーテル）（ＰＰＥ）、ポリスチレン（ＰＳ）、ポリオキシメチレン（ＰＯＭ）、ポリエーテルエーテルケトン（ＰＥＥＫ）、ポリエーテルスルホン（ＰＥＳ）、ポリ（エチレンフタレート）（ＰＥＴ）、ポリテトラフルオロエチレン（ＰＴＦＥ）、ポリ塩化ビニル（ＰＶＣ）、ポリフッ化ビニリデン（ＰＶＤＦ）、ポリブチレンテレフタレート（ＰＢＴ）、フッ素化エチレンプロピレン（ＦＥＰ）、パーフルオロアルコキシアルカン（ＰＦＡ）、ポリジメチルシロキサン（ＰＤＭＳ）、ゴム、又はそれらの任意の組み合わせを含むが、これらに限られない。
【０２６５】
いくつかの実施態様において、プレートは、それぞれ、ガラス、プラスチック、セラミック及び金属のうちの少なくとも１つで製造される。いくつかの実施態様において、プレートは、それぞれ、ガラス、プラスチック、セラミック及び金属のうちの少なくとも１つを含む。
【０２６６】
いくつかの実施形態において、一方のプレートは、横方向面積、厚さ、形状、材料、又は表面処理について、他方のプレートと異なる。いくつかの実施形態において、一方のプレートは、横方向面積、厚さ、形状、材料、又は表面処理について、他方のプレートと同じである。
【０２６７】
スペーサに用いられる材料は、剛性、可撓性、又は両者の間にある任意の柔軟性である。剛性（すなわち、硬度）又は柔軟性は、プレートを閉鎖構成にする際に使用される圧力に関連している。
【０２６８】
いくつかの実施形態において、剛性又は可撓性プレートの選択は、閉鎖構成での試料厚さの均一性を制御する要件から決定される。
【０２６９】
いくつかの実施態様において、２つのプレートのうちの少なくとも１つ（光に対して）は透明である。いくつかの実施態様において、１つのプレート又は両方のプレートの少なくとも一部又は複数の部分は透明である。いくつかの実施形態において、プレートは非透明である。
【０２７０】
プレートの厚さ  いくつかの実施形態において、少なくとも１つのプレートの平均厚さは、２ｎｍ以下、１０ｎｍ以下、１００ｎｍ以下、５００ｎｍ以下、１０００ｎｍ以下、２μｍ（ミクロン）以下、５μｍ以下、１０μｍ以下、２０μｍ以下、５０μｍ以下、１００μｍ以下、１５０μｍ以下、２００μｍ以下、３００μｍ以下、５００μｍ以下、８００μｍ以下、１ｍｍ（ミリメートル）以下、２ｍｍ以下、３ｍｍ以下、又はこれらの値のいずれか２つの間の範囲である。
【０２７１】
いくつかの実施形態において、少なくとも１つのプレートの平均厚さは、最大３ｍｍ（ミリメートル）、最大５ｍｍ、最大１０ｍｍ、最大２０ｍｍ、最大５０ｍｍ、最大１００ｍｍ、最大５００ｍｍ、又はこれらの値のいずれか２つの間の範囲である。
【０２７２】
いくつかの実施形態において、プレートの厚さは、プレートを横切って均一ではない。異なる位置で異なるプレートの厚さを用いて、プレートの湾曲、折り畳み、試料厚さの調節などを制御するために用いることができる。
【０２７３】
プレートの形状及び面積  一般的に、プレートは、形状が試料の圧縮開放流れ及び試料厚さの調節を可能にする限り、任意の形状を有することができる。しかしながら、特定の実施形態において、特定の形状が有利であってもよい。プレートの形状は、円形、楕円形、長方形、三角形、多角形、環状又はこれらの形状の任意の重なりであってもよい。
【０２７４】
いくつかの実施形態において、２つのプレートは、同じ又は異なる寸法又は形状を有してもよい。プレートの面積は、その応用によって異なる。プレートの面積は、最大１ｍｍ２（平方ミリメートル）、最大１０ｍｍ２、最大１００ｍｍ２、最大１ｃｍ２（平方センチメートル）、最大５ｃｍ２、最大１０ｃｍ２、最大１００ｃｍ２、最大５００ｃｍ２、最大１０００ｃｍ２、最大５０００ｃｍ２、最大１０，０００ｃｍ２、又は１０，０００ｃｍ２以上、又はこれらの値のいずれか２つの間の範囲である。プレートの形状は、長方形、正方形、円形又は他の形状であってもよい。
【０２７５】
特定の実施形態において、プレートのうちの少なくとも１つは、幅、厚さ、及び長さを有するベルト（又はストリップ）の形式である。幅は、最大０．１ｃｍ（センチメートル）、最大０．５ｃｍ、最大１ｃｍ、最大５ｃｍ、最大１０ｃｍ、最大５０ｃｍ、最大１００ｃｍ、最大５００ｃｍ、最大１０００ｃｍ、又はこれらの値のいずれか２つの間の範囲である。長さは、必要な長さにすることができる。ベルトはロール状に巻くことができる。
【０２７６】
プレート表面の平坦度  多くの実施形態において、プレートの内面は、平坦又は非常に平坦な平面である。特定の実施形態においては、２つの内面は、閉鎖構成で、互いに平行である。平坦な内面は、閉鎖構成で所定のスペーサの高さのみを用いることによって、試料厚さの定量化及び／又は制御を容易にする。プレートの非平坦な内面については、閉鎖構成での試料厚さを定量化及び／又は制御するように、スペーサの高さだけでなく、内面のトポロジーを正確に知る必要がある。表面トポロジーを知るためには、追加の測定及び／又は補正が必要であり、これは複雑で時間がかかり、コストが高い。
【０２７７】
プレート表面の平坦度は、最終的な試料厚さ（最終的な厚さは、閉鎖構成での厚さである）について、一般的に、最終的な試料厚さに対するプレート表面の平坦度変化の比である「相対的な表面の平坦度」という用語によって特徴付けられる。
【０２７８】
いくつかの実施形態において、相対表面は、０．０１％、０．１％より小さく、０．５％より小さく、１％より小さく、２％より小さく、５％より小さく、１０％より小さく、２０％より小さく、３０％より小さく、５０％より小さく、７０％より小さく、８０％より小さく、１００％より小さく、又はこれらの値のいずれか２つの間の範囲である。
【０２７９】
プレート表面の平行度  いくつかの実施形態において、プレートの２つの表面は、顕著に互いに平行である。特定の実施形態において、プレートの２つの表面は、互いに平行ではない。
【０２８０】
プレートの柔軟性  いくつかの実施形態において、ＣＲＯＦプロセスの圧縮ステップにおいて、プレートは可撓性である。いくつかの実施形態において、ＣＲＯＦプロセスの圧縮ステップにおいて、２つのプレートはいずれも可撓性である。いくつかの実施形態において、ＣＲＯＦプロセスの圧縮ステップにおいて、一方のプレートは剛性であり、他方のプレートは、可撓性である。いくつかの実施形態において、２つのプレートはいずれも剛性である。いくつかの実施形態において、２つのプレートはいずれも可撓性であるが、柔軟性が異なる。
【０２８１】
プレートの光学的透明度  いくつかの実施形態において、プレートは光学的に透明である。いくつかの実施形態において、２つのプレートはいずれも光学的に透明である。いくつかの実施形態において、一方のプレートは光学的に透明であり、他方のプレートは非透明である。いくつかの実施形態において、２つのプレートはいずれも非透明である。いくつかの実施形態において、２つのプレートはいずれも光学的に透明であるが、光学的透明度が異なる。プレートの光学的透明度とは、プレートの一部の又は全体領域を指す。
【０２８２】
表面の濡れ性  いくつかの実施形態において、プレートは、試料、転移液体、又は両者を湿潤させる（すなわち、接触角が９０度未満である）内面を有する。いくつかの実施形態において、２つのプレートは、いずれも、試料、転移液体、又は両者を湿潤させ、同じ又は異なる湿潤性を備える内面を有する。いくつかの実施形態において、１つのプレートは、試料、転移液体、又は両者を湿潤させる内面を有し、別のプレートは、湿潤しない内面を有する（すなわち、接触角が９０度未満である）。プレートの内面の湿潤とは、プレートの一部の又は全体の領域を指す。
【０２８３】
いくつかの実施形態において、プレートの内面は、ＣＲＯＦ中に試料の横方向流動を制御するための、他のナノ又はマイクロ構造を有する。ナノ又はマイクロ構造は、チャネル、ポンプなどを含むが、これらに限られない。ナノ及びマイクロ構造も、内面の湿潤特性を制御するために用いられる。
【０２８４】
２．３  スペーサ
スペーサの機能  本発明において、スペーサは、（１）プレートとともに試料の厚さ又は試料の関連体積を制御すること（好ましくは、関連領域における厚さ制御は正確あるいは均一的であるか、又は両方である）、（２）試料がプレート表面に圧縮調節開放流れ（ＣＲＯＦ）を有することを可能にすること、（３）所定の試料領域（体積）において大きな表面積（体積）を占用しないこと、（４）試料中の粒子又は分析物の沈降効果を減少させるか又は向上させること、（５）プレートの内表面の湿潤特性を変更及び／又は制御すること、（６）プレートの位置、寸法の割合及び／又はプレートの関連情報を識別すること、及び（７）上記任意の組み合わせを行うこと、という機能及び特性のうちの一種又は任意の組み合わせを有するように、構成される。
【０２８５】
スペーサアーキテクチャ及び形状  所望の試料厚さの減少と制御を実現するために、特定の実施形態において、スペーサが、その対応するプレート上に固定される。一般的には、スペーサは、任意の形状を有してもよく、スペーサは、ＣＲＯＦプロセスにおいて試料厚さを調節することができる限り、一定の形状が、一定の機能、例えば、より優れた均一性、プレス時のより少ないオーバーシュート等の実現に対して、好ましい。
【０２８６】
スペーサは、１つのスペーサ又は複数のスペーサである。（例えば、アレイ）。複数のスペーサに係るいくつかの実施形態は、スペーサ（例えば、柱体）のアレイであり、そのうちスペーサ間距離は、周期的であるか又は非周期的であり、又はプレートの一定の領域において周期的であるか又は非周期的であり、又はプレートの異なる領域において異なる距離を有する。
【０２８７】
スペーサは、「開放スペーサ」と「密閉スペーサ」という二種類のタイプを有する。開放スペーサは、試料がスペーサを通って流れることを可能にするスペーサ（すなわち、試料がスペーサの周囲を流れて通過する。例えば、スペーサとしてのポスト）であり、密閉スペーサは、試料の流れを止めるスペーサ（すなわち、試料がスペーサから流れ出すことができない。例えば、環状スペーサであり、試料が環内にある）である。二種類のタイプのスペーサは、その高さを用いて閉鎖構成における最終的な試料厚さを調節する。
【０２８８】
いくつかの実施形態において、スペーサは、開放スペーサのみがある。いくつかの実施形態において、スペーサは、密閉スペーサのみがある。いくつかの実施形態において、スペーサは、開放スペーサと密閉スペーサの組み合わせである。
【０２８９】
用語「柱状スペーサ」は、スペーサが柱形状を呈することを意味し、柱形状とは、試料が圧縮開放流の間に、その周囲を流れることを可能にする高さ及び横方向形状を有する物体を指す。
【０２９０】
いくつかの実施形態において、柱状スペーサの横方向形状は、（ｉ）円形、楕円形、矩形、三角形、多角形、環形、星形、英文字形（例えば、Ｌ形、Ｃ形、英文字Ａ〜Ｚ）、数字形（例えば、０、１、２、３、４、…９等の形状）；（ｉｉ）少なくとも１つの丸い角を有するグループ（ｉ）における形状；（ｉｉｉ）ジグザグ形又はギザギザの縁を有する、グループ（ｉ）における形状；及び、（ｉｖ）（ｉ）、（ｉｉ）と（ｉｉｉ）の任意の重ね合わせ、というグループにおける形状から選択される。複数のスペーサについて、異なるスペーサは、異なる横方向形状と寸法及び隣接するスペーサの異なる距離を有してもよい。
【０２９１】
いくつかの実施形態において、スペーサは、ポスト状、円柱状、ビーズ状、ボール状及び／又は他の適切な幾何学形状である、かつ／又はそれらを含んでもよい。スペーサの横方向形状及び寸法（すなわち、それぞれのプレート表面を横断する）は、いくつかの実施形態において、（ｉ）スペーサの幾何学形状が試料厚さ及び体積を測定する時に明らかな誤差を引き起こさず、又は（ｉｉ）スペーサの幾何学形状がプレート間の試料の流れ出しを止めない（すなわち、密閉した構成ではない）、という制限を有する以外、任意であってもよい。しかしながら、いくつかの実施形態において、試料フローを制限するための、密閉スペーサであるいくつかのスペーサが必要とされる。
【０２９２】
いくつかの実施形態において、スペーサの形状は、丸い角を有する。例えば、１つの矩形のスペーサは、１つ以上の丸い角を有するか、又は全ての角が丸い角（円形に似ているが９０度角ではない）である。一般的には、丸い角により、スペーサの製造が容易になり、生物学的材料への損害を小さくする場合もある。
【０２９３】
柱の側壁は、直線状、湾曲状、傾斜状であり、あるいは側壁の部分によって異なる形状を有してもよい。いくつかの実施形態において、スペーサは、様々な横方向形状、側壁、及び柱の高さと柱の側面積との比を有する柱である。
【０２９４】
１つの好ましい実施形態において、スペーサは、開放流れを可能にする柱状を有する。
【０２９５】
スペーサの材料  本発明において、スペーサは、通常、２つのプレートとともに試料の関連体積の厚さを調節するために使用できる任意材料で製造される。いくつかの実施形態において、スペーサの材料とプレートの材料とは異なる。いくつかの実施形態において、スペーサに使用される材料は、少なくとも１つのプレートに使用される材料の一部と少なくとも同じである。
【０２９６】
スペーサは、単一材料、複合材料、多種の材料、多層の材料、合金又はそれら組み合わせで製造される。プレートに使用される材料は、無機材料、有機材料又はその組み合わせであり、その材料の実施例については段落Ｍａｔ−１及びＭａｔ−２で説明する。１つの好ましい実施形態において、スペーサは、ＣＲＯＦに使用されるプレートの材料と同じ材料で製造される。
【０２９７】
スペーサの機械的強度及び柔軟性  いくつかの実施形態において、スペーサは、機械的強度が十分に高いので、プレートの圧縮及び閉鎖構成過程では、スペーサの高さが開放構成にある時のプレートの高さと同じであるか、又は実質的に同じである。いくつかの実施形態において、開放構成と閉鎖構成にある、スペーサの間の差異は、特徴付けられるか、又は予め決定されてもよい。
【０２９８】
スペーサに使用される材料は、剛性、可撓性又は両者の間にある任意の柔軟性であってもよい。剛性は、プレートを閉鎖構成にする押圧力に関連し、該押圧力で、空間高さが１％未満変形する場合はスペーサが剛性であると考えられ、そうでなければ、可撓性であると考えられる。スペーサが可撓性材料で製造される場合に、押圧力及びスペーサの機械的強度に基づいて、閉鎖構成にある最終的な試料の厚さを依然として予め決定することができる。
【０２９９】
試料内のスペーサ  試料厚さに対する所望の低減と制御を達成するために、特に、優れた試料厚さ均一性を達成するために、特定の実施例において、スペーサは試料内又は試料の関連体積内に載置される。いくつかの実施形態において、試料又は試料の関連体積内に、適切なスペーサ間距離で、１つ以上のスペーサが存在する。特定の実施形態において、スペーサのうちの少なくとも１つは試料内に位置し、スペーサのうちの少なくとも２つは試料又は試料の関連体積内に位置するか、又は少なくとも「ｎ」個のスペーサは試料又は試料の関連体積内に位置し、ここで、「ｎ」が、ＣＲＯＦ間の試料厚さ均一性又は必要とされる試料流れ特性によって決定される。
【０３００】
スペーサ高さ  いくつかの実施形態において、全てのスペーサは、同じ所定の高さを有する。いくつかの実施形態において、スペーサは、異なる所定の高さを有する。いくつかの実施形態において、スペーサは、グループ又は領域に分けられ、そのうち、各グループ又は領域がそれぞれのスペーサ高さを有する。また、特定の実施形態において、スペーサは、所定の高さが、スペーサの平均高さである。いくつかの実施形態において、スペーサは、実質的に同じ高さを有する。いくつかの実施形態において、一定の百分率の数量のスペーサは、同じ高さを有する。
【０３０１】
スペーサの高さは、所望の調節された最終的な試料厚さ及び残留試料厚さによって選択される。スペーサの高さ（所定のスペーサの高さ）及び／又は試料の厚さは、３ｎｍ以下、１０ｎｍ以下、５０ｎｍ以下、１００ｎｍ以下、２００ｎｍ以下、５００ｎｍ以下、８００ｎｍ以下、１０００ｎｍ以下、１μｍ以下、２μｍ以下、３μｍ以下、５μｍ以下、１０μｍ以下、２０μｍ以下、３０μｍ以下、５０μｍ以下、１００μｍ以下、１５０μｍ以下、２００μｍ以下、３００μｍ以下、５００μｍ以下、８００μｍ以下、１ｍｍ以下、２ｍｍ以下、４ｍｍ以下、又はこれらの値のいずれか２つの間の範囲である。
【０３０２】
スペーサの高さ及び／又は試料の厚さは、１つの好ましい実施形態において、１ｎｍ〜１００ｎｍにあり、別の好ましい実施形態において、１００ｎｍ〜５００ｎｍにあり、１つの単独な好ましい実施形態において、５００ｎｍ〜１０００ｎｍにあり、別の好ましい実施形態において、１μｍ（すなわち、１００ｎｍ）〜２μｍにあり、別の好ましい実施形態において、２μｍ〜３μｍにあり、別の好ましい実施形態において、３μｍ〜５μｍにあり、別の好ましい実施形態において、５μｍ〜１０μｍにあり、別の好ましい実施形態において、１０μｍ〜５０μｍにあり、１つの単独な好ましい実施形態において、５０μｍ〜１００μｍにある。
【０３０３】
いくつかの実施形態において、スペーサ高さ及び／又は試料厚さは、（ｉ）分析物の最小寸法に等しいか又はやや大きいか、又は（ｉｉ）分析物の最大寸法に等しいか又はやや大きい。「やや大きい」は、１％〜５％大きく、２つの値の間の任意の数であることを意味する。
【０３０４】
いくつかの実施形態において、スペーサ高さ及び／又は試料厚さは、分析物（例えば、異向性形状を有する分析物）の最小寸法よりも大きいが、分析物の最大寸法よりも小さい。
【０３０５】
例えば、赤血球は、最小寸法が２μｍ（ディスク厚さ）で、最大寸法が１１μｍ（ディスク直径）であるディスク形状を有する。本発明の１つの実施形態において、スペーサは、関連領域内にあるプレートの内表面間隔を、１つの実施形態において２μｍ（最小寸法に等しい）にして、別の実施形態において２．２μｍにするか、又は別の実施形態において３μｍ（最小寸法よりも５０％大きい）にするが、赤血球の最大寸法よりも小さくするように選択される。このような実施形態は、赤血球の計数において、一定の利点を有する。１つの実施形態において、赤血球の計数のために、内表面間隔を、２μｍ又は３μｍにして、２つの値の間の任意の数値にすることにより、希釈されていない全血試料を間隔内に平均に限定し、各赤血球（ＲＢＣ）を他の赤血球と重複せず、それにより視覚的に赤血球を正確に計数することができる。（ＲＢＣ間に多く重複があると、深刻な計数誤差をもたらす可能性がある）。
【０３０６】
いくつかの実施形態において、本発明は、プレート及びスペーサを用いて、試料厚さだけでなく、プレートが閉鎖構成にある時の試料中の分析物／実体の配向及び／又は表面密度も調節する。プレートが閉鎖構成にある時に、試料の薄い厚さにより、表面積当たりの分析物／実体が少なくなる（すなわち、小さい表面濃度）。
【０３０７】
スペーサ横方向寸法  開放スペーサの場合、横方向寸法は、それがｘとｙという２つの直交方向における横方向寸法によって特徴付けることができる。スペーサの各方向における横方向寸法は、同じであるか、又は異なる。いくつかの実施形態において、各方向（ｘ又はｙ）における横方向寸法は…。
【０３０８】
いくつかの実施形態において、ｙ方向に対するｘ方向の横方向寸法の比は、１、１．５、２、５、１０、１００、５００、１０００、１００００であるか、又はこれらの値のいずれか２つの間の範囲である。いくつかの実施形態において、試料の流れ方向を調節するために、異なる比が使用され、比が大きいほど、流れが１つの方向（より大きな寸法方向）に沿う。
【０３０９】
いくつかの実施形態において、ｘ方向とｙ方向におけるスペーサの異なる横方向寸法は、（ａ）スペーサをプレートの方向を示すためのスケールマーカーとして使用し、（ｂ）スペーサを使用して、好ましい流れ方向におけるより多くの試料を作るか、又は両方とも達成するように使用される。
【０３１０】
１つの実施形態において、周期、幅及び高さ。
【０３１１】
いくつかの実施形態において、全てのスペーサは、同じ形状及び寸法を有する。いくつかの実施形態において、各スペーサは、異なる横方向寸法を有する。
【０３１２】
密閉スペーサの場合、いくつかの実施形態において、内部の横方向形状及び寸法は、密閉スペーサによって密閉される試料の総体積に応じて選択され、体積寸法は、本開示において既に説明され、特定の実施形態において、外部の横方向形状及び寸法は、スペーサに対する液体の押圧力とプレートを押圧する押圧力とをサポートするために必要な強度に応じて選択される。
【０３１３】
柱状スペーサの高さと平均横方向寸法とのアスペクト比
特定の実施形態において、柱状スペーサの高さと平均横方向寸法とのアスペクト比は、１０００００、１００００、１０００、１００、１０、１、０．１、０．０１、０．００１、０．０００１、０．００００１であるか、又はこれらの値のいずれか２つの間の範囲である。
【０３１４】
スペーサ高さの精度  スペーサ高さの精度を、正確に制御すべきである。スペーサの相対的な精度（すなわち、所望のスペーサ高さと偏差との比）は、０．００１％以下、０．０１％以下、０．１％以下、０．５％以下、１％以下、２％以下、５％以下、８％以下、１０％以下、１５％以下、２０％以下、３０％以下、４０％以下、５０％以下、６０％以下、７０％以下、８０％以下、９０％以下、９９．９％以下であるか、又はこれらの任意の数値の間の範囲である。
【０３１５】
スペーサ間距離  スペーサは、プレート上又は試料の関連領域における、１つのスペーサであるか又は複数のスペーサであってもよい。いくつかの実施形態において、プレート上のスペーサは、アレイ形態で配置され及び／又は配列され、該アレイは周期的、非周期的アレイであるか、又はプレートのいくつかの位置で周期的であるが、他の位置で非周期的である。
【０３１６】
いくつかの実施形態において、スペーサの周期的アレイは、正方形、矩形、三角形、六角形、多角形又はその任意の組み合わせの格子を有し、そのうち該組み合わせは、プレートの異なる位置に異なるスペーサ格子を有することを意味する。
【０３１７】
いくつかの実施形態において、スペーサアレイのスペーサ間距離は、アレイの少なくとも１つの方向において周期的である（すなわち、スペーサ間距離が均一的である）。いくつかの実施形態において、スペーサ間距離は、閉鎖構成でのプレート間隔の間の均一性を改善するように構成される。
【０３１８】
隣接するスペーサ間距離（すなわち、スペーサ間距離）は１μｍ以下、５μｍ以下、１０μｍ以下、２０μｍ以下、３０μｍ以下、４０μｍ以下、５０μｍ以下、６０μｍ以下、７０μｍ以下、８０μｍ以下、９０μｍ以下、１００μｍ以下、２００μｍ以下、３００μｍ以下、４００μｍ以下であるか、又はこれらの値のいずれか２つの間の範囲である。
【０３１９】
特定の実施形態において、スペーサ間距離は４００以下、５００以下、１ｍｍ以下、２ｍｍ以下、３ｍｍ以下、５ｍｍ以下、７ｍｍ以下、１０ｍｍ以下であるか、又はこれらの値の間の任意の範囲である。特定の実施形態において、スペーサ間距離は１０ｍｍ以下、２０ｍｍ以下、３０ｍｍ以下、５０ｍｍ以下、７０ｍｍ以下、１００ｍｍ以下であるか、又はこれらの値の間の任意の範囲である。
【０３２０】
隣接するスペーサ間距離（すなわち、スペーサ間距離）は、プレート及び試料の所定の特性にとって、プレートの閉鎖構成で、隣接する２つのスペーサの間の試料厚さの変化が、いくつかの実施形態において、最大０．５％、１％、５％、１０％、２０％、３０％、５０％、８０％、又はこれらの値の間の任意の範囲であり、あるいは特定の実施形態において、最大８０％、１００％、２００％、４００％、又はこれらの値のいずれか２つの間の範囲であるように、選択される。
【０３２１】
明らかに、隣接する２つのスペーサの間の所定の試料厚さの変化を維持するために、より近いスペーサ間距離が、可撓性のより高いプレートが使用される時に必要とされる。
【０３２２】
スペーサ間の距離の精度を特定する。
【０３２３】
１つの好ましい実施形態において、スペーサは周期的な正方形アレイであり、そのうちスペーサは、高さが２μｍ〜４μｍで、平均横方向寸法が５μｍ〜２０μｍで、スペーサ間の間隔が１μｍ〜１００μｍである、柱である。
【０３２４】
１つの好ましい実施形態において、スペーサは周期的な正方形アレイであり、スペーサは、高さが２μｍ〜４μｍで、平均横方向寸法が５μｍ〜２０μｍで、スペーサ間の間隔が１００μｍ〜２５０μｍである、柱である。
【０３２５】
１つの好ましい実施形態において、スペーサは周期的な正方形アレイであり、スペーサは、高さが４μｍ〜５０μｍで、平均横方向寸法が５μｍ〜２０μｍで、スペーサ間の間隔が１μｍ〜１００μｍである、柱である。
【０３２６】
１つの好ましい実施形態において、スペーサは周期的な正方形アレイであり、そのうちスペーサは、高さが４μｍ〜５０μｍで、平均横方向寸法が５μｍ〜２０μｍで、スペーサ間の間隔が１００μｍ〜２５０μｍである、柱である。
【０３２７】
スペーサアレイの周期は、１つの好ましい実施形態において、１ｎｍ〜１００ｎｍにあり、別の好ましい実施形態において、１００ｎｍ〜５００ｎｍにあり、別の好ましい実施形態において、５００ｎｍ〜１０００ｎｍにあり、別の好ましい実施形態において、１μｍ（すなわち、１０００ｎｍ）〜２μｍにあり、別の好ましい実施形態において、２μｍ〜３μｍにあり、別の好ましい実施形態において、３μｍ〜５μｍにあり、別の好ましい実施形態において、５μｍ〜１０μｍにあり、別の好ましい実施形態において、１０μｍ〜５０μｍにあり、別の好ましい実施形態において、５０μｍ〜１００μｍにあり、別の好ましい実施形態において、１００μｍ〜１７５μｍにあり、別の好ましい実施形態において、１７５μｍ〜３００μｍにある。
【０３２８】
スペーサ密度  スペーサは、１個／１μｍ２よりも大きく、１個／１０μｍ２よりも大きく、１個／１００μｍ２よりも大きく、１個／５００μｍ２よりも大きく、１個／１０００μｍ２よりも大きく、１個／５０００μｍ２よりも大きく、１個／０．０１ｍｍ２よりも大きく、１個／０．１ｍｍ２よりも大きく、１個／１ｍｍ２よりも大きく、１個／５ｍｍ２よりも大きく、１個／１０ｍｍ２よりも大きく、１個／１００ｍｍ２よりも大きく、１個／１０００ｍｍ２よりも大きく、１個／１００００ｍｍ２よりも大きいか、又はこれらの値のいずれか２つの間の範囲である表面密度で、それぞれのプレート上に配列される。
【０３２９】
（３）スペーサは、所定の試料面積（体積）内に明らかな表面積（体積）を占用しないように構成される。
【０３３０】
スペーサ体積と試料体積との比  いくつかの実施形態において、特定の利点を達成するために、スペーサ体積（すなわち、スペーサの体積）と試料体積（すなわち、試料の体積）との比、及び／又は試料の関連体積内にあるスペーサ体積と試料の関連体積との比が制御される。該利点は、試料厚さ制御の均一性、分析物の均一性、試料流れ特性（すなわち、流速、流れ方向等）を含むが、それらに限定されない。
【０３３１】
特定の実施形態において、スペーサ体積ｒと試料体積との比、及び／又は試料の関連体積内部にあるスペーサの体積と試料の関連体積との比は、１００％未満、最大９９％、最大７０％、最大５０％、最大３０％、最大１０％、最大５％、最大３％、最大１％、最大０．１％、最大０．０１％、最大０．００１％であるか、又はこれらの任意の値の間の範囲である。
【０３３２】
プレートに固定されたスペーサ  本発明において、重要な役割を果たすスペーサ間距離及び配向は、好ましくは、スペーサを開放構成から閉鎖構成にするプロセスにおいて保持され、及び／又は好ましくは、開放構成から閉鎖構成にするプロセスの前に予め決定される。
【０３３３】
本発明のいくつかの実施形態は、プレートを閉鎖構成にする前に、スペーサが１つのプレート上に固定されることである。用語「スペーサがその対応するプレートに固定される」ということは、スペーサがプレート上に取り付けられ、かつプレートの使用中に取り付けが維持されることを意味する。「スペーサがそのそれぞれのプレートに固定される」の一実施例は、スペーサが１枚のプレート材料でモノリシックに作られ、かつプレート表面に対するスペーサの位置が変化しないことである。「スペーサがそのそれぞれのプレートに固定されない」の一実施例は、スペーサが接着剤によりプレートに接着されるが、プレートの使用中に、接着剤がスペーサをプレート表面上の元の位置に維持しない（すなわち、スペーサがプレート表面上の元の位置から離れる）ことである。
【０３３４】
いくつかの実施形態において、少なくとも１つのスペーサは、その対応するプレートに固定される。特定の実施形態において、少なくとも２つのスペーサは、その対応するプレートに固定される。特定の実施形態において、大部分のスペーサは、その対応するプレートに固定される。特定の実施形態において、全てのスペーサは、その対応するプレートに固定される。
【０３３５】
いくつかの実施形態において、スペーサは、全体としてその対応するプレートに固定される。
【０３３６】
いくつかの実施形態において、スペーサは、取り付け、貼り合わせ、融合、インプリント、エッチングという方法及び／又は形態のうちの１種又はそれらの任意の組み合わせにより、その対応するプレートに固定される。
【０３３７】
用語「インプリント」とは、プレート表面にスペーサを形成するために、１つの材料をインプリント（すなわち、エンボス加工）することにより、スペーサとプレートとを一体的に固定することを意味する。材料は、単層材料であるか、又は多層材料であってもよい。
【０３３８】
用語「エッチング」とは、プレート表面にスペーサを形成するために、１つの材料をエッチングすることにより、スペーサとプレートとを一体的に固定することを意味する。材料は、単層材料であるか、又は多層材料であってもよい。
【０３３９】
用語「融合」とは、スペーサとプレートとを一緒に取り付けることにより、スペーサとプレートを一体的に固定し、スペーサとプレートとの原材料が互いに融合し、かつ融合した後の２つの材料の間に明らかな材料境界が存在することを意味する。
【０３４０】
用語「貼り合わせ」とは、接着でスペーサとプレートとを一体的に結合することにより、スペーサとプレートとを一体的に固定することを意味する。
【０３４１】
用語「取り付ける」とは、スペーサとプレートとを一緒に接続することを意味する。
【０３４２】
いくつかの実施形態において、スペーサとプレートは、同じ材料で製造される。別の実施形態において、スペーサとプレートは、異なる材料で製造される。別の実施形態において、スペーサとプレートは、一体的に形成される。別の実施形態において、スペーサの一端は、その対応するプレート上に固定され、端部が開放され、２つのプレートの異なる形態を収容するために用いられる。
【０３４３】
別の実施形態において、各スペーサは、取り付け、貼り合わせ、融合、インプリント、エッチングのうちの少なくとも１種の方法で対応するプレートに独立して接続される。用語「独立して」とは、対応するプレートに取り付け、貼り合わせ、融合し、インプリントし、エッチングする方法から選択された、同じであるか又は異なる方法で、１つのスペーサをその対応するプレートに固定することを意味する。
【０３４４】
いくつかの実施形態において、２つのスペーサの間の少なくとも１つの距離は予め決定される（「所定のスペーサ間距離」とは、ユーザがプレートを使用する時に、該距離が既知であることを意味する）。
【０３４５】
本明細書に記載の全ての方法及び装置に係るいくつかの実施形態において、固定スペーサの他、追加的なスペーサもある。
【０３４６】
特定の試料厚さ  本発明において、小さなプレート間隔（所定の試料領域に対する）又は大きな試料領域（所定のプレート間隔に対する）、又は両者ともによって、大きなプレート保持力（すなわち、２つのプレートを一体的に保持する力）を得ることができることが観察された。
【０３４７】
いくつかの実施形態において、少なくとも１つのプレートは、関連領域を包囲する領域において透明であり、各プレートは、閉鎖構成において試料に接触し、閉鎖構成において、プレートの内表面が実質的に互いに平行であり、スペーサを有する位置の他に、プレートの内表面が実質的に平面であるように構成されるか、又は任意に組み合わせられる１つの内表面を有する。
【０３４８】
２．４  最終的な試料厚さ及び均一性
いくつかの実施形態において、著しく平坦であることが、最終的な試料厚さに関して決定され、実施形態及び応用に応じて、それと試料厚さとの比は、０．１％より小さく、０．５％より小さく、１％より小さく、２％より小さく、５％より小さいか、又は１０％より小さいか、又はこれらの値のいずれか２つの間の範囲である。
【０３４９】
いくつかの実施形態において、試料厚さに対する平坦度は、０．１％より小さく、０．５％より小さく、１％より小さく、２％より小さく、５％より小さく、１０％より小さく、２０％より小さく、５０％より小さいか、又は１００％より小さいか、又はこれらの値のいずれか２つの間の範囲であってもよい。
【０３５０】
いくつかの実施形態において、著しく平坦であることは、表面平坦度の変化自体（平均厚さから測定される）が０．１％より小さく、０．５％より小さく、１％より小さく、２％より小さく、５％より小さいか、又は１０％より小さいか、又はこれらの値のいずれか２つの間の範囲であることを指す。一般的には、試料厚さに対する平坦度は、０．１％より小さく、０．５％より小さく、１％より小さく、２％より小さく、５％より小さく、１０％より小さく、２０％より小さく、５０％より小さいか、又は１００％より小さいか、又はこれらの値のいずれか２つの間の範囲であってもよい。
【０３５１】
２．５  スペーサの製造方法
スペーサは、石版刷り、エッチング、エンボス加工（ナノインプリント）、堆積、リフトオフ、融合又はそれらの組み合わせを使用して、プレートに様々な方法で製造することができる。いくつかの実施形態において、スペーサは、プレートに直接的にエンボス加工されるか又はインプリントされる。いくつかの実施形態において、スペーサは、プレートに堆積された材料（例えば、プラスチック）内にインプリントされる。特定の実施形態において、スペーサは、ＣＲＯＦプレートの表面を直接的にインプリントすることにより、製造される。ナノインプリントは、ローラインプリンタを使用するロール・ツー・ロール技術、又は平面ナノインプリントに巻き取ることによって行うことができる。このようなプロセスは、優れた経済上の利点を有するため、コストが低下する。
【０３５２】
いくつかの実施形態において、スペーサは、プレートに堆積される。該堆積は、蒸発、貼り付け又はリフトオフであってもよい。貼り付ける時に、まず、スペーサをキャリア上に製造し、次にスペーサをキャリアからプレートに移す。リフトオフする時に、まずプレートに除去可能な材料を堆積し、かつ該材料内に孔を形成し、孔底部にプレート表面を露出させる。次にスペーサ材料を孔内に堆積し、その後に除去可能な材料を除去し、スペーサのみをプレート表面に残す。いくつかの実施形態において、プレートに堆積されたスペーサはプレートと融合される。いくつかの実施形態において、スペーサとプレートは、同じプロセスにおいて製造される。該同じプロセスは、インプリント（すなわち、エンボス加工、鋳型成形）又は合成を含む。
【０３５３】
いくつかの実施形態において、少なくとも２つのスペーサは、異なる方法でその対応するプレートに固定され、任意で、該異なる方法は、堆積、貼り合わせ、融合、インプリント及びエッチングの少なくとも１種を含む。
【０３５４】
いくつかの実施形態において、１つ以上のスペーサは、貼り合わせ、融合、インプリント又はエッチング又はそれらの任意の組み合わせの製造方法によって、対応するプレートに固定される。
【０３５５】
いくつかの実施形態において、プレートにこのような一体的なスペーサを形成するための製造方法は、貼り合わせ、融合、インプリント、エッチング又はそれらの任意の組み合わせの方法を含む。
【０３５６】
２．６  スケールマーカー
用語「スケールマーカー」は、関連領域及び／又は試料の相対体積への定量化（すなわち、寸法測定）又は制御を補助することができるスケールマーカーを指す。いくつかの実施形態において、スケールマーカーは、第１のプレート又は第２のプレート、２つのプレート、プレートの１つの表面、プレートの２つの表面、プレートの間、プレートの付近に位置するか、又はそれらの任意の組み合わせである。いくつかの実施形態において、スケールマーカーは、第１のプレート又は第２のプレート、２つのプレート、プレートの１つの表面、プレートの２つの表面、プレートの間、プレートの付近に固定されるか、又はそれらの任意の組み合わせである。いくつかの実施形態において、スケールマーカーは、第１のプレート又は第２のプレート、２つのプレート、プレートの１つの表面、プレートの２つの表面、プレートの間、プレートの付近に堆積されるか、又はそれらの任意の組み合わせである。いくつかの実施形態において、いくつかのスペーサは固定され、いくつかのスペーサは堆積される。
【０３５７】
いくつかの実施形態において、スケールマーカーは、エッチングされたスケールマーカー、堆積された材料又は印刷された材料である。特定の実施形態において、該材料は、光吸収、光反射、光放出、又はそれらの任意の組み合わせを有する材料である。
【０３５８】
いくつかの実施形態において、スケールマーカーは、既知の寸法及び／又は既知の間隔距離を有する１つ以上の物体である。物体の実施例は、矩形、円柱形又は円形を含むが、これに限定されない。
【０３５９】
いくつかの実施形態において、スケールマーカーは、ナノメートル（ｎｍ）、ミクロン（μｍ）又はミリメートル（ｍｍ）、又は他の寸法範囲内の寸法を有する。
【０３６０】
いくつかの実施形態において、スケールマーカーは定規であり、それが物体の寸法を測定するように構成されたスケールマーカーを有する。いくつかの実施形態において、スケールマーカーは、ナノメートル（ｎｍ）、ミクロン（μｍ）又はミリメートル（ｍｍ）、又は他の寸法範囲内にある。いくつかの実施形態において、スケールマーカーは、エッチングされたスケールマーカー、堆積された材料又は印刷された材料である。いくつかの実施形態において、スケールマーカーの材料は、光吸収、光反射、光散乱、光干渉、光回折、光放出、又はそれらの任意の組み合わせの材料である。
【０３６１】
いくつかの実施形態において、前記マーカーは、スペーサであり、それは「試料厚さを調節する」及び「スケールマーキング及び／又は寸法測定を提供する」という二重の機能を有する。例えば、既知の寸法を有する矩形スペーサ又は既知の間隔を有する２つのスペーサを使用して、スペーサの周囲の試料に関する寸法を測定することができる。計測された試料寸法によって、試料の関連体積の体積を算出することができる。
【０３６２】
いくつかの実施形態において、スケールマーカーは、試料の関連体積の境界を部分的に定義するように構成される。
【０３６３】
いくつかの実施形態において、少なくとも１つのスケールマーカーは、試料の関連体積の横方向領域の平面と平行である既知の寸法を有するように構成される。
【０３６４】
いくつかの実施形態において、少なくとも１対のスケールマーカーは横方向領域の平面と平行である既知の距離によって分けられる。
【０３６５】
いくつかの実施形態において、スケールマーカーは、光学的検出に用いられるように構成される。
【０３６６】
いくつかの実施形態において、各スケールマーカーは、光吸収、光反射、光散乱、光回折及び光放出のうちの少なくとも１つの機能を独立して有する。
【０３６７】
いくつかの実施形態において、スケールマーカーは、既知の横方向間隔を有する規則的なアレイに配列される。
【０３６８】
いくつかの実施形態において、各スケールマーカーは、正方形、矩形、多角形及び円形のうちの少なくとも１つの横方向輪郭を独立して有する。
【０３６９】
いくつかの実施形態において、少なくとも１つのスケールマーカーは、１つのプレートに取り付けられ、貼り合わせされ、融合され、インプリントされ、エッチングされる。
【０３７０】
いくつかの実施形態において、少なくとも１つのスケールマーカーは、１つのスペーサである。
【０３７１】
いくつかの実施形態において、いくつかのスペーサは、試料の関連体積を定量化するために、さらにスケールマーカーの役割を果たす。
【０３７２】
特定の実施形態において、（分析物を固定化するための）結合部位、貯蔵部位等は、スケールマーカーとして使用される。一つの実施形態において、既知の横方向寸法を有する部位は、既知の横方向寸法を再現する検出可能な信号を生成する光と相互作用し、それによりスケールマーカーを提供する。
【０３７３】
他の実施形態において、部位の寸法はＣＲＯＦプロセスの前に予め決定され、プレートが閉鎖構成にある時に、該部位に位置した試料部分の厚さは、該部位の横方向の平均寸法よりも顕著に小さく、その後、インキュベーション時間を制御することにより、インキュベーション後に、（１）結合部位に結合された大部分の分析物／実体は、結合部位の頂部の試料体積から由来し；（２）大部分の結合部位の頂部の試料体積に混合（拡散）された試薬は、貯蔵部位から由来する。これらの場合、結合又は試薬混合の試料の関連体積は、所定の部位面積と該部位の試料厚みとの乗算にほぼ等しい。それについて主な理由は、所定のインキュベーション時間に関して、関連体積外の試料体積中の分析物／実体が、結合部位に拡散する十分な時間がないか、又は貯蔵部位上の試薬が関連体積外の試料体積に拡散する十分な時間がないことである。
【０３７４】
既知の寸法を有する部位を使用しインキュベーション時間を制限することによって、関連面積及び体積を測定及び／又は制御する方法を説明する一例において、アッセイは、ＣＲＯＦプロセスでの第１のプレート（その表面は結合部位よりも大きい）に、１０００μｍ×１０００μｍの結合部位（すなわち捕捉剤を含有する領域）を有し、プレートの閉鎖構成で、分析物を含有する試料は結合部位の上方に位置し、該試料は約２０μｍの厚さ（結合部位の領域内）及び結合部位よりも大きな面積を有し、これは、ターゲット分析物／実体の試料厚さでの拡散時間と等しい時間インキュベーションされる。結合部位から２０μｍ離れた試料部分では結合部位に拡散する時間が（統計的に）ないため、この場合、結合部位に結合された大部分の分析物／実体は、結合部位の頂部の試料体積から由来し、１０００μｍ×１０００μｍ×２０μｍ＝０．０２ｐである。この場合、結合部位により捕捉された分析物／実体に起因して、信号がインキュベーション後に計測されると、関連領域及び関連体積の情報（結合部位により提供される）に基づいて、試料の関連領域及び関連体積での分析物／実体の濃度を決定することができる。分析物の濃度は、結合部位が捕捉した分析物の量を関連体積で割ることにより、定量化される。
【０３７５】
いくつかの実施形態において、関連体積は、結合部位面積と試料厚さとの乗算にほぼ等しく、試料中の標的分析物の濃度は、結合部位が捕捉した分析物の量を関連試料体積で割る結果にほぼ等しい。結合部位寸法と試料厚さとの比が大きければ大きいほど、標的分析物体積の定量化方法の精度は高い（インキュベーション時間は、試料中の標的分析物が約試料厚さの距離まで拡散することに必要な時間であると仮定する）。
【０３７６】
ＣＲＯＦにおける広げる時間  本発明において、２つのプレートにより試料を広げるすべての段落の方法及び装置において、閉鎖構成で試料を最終厚さまで広げることに必要な時間は、０．００１秒以下、０．０１秒、０．１秒、１秒、５秒、１０秒、２０秒、３０秒、６０秒、９０秒、１００秒、１５０秒、２００秒、３００秒、５００秒、１０００秒又はこれらの値のいずれか２つの間の範囲である。
【０３７７】
２つのプレートにより試料を展開するすべての段落の方法及び装置では、一つの好ましい実施形態において、閉鎖構成で試料を最終厚さまで展開することに必要な時間は、０．００１秒以下、０．０１秒、０．１秒、１秒、３秒、５秒、１０秒、２０秒、３０秒、６０秒、９０秒、１００秒、１５０秒又はこれらの値のいずれか２つの間の範囲である。
【０３７８】
２つのプレートにより試料を展開するすべての段落の方法及び装置で、一つの好ましい実施形態において、閉鎖構成で試料を最終厚さまで広げることに必要な時間は、０．００１秒以下、０．０１秒、０．１秒、１秒、３秒、５秒、１０秒、２０秒、３０秒、６０秒、９０秒又はこれらの値のいずれか２つの間の範囲である。
【０３７９】
２つのプレートにより試料を展開するすべての段落の方法及び装置で、一つの好ましい実施形態において、閉鎖構成で試料を最終厚さまで広げることに必要な時間は、０．００１秒以下、０．０１秒、０．１秒、１秒、３秒、５秒、１０秒、２０秒、３０秒又はこれらの値のいずれか２つの間の範囲である。
【０３８０】
２つのプレートにより試料を展開するすべての段落の方法及び装置で、一つの好ましい実施形態において、閉鎖構成で試料を最終厚さまで広げることに必要な時間は、０．００１秒以下、０．０１秒、０．１秒、１秒、３秒、５秒、１０秒又はこれらの値のいずれか２つの間の範囲である。
【０３８１】
２つのプレートにより試料を展開するすべての段落の方法及び装置では、一つの好ましい実施形態において、閉鎖構成で試料を最終厚さまで広げることに必要な時間は、０．００１秒以下、０．０１秒、０．１秒、１秒、３秒又はこれらの値のいずれか２つの間の範囲である。
【０３８２】
セクション３に記載された実施形態及びそれらの任意の組み合わせは、本発明の説明全体において他の実施形態に適用される（すなわちそれらと組み合わせられる）。
【０３８３】
好ましい実施形態において、スペーサは、金型を用いて薄いプラスチックフィルムを圧印する（例えば、ナノインプリント）ことにより、Ｘ−プレートに一体的に製造され、かつ同じ材料で製造される。
【０３８４】
好ましい実施形態において、スペーサは、金型を用いて薄いプラスチックフィルムを圧印する（例えば、ナノインプリント）ことにより、Ｘ−プレートに一体的に製造され、かつ同じ材料で製造され、Ｘ−プレートの厚さは、５０μｍ〜５００μｍである。
【０３８５】
好ましい実施形態において、スペーサは、金型を用いて薄いプラスチックフィルムを圧印する（例えば、ナノインプリント）ことにより、Ｘ−プレートに一体的に製造され、かつ同じ材料で製造され、Ｘ−プレートの厚さは、５０μｍ〜２５０μｍである。
【０３８６】
好ましい実施形態において、スペーサは、Ｘ−プレートに一体的に製造され、かつ同じ材料で製造され、Ｘ−プレートの厚さは、５０μｍ〜５００μｍである。
【０３８７】
好ましい実施形態において、スペーサは、金型及び薄いプラスチックフィルムを用いることにより、Ｘ−プレートに一体的に製造され、かつ同じ材料で製造され、Ｘ−プレートの厚さは、５０μｍ〜２５０μｍである。
【０３８８】
好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）である。
【０３８９】
好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）であり、Ｘ−プレートの厚さは、５０μｍ〜５００μｍである。
【０３９０】
好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）であり、Ｘ−プレートの厚さは、５０μｍ〜２５０μｍである。
【０３９１】
好ましい実施形態において、スペーサは、金型を用いて薄いプラスチックフィルムを圧印する（例えば、ナノインプリント）ことにより、Ｘ−プレートに一体的に製造され、かつ同じ材料で製造され、該プラスチックフィルムは、ＰＭＭＡ（ポリメチルメタクリレート）又はＰＳ（ポリスチレン）であり、スペーサは、正方形又は長方形の形状を有し、同じスペーサ高さを有する。
【０３９２】
好ましい実施形態において、スペーサは、正方形又は長方形の形状を有する（丸い角を有するか又は丸い角を有しない）。
【０３９３】
好ましい実施形態において、スペーサは、正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１００μｍにある。
【０３９４】
好ましい実施形態において、ＰＭＭＡ又はＰＳで製造されたスペーサは、正方形又は長方形の柱を有し、柱の幅（各横方向でのスペーサの幅）は１μｍ−２００μｍにあり、柱の周期（すなわち、スペーサ周期）は２μｍ〜２０００μｍにあり、柱の高さ（すなわち、スペーサの高さ）は１μｍ〜１００μｍにある。
【０３９５】
好ましい実施形態において、スペーサは、Ｘプレートに一体的に製造され、かつプラスチック材料で製造され、前記スペーサは正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１００μｍにある。
【０３９６】
好ましい実施形態において、スペーサは、Ｘプレートに一体的に製造され、かつ同じ材料で製造され、前記スペーサは正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１０μｍにある。
【０３９７】
好ましい実施形態において、スペーサは、Ｘプレートに一体的に製造され、かつＰＭＭＡ又はＰＳ又は他のプラスチックから選択される同じ材料で製造され、前記スペーサは正方形又は長方形の柱を有し、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１０μｍ〜５０μｍにある。
【０３９８】
ＣＲＯＦ装置の一つの好ましい実施形態において、一方のプレートは、Ｘプレートであり、他方のプレートは、平面フィルムであり、少なくとも１つのプレートの厚さは１０μｍ〜２５０μｍにあり、スペーサはＸプレートに固定され、プレートとスペーサの材料は同じであってもよく異なってもよく、かつＰＭＭＡ（ポリメチルメタクリレート）、ＰＳ（ポリスチレン）又はＰＭＭＡ若しくはＰＳと類似した機械的特性を有する類似材料で製造される。
【０３９９】
ＣＲＯＦ装置の一つの好ましい実施形態において、一方のプレートは、Ｘプレートであり、他方のプレートは、平面フィルムであり、少なくとも１つのプレートの厚さは２５０μｍ〜５００μｍにあり、スペーサはＸプレートに固定され、プレートとスペーサの材料は同じであってもよく異なってもよく、かつＰＭＭＡ（ポリメチルメタクリレート）、ＰＳ（ポリスチレン）又はＰＭＭＡ若しくはＰＳと類似した機械的特性を有する類似材料で製造される。
【０４００】
ＣＲＯＦ装置の一つの好ましい実施形態において、一つのプレートは、Ｘプレートであり、他のプレートは、平面フィルムであり、少なくとも１つのプレートの厚さは１０μｍ〜２５０μｍにあり、スペーサはＸプレートに固定され、スペーサは正方形又は長方形柱のアレイであり、柱の幅（各横方向でのスペーサの幅）は１μｍ〜２００μｍにあり、柱の周期（すなわち、スペーサ周期）は２μｍ〜２０００μｍにあり、柱の高さ（すなわち、スペーサの高さ）は１μｍ〜１００μｍにあり、プレートとスペーサの材料は同じであってもよく異なってもよく、かつＰＭＭＡ（ポリメチルメタクリレート）、ＰＳ（ポリスチレン）又はＰＭＭＡ若しくはＰＳと類似した機械的特性を有する類似材料で製造される。
【０４０１】
以上の段落における「類似」は、機械的特性の差異が６０％以内にあることを指す。
【０４０２】
保護リング  いくつかの実施形態は、試料がプレート表面から流出することを防止する保護リングを有する。保護リングのいくつかの実施形態は、試料領域を中心として封止された壁である。壁の高さは、スペーサの高さと等しいか又はそれと等しくない。壁は、試料計測領域から離れてもよい。
【０４０３】
ＣＲＯＦプロセスにおける可動プレートは、ヒンジ、ステージ又はいくつかの他の位置決めシステムを含む、かつ／又はそれに結合することができ、該システムはプレートを開放構成と閉鎖構成との間に変換するように構成される。少なくとも１つの継手及び／又は少なくとも１つのプレートの柔軟性が、前記開放と閉鎖構成を実現することに十分であるという条件で、プレート間の空間に入る（例えば、試料を挿入及び／又は除去する）ための開口部を残す方法で、可動プレートは１つ以上の継手と結合することができる。膜ポンプは、可動プレートと考えられない。
【０４０４】
３．  均一なプレート間隔及び試料の厚さ（Ｕ）
ＣＲＯＦプロセスの多くの適用において、特に間隔がマイクロメートル及び／又はナノメートルスケールである場合、プレート間隔の均一性を改善することにより、閉鎖構成での試料の厚さを改善することが望ましい。良好な均一性は、アッセイの均一性を改善することができる。本発明は、均一性を改善する方法を提供する。
【０４０５】
ＣＲＯＦにおけるプレート間隔の均一性を低下させる要因は、（ａ）プレートの局所的な湾曲、（ｂ）プレートの内表面の凹凸、及び（ｃ）塵埃を含む。最終プレートの間隔が小さければ小さいほど、これらの要因の影響がより深刻になる。
【０４０６】
ピッチの均一性（そのため試料の厚さ）を改善するために、本発明は、プレートにおいて特定の設計（機械的強度、厚さ等）、例えばスペーサの寸法、スペーサの数、スペーサのレイアウト、スペーサ間距離、スペーサの高さ等の精度を使用して、不均一をもたらす要因を解消する。
【０４０７】
内表面の円滑度について
３．１  柔軟性プレートの均一な試料厚さを実現するためのスペーサ間距離の使用
いくつかの適用において、１つ又は両方のＣＲＯＦプレートはいずれも柔軟性プレートであることが望ましい。しかしながら、図５ａに示すように、柔軟性プレート（例えば、プラスチックフィルム）について、スペーサ間距離が大きすぎると、ＣＲＯＦプロセスでのプレートの柔軟性は、隣接した２つのスペーサ間の位置での局所的な湾曲（例えば、くぼみ、すなわち内向きの湾曲）を起こし、試料厚さ均一性を低くする。試料厚さの低い均一性による欠点が多く、例えば、試料体積及び／又は分析物濃度決定時の誤差が大きく、インキュベーション時間が変化する等である。
【０４０８】
本発明の１つの実施形態は、適切なスペーサ間距離を使用することにより局所的な湾曲を低減し、従って、最終試料厚さの変動を低減する解決手段を提供する。図５に示すように、スペーサ間距離が大きすぎると、ＣＲＯＦ装置は、平坦な試料表面を有する一方の剛性プレート、及び２つの隣接したスペーサの間に局所的な湾曲を有するもう一方の柔軟性プレートを有することになる（図５ａ）。局所的な湾曲を低減するために、スペーサ間距離は、可撓性プレートの臨界湾曲スパン以下に設定される（図５ｂ）。両方のプレートがいずれも柔軟性プレートである場合は、スペーサ間距離は、２つのプレートの臨界湾曲スパンの最小値よりも小さくすべきである。
【０４０９】
Ｕ１．  ２つのプレートを用いて試料の関連体積の厚さを均一に調節する方法は、以下のステップ（ａ）〜（ｄ）を含む：
（ａ）試料を取得し、
前記試料の関連体積の厚さが調節され、
（ｂ）異なる構成になるように互いに対して移動可能な２つのプレートを取得し、
１つ又は両方のプレートが柔軟性であり、プレートのうちの１つ又は両方がいずれもスペーサを含み、前記スペーサが、所定のスペーサ間距離及び高さを有し、各スペーサがその対応するプレートに固定され、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にすることにより、試料を広げ、
閉鎖構成で、プレートが互いに対向し、スペーサ及び試料の関連体積がプレートの間に位置し、試料の関連体積の厚さが、プレート及びスペーサにより調節され、
所定のプレートについて、スペーサが、試料の関連体積の厚さの所定の面積での変化を所定値よりも小さいように構成され、関連体積が、試料の体積の一部又は体積全体である。
【０４１０】
段落Ｕ１の方法において、スペーサ及びプレートの構成は、適切なスペーサ間距離を選択することを含む。いくつかの実施形態において、スペーサ間距離を選択することにより、許可された試料厚さの変化、所定の２つのプレート、及び圧縮方法について、圧縮方法に係る２つのプレートの湾曲は、許可された試料厚さの変化以下である。閉鎖構成にある時に、調節された試料厚さは、プレートが開放構成にある時に試料の最大厚さよりも薄くなることができる。
【０４１１】
Ｕ２．  試料の関連体積の厚さを調節する装置は、
異なる構成になるように互いに対して移動可能な第１のプレート及び第２のプレートを含み、
前記プレートの１つ又は両方は柔軟性であり、かつこれらは、所定のスペーサ間距離及び高さを有していずれもその対応するプレートに固定されたスペーサを含み、
前記構成の１つは、２つのプレートが部分的に又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートは互いに対向し、スペーサ及び試料の関連体積はプレートの間に位置し、試料の関連体積の厚さは、プレート及びスペーサにより調節され、
所定のプレートについて、スペーサは、試料の関連体積の厚さの、ある領域での厚さの変化が所定値よりも小さいように構成され、関連体積は、試料の体積の一部又は体積全体である。
【０４１２】
段落Ｕ２の装置において、スペーサ及びプレートの構成は、適切なスペーサ間距離を選択することを含む。いくつかの実施形態において、スペーサ間距離を選択することにより、許可された試料厚さの変化、所定の２つのプレート、及び圧縮方法について、圧縮方法に係る２つのプレートの湾曲は、許可された試料厚さの変化以下である。閉鎖構成にある時に、調節された試料厚さは、プレートが開放構成にある時に試料の最大厚さよりも薄くなることができる。
【０４１３】
いくつかの実施形態において、スペーサ間距離を２つのスペーサの間のプレートの湾曲よりも小さくすることにより、小さなスペーサ間距離は、柔軟性フィルム（例えば、厚さが１００μｍのプラスチックシート）の使用もまた可能にする。
【０４１４】
いくつかの実施形態において、閉鎖構成での広い領域に均一な試料厚さを備えさせるために、所定の柔軟性プレートに許可された最大湾曲に対して、プレートの臨界湾曲スパンに対するスペーサ間距離の比は、最大０．００１％、最大０．００１％、最大０．００１％、最大０．０１％、最大０．１％、最大１％、最大１０％、最大２０％、最大５０％、最大７０％、最大１００％、又はこれらの値のいずれか２つの間の範囲である。
【０４１５】
３．２  ＣＲＯＦにおける塵埃の影響を克服するための柔軟性プレート及びスペーサの使用
ＣＲＯＦプロセスで克服する必要がある課題は、厚さがスペーサの高さよりも大きな塵埃が、スペーサの所望の最終プレート間隔（そのため試料の最終厚さ）を達成するための調節作用を破壊し得る（図６ａに示す）ことである。２つの剛性プレートを使用すると、この塵埃は、プレート領域全体のスペーサ調節を破壊し得る。
【０４１６】
本発明の特定の実施形態は、柔軟性プレートとスペーサとの間の適切な距離を使用して塵埃の周りの小さな領域における塵埃の影響を制限し、同時に小さな領域外の領域が、スペーサで設定（調節）された最終プレート間隔及び試料厚さを備えることを可能にすることにより、該問題を解決する。
【０４１７】
例えば図６ｂに示すように、塵埃の影響を克服するために、適切な柔軟性を備えた柔軟性プレートを使用して塵埃の面積を制限し、かつそれを固定スペーサー付きの剛性プレートとともに使用する。図６ｃは、塵埃の影響を低減する他の実施形態を示し、スペーサが柔軟性プレートに固定される。明らかに、他の実施形態において、両方のプレートはいずれも柔軟性プレートである。
【０４１８】
プレートの厚さ及び機械的特性から、ＣＲＯＦプロセスにおける塵埃の影響を最小化する適切なプレートの柔軟性を選択することができる。実施例に示した検査に基づいて、好ましい実施形態は以下のとおりである。
【０４１９】
Ｕ３．  試料の関連体積の厚さ調節に対する塵埃の影響を最小化する方法は、以下のステップ（ａ）〜（ｄ）を含む：
（ａ）試料を取得し、
前記試料の関連体積の厚さが調節され、
（ｂ）異なる構成になるように互いに対して移動可能な２つのプレートを取得し、
前記プレートの１つ又は両方が柔軟性であり、かつこれらは、所定のスペーサ間距離及び高さを有していずれもその対応するプレートに固定されたスペーサを有し、
（ｃ）プレートが開放構成に構成されている時に、１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にすることにより、試料を広げ、
閉鎖構成で、プレートが互いに対向し、スペーサ、試料の関連体積及び厚さがプレートの高さよりも大きな１つ以上の塵埃が、プレートの間に位置し、試料の関連体積の厚さが、プレート及びスペーサにより調節され、
スペーサ及びプレートが、２つのプレートの間の塵埃により影響された面積を最小化するように構成され、塵埃により影響された領域において、塵埃阻止スペーサが、塵埃なしのようにプレートの閉鎖構成で、領域内のプレート間の最終間隔を調節し、関連体積が、試料の体積の一部又は体積全体である。
【０４２０】
段落Ｕ３の方法において、塵埃の影響領域を最小化するためのスペーサとプレートの構成は、柔軟性プレートの適切な厚さ及び機械的特性を選択することを含む。
【０４２１】
いくつかの実施形態において、スペーサ間距離を選択することにより、可能な試料厚さの変化、所定の２つのプレート、及び圧縮方法について、圧縮方法に係る２つのプレートの湾曲は、許可された試料厚さの変化以下となる。閉鎖構成にある時に、調節された試料厚さは、プレートが開放構成にある時に試料の最大厚さよりも薄くなることができる。
【０４２２】
プレートの可撓性を特定する。
Ｕ４．  塵埃の、試料の関連体積の厚さ調節への影響を最小化するための装置は、
異なる構造になるように互いに対して移動可能で、それぞれが試料と接触する試料接触表面を有する第１のプレート及び第２のプレートと、前記プレートの１つ又は両方の接触表面上にあるスペーサとを含み、
前記プレートの１つ又は両方が可撓性であり、前記スペーサは所定のスペーサ間距離及び高さを有し、それぞれが対応するプレートに固定され、
前記構成の１つは、２つのプレートが部分的に又は完全に離され、プレート間の間隔がスペーサにより調節されず、試料がプレートの１つ又は両方に付着する開放構成であり、
別の構成は、開放構成で試料を付着させた後に構成された閉鎖構成であり、前記閉鎖構成で、プレートは互いに対向し、スペーサ、試料の関連体積及び厚さがプレートの高さよりも大きな１つ以上の塵埃は、プレートの間に位置し、試料の関連体積の厚さは、プレート及びスペーサにより調節され、
スペーサ及びプレートは、２つのプレートの間の塵埃により影響された面積を最小化するように構成され、塵埃により影響された領域は、プレート及びスペーサが塵埃なしの領域のように試料厚さを調節することができないプレートの内表面の領域であり、関連体積は、試料の体積の一部又は体積全体である。
【０４２３】
３．３  表面平坦度の変化による影響を低減するためのスペーサの使用
実際のところ、表面が完全に平坦なプレートはない。図７ａに示すように、ＣＲＯＦにおいて、所望の試料厚さに比べて、表面の平坦度の変化は非常に大きくなり得、これにより試料厚さを決定した時に大きな誤差を起こす可能性がある。ＣＲＯＦにおける最終試料の厚さが薄ければ薄いほど（例えば、マイクロメートル又はナノメートルで配列される）、表面平坦度の変化はますます顕著な誤差を起こし得る。
【０４２４】
表面平坦度変化は、プレートの表面平坦度変化距離により特徴付けられ、λは、表面高さの局所的な最大値から、隣接する局所的な最小値までの距離である（図７ｂに示す）。
【０４２５】
本発明は、ＣＲＯＦプロセスにおいて閉鎖構成での最終試料厚さ変化を、プレートが開放構成にある時に存在するプレート試料表面上の表面平坦度変化よりも小さくする方法を提供する。本発明において、最終試料厚さ均一性を実現するための重要な方法は、柔軟性プレート、適切なスペーサ間距離及び適切な圧力（図７ｃ及び図７ｄに示す）を使用することである。
【０４２６】
ＣＲＯＦプロセスにおける剛性プレート及び柔軟性プレートの使用を考慮すると、プレートの開放構成で、剛性プレートの試料表面には良好な平坦度を有するが、柔軟性プレートの試料表面には顕著な表面平坦度変化を有し（すなわち、予想された最終試料厚さに比べてより顕著である）、図７ａ及び７ｂに示される。本発明は、（ｉ）初期表面平坦度変化距離よりも小さなスペーサ間距離、（ｉｉ）閉鎖構成での試料とプレートとの間の、柔軟性プレートを変形させる適切な圧縮力及び／又は適切な毛管力、（ｉｉｉ）柔軟性プレートの適切な柔軟性により、開放構成での試料表面の初期平坦度変化を校正することにより（例えば平坦度変化を小さくする）、プレートの最終構成で、柔軟性プレートの試料表面が変形し、剛性プレートの平坦な表面の輪郭と一致する（図７ｃ）。また、最終試料厚さの変化を低減するために、スペーサ間距離も柔軟性プレートの臨界湾曲スパンよりも小さくすべきである。
【０４２７】
上記表面平坦度の変化を校正する方法は、（ａ）剛性プレートに顕著な初期試料表面の平坦度変化を有し、柔軟性プレートに円滑な試料表面を有し、（ｂ）柔軟性プレートと剛性プレートのその所望の試料表面にいずれも顕著な平坦度変化を有し、及び（ｃ）両方のプレートは柔軟性であり、１つ又は両方のプレーの試料表面に顕著な表面平坦度変化を有する（図７ｄ）場合にも適用される。
【０４２８】
Ｕ５．  ＣＲＯＦプロセスでプレート表面の平坦度変化が、試料の関連体積の最終厚さの均一性に与える影響を低減する方法は、以下のステップ（ａ）〜（ｄ）を含む：
（ａ）試料を取得し、
前記試料の関連体積の厚さが調節され、
（ｂ）異なる構成になるように互いに対して移動可能な２つのプレートを取得し、
前記プレートの１つ又は両方が柔軟性であり、いずれも表面平坦度変化を有し、かつスペーサを含み、前記スペーサが、所定の高さを有し、各スペーサがその対応するプレートに固定され、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にすることにより、試料を広げ、
閉鎖構成で、プレートが互いに対向し、スペーサ及び試料の関連体積がプレートの間に位置し、試料の関連体積の厚さが、プレート及びスペーサにより調節され、
スペーサ及びプレートが、閉鎖構成での試料の関連体積の厚さ変化がプレートの開放構成での表面平坦度変化よりも小さいように構成され、関連体積が、試料の体積の一部又は体積全体である。
【０４２９】
Ｕ６．プレート表面の平坦度変化の、試料の関連体積の厚さ均一性調節への影響を低減する装置は、
異なる構成になるように互いに対して移動可能で、その１つ又は両方が柔軟性であり、かつその１つ又は両方が表面平坦度変化を有する第１のプレート及び第２のプレートと、
１つ又は両方のプレートに固定され、所定の高さを有するスペーサを含み、
前記構成の１つは、２つのプレートが部分的に又は完全に離され、プレート間の間隔がスペーサにより調節されず、試料が前記プレートの１つ又は両方に付着する開放構成であり、
別の構成は、開放構成で試料を付着させた後に構成された閉鎖構成であり、前記閉鎖構成で、プレートは互いに対向し、スペーサ及び試料の関連体積はプレートの間に位置し、試料の関連体積の厚さは、プレート及びスペーサにより調節され、
スペーサ及びプレートは、閉鎖構成での試料の関連体積の厚さ変化がプレートの開放構成での表面平坦度変化よりも小さいように構成され、関連体積は、試料の体積の一部又は体積全体であり、関連体積の平均寸法は、開放構成でのプレートの表面平坦度変化よりも大きい。
【０４３０】
段落Ｕ５の方法及び段落Ｕ６の装置において、プレート表面の平坦度変化の、試料の関連体積の最終厚さの均一性への影響を低減するスペーサ及びプレートの構成は、適切なスペーサ間距離（ＩＳＤ）を使用することを含む。好ましい実施形態において、ＩＳＤは、開放構成でのプレートの初期表面平坦度変化距離以下である。
【０４３１】
段落Ｕ５と段落Ｕ６の方法及び装置において、いくつかの実施形態において、（１）閉鎖構成でスペーサが試料内部にあること、（２）スペーサが対応するプレートに固定されること、（３）スペーサ間距離が短いこと、又は（４）それらの任意の組み合わせを有する。
【０４３２】
段落Ｕ１〜Ｕ６の方法及び装置において、試料の関連体積の厚さを均一化するスペーサ及びプレートの構成に、上記実施形態を有する。いくつかの実施形態において、所定のスペーサ間距離は、２つのスペーサ間のプレートの局所的な湾曲を制限するように構成され、関連体積は、試料の体積の一部又は体積全体である。
【０４３３】
これは、１つ又は両方のプレートが柔軟性であり、柔軟性が様々である場合を含む。（例えば、厚さが１００μｍのＰＭＭＡ又はＰＳ）。
【０４３４】
１つの好ましい実施形態において、プレートはＰＭＭＡである。１つの好ましい実施形態において、１つのプレート（第１のプレート）は、厚さが０．５〜１．５ｍｍのガラスでありかつスペーサを備えず、他のプレート（第２のプレート）は、厚さが１７５μｍのＰＭＭＡフィルムでありかつスペーサのアレイを備え、スペーサは、丸い角を有する矩形柱（ｘ方向での寸法が４０μｍで、ｙ方向での寸法が３０μｍである）であり、ｘ方向での周期が１２０μｍで、ｙ方向での寸法が１１０μｍである（それにより、スペーサ間距離はｘ方向とｙ方向でいずれも８０μｍである）。
【０４３５】
セクション３の方法及び装置において、閉鎖構成での試料内のスペーサのいくつかの実施形態において、スペーサの材料及びプレートは、セクション２の実施形態である。
【０４３６】
段落Ｕ１〜６の方法及び装置において、いくつかの実施形態において、柱の高さに対する柱の幅（又は横方向平均寸法）の比は、０．０１以上、０．１以上、１以上、１．５以上、２以上、３以上、５以上、１０以上、５０以上、１００以上、又はこれらの値のいずれか２つの間の範囲である。
【０４３７】
段落Ｕ１〜６の方法及び装置において、好ましい実施形態において、柱の高さに対する柱の幅（又は横方向平均寸法）の比は、１、１．５、２、１０、２０、３０、５０、１００、又はこれらの値のいずれか２つの間の範囲である。
【０４３８】
段落Ｕ１〜６の方法及び装置において、いくつかの実施形態において、柱の幅（又は横方向平均寸法）に対する柱の周期の比は、１．０１、１．１、１．２、１．５、１．７、２、３、５、７、１０、２０、５０、１００、５００、１０００、１００００、又はこれらの値のいずれか２つの間の範囲である。
【０４３９】
段落Ｕ１〜６の方法及び装置において、好ましい実施形態において、柱の幅（又は横方向平均寸法）に対する柱の周期の比は、１．２、１．５、１．７、２、３、５、７、１０、２０、３０、又はこれらの値のいずれか２つの間の範囲である。
【０４４０】
段落Ｕ１〜６の方法及び装置において、好ましい実施形態において、柱の幅（又は横方向平均寸法）に対する柱の周期の比は、１．２、１．５、１．７、２、３、５、７、１０、又はこれらの値のいずれか２つの間の範囲である。
【０４４１】
ｃ）例えば、血球計算アプリケーションで、好ましいＸ−プレートの柱の高さは１μｍ〜５μｍにあり、柱の幅は２μｍ〜３０μｍにあり、柱の周期は、４μｍ〜３００μｍにある。
【０４４２】
ｄ）例えば、免疫学的アッセイアプリケーションでは、好ましいＸ−プレートの柱の高さは５μｍ〜５０μｍであり、柱の幅は１０μｍ〜２５０μｍであり、柱の周期は２０μｍ〜２５００μｍである。
【０４４３】
セクション３に記載された実施形態及びそれらの任意の組み合わせは、本発明の説明全体において他の実施形態に適用される（すなわちそれらと組み合わせられる）。
【０４４４】
いくつかの実施形態において、他の要素も試料厚さ均一性の制御に使用され、これらの要素は試料面積、プレート機械的性質、閉鎖構成下の最終試料厚さ及びプレート表面湿潤特性を含むがそれらに限定されることはない。
【０４４５】
以下ではセクション１及びほかの開示内容における方法及び装置のいくつかの好ましい実施形態である。
【０４４６】
１つの好ましい実施形態において、スペーサは周期的な正方形アレイであり、そのうちスペーサは、高さが２μｍ〜４μｍで、平均横方向寸法が５μｍ〜２０μｍで、スペーサ間の間隔が１μｍ〜１００μｍである柱である。
【０４４７】
１つの好ましい実施形態において、スペーサは周期的な正方形アレイであり、スペーサは、高さが２μｍ〜４μｍで、平均横方向寸法が５μｍ〜２０μｍで、スペーサ間の間隔が１００μｍ〜２５０μｍである柱である。
【０４４８】
１つの好ましい実施形態において、スペーサは周期的な正方形アレイであり、スペーサは、高さが４μｍ〜５０μｍで、平均横方向寸法が５μｍ〜２０μｍで、スペーサ間の間隔が１μｍ〜１００μｍである柱である。
【０４４９】
１つの好ましい実施形態において、スペーサは周期的な正方形アレイであり、そのうちスペーサは、高さが４μｍ〜５０μｍで、平均横方向寸法が５μｍ〜２０μｍで、スペーサ間の間隔が１００μｍ〜２５０μｍである柱である。
【０４５０】
スペーサアレイの周期は、１つの好ましい実施形態において、１ｎｍ〜１００ｎｍにあり、別の好ましい実施形態において、１００ｎｍ〜５００ｎｍにあり、１つの単独な好ましい実施形態において、５００ｎｍ〜１０００ｎｍにあり、別の好ましい実施形態において、１μｍ（すなわち、１０００ｎｍ）〜２μｍにあり、別の好ましい実施形態において、２μｍ〜３μｍにあり、別の好ましい実施形態において、３μｍ〜５μｍにあり、別の好ましい実施形態において、５μｍ〜１０μｍにあり、別の好ましい実施形態において、１０μｍ〜５０μｍにあり、１つの単独な好ましい実施形態において、５０μｍ〜１００μｍにあり、１つの単独な好ましい実施形態において、１００μｍ〜１７５μｍにあり、１つの単独な好ましい実施形態において、１７５μｍ〜３００μｍにある。
【０４５１】
４  試料及び付着
ＣＲＯＦ過程を使用する本発明の方法及び装置において、いくつかの方法又はこれらの方法の組み合わせにより試料を付着させる。付着の一つの特定の実施形態において、試料は一つのプレートのみに付着する。特定の実施形態において、試料は両方のプレート（すなわち第１のプレート及び第２のプレート）に付着する。
【０４５２】
試料はプレートが開放構成にある時に付着する。いくつかの実施形態において、第１のプレートと第２のプレートとは試料付着の間に好ましくは互いに離され、これにより試料は一つのプレートに付着しやすく、別のプレートを妨害することはない。例えば、第１のプレートと第２のプレートとを遠く離してもよく、これにより試料は直接的に第１のプレート又は第２のプレートに落ち、別のプレートが存在しないようにすることができる。試料付着の特定の実施形態において、第１のプレートと第２のプレートとをプレートの開放構成下で互いに一定の距離で隔て、次に試料を（例えば水平流動又は他の滴落方法により）プレートに付着させる。特定の実施形態において、２つのプレートは、プレートのすべての操作過程において、接続された片側（例えば縁部）（図３０）を有し、２つのプレートの開閉は本の開閉に類似する。
【０４５３】
試料の付着は単一の滴又は複数の滴であってもよい。複数の滴は一つのプレート又は両方のプレートの一つの位置又は複数の位置に落ちることができる。液滴は互いに十分に分離し、接続し、又は組み合わせることができる。
【０４５４】
いくつかの実施形態において、試料は一種以上の材料を含み、前記材料は共に又は別々に付着する。前記材料はそれぞれ並行して又は順次のいずれかで付着する。
【０４５５】
試料のプレート（すなわち第１のプレート及び第２のプレート）への付着は装置を用いて、又は検査対象からプレートまで直接的に行ってもよい。いくつかの実施形態において、装置を用いて試料を付着させる。装置はピペット、針、スティック、綿棒、管、噴射器、液体ディスペンサー、チップ、スティック、インクジェット、プリンター、噴射装置等を含むがそれらに限定されることはない。特定の実施形態において、試料を試料源の試料とＣＲＯＦプレートとの間の直接接触により付着させ、任意の装置を使用することはない（すなわち、試料とプレートとを一緒にして両者を接触させる）。これは「直接試料付着」という用語で呼ばれる。
【０４５６】
試料が直接的にプレートに付着する実例は、以下である：（ａ）穿刺された指（又は他の身体部位）とプレートとの間の直接的な接触；（ｂ）唾液をプレートに吐き出す；（ｃ）涙液とプレートとの間の直接接触により人の目から涙液を取り出す；（ｄ）汗液とプレートとの間の直接接触；及び（ｅ）直接的に息をプレートに吐き出して呼気を凝結させる等。このような直接付着方法はヒト及び動物に用いることができる。
【０４５７】
いくつかの実施形態において、直接的及び間接的（装置による）な試料付着が使用される。
【０４５８】
本発明において、単一プレート又は複数のプレートに付着した試料の体積（「試料体積」）は、最大０．００１  ｐＬ（ピコリットル）、最大０．０１  ｐＬ、最大０．１  ｐＬ、最大１  ｐＬ、最大１０  ｐＬ、最大１００  ｐＬ、最大１  ｎＬ（ナノリットル）、最大１０  ｎＬ、最大１００  ｎＬ、最大１μＬ（マイクロリットル）、最大１０μＬ、最大１００μＬ、最大１  ｍＬ（ミリリットル）、最大１０  ｍＬ又はこれらの値のいずれか２つの間の範囲である。
【０４５９】
いくつかの実施形態において、試料の付着は以下のステップを含む：（ａ）試料を１つの又は両方のプレートに配置し、（ｂ）ＣＲＯＦ過程における第２のプレートを圧縮する以外の方式を用いて試料を広げる。試料を広げる方法は別の装置（例えばスティック、カッタ）を使用すること、ブローイング又はその他を含む。
【０４６０】
試料変形
ＣＲＯＦ過程において、いくつかの実施形態において、試料はほぼ非圧縮性液体（形状変形下で一定の体積を保持する液体を指す）のように振る舞うため、試料厚さの変化は試料面積の変化を引き起こす。いくつかの実施形態において、試料は圧縮液体のように振る舞うが、ＣＲＯＦ過程の間にその厚さが減少する時に、横方向面積はなお拡大する。特定の実施形態において、試料は液体、ゲル又はソフト固体であり、ＣＲＯＦ過程においてその厚さが減少する時に横方向面積が拡大すればよい。
【０４６１】
本発明の開示において、「第１のプレート及び第２のプレートに対向する」は第１のプレート又は第２のプレート又は両者の位置及び方向を操作することにより試料を第１のプレートと第２のプレートの内表面の間にあるようにする過程である。いくつかの実施形態において、「第１のプレート及び第２のプレートに対向する」という動作は、人の手、特定の装置を有する人の手又は人の手のない自動装置により実行する。
【０４６２】
いくつかの実施形態において、厚さは最大１  ｍｍ、最大１００μｍ、最大２０μｍ、最大１０μｍ又は最大２μｍである。いくつかの実施形態において、厚さは少なくとも０．１μｍである。いくつかの実施形態において、厚さの計測をさらに含む。
【０４６３】
いくつかの実施形態において、試料の関連体積の厚さ変化は、関連領域の有効直径の最大３００％、最大１００％、最大３０％、最大１０％、最大３％、最大１％、最大０．３％又は最大０．１％である。
【０４６４】
いくつかの実施形態において、厚さは少なくとも部分的にプリセット高さにより決定される。
【０４６５】
５  分析物、実体、結合部位、貯蔵部位及び搬送媒体
本発明において、実体はタンパク質、アミノ酸、核酸、脂質、炭水化物、代謝産物、細胞又はナノ粒子のうちの一種を含むがそれらに限定されることはない。
【０４６６】
いくつかの実施形態において、結合部位は実体に結合するように構成された結合パートナーを含む。
【０４６７】
いくつかの実施形態において、結合部位は該結合部位に結合された実体を含む。
【０４６８】
いくつかの実施形態において、試料の配置は試料を結合部位内に配置することを含む。
【０４６９】
いくつかの実施形態において、試薬はタンパク質、アミノ酸、核酸、脂質、炭水化物及び代謝産物のうちの少なくとも一種を含む。
【０４７０】
特定の実施形態において、貯蔵部位は乾燥試薬を含む。
【０４７１】
いくつかの実施形態において、貯蔵部位は試料と接触すると貯蔵部位から放出されるように構成された試薬を含む。
【０４７２】
いくつかの実施形態において、第１の貯蔵部位及び第２の貯蔵部位は一つの共同の貯蔵部位中に位置する。
【０４７３】
いくつかの実施形態において、搬送媒体は試料である。いくつかの実施形態において、搬送媒体は液体であり、ここで試薬又は実体は該液体に溶解しかつ拡散できる。
【０４７４】
いくつかの実施形態において、プレートは複数の貯蔵部位を有する。別の実施形態において、一つの貯蔵部位は様々な試薬を有する。
【０４７５】
異なる放出時間  いくつかの実施形態において、プレートはプレートの異なる位置に複数の貯蔵部位を有するか又は一つの貯蔵部位に複数の試薬を保存し、試薬は貯蔵部位に試料と接触すると放出され、しかし同じ貯蔵部位の異なる試薬又は異なる貯蔵部位の試薬は異なる時間に放出される。
【０４７６】
いくつかの実施形態において、第１の試薬は試料と接触すると第１の平均放出時間内に第１の貯蔵部位から放出されるように配置され、第２の試薬は試料と接触すると第２の平均放出時間内に第２の貯蔵部位から放出されるように配置され、ここで第１の平均放出時間は第２の平均放出時間より小さい。
【０４７７】
いくつかの実施形態において、第１の試薬は試料と接触すると第１の貯蔵部位から放出されるように配置され、ここで第２の試薬は結合試薬である。
【０４７８】
いくつかの実施形態において、付着は、少なくとも一種の試薬を対応するプレートに結合することを含む。
【０４７９】
いくつかの実施形態において、接触は、少なくとも一種の試薬を対応するプレートから放出することを含む。
【０４８０】
いくつかの実施形態において、付着は、第１の試薬及び第２の試薬を付着させることを含み、ここで接触は第２の試薬の前に第１の試薬を放出することを含む。
【０４８１】
いくつかの実施形態において、少なくとも一つのプレートは貯蔵部位を含み、該貯蔵部位は試料の関連体積に添加される試薬を含む。
【０４８２】
いくつかの実施形態において、試薬はタンパク質、アミノ酸、核酸、脂質、炭水化物及び代謝産物のうちの少なくとも１種を含む。
【０４８３】
いくつかの実施形態において、貯蔵部位は乾燥試薬を含む。
【０４８４】
いくつかの実施形態において、貯蔵部位は試料と接触すると貯蔵部位から放出されるように構成された試薬を含む。
【０４８５】
いくつかの実施形態において、貯蔵部位は第１の貯蔵部位であり、かつ試薬は第１の試薬であり、ここで装置は第２の貯蔵部位を含み、それは試料の関連体積に添加される第２の試薬を含み、ここで第２の貯蔵部位はプレートの一つに位置する。
【０４８６】
いくつかの実施形態において、第１の貯蔵部位及び第２の貯蔵部位は１つの共同の貯蔵部位中に位置する。
【０４８７】
いくつかの実施形態において、第１の試薬は試料と接触すると第１の平均放出時間内に第１の貯蔵部位から放出されるように配置され、第２の試薬は試料と接触すると第２の平均放出時間内に第２の貯蔵部位から放出されるように配置され、第１の平均放出時間は第２の平均放出時間より小さい。
【０４８８】
いくつかの実施形態において、少なくとも一種の試薬は対応するプレートに乾燥される。
【０４８９】
キットのいくつかの実施形態において、少なくとも一種の試薬は対応するプレートに結合される。
【０４９０】
キットのいくつかの実施形態において、少なくとも一種の試薬は、試料と接触した後に対応するプレートから放出されるように配置される。
【０４９１】
キットのいくつかの実施形態において、第１の試薬はプレートのうちの一つ又は両方に位置し、第２の試薬はプレートのうちの一つ又は両方に位置し、ここで第１の試薬は試料と接触すると第１の平均放出時間内に対応するプレートから放出されるように配置され、第２の試薬は試料と接触すると第２の平均放出時間内に対応するプレートから放出されるように配置され、ここで第１の平均放出時間は第２の平均放出時間より小さい。
【０４９２】
装置のいくつかの実施形態において、貯蔵部位は第１の貯蔵部位であり、かつ試薬は第１の試薬であり、装置は第２の貯蔵部位を含み、それは試料の関連体積に添加される第２の試薬を含み、第２の貯蔵部位はプレートの１つに位置する。
【０４９３】
６  一部の試料内の局所的結合又は混合（Ｐ）
いくつかの応用において、試料全体中の分析物ではなく、一部の試料中の分析物のみを捕捉（結合）する結合部位を有することが望ましい。場合によっては、試薬が試料全体に添加されず、一部の試料に添加（すなわち、混合）されることが望ましい。一般的には試料の一部と試料のほかの部分との間に流体的分離がないことが望ましい。特定の多重検出において、このような要求が好ましいか又は必要である。
【０４９４】
本発明はＣＲＯＦ方法及び装置を使用することにより、試料を厚さが試料の一部の横方向寸法より小さい超薄膜に再形成し、それにより上記要件に解決手段を提供し、ここで試料の一部の内部の分析物のみが捕捉され、又は該一部の試料のみが試薬と混合される。このようなアプローチの作業原理は以下のとおりである：試料厚さが一部の試料の横方向寸法より小さい場合、表面による分析物の捕捉又は表面上に配置された試薬の混合は主に分析物及び試薬の厚さ方向における拡散により制限され、ここで水平拡散の拡散は比較的顕著ではない。例えば、試料を厚さ５μｍの薄膜に再形成し、試料中の捕捉すべき分析物の一部又は混合すべき試薬が５ｍｍ×５ｍｍの横方向寸法を有し、そして、分析物又は試薬の５μｍにわたる拡散時間が１０秒であれば、（拡散時間は拡散距離の２乗に比例するため）分析物又は試薬の５ｍｍ距離にわたる横方向拡散は１，０００，０００秒である。これは、試料の関心のある部分の横方向寸法と試料厚さとの適切な比率を選択することにより、一定の時間間隔内に、捕捉される分析物が主に関心のある試料部分から由来し、あるいは、試薬が主に関心のある試料部分に混合されることを意味している。
【０４９５】
６．１  試料の一部中の実体と表面との局所的結合（Ｐ：体積から表面へ）
Ｐ１．  試料の関連体積中の標的実体を表面上の結合部位に局所的に結合させる方法は、以下の（ｉ）〜（ｉｉ）を含む：
（ｉ）段落Ｘ１の方法におけるステップ（ａ）〜（ｄ）を実行し、閉鎖構成における試料厚さが結合部位の平均線形サイズより顕著に小さく、関連体積が、プレートが閉鎖構成にある時に結合部位に位置する試料体積であり、
（ｉｉ）（ｉ）の後、プレートが閉鎖構成にある時に、
（１）関連のある時間長さで試料をインキュベーションし、次にインキュベーションを停止し、あるいは、
（２）関連のある時間長さの最小値以上の時間で試料をインキュベーションし、次に、関連のある時間長さの最大値以下の時間内に、標的分析物の結合部位への結合を評価し、
前記関連のある時間長さは、
ｉ．標的実体が閉鎖構成で均一な厚さの層の厚さにわたって拡散することに必要な時間以上であり、そして
ｉｉ．標的実体が横方向に結合部位の最小の横方向寸法にわたって拡散することに要する時間より顕著に短く、
（１）におけるインキュベーションが終了する時又は（２）における評価期間において、結合部位に結合される大部分の標的実体は試料の関連体積から由来し、
インキュベーションにより、標的実体が結合部位に結合することを可能にし、関連体積は、閉鎖構成で結合部位にある試料の一部である。
【０４９６】
段落Ｐ２の方法において、用語「試料の関連体積の厚さは結合部位の最小平均サイズより顕著に小さい」は、結合部位の最小平均サイズと試料厚さとの比（「長さと厚さとの比」と呼ばれる）が少なくとも３、少なくとも５、少なくとも１０、少なくとも２０、少なくとも５０、少なくとも１００、少なくとも５００、少なくとも１，０００、少なくとも１０，０００、少なくとも１００，０００又はこれらの値の間の任意の範囲にあるということを指す。好ましい実施形態において、長さと厚さとの比は少なくとも３、少なくとも５、少なくとも１０、少なくとも２０、少なくとも５０、少なくとも１００、少なくとも５００、又はこれらの値の間の任意の範囲にある。
【０４９７】
段落Ｐ２の方法では、用語「標的実体が結合部位の最小の横方向寸法にわたって拡散することに要する時間より顕著に短い」は、結合部位の最小の横方向寸法にわたって拡散することに必要な時間と、試料厚さにわたって拡散することに要する時間との比（「長さと厚さとの拡散時間比」と呼ばれる）が、最小３、最小１０、最小５０、最小１０、最小１００、最小１，０００、最小１０，０００、最小１００，０００、最小１，００，０００、又はこれらの値の間の任意の範囲にあるということを意味する。好ましい実施形態において、長さと厚さとの拡散時間の比は少なくとも３、少なくとも１０、少なくとも５０、少なくとも１０、少なくとも１００、少なくとも１，０００、少なくとも１０，０００、又はこれらの値の間の任意の範囲にある。
【０４９８】
Ｐ２．  試料の関連体積中の実体を、表面にある結合部位に局所的に結合させるための装置は、
異なる構成になるように互いに対して移動可能な第１のプレート及び第２のプレートを含み、
第１のプレートはその表面に面積がプレート面積より小さい結合部位を有し、それは試料中の標的実体に結合するように配置され、該標的実体は試料中に拡散でき、そのうちの１つ又は両方のプレートはいずれもスペーサを含み、各スペーサはその対応するプレートに固定されて所定の高さを有し、
前記構成の１つは、２つのプレートが部分的に又は完全に離され、プレート間の間隔がスペーサにより調節されず、試料が前記プレートの１つ又は両方に付着する開放構成であり、
別の構成は、開放構成で試料を付着させた後に構成された閉鎖構成であり、前記閉鎖構成で、プレートは互いに対向し、スペーサ、結合部位及び少なくとも一部の試料はプレートの間に位置し、試料は結合部位の少なくとも一部と接触し、かつ試料の関連体積の厚さがプレート及びスペーサにより調節され、プレートが開放構成にある時に該厚さは試料の最大厚さより小さく、関連体積は試料の結合部位に位置する体積であり、
スペーサの高さは、閉鎖構成下で関連体積の厚さを結合部位の平均線形寸法の少なくとも３分の１よりも小さいように調節するように選択される。
【０４９９】
関連体積の厚さを結合部位の平均線形サイズの３分の１に調節することにより、実体の試料厚さにわたる拡散時間は、結合部位の平均線形サイズと等しい距離にわたる拡散時間の９分の１である。このような厚さ調節はインキュベーション時間の選択を可能にし、それにより、（ｉ）関連体積中の顕著な数量の標的実体は結合部位に結合され、及び（ｉｉ）結合部位に結合される顕著な数量の標的実体は試料の関連体積から由来するというインキュベーション結果を達成し、インキュベーションは標的実体を結合部位に結合することを可能にする。
【０５００】
例えば、インキュベーション時間が、実体が試料の関連体積の厚さにわたる拡散時間と等しいように設定される場合に、インキュベーション後に、関連体積内の大部分の実体はすでに結合部位に達し、かつレート方程式に従って結合され、最初（すなわちインキュベーション前）に関連体積の外に位置する実体は関連体積の周辺にのみ（比較的小さい体積）拡散でき、かつ結合部位の平均線形サイズと関連体積厚さとの比が大きくなるため、この体積の重要性が低減する。
【０５０１】
６．２  他のプレート表面上の結合部位（表面から別の表面）へのプレートの表面に貯蔵された実体の局所的結合
Ｐ３．  プレートの貯蔵部位に貯蔵された実体を別のプレート上の結合部位に局所的に結合する方法は、以下のステップ（ａ）〜（ｅ）を含む：
（ａ）異なる構成になるように互いに対して移動可能な第１のプレート及び第２のプレートを取得し、
前記第１のプレートがその表面に結合部位を有し、第２のプレートがその表面に結合部位に結合する実体を含む貯蔵部位を有し、前記結合部位の面積及び試薬部位の面積がその対応するプレートの面積より小さく、かつ前記プレートの１つ又は両方が、各々がその対応するプレートに固定され、かつ所定の高さを有するスペーサを含み、
（ｂ）前記実体がその中に溶解でき、かつ拡散できる搬送媒体を取得し、
（ｃ）プレートが開放構成に構成されている時に、プレートのうちの１つ又は両方に搬送媒体を付着させ、
前記開放構成とは、２つのプレートが部分的に又は完全に離され、プレート間の間隔がスペーサにより調節されない構成であり
（ｄ）（ｃ）の後、プレートを閉鎖構成にして前記搬送媒体を広げ、
閉鎖構成において、プレートが互いに対向して、スペーサ、結合部位、貯蔵部位及び少なくとも一部の搬送媒体がプレートの間に位置し、少なくとも一部の貯蔵部位が結合部位と直面し、その間に一部の搬送媒体を有し、搬送媒体の関連体積の厚さがプレート及びスペーサにより調節され、プレートが開放構成にある時に、該厚さが試料の最大の厚さより薄く、かつプレートの表面方向上の関連体積の平均線形寸法より顕著に小さく、
（ｅ）（ｄ）の後、プレートが閉鎖構成にある時に、試料を一定の時間インキュベーションしかつインキュベーションを停止させ、
結合部位に結合したかなりの数の実体が貯蔵部位からものであるようにインキュベーション時間を選択し、関連体積が結合部位にある搬送媒体の体積であり、インキュベーションが結合部位への実体の結合を可能にする。
【０５０２】
用語「少なくとも一部の貯蔵部位が結合部位と直面する」とは、該部位のある点から結合部位までの最短距離がプレートの閉鎖構成での関連体積の厚さと同じであることを指す。
【０５０３】
Ｐ４．  プレートの貯蔵部位に貯蔵された実体を別のプレート上の関連結合部位に結合する装置は、
異なる構成になるように互いに対して移動可能な第１のプレート及び第２のプレートを含み、前記第１のプレートはその表面に結合部位を有し、前記第２のプレートはその表面に結合部位に結合する実体を含む貯蔵部位を有し、前記結合部位の面積及び貯蔵部位の面積がそのそれぞれのプレートの面積より小さく、かつ前記プレートの１つ又は両方は、各々がそのそれぞれプレートで固定され、かつ所定の高さを有するスペーサを含み、
前記構成の１つは、２つのプレートが部分的に又は完全に離され、プレート間の間隔がスペーサにより調節されず、搬送媒体が２つのプレートの１つ又は両方に付着する開放構成であり、貯蔵部位上の実体は搬送媒体内に溶解でき、かつ拡散でき、
別の構成は、開放構成で搬送媒体を付着させた後に構成された閉鎖構成であり、閉鎖構成において、プレートが互いに対向して、スペーサ、結合部位、貯蔵部位及び少なくとも一部の搬送媒体がプレートの間に位置し、少なくとも一部の貯蔵部位が結合部位と直面し、その間に一部の搬送媒体を有し、搬送媒体の関連体積の厚さがプレート及びスペーサにより調節され、かつプレートが開放構成にある時に、該厚さが試料の最大の厚さより薄く、
前記関連体積は、プレートが閉鎖構成にある時に、貯蔵部位にある搬送媒体の体積であり、
スペーサの高さは、閉鎖構成下で関連体積の厚さを結合部位の平均線形寸法の少なくとも３分の１よりも小さいように調節するように選択される。
【０５０４】
少なくとも１つのスペーサは試料接触領域内に位置し、
スペーサは、所定のスペーサ間距離及び高さを有する。
【０５０５】
６．３  プレートの複数の貯蔵部位の実体を別のプレート上の複数の対応する結合部位に局所的に結合する方法
Ｐ５．  プレートの複数の貯蔵部位に貯蔵された実体を別のプレート上の複数の対応する結合部位に局所的に結合する方法は、以下のステップ（ａ）〜（ｅ）を含む：
（ａ）異なる構成になるように互いに対して移動可能な第１のプレート及び第２のプレートを取得し、
前記第１のプレートの表面が複数の結合部位を有し、第２のプレートの表面が複数の対応する貯蔵部位を有し、各対応する貯蔵部位が結合部位に対応する第２のプレートの位置に位置することにより、２つのプレートを対向して配置する場合、各結合部位が１つのみの貯蔵部位に重なり、プレートの１つ又は両方が、各々がその対応するプレートに固定され、かつ所定の高さを有するスペーサを含み、
（ｂ）貯蔵部位にある実体がその中に溶解でき、拡散できる搬送媒体を取得し、
（ｃ）プレートが開放構成に構成されている時に、プレートのうちの１つ又は両方に搬送媒体を付着させ、
前記開放構成とは、２つのプレートが部分的に又は完全に離され、プレート間の間隔がスペーサにより調節されない構成であり、
（ｄ）（ｃ）の後、プレートを閉鎖構成にして搬送媒体を広げ、
閉鎖構成で、２つのプレートが互いに対向して、スペーサ、結合部位、貯蔵部位及び少なくとも一部の搬送媒体がプレートの間に位置し、各結合部位が１つのみの対応する貯蔵部位と直面し、搬送媒体が、各結合部位の少なくとも一部及び各貯蔵部位の一部と接触し、搬送媒体の関連体積の厚さがプレート及びスペーサにより調節され、該厚さが、プレートが開放構成にある時の搬送媒体の最大の厚さより薄く、結合部位の平均線形寸法より顕著に小さく、
（ｅ）（ｄ）の後、プレートが閉鎖構成にある時に、試料を一定の時間インキュベーションしかつインキュベーションを停止させ、
各結合部位に結合したかなりの数の実体が対応する貯蔵部位からものであるようにインキュベーション時間を選択し、関連体積が結合部位にある搬送媒体の体積であり、インキュベーションが結合部位への実体の結合を可能にする。
【０５０６】
いくつかの実施形態において、間隔は試料結合領域に限定される。
【０５０７】
方法Ｐ５のいくつかの実施形態において、搬送媒体は、標的分析物を有する試料であり、結合部位は捕捉剤を含み、貯蔵部位における実体は検出剤であり、標的分析物は捕捉剤及び検出剤に結合して、捕捉剤−分析物−検出剤サンドイッチを形成する。より短い飽和アッセイ時間のために、分析物及び検出剤について、より薄い試料厚さとより短い垂直拡散時間を有するように、より小さいスペーサの高さを使用することによって、方法Ｐ５は、アッセイステップを簡略化し、アッセイ時間を短縮することができる。
【０５０８】
Ｐ６．  プレートの複数の貯蔵部位に貯蔵された実体を別のプレート上の複数の対応する結合部位に局所的に結合する装置は、
異なる構成になるように互いに対して移動可能な第１のプレート及び第２のプレートを含み、
前記第１のプレートの表面は複数の結合部位を有し、第２のプレートの表面は複数の対応する貯蔵部位を有し、各対応する貯蔵部位が結合部位に対応する第２のプレートの位置に位置することにより、２つのプレートを対向して配置する場合、各結合部位は１つのみの貯蔵部位に重なり、プレートの１つ又は両方は、各々がその対応するプレートに固定され、かつ所定の高さを有し、
前記構成の１つは、２つのプレートが部分的に又は完全に離され、プレート間の間隔がスペーサにより調節されず、搬送媒体が２つのプレートの１つ又は両方に付着する開放構成であり、貯蔵部位上の実体は搬送媒体内に溶解でき、かつ拡散でき、
別の構成は、開放構成で搬送媒体を付着させた後に構成された閉鎖構成であり、閉鎖構成において、２つのプレートが互いに対向して、スペーサ、結合部位、貯蔵部位及び少なくとも一部の搬送媒体がプレートの間に位置し、各結合部位は１つのみの対応する貯蔵部位と直面し、搬送媒体は、各結合部位の少なくとも一部及び各貯蔵部位の一部と接触し、搬送媒体の関連体積の厚さがプレート及びスペーサにより調節され、プレートが開放構成にある時に、該厚さが搬送媒体の最大の厚さより薄く、
前記関連体積は、プレートが閉鎖構成にある時に、貯蔵部位にある搬送媒体の体積であり、
所定のスペーサ高さを選択して、開放構成で関連体積の厚さを調節することにより、それが結合部位の平均線形寸法より顕著に小さい。
【０５０９】
６．４  試料の一部（表面から体積）への表面に貯蔵された試薬の局所的添加
Ｐ７．  試料の関連体積に局所的に試薬を添加する方法は、以下のステップ（ａ）〜（ｅ）を含む：
（ａ）異なる構成になるように互いに対して移動可能な第１のプレート及び第２のプレートを取得し、
前記第１のプレートが、その表面に試料の関連体積に添加される試薬の貯蔵部位を有し、該試薬が試料内に溶解し、かつ試料内に拡散でき、貯蔵部位の面積がプレートの面積より小さく、プレートの１つ又は両方がスペーサを含み、かつ各スペーサがその対応するプレートに固定され、かつ所定の高さを有し、
（ｂ）試料を取得し、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして前記試料を広げ、
閉鎖構成で、プレートが互いに対向して、スペーサ、貯蔵部位及び試料の少なくとも一部がプレートの間に位置し、試料が貯蔵部位の少なくとも一部と接触し、かつプレートと接触するその面積が、貯蔵部位と接触するその面積より大きく、試料の関連体積の厚さがプレート及びスペーサにより調節され、該厚さが、プレートが開放構成にある時の試料の最大の厚さより薄く、かつプレートの表面方向上の関連体積の平均線形寸法より顕著に小さく、
（ｅ）（ｄ）の後、プレートが閉鎖構成にある時に、試料を一定の時間インキュベーションしかつインキュベーションを停止させ、
（ｉ）試料内に溶解した大量の試薬が試料の関連体積に含まれ、かつ
（ｉｉ）試薬が該関連体積の顕著な部位にあるように
インキュベーション時間が選択され、関連体積が、プレートが閉鎖構成にある時に、結合部位にある試料の体積であり、インキュベーションが、結合部位への実体の結合を可能にする。
【０５１０】
Ｐ８．  プレートの表面に貯蔵された試薬を試料の関連体積に局所的に添加する装置は、
異なる構成になるように互いに対して移動可能な第１のプレート及び第２のプレートを含み、
前記第１のプレートは、その表面に試料の関連体積に添加される試薬の貯蔵部位を有し、該試薬が試料内に溶解し、かつ試料内に拡散でき、２つのプレートの１つ又は両方がスペーサを含み、かつ各スペーサがその対応するプレートに固定され、かつ所定の高さを有し、
前記構成の１つは、２つのプレートが部分的に又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートが互いに対向して、スペーサ、貯蔵部位及び試料の少なくとも一部がプレートの間に位置し、試料が貯蔵部位の少なくとも一部と貯蔵部位以外のプレート表面の少なくとも一部と接触し、試料の関連体積の厚さがプレート及びスペーサにより調節され、プレートが開放構成にある時に、該厚さが試料の最大の厚さよりわずかに薄く、関連体積は、プレートが閉鎖構成にある時に、貯蔵部位にある試料の体積であり、
所定のスペーサ高さを選択して、プレートの開放構成で関連体積の厚さを調節することにより、それはプレートの表面方向上の関連体積の平均線形寸法より３倍小さい。
【０５１１】
７  結合部位（Ｗ）上の捕捉剤−分析物−検出剤サンドイッチの形成
本発明の一態様は、ＣＲＯＦプロセスで、結合部位をプレートに配置し、かつ検出剤を貯蔵するための貯蔵部位を別のプレートの対応位置に配置することにより、固体表面上の結合部位に捕捉剤−分析物−検出剤サンドイッチを一段階で形成することである。
【０５１２】
７．１  インキュベーション（一般）の一段階による結合部位（Ｗ）上の捕捉剤−分析物−検出剤サンドイッチの形成
Ｗ１．  プレートの結合部位で捕捉剤−分析物−検出剤サンドイッチを形成する方法は、以下のステップ（ａ）〜（ｆ）を含む：
（ａ）試料内に拡散できる標的分析物を含有する試料を取得し、
（ｂ）標的分析物に結合（可能）して捕捉剤−標的分析物−検出剤サンドイッチを形成する捕捉剤及び検出剤を取得し、
（ｃ）異なる構成になるように互いに対して移動可能な第１のプレート及び第２のプレートを取得し、
前記第１のプレートが、捕捉剤が固定化された結合部位を有し、第２のプレートが、検出剤を貯蔵するための貯蔵部位を有し、貯蔵部位が試料と接触する場合、検出剤が試料内に溶解し、かつ試料内に拡散でき、プレートの１つ又は両方がスペーサを含み、かつ各スペーサがその対応するプレートに固定され、かつ所定の高さを有し、
（ｄ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｅ）（ｄ）の後、プレートを閉鎖構成にして前記試料を広げ、
前記閉鎖構成で、プレートが互いに対向して、スペーサ及び試料の関連体積がプレートの間に位置し、試料の関連体積の厚さがプレート及びスペーサにより調節され、プレートが開放構成にある時に、該厚さが試料の厚さより薄く、試料が結合部位及び貯蔵部位と接触し、
（ｆ）（ｅ）の後、プレートが閉鎖構成にある時に、試料を一定の時間インキュベーションして、捕捉剤−標的分析物−検出剤サンドイッチの形成を可能にし、
前記関連体積は、試料の少なくとも一部又は全体積である。
【０５１３】
Ｗ２．  プレートの結合部位で捕捉剤−分析物−検出剤サンドイッチを形成する装置は、
異なる構成になるように互いに対して移動可能な第１のプレート及び第２のプレートを含み、
第１のプレートは、捕捉剤が固定化された結合部位を有し、第２のプレートは、検出剤を貯蔵するための貯蔵部位を有し、捕捉剤及び検出剤が試料中の標的分析物に結合（可能）して捕捉剤−標的分析物−検出剤サンドイッチを形成し、貯蔵部位が試料と接触する場合、検出剤は試料内に溶解し、かつ試料内に拡散でき、プレートの１つ又は両方がスペーサを含み、かつ各スペーサがその対応するプレートに固定され、かつ所定の高さを有し、
構成の１つは、プレートが部分的に又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、試料の関連体積の厚さがプレート及びスペーサにより調節され、プレートが開放構成にある時に、該厚さが試料の厚さより薄く、試料が結合部位及び貯蔵部位と接触し、
前記関連体積は、試料の少なくとも一部又は全体積である。
【０５１４】
７．２  試料の一部（すなわち、局所的）からの分析物を用いて、単一ステップインキュベーションで結合部位に捕捉剤−分析物−検出剤サンドイッチを形成する
Ｗ３．  試料の一部からの分析物を用いてプレートの結合部位に捕捉剤−分析物−検出剤サンドイッチを形成する方法は、以下のステップ（ａ）〜（ｆ）を含む：
（ａ）その中に拡散できる標的分析物を含有する試料を取得し、
（ｂ）標的分析物に結合して捕捉剤−標的分析物−検出剤サンドイッチを形成する捕捉剤及び検出剤を取得し、
（ｃ）異なる構成になるように互いに対して移動可能な第１のプレート及び第２のプレートを取得し、
前記第１のプレートが、捕捉剤が固定化された結合部位を有し、第２のプレートが、検出剤を貯蔵するための貯蔵部位を有し、貯蔵部位が試料と接触する場合、検出剤が試料内に溶解し、かつ試料内に拡散でき、プレートの１つ又は両方がスペーサを含み、かつ各スペーサがその対応するプレートに固定され、かつ所定の高さを有し、
（ｄ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｅ）（ｄ）の後、プレートを閉鎖構成にして前記試料を広げ、
閉鎖構成で、プレートが互いに対向して、スペーサ、結合部位及び貯蔵部位がプレートの間に位置し、結合部位及び貯蔵部位が試料の関連体積と接触し、試料の関連体積の厚さがプレート及びスペーサにより調節され、該厚さが、プレートが開放構成にある時の試料の厚さより薄く、結合部位の平均線形寸法より顕著に小さく、
（ｆ）（ｅ）の後、プレートが閉鎖構成にある時に、試料を一定の時間インキュベーションしかつインキュベーションを停止させ、
結合部位に形成したかなりの数の捕捉剤−分析物−検出剤サンドイッチが試料の関連体積からの分析物を含むようにインキュベーション時間を選択し、関連体積が結合部位にある試料の体積であり、インキュベーションが捕捉剤−分析物−検出剤サンドイッチの形成を可能にする。
いくつかの実施形態において、部位寸法に対する間隔の比は１／５未満であってもよい。
【０５１５】
Ｗ４．  試料の一部からの分析物を用いてプレートの結合部位に捕捉剤−分析物−検出剤サンドイッチを形成する装置は、
異なる構成になるように互いに対して移動可能な第１のプレート及び第２のプレートを含み、
前記第１のプレートは、捕捉剤が固定化された結合部位を有し、前記第２のプレートは、検出剤を貯蔵するための貯蔵部位を有し、捕捉剤及び検出剤が試料中の標的分析物に結合（可能）して捕捉剤−標的分析物−検出剤サンドイッチを形成し、前記貯蔵部位が試料と接触する場合、検出剤は試料内に溶解し、かつ試料内に拡散でき、前記プレートの１つ又は両方がスペーサを含み、各スペーサがその対応するプレートに固定され、かつ所定の高さを有し、
前記構成の１つは、２つのプレートが部分的に又は完全に離され、プレート間の間隔がスペーサにより調節されず、試料が前記プレートの１つ又は両方に付着する開放構成であり、
別の構成は、開放構成で試料を付着させた後に構成された閉鎖構成であり、前記閉鎖構成で、プレートが互いに対向して、スペーサ、結合部位及び貯蔵部位がプレートの間に位置し、結合部位及び貯蔵部位が試料の関連体積と接触し、試料の関連体積の厚さがプレート及びスペーサにより調節され、プレートが開放構成にある時に、該厚さが試料の厚さより薄く、関連体積は結合部位にある試料の体積であり、
スペーサの高さを選択して、閉鎖構成で関連体積の厚さを調節することにより、それが結合部位の平均線形寸法より顕著に小さい。
【０５１６】
７．３  拡散距離（Ｗ、Ｘ）を減少させることにより結合部位に捕捉剤−分析物−検出剤サンドイッチを形成する時間を短縮する方法
Ｗ５．  プレートの結合部位に捕捉剤−分析物−検出剤サンドイッチを形成する時間を短縮する方法は、以下のステップ（ａ）〜（ｅ）を含む：
（ａ）試料内に拡散できる標的分析物を含有する試料を取得し、
（ｂ）標的分析物に結合して捕捉剤−標的分析物−検出剤サンドイッチを形成する捕捉剤及び検出剤を取得し、
（ｃ）異なる構成になるように互いに対して移動可能な第１のプレート及び第２のプレートを取得し、
前記第１のプレートが、捕捉剤が固定化された結合部位を有し、第２のプレートが、検出剤を貯蔵するための貯蔵部位を有し、貯蔵部位が試料と接触する場合、検出剤が試料内に溶解し、かつ試料内に拡散でき、プレートの１つ又は両方がスペーサを含み、かつ各スペーサがその対応するプレートに固定され、かつ所定の高さを有し、
（ｄ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｅ）（ｄ）の後、プレートを閉鎖構成にして前記試料を広げて、
閉鎖構成で、プレートが互いに対向して、スペーサ、結合部位及び貯蔵部位がプレートの間に位置し、結合部位が貯蔵部位と重なり、結合部位及び貯蔵部位が試料の関連体積と接触し、試料の関連体積の厚さがプレート及びスペーサにより調節され、該厚さが、プレートが開放構成にある時の試料の厚さより薄く、試料厚さを減少させることにより、試料の厚さ方向に分析物及び検出剤が拡散する時間を減少させ、関連体積が試料の全体積の少なくとも一部である。
【０５１７】
関連体積中の標的実体が結合部位に結合することを可能にする時間は、閉鎖構成がない時間より短い。
【０５１８】
該方法は、プレート間の試料を除去し、プレートが閉鎖構成又は開放構成にある時に実行される洗浄ステップをさらに含む。
【０５１９】
該方法は、結合部位に固定化された捕捉剤−分析物−検出剤サンドイッチから信号を読み取るステップをさらに含む。洗浄後、又はいかなる洗浄もない場合に、読み取る。
【０５２０】
上記又は下記のように、該方法は、さらに多重化されてもよい。
【０５２１】
Ｗ６．  プレートの結合部位に捕捉剤−分析物−検出剤サンドイッチを形成する時間を短縮する装置は、
異なる構成になるように互いに対して移動可能な第１のプレート及び第２のプレートを含み、
前記第１のプレートは、捕捉剤が固定化された結合部位を有し、前記第２のプレートは、検出剤を貯蔵するための貯蔵部位を有し、捕捉剤及び検出剤が試料中の標的分析物に結合（可能）して捕捉剤−標的分析物−検出剤サンドイッチを形成し、前記貯蔵部位が試料と接触する場合、検出剤は試料内に溶解し、かつ試料内に拡散でき、前記プレートの１つ又は両方がスペーサを含み、各スペーサがその対応するプレートに固定され、かつ所定の高さを有し、
前記構成の１つは、２つのプレートが部分的に又は完全に離され、プレート間の間隔がスペーサにより調節されず、試料が前記プレートの１つ又は両方に付着する開放構成であり、
別の構成は、開放構成で試料を付着させた後に構成された閉鎖構成であり、前記閉鎖構成で、プレートが互いに対向して、スペーサ、結合部位及び貯蔵部位がプレートの間に位置し、結合部位が貯蔵部位と重なり、結合部位及び貯蔵部位が試料の関連体積と接触し、試料の関連体積の厚さがプレート及びスペーサにより調節され、プレートが開放構成にある時に該厚さが試料の厚さより薄く、試料厚さを減少させることにより、試料の厚さ方向に分析物及び検出剤が垂直に拡散する時間を短縮し、関連体積は試料の全体積の少なくとも一部である。
【０５２２】
これらの実施形態において、該方法は、捕捉剤をプレートに取り付けることを含んでもよく、該取り付けは、捕捉剤とプレート上の反応基との化学的反応によって行われる。別のプレートは、プレートが閉鎖された後、貼り付けられた捕捉剤と検出剤が互いに対向するように、ある位置で乾燥した１つの検出剤を含んでもよい。次に、上記のように、該方法は、標的分析物含有試料を装置と接触させ、かつプレートを閉鎖することを含んでもよい。検出剤は、試料内に溶解しかつ拡散する。標的分析物が溶液にあるため、標的分析物は捕捉剤によって結合され、かつプレートの１つの表面に固定化される。検出剤は、捕捉剤に結合する前又はその後に標的分析物に結合することができる。場合によっては、該方法は、捕捉剤に結合していない全ての標的分析物、又は結合していない全ての検出試薬を除去する（例えば、結合緩衝液中のプレートの表面を洗浄することによる）ことを含んでもよく、検出剤は、光学的に検出可能な標識と結合することができ、それにより標的分析物を検出する方法を提供する。標的分析物に結合していない検出剤を任意で除去した後、プレートに結合した検出剤から光信号（例えば、波長範囲が３００ｎｍ〜１２００ｎｍの光）を（例えば、読み取りシステムを用いる）読み取るために、該システムを読み取ることができる。さらに、上述したように、検出剤は、直接標識されてもよく（この場合、検出剤は、１つのプレートに付着する前に、発光標識と緊密に接続されてもよい）、又は間接的に標識されてもよい（すなわち、結合検出剤及び二次捕捉剤、例えば標識された二次抗体又は標識された核酸により、二次捕捉剤が検出剤に特異的に結合されかつ発光標識に接続される）。いくつかの実施態様において、該方法は、遮断剤を含むことにより、捕捉剤と非標的分析物との非特異的結合を防止することができる。標的分析物と他の試薬との特異的結合の適切な条件は、適切な温度、時間、溶液ｐＨ値、周囲光強度、湿度、化学試薬濃度、抗原−抗体比等を含み、これらはいずれも周知であるか、又は現在の開示から容易に取得するものである。捕捉剤とその結合パートナー（分析物を含む）との間の分子相互作用の一般的な方法は、当該技術分野において周知である（例えば、Ｈａｒｌｏｗら、抗体：Ａ  Ｌａｂｏｒａｔｏｒｙ  Ｍａｎｕａｌ、第１版（１９８８）Ｃｏｌｄ  ｓｐｒｉｎｇ  Ｈａｒｂｏｒ、Ｎ．Ｙ．、Ａｕｓｕｂｅｌら、Ｓｈｏｒｔ  Ｐｒｏｔｏｃｏｌｓ  ｉｎ  Ｍｏｌｅｃｕｌａｒ  Ｂｉｏｌｏｇｙ、第３版、Ｗｉｌｅｙ＆Ｓｏｎｓ、１９９５を参照）。上記及び下記の方法は例示的なものであり、本明細書の方法は、アッセイを行う唯一の方法ではない。
【０５２３】
特定の実施形態において、タンパク質分析物（例えば、ＤＮＡ又はＲＮＡ結合タンパク質）を捕捉するために、核酸捕捉剤を使用することができる。代替実施形態において、核酸分析物を捕捉するために、タンパク質捕捉剤（例えば、ＤＮＡ又はＲＮＡ結合タンパク質）を使用することができる。
【０５２４】
試料は、細胞、組織又は体液からの臨床試料であってもよい。関心対象となる体液は、羊水、房水、硝子体液、血液（例えば全血、分画血液、血漿、血清等）、母乳、脳脊髄液（ＣＳＦ）、耳垢（耳あか）、乳糜、糜汁、内リンパ液、外リンパ液、糞便、胃酸、胃液、リンパ液、粘液（鼻漏及び粘液質を含む）、心膜液、腹膜液、胸膜液、膿液、炎症性分泌物、唾液、皮脂（皮膚の油）、精液、喀痰、汗、滑液、涙液、嘔吐物、尿及び呼気凝縮液を含むが、これらに限定されない。
【０５２５】
該アッセイの一実施形態において、プレートを標的分析物（例えば標的タンパク質）含有の試料と接触させ、その後にプレートを閉鎖する。試料は、特異的結合に適した全ての必要な試薬（例えば、塩等）条件を含むか、又は含有するように修正される。捕捉剤（例えば抗体）及び検出剤は、試料中の標的分析物に特異的に結合し、それにより標識された１つの分析物を検出することができる。
【０５２６】
任意の実施形態のように、試料中の標的分析物の量を計測して、試料中の標的分析物の量の定性的又は定量的計測を提供することができる。いくつかの実施形態において、信号の大きさは、試料中の標的分析物の量の定量的計測を提供する。場合によっては、特定の場合に既知の濃度であってもよい標準曲線（例えば、第２の分析物又はスパイクイン分析物の標準曲線）と評価を比較することができる。異なる密度（例えば、異なる濃度）で捕捉剤を付着させ、かつ各捕捉剤から信号を読み取ることにより、該比較を促進することができる。
【０５２７】
８  小体積（Ｖ）の試料及び試薬での結合及び添加
多くの応用において、可能な限り少量の体積の試料又は試薬を使用することは非常に望ましい。しかしながら、マイクロ流体チャネルデバイス（現在に、小さい試料を使用する最も普及している装置）において、デバイスの入口から検査（検出）領域に流れる間に、大量の試料を浪費するため、検査位置の体積より大きい試料体積を必要とする。本発明の一態様は、小体積の試料又は試薬をプレートに付着させ、その後に該体積を、小さい厚さと以前より大きい面積とを有する薄膜に再成形することにより、検査中に使用される試料又は試薬の体積を顕著に減少させることである。このような再形成により、反応をより迅速にする。
【０５２８】
８−１  試料を広げることにより、小体積の試料中の標的実体を表面結合部位に結合すること
Ｖ１．  試料中の標的実体を結合部位に結合する方法は、以下のステップ（ａ）〜（ｃ）を含む：
（ａ）異なる構成になるように互いに対して移動可能な第１のプレート及び第２のプレートを取得し、
前記第１のプレートが、その表面に結合部位を有し、前記プレートの１つ又は両方が、各々がその対応するプレートに固定され、かつ所定の高さを有するスペーサを含み、
（ｂ）結合部位に結合される標的実体含有の試料を取得し
（ｃ）プレートが開放構成に構成されている時に、プレートのうちの１つ又は両方に試料を付着させ、
開放構成とは、２つのプレートが部分的に又は完全に離され、プレート間の間隔がスペーサにより調節されず、かつ付着させた試料は結合部位の領域又は一部の領域を覆わず、
（ｄ）（ｃ）の後、プレートを閉鎖構成にして前記試料を広げ、
閉鎖構成で、プレートが互いに対向して、スペーサ及び試料の関連体積がプレートの間に位置し、プレートが開放構成にある時に比べて、結合部位と接触する試料の領域がより大きく、かつ結合部位にある試料の関連体積の厚さがプレート及びスペーサにより調節され、関連体積が試料の一部又は全体積である。
【０５２９】
Ｖ２．  試料中の標的実体を表面結合部位に結合する装置は、
異なる構成になるように互いに対して移動可能な第１のプレート及び第２のプレートを含み、
前記第１のプレートは、その表面に試料中の標的実体と結合する結合部位を有し、試料を１つのみのプレートに付着させ、かつ別のプレートと接触しない場合、結合部位は試料接触領域より大きい領域を有し、
プレートの１つ又は両方は、各々がその対応するプレートに固定され、かつ所定の高さを有するスペーサを含み、
前記構成の１つは、２つのプレートが部分的に又は完全に離され、プレート間の間隔がスペーサにより調節されず、試料が前記プレートの１つ又は両方に付着し、かつ付着時に結合部位の領域又は一部の領域を覆わない開放構成であり、
別の構成は、開放構成で試料を付着させた後に構成された閉鎖構成であり、前記閉鎖構成で、プレートが互いに対向し、スペーサ及び試料がプレートの間に位置し、プレートが開放構成にある時に比べ、試料が結合部位のより多くの領域と接触し、結合部位上の試料の厚さがプレート及びスペーサにより調節される。
【０５３０】
８−２  試料を広げて試薬を小体積の試料に添加すること
Ｖ３．  試料中の標的実体を結合部位に結合する方法は、以下のステップ（ａ）〜（ｃ）を含む：
（ａ）異なる構成になるように互いに対して移動可能な第１のプレート及び第２のプレートを取得し、
前記第１のプレートが、その表面に試料に添加される試薬を含む貯蔵部位を有し、前記プレートの１つ又は両方がスペーサを含み、かつ各スペーサがそのそれぞれのプレートで固定され、かつ所定の高さを有し、
（ｂ）プレートが開放構成に構成されている時に、プレートのうちの１つ又は両方に試料を付着させ、
開放構成で、２つのプレートが部分的に又は完全に離され、プレート間の間隔がスペーサにより調節されず、かつ付着時に試料が貯蔵部位の領域と接触しないか又は一部の領域と接触し、
（ｃ）（ｂ）の後、プレートを閉鎖構成にする前記試料を広げ、
閉鎖構成において、プレートが互いに対向し、スペーサ及び試料の関連体積がプレートの間に位置し、プレートが開放構成にある時に比べ、試料が貯蔵部位のより多くの領域と接触し、結合部位上の試料の関連体積の厚さをスペーサにより調節し、関連体積が貯蔵部位に位置する試料の一部である。
【０５３１】
Ｖ４．  試料中の標的実体を結合部位に結合する装置は、
異なる構成になるように互いに対して移動可能な第１のプレート及び第２のプレートを含み、
前記第１のプレートは、その表面に試料に添加される試薬を含む貯蔵部位を有し、プレートの１つ又は両方がスペーサを含み、かつ各スペーサがそのそれぞれのプレートで固定され、かつ所定の高さを有し、
プレートの１つ又は両方は、各々がその対応するプレートに固定され、かつ所定の高さを有するスペーサを含み、
１つの構成は、２つのプレートが部分的に又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートが互いに対向し、スペーサ及び試料の関連体積がプレートの間に位置し、プレートが開放構成にある時に比べ、試料が貯蔵部位のより多くの領域と接触し、結合部位上の試料の関連体積の厚さをスペーサにより調節し、関連体積が貯蔵部位に位置する試料の一部である。
【０５３２】
段落Ｖ１及びＶ２に記載の方法とＶ３及びＶ４に記載の装置において、場合によっては、試料が少量で表面に湿潤性があるため、試料を結合部位領域又は貯蔵領域に付着させても、付着させた試料とプレートとの接触面積が結合部位又は貯蔵部位の面積より小さい。従って、広げること、特に正確に広げることが必要とされる。
【０５３３】
試料の滴は複数の滴であってもよく、閉鎖構成では、滴が、最大の厚さより小さい厚さを有するフィルムに融合する。
【０５３４】
本発明において、段落Ｖ１〜Ｖ７に記載の方法及び段落Ｖ２〜Ｖ８に記載の装置において、単一のプレート又は複数のプレートに付着した試料の体積（「試料体積」）は、最大０．００１ｐＬ（ピコリットル）、最大０．０１ｐＬ、最大０．１ｐＬ、最大１ｐＬ、最大１０ｐＬ、最大１００ｐＬ、最大１ｎＬ（ナノリットル）、最大１０ｎＬ、最大１００ｎＬ、最大１μＬ（マイクロリットル）、最大１０μＬ、最大１００μＬ、最大１ｍＬ（ミリリットル）、最大１０ｍＬ、又はこれらの値のいずれか２つの間の範囲である。
【０５３５】
９  均一な試料の厚さ（ＵＡＢ）を用いる試薬の均一な結合又は添加
アッセイ及び化学反応にとって、非常に大きい領域で薄い試料厚さを均一にすることが有利である。これらの実施例は、試料の実体を表面結合部位に結合すること、試薬を試料内に添加すること、試料の関連体積を定量化すること、分析物を定量化すること等を含む。２つのプレートを用いて試料の関連体積（一部又は全体積）の厚さを低減して調整する方法について、正確さ、均一性及び使いやすさは不可欠である。
【０５３６】
本発明の１つの態様は、２つのプレートを用いて試料を圧縮することにより、試料の関連体積の厚さを調節する方法及び／又は装置の精度、均一性又は使用しやすさを改善することである。
【０５３７】
９．１  試料中の標的実体を試料中の結合部位に均一に結合する方法
ＵＡＢ１．  試料中の標的実体をプレートの結合部位に均一に結合する方法は、以下のステップ（ａ）〜（ｄ）を含む：
（ａ）試料内に拡散できる標的実体を含有する試料を取得し、
（ｂ）異なる構成になるように互いに対して移動可能な第１のプレート及び第２のプレートを取得し、
前記第１のプレートは、その表面に標的実体に結合するように構成された結合部位を有し、前記プレートの１つ又は両方は、その対応するプレートに固定され、かつ所定の高さを有するスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして前記試料を広げ、
閉鎖構成で、プレートが互いに対向し、スペーサ及び試料の関連体積がプレートの間に位置し、結合部位が関連体積と接触し、試料の関連体積の厚さがプレート及びスペーサにより調節され、該厚さが、プレートが開放構成にある時の試料の最大の厚さより薄く、結合部位でより均一であり、
スペーサ及びプレートは、閉鎖構成での試料の関連体積の調節された厚さが開放構成での調節された厚さより均一であるように構成され、該関連体積は、試料の体積の一部又は体積全体である。
【０５３８】
これは、結合部位の対応するプレートに、均一なサンドイッチを形成するための貯蔵部位をさらに有する。
【０５３９】
ＵＡＢ２．  試料中の標的実体をプレートの結合部位に均一に結合する装置は、
異なる構成になるように互いに対して移動可能な第１のプレート及び第２のプレートを含み、
前記第１のプレートは、その表面に標的実体に結合するように構成された結合部位を有し、前記プレートの１つ又は両方は、各々がその対応するプレートに固定され、かつ所定の高さを有するスペーサを含み、
前記構成の１つは、２つのプレートが部分的に又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、結合部位が関連体積と接触し、試料の関連体積の厚さがプレート及びスペーサにより調節され、プレートが開放構成にある時に、該厚さが試料の最大の厚さより薄くかつ結合部位でより均一であり、
スペーサ及びプレートは、閉鎖構成での試料の関連体積の調節された厚さが開放構成での調節された厚さより均一であるように構成され、該関連体積は、試料の体積の一部又は体積全体である。
【０５４０】
９．２  プレート上の試薬を試料内に均一に添加する方法
ＵＡＢ３．  試薬を試料の関連体積に均一に添加する方法は、以下のステップ（ａ）〜（ｄ）を含む：
（ａ）異なる構成になるように互いに対して移動可能な第１のプレート及び第２のプレートを取得し、
前記第１のプレートが、その表面に試料の関連体積に添加される試薬を含む貯蔵部位を有し、該試薬が試料内に溶解し、かつ試料内に拡散でき、２つのプレートの１つ又は両方がスペーサを含み、かつ各スペーサがそのそれぞれのプレートで固定され、かつ所定の高さを有し、
（ｂ）試料を取得し、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして前記試料を広げ、
閉鎖構成で、プレートが互いに対向して、スペーサ及び試料の関連体積がプレートの間に位置し、貯蔵部位が関連体積と接触し、試料の関連体積の厚さがプレート及びスペーサにより調節され、プレートが開放構成にある時に、該厚さが試料の最大の厚さより薄く、
スペーサ及びプレートが、プレート開放構成にある時に比べ、プレート閉鎖構成にある関連体積の領域にわたってより均一である試料の関連体積の厚さより均一であるように構成され、該関連体積が、試料の体積の一部又は体積全体である。
【０５４１】
ＵＡＢ４．  試薬を試料の関連体積に均一に添加する装置は、
異なる構成になるように互いに対して移動可能な第１のプレート及び第２のプレートを含み、
前記第１のプレートは、その表面に試料の関連体積に添加される試薬の貯蔵部位を有し、該試薬が試料内に溶解し、かつ試料内に拡散でき、２つのプレートの１つ又は両方がスペーサを含み、かつ各スペーサがその対応するプレートに固定され、かつ所定の高さを有し、
前記構成の１つは、２つのプレートが部分的に又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、貯蔵部位が関連体積と接触し、試料の関連体積の厚さがプレート及びスペーサにより調節され、プレートが開放構成にある時に、該厚さが試料の最大の厚さより薄く、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５４２】
９．３  捕捉−分析物−検出サンドイッチを均一に形成する方法
ＵＡＢ５．  プレートの接合部位で捕捉−分析物−検出サンドイッチを均一に形成する方法は、以下のステップ（ａ）〜（ｅ）を含む：
（ａ）標的分析物を含有する試料を取得し、
（ｂ）標的分析物に結合（可能）して捕捉剤−標的分析物−検出剤サンドイッチを形成する捕捉剤及び検出剤を取得し、
（ｃ）異なる構成にするように互いに相対的に移動可能な第１のプレート及び第２のプレートを取得し、
前記第１のプレートが、捕捉剤が固定化された結合部位を有し、第２のプレートが、検出剤を貯蔵するための貯蔵部位を有し、貯蔵部位が試料と接触する場合、試薬が試料内に溶解し、かつ試料内に拡散でき、プレートの１つ又は両方がスペーサを含み、かつ各スペーサがその対応するプレートに固定され、かつ所定の高さを有し、
（ｄ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｅ）（ｄ）の後、プレートを閉鎖構成にして前記試料を広げ、
閉鎖構成で、プレートが互いに対向して、スペーサ及び試料の関連体積がプレートの間に位置し、試料の関連体積の厚さがプレート及びスペーサにより調節され、該厚さが、プレートが開放構成にある時の試料の厚さより薄く、試料が結合部位及び貯蔵部位と接触し、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５４３】
ＵＡＢ６．  プレートの接合部位で捕捉−分析物−検出サンドイッチを均一に形成する装置は、
異なる構成になるように互いに対して移動可能な第１のプレート及び第２のプレートを含み、
第１のプレートは、捕捉剤が固定化された結合部位を有し、該捕捉剤が試料内の標的分析物と結合することができ、
第２のプレートは、（ａ）貯蔵部位が試料と接触する時に、試料内に溶解しかち試料内に拡散すること、（ｂ）標的分析物と結合し、かつ捕捉剤−標的分析物−検出剤サンドイッチを形成することを可能にする検出剤を貯蔵する貯蔵部位を有し、
１つ又は両方のプレートはスペーサを含み、各スペーサがその対応するプレートに固定されかつ所定の高さを有し、
構成の１つは、２つのプレートが部分的に又は完全に離され、プレート間の間隔がスペーサにより調節されず、試料が２つのプレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、試料の関連体積の厚さがプレート及びスペーサにより調節され、プレートが開放構成にある時に、該厚さが試料の厚さより薄く、試料が結合部位及び貯蔵部位と接触し、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５４４】
９．４  ２つのプレートの間の試料の関連体積の厚さを均一に調節すること
ＵＡＢ７．  試料の関連体積の厚さを調節する方法は、以下のステップ（ａ）〜（ｄ）を含む：
（ａ）試料を取得し、
前記試料の関連体積の厚さが調節され、
（ｂ）異なる構成になるように互いに対して移動可能な２つのプレートを取得し、
前記プレートの一つ又は両方が、所定のスペーサ間距離及び高さを有し、それぞれのプレートに固定されたスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして前記試料を広げ、
閉鎖構成で、プレートが互いに対向して、スペーサ及び試料の関連体積がプレートの間に位置し、試料の関連体積の厚さがプレート及びスペーサにより調節され、該厚さが、プレートが開放構成にある時の試料の最大の厚さより薄く、
スペーサ及びプレートが、プレート開放構成にある時に比べ、プレート閉鎖構成にある関連体積の領域にわたってより均一である試料の関連体積の厚さより均一であるように構成され、該関連体積が、試料の体積の一部又は体積全体である。
【０５４５】
ＵＡＢ８．  試料の関連体積の厚さを調節する装置は、
異なる構成になるように互いに対して移動可能な第１のプレート及び第２のプレートを含み、
前記１つ又は両方のプレートは、所定のスペーサ間距離及び高さを有し、それぞれのプレートに固定されるスペーサを含み、
前記構成の１つは、２つのプレートが部分的に又は完全に離され、プレート間の間隔がスペーサにより調節されず、試料が前記プレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、試料の関連体積の厚さがプレート及びスペーサにより調節され、プレートが開放構成にある時に、該厚さが試料の最大の厚さより薄く、
スペーサ及びプレートは、プレート開放構成にある時に比べ、プレート閉鎖構成にある関連体積の領域にわたってより均一である試料の関連体積の厚さより均一であるように構成され、該関連体積は、試料の体積の一部又は体積全体である。
【０５４６】
段落Ｕ１〜Ｕ８に記載の方法及び装置において、試料の関連体積の厚さを均一化するスペーサ及びプレートの構成は、本開示に記載の実施形態を有する。
【０５４７】
試料厚さの均一性  Ｕ１〜Ｕ８の段落の方法及び装置において、試料の関連体積の厚さの均一性とは、閉鎖構成における試料の厚さが、最大０．００１％、最大０．０１％、最大０．０５％、最大０．１％、最大０．５％、最大１％、最大２％、最大５％、最大１０％、最大２０％、最大３０％、最大５０％、最大７５％、最大９０％、１００％未満、又はこれらの値のいずれか２つの間の範囲で相対的に変動することである。
【０５４８】
段落Ｕ１〜Ｕ８の方法及び装置の好ましい実施形態において、試料の関連体積の厚さの均一性とは、閉鎖構成における試料の厚さが、最大０．１％、最大０．５％、最大１％、最大２％、最大５％、最大１０％、最大２０％、最大３０％、最大５０％、又はこれらの値のいずれか２つの間の範囲で相対的に変動することである。
【０５４９】
飽和インキュベーション時間の短縮に対して非常に重要なパラメータは、試料厚さの均一性である。結合部位で厚さが大きく変化すると、飽和インキュベーション時間は結合部位の位置によって異なり、より長い飽和インキュベーション時間を促成し、結合部位における全ての位置が飽和に達成することを確保する。
【０５５０】
１０  増幅表面
ＰｏＣ診断及び小さい試料体積を使用するいずれかのアッセイに対して、従来の主要障害の１つは、低い感度である。アッセイの信号を増強することが望ましい。本発明の１つの態様は、結合部位を信号増幅表面（ＳＡＳ）に載置して、信号を増幅することにより、高い感度を達成する装置及び方法に関する。信号増幅表面は、信号増幅層（ＳＡＳ）とも呼ばれる。
【０５５１】
ＳＡＬの一般構造は、局所表面電界及び勾配及び光信号を増幅するナノスケール金属−誘電体／半導体−金属構造を含む。増幅は、金属構造の鋭い（曲率が大きい）エッジを有する位置及び２つの金属構造の小さな隙間の間で高い。最も高い増幅領域は、鋭いエッジと小さな隙間を有する領域である。さらに、全ての金属及び非金属マイクロ／ナノ構造の寸法は、一般的にはＳＡＬが増幅する光の波長（すなわち、サブ波長）より小さい。
【０５５２】
いくつかの実施形態において、ＳＡＬ層は、できるだけ多くの金属の鋭いエッジ及び小さな隙間を有する。これは、ナノ構造の間の隙間が小さい金属ナノ構造の密集したグループを有することが必要である。ＳＡＬ構造は、いくつかの異なる層を含んでもよい。さらに、ＳＡＬ層自体は、様々な目的のために参照文献として本明細書に組み込まれる２０１３年３月１５日に出願された米国特許仮出願第６１／８０１４２４号、２０１４年３月１５日に出願されたＰＣＴ出願ＷＯ２０１４１９７０９６、並びに様々な目的のために本明細書に参照文献として組み込まれるＰＣＴ／ＵＳ２０１４／０２８４１７（Ｃｈｏｕら、「Ａｎａｌｙｔｅ  Ｄｅｔｅｃｔｉｏｎ  Ｅｎｈａｎｃｅｍｅｎｔ  Ｂｙ  Ｔａｒｇｅｔｅｄ  Ｉｍｍｏｂｉｌｉｚａｔｉｏｎ，Ｓｕｒｆａｃｅ  Ａｍｐｌｉｆｉｃａｔｉｏｎ，  ａｎｄ  Ｐｉｘｅｌａｔｅｄ  Ｒｅａｄｉｎｇ  Ａｎｄ  Ａｎａｌｙｓｉｓ」）に記載されているように、鋭いエッジ及び小さな隙間のない金属材料の部分をさらに覆うことができるプロセスにより、さらに改善することができる。
【０５５３】
信号増幅表面の１つの特定の実施形態は、前記金属ドット構造、前記金属ディスク及び／又は前記金属バックプレーンの少なくとも一部少なくとも一部と、任意に分析物に特異的に結合する捕捉剤とを覆う分子接着層を含むＤ２ＰＡアレイ（ディスク・カップルド・ドット・オン・ピラー・アンテナアレイ）であり、該捕捉剤がＤ２ＰＡアレイに結合する。前記分析物が捕捉剤に結合する時、ナノセンサーは、分析物からの光信号を増幅することができる。いくつかの実施形態において、ＳＡＬの１つ、いくつか又は全ての臨界金属及び誘電体成分の寸法は、検知中の光の波長より小さい。ディスク・カップルド・ドット・オン・ピラー・アンテナアレイの物理的構造の詳細、それらの製造方法、捕捉剤をディスク・カップルド・ドット・オン・ピラー・アンテナアレイに結合する方法、及びディスク・カップルド・ドット・オン・ピラー・アンテナアレイを用いて分析物を検出する方法は、様々な目的のために参照文献として本明細書に組み込まれるＷＯ２０１２０２４００６、ＷＯ２０１３１５４７７０、Ｌｉら（Ｏｐｔｉｃｓ  Ｅｘｐｒｅｓｓ  ２０１１  １９、３９２５−３９３６），Ｚｈａｎｇら（Ｎａｎｏｔｅｃｈｎｏｌｏｇｙ  ２０１２  ２３：２２５−３０１），Ｚｈｏｕら（Ａｎａｌ．Ｃｈｅｎ．２０１２  ８４：４４８９）を含む様々出版物に記載されている。
【０５５４】
１０．１  試料の関連体積中の標的実体をアッセイする信号の増幅
Ｍ１．  試料の関連体積中の標的実体をアッセイする信号を増幅する方法は、以下のステップ（ａ）〜（ｅ）を含む：
（ａ）標的実体を含有する試料を取得し、
（ｂ）異なる構成になるように互いに対して移動可能な２つのプレートを取得し、
１つのプレートが、その表面に標的実体に結合して信号増幅表面上又は付近にある光信号を増幅するように構成された信号増幅表面を含む、１つの結合部位を含み、２つのプレートの１つ又は両方が、各々がその対応するプレートに位置し、かつ所定の高さを有するスペーサを含み、
（ｃ）プレートが開放構成に構成されている時に、プレートのうちの１つ又は両方に試料を付着させ、
前記開放構成とは、２つのプレートが離され、プレート間の間隔がスペーサにより調節されない構成であり、
（ｄ）（ｃ）の後、プレートを閉鎖構成にして前記試料を広げ、
閉鎖構成で、プレートが互いに対向して、スペーサ及び試料の関連体積がプレートの間に位置し、試料の関連体積の厚さがプレート及びスペーサにより調節され、スペーサは、プレートが開放構成にある時のスペーサより薄く、試料の関連体積が結合部位と接触し、
（ｅ）（ｄ）の後、プレートが閉鎖構成にある時に、一定の時間インキュベーションして、試料の関連体積中の標的実体が結合部位に結合することを可能にし、
前記関連体積は、プレートが閉鎖構成にある時に、試料が結合部位と接触する部分である。
【０５５５】
Ｍ２．  試料の関連体積中の標的実体をアッセイする信号を増幅する装置は、
異なる構成になるように互いに対して移動可能な第１のプレート及び第２のプレートを含み、
第１のプレートは、その表面に、（ｉ）試料内の標的実体に結合し、（ｉｉ）信号増幅表面上又は付近にある光信号を増幅するように構成された信号増幅表面を含む、１つの結合部位を含み、
プレートの１つ又は両方は、各々がその対応するプレートに位置し、かつ所定の高さを有するスペーサを含み、
構成の１つは、２つのプレートが部分的に又は完全に離され、プレート間の間隔がスペーサにより調節されず、試料が前記プレートの１つ又は両方に付着する開放構成であり、
別の構成は、開放構成で試料を付着させた後に構成された閉鎖構成であり、前記閉鎖構成で、プレートが互いに対向して、スペーサと試料の関連体積がプレートの間に位置し、試料の関連体積の厚さがプレート及びスペーサにより調節され、該厚さはプレートが開放構成にある時の厚さより薄く、
関連体積は、プレートが閉鎖構成にある時に、試料が結合部位と接触する部分である。
【０５５６】
いくつかの実施形態において、信号増幅表面は、金属−誘電体ナノ構造、金属−半導体ナノ構造及びディスク・カップルド・ドット・オン・ピラー・アンテナアレイのうちの少なくとも１つを含む。
【０５５７】
いくつかの実施形態において、信号増幅表面は、金属層を含む。
【０５５８】
１１  アッセイ中の迅速な結合における試薬体積（Ｓ）の節約
試薬中の実体を表面上の結合部位に結合する（例えば、捕捉剤でプレートをコーティングするか又は生体試料表面を染色する）場合には、短いインキュベーション時間を有することが望ましい。短いインキュベーション時間を取得する１つの方法は、試薬中の実体濃度を大幅に増加させることである。しかしながら、このような方法は、短いインキュベーション時間に、結合部位に近い試薬中の実体のほんの一部のみが結合部位に達して結合でき、残りは実体から遠すぎて結合部位に拡散して結合できず、無用で無駄になるので、実体を無駄にして、従ってコストがかかる。一般的な溶液中の一般的な試薬の典型的な拡散定数について、１ｓ（秒）、１０ｓ及び１００ｓのインキュベーション時間では、典型的な拡散の長さは、それぞれ約１０μｍ、３３μｍ及び１００μｍである。典型的な表面上の液滴の典型的な厚さは、２．５ｍｍであり、上記拡散の長さより少なくとも２５倍厚く、インキュベーション時間が１００ｓ以下であれば、顕著な無駄（高コスト）をもたらす。本発明の１つの態様は、試薬の液滴を広い領域に非常に薄く（自然な滴下よりも薄い）広げ、試薬を節約してコストを低減することである。
【０５５９】
１１−１  試薬を広げることにより表面結合部位に結合する標的実体を含む試薬を節約する方法（体積が自然接触領域より小さい結合部位を有する）
Ｓ１．  表面結合部位に結合する標的実体を含む試薬を節約する方法は、以下のステップ（ａ）〜（ｄ）を含む：
（ａ）異なる構成になるように互いに対して移動可能な第１のプレート及び第２のプレートを取得し、
前記第１のプレートが、その表面に結合部位を有し、前記プレートの１つ又は両方が、各々がその対応するプレートに固定され、かつ所定の高さを有するスペーサを含み、
（ｂ）試薬を取得し、
前記試薬が（ｉ）結合部位に結合可能な標的実体を含み、（ｉｉ）体積及び湿潤特性を有するため、結合部位に付着させた試薬の接触領域が結合部位の領域よりも小さく、他のプレートと接触せず、
（ｃ）プレートが開放構成に構成されている時に、プレートのうちの１つ又は両方に試料を付着させ、
前記開放構成で、２つのプレートが部分的に又は完全に離され、プレート間の間隔がスペーサにより調節されず、
（ｄ）、（ｃ）の後、プレートを閉鎖構成にして前記試料を広げ、
閉鎖構成で、プレートが互いに対向して、スペーサ及び試料がプレートの間に位置し、プレートが開放構成にある時に比べて、結合部位と接触する試料の領域がより大きく、かつ結合部位にある試料の関連体積の厚さがプレート及びスペーサにより調節され、厚さはプレートが開放構成にある時の厚さより薄い。
【０５６０】
段落Ｓ１に記載の方法において、（ｄ）の後、プレートが閉鎖構成にある時に、試料を一定の時間インキュベーションしかつインキュベーションを停止させるステップをさらに含み、インキュベーション時間は、プレートの閉鎖構成にある時に標的実体が拡散して最大試料厚さを通る時間にほぼ等しく、かつインキュベーションは実体と結合部位との結合を可能にする。
【０５６１】
Ｓ２．  表面結合部位に結合する標的実体を含む試薬を節約する装置は、
異なる構成になるように互いに対して移動可能な第１のプレート及び第２のプレートを含み、
第１のプレートは、その表面に試薬中の標的実体と結合する結合部位を有し、試薬を１つのみのプレートに付着させ、かつ別のプレートと接触しない場合、結合部位は試薬接触領域より大きい面積を有し、
プレートの１つ又は両方は、各々がその対応するプレートに固定され、かつ所定の高さを有するスペーサを含み、
前記構成の１つは、２つのプレートが部分的に又は完全に離され、プレート間の間隔がスペーサにより調節されず、試料が前記プレートの１つ又は両方に付着する開放構成であり、
別の構成は、開放構成で試薬を付着させた後に構成された閉鎖構成であり、閉鎖構成において、プレートが互いに対向して、スペーサ及び試薬がプレートの間に位置し、プレートが開放構成にある時に比べ、試料が結合部位のより多くの領域と接触し、結合部位上の試薬の厚さがプレート及びスペーサにより調節され、該厚さはプレートが開放構成にある時の厚さより薄い。
【０５６２】
１２  体積及び／又は濃度の検出及び／又は定量化（Ｑ）
試料の関連体積の定量化及び／又は制御は、試料中の化学化合物（分析物、実体、試薬等を含む）の濃度の定量化及び／又は制御に有用である。
【０５６３】
試料体積の定量化のための一般的な方法は、計量ピペット（例えば、エッペンドルフの「リサーチプラスピペット、調節可能であり、０．５〜１０μＬ」、ＳＫＵ＃３１２０００００２０）又は幾何構造の使用を含む。ＰｏＣ（ポイント・オブ・ケア）又は家庭用の場合、このような計量装置は、使用しにくく及び／又は高価である。試料体積及び／又は濃度の定量化及び／又は制御のためのより簡単で安価な方法及び装置が必要とされる。
【０５６４】
本発明の１つの態様は、計量ピペット及び／又は固定マイクロ流体流路を使用せずにプレート上に付着した試料の関連体積を定量化し及び／又は制御する方法、装置及びシステムに関する。試料体積の一部又は全体であってもよい関連体積は、試料中の標的分析物及び／又は実体の濃度の定量化及び／又は制御に関連する。本発明の方法、装置及びシステムは、使いやすく、コストが低い。
【０５６５】
１２．１  試料の関連体積を定量化する方法
Ｑ１．  試料の関連体積を定量化する方法は、以下のステップ（ａ）〜（ｅ）を含む：
（ａ）試料の関連体積が定量化される試料を取得し、
（ｂ）異なる構成になるように互いに対して移動可能な２つのプレートを取得し、
前記プレートの一つ又は両方が、所定のスペーサ間距離及び高さを有し、それぞれのプレートに固定されたスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にして前記試料を広げ、
閉鎖構成で、プレートが互いに対向して、スペーサ及び試料の関連体積がプレートの間に位置し、試料の関連体積の厚さがプレート及びスペーサにより調節され、該厚さが、プレートが開放構成にある時の試料の最大の厚さより薄く、少なくとも１つのスペーサが試料内に位置し、
（ｅ）プレートが閉鎖構成にある時に、試料の関連体積を定量化し、
前記関連体積は、試料の一部又は全体積である。
【０５６６】
Ｑ２．  いくつかの実施形態において、試料の関連体積を定量化する方法は、以下のステップ（ａ）〜（ｄ）を含む：
（ａ）第１のプレート及び第２のプレートを取得し、
（ｂ）２つのプレートの間に定量化される試料を生じ、
（ｃ）２つのプレートを圧縮して試料の厚さを減少させることにより試料の形状を変形させ、プレート間に試料を横方向に広げ、
（ｄ）プレートが閉鎖構成にある時に、試料の関連体積を定量化し、
前記関連体積は、試料の一部又は全体積である。
【０５６７】
１２．２  試料中の関連体積を定量化するためのプレート
Ｑ３．  試料中の関連体積を定量化するためのプレートは、
その表面に、（ｉ）所定のスペーサ間の距離及び高さを有し、表面に固定されたスペーサと、（ｉｉ）試料と定量化される関連体積を有する試料と接触させるための試料接触領域とを含み、少なくとも１つのスペーサは、試料接触領域の内部にあるプレートを含む。
【０５６８】
１２．３  試料中の関連体積を定量化するための装置
Ｑ４．  試料中の関連体積を定量化するための装置は、
第１のプレート及び第２のプレートを含み、それは、（ａ）異なる構成になるように互いに対して移動可能であり、（ｂ）それぞれ、定量化される関連体積を有する試料と接触させるための試料接触領域を有し、
１つ又は両方のプレートは、その表面に、所定のスペーサ間の距離及び高さを有しそれぞれのプレートに固定されるスペーサを含み、
前記構成の１つは、開放構成であり、２つのプレートが離され、プレート間の間隔がスペーサにより調節されず、試料を１つ又は両方のプレートに付着させ、
別の構成は、開放構成で試料を付着させた後に構成された閉鎖構成であり、前記閉鎖構成で、プレートは互いに対向し、スペーサ及び試料の関連体積はプレートの間に位置し、試料の関連体積の厚さは、プレート及びスペーサにより調節され、かつプレートが開放構成にある時に比べて小さく、少なくとも１つのスペーサは、試料内部にあり、
試料の関連体積は、閉鎖構成で定量化され、関連体積は、試料の体積全体の少なくとも一部である。
【０５６９】
１２−５．試料関連体積の計測
ＭＳ１．  本発明において、プレートが閉鎖構成にある時、試料の関連体積の定量化は、以下の５つの実施形態を含むが、それらに限定されない：
（ａ）機械、光学、電気又はそれらの任意の組み合わせの方法により、試料の関連体積を計測すること、
（ｂ）機械、光学、電気、又はそれらの任意の組み合わせの方法から選択される方法を使用して、試料の関連体積に関連した１つ以上のパラメータを独立して計測すること、
（ｃ）試料の関連体積に関連した所定の１つ以上のパラメータ（すなわち、プレートが閉鎖構成にある前に決定された試料のパラメータ）を使用すること、
（ｄ）（ｉ）プレートが閉鎖構成にある時、関連体積に関連した１つ以上のパラメータを測定し、（ｉｉ）プレートが閉鎖構成にある前、関連体積に関連した他のパラメータを予め決定することにより、試料の関連体積を決定すること、
（ｅ）非試料体積を決定すること、
（ｆ）以上の（ａ、ｂ及びｃ）の任意の組み合わせ。
【０５７０】
段落ＭＳ１の方法において、機械的方法は、スペーサ（すなわち、基板の内面とカバープレートとの間の間隔を所定の値に調節する機械的装置）、機械的プローブ又は定規、音波（例えば、間隔を計測するための超音波の反射及び／又は干渉）、又はそれらの任意の組み合わせの使用を含むが、それらに限定されない。
【０５７１】
段落ＭＳ１の方法において、光干渉、光学撮像（例えば、試料の２Ｄ（２次元）／３Ｄ（３次元）画像を撮る）、複数回の光学撮像（異なる視野角、異なる波長、異なる位相及び／又は異なる偏光による）、画像処理、又はそれらの任意の組み合わせの使用を含むが、それらに限定されない。
【０５７２】
電気的方法は、容量、抵抗又はインピーダンスの計測、又はそれらの任意の組み合わせを含むが、それらに限定されない。
【０５７３】
段落ＭＳ１の方法において、いくつかの実施形態において、試料厚さの計測は、２つのプレートの内面間の間隔を計測することである。
【０５７４】
段落ＭＳ１の方法において、いくつかの実施形態において、試料の関連体積に関連した所定の１つ以上のパラメータの試料を使用し、所定のパラメータは、プレートが閉鎖構成にある時にスペーサにより調節された所定の試料厚さである。
【０５７５】
段落ＭＳ１の方法において、いくつかの実施形態において、試料の関連体積に関連した所定の１つ以上のパラメータの試料を使用し、所定のパラメータは、所定のスペーサの高さである。
【０５７６】
段落ＭＳ１の方法において、いくつかの実施形態において、試料の関連体積に関連したパラメータは、閉鎖構成でのパラメータであり、それは、（ｉ）（ＣＲＯＦ内）第１のプレートの内面と第２のプレートの内面との間の間隔、（ｉｉ）試料厚さ、（ｉｉｉ）試料領域の全体又は関連部分、（ｉｖ）試料体積の全体又は関連部分、又は（ｖ）それらの任意の組み合わせを含むが、それらに限定されない。
【０５７７】
段落ＭＳ１の方法において、いくつかの実施形態において、試料体積又は関連試料体積の定量化は、（ｉ）試料厚さと試料面積全体とを乗算して、試料体積全体を取得し、（ｉｉ）試料厚さと関連試料面積とを乗算して、関連試料体積を取得し、（ｉｉｉ）関連試料厚さと全体又は関連試料面積とを乗算して、関連試料体積を取得するステップを含む。
【０５７８】
段落ＭＳ１の方法において、いくつかの実施形態において、計測は、関連体積の３Ｄ（３次元）画像を撮ることである。
【０５７９】
段落ＭＳ１の方法において、いくつかの実施形態において、試料の関連体積の定量化は、試料の関連体積の横方向面積を計測し、その後にそれと関連体積の厚さを使用して、試料の関連体積の体積を決定することにより実行され、関連体積の厚さは、スペーサの情報から決定され、スペーサの情報は、スペーサの高さを含み、
段落ＭＳ１の方法において、いくつかの実施形態において、試料の関連体積の定量化は、試料の関連体積及びスペーサの横方向面積をともに計測し、その後にそれと関連体積の厚さ及びスペーサの体液を使用して、試料の関連体積の体積を決定することにより実行され、関連体積の厚さは、スペーサの情報から決定され、
段落ＭＳ１の方法において、いくつかの実施形態において、試料の関連体積の定量化は、試料の関連体積の横方向面積及び厚さを計測することにより実行され、
段落ＭＳ１の方法において、いくつかの実施形態において、試料の関連体積の定量化は、試料の関連体積の体積を光学に計測することにより実行される。
【０５８０】
段落ＭＳ１の方法において、いくつかの実施形態において、スケールマークは、プレートが閉鎖構成にある時、試料の関連体積の定量化を補助するために使用され、スケールマーカーのいくつかの実施形態において、それらの使用及び計測等は、セクション２に記載される。
【０５８１】
段落ＭＳ１の方法において、いくつかの実施形態において、試料の関連体積の定量化は、非試料体積を引くステップを含み、いくつかの実施形態において、非試料体積は本発明に記載された実施形態により決定される。
【０５８２】
１２−４．  試料の関連体積における分析物の濃度を定量化する装置
Ｑ５．  試料の関連体積における分析物を定量化する方法は、以下のステップ（ａ）、（ｂ）を含む：
（ａ）段落Ｑ１の方法におけるステップを実行し、
（ｂ）ステップ（ａ）の後、関連体積からの分析物に関連した信号を計測し、
前記関連体積は、試料の一部又は全体積である。
【０５８３】
Ｑ６．  試料の関連体積における分析物を定量化する方法は、以下のステップ（ａ）、（ｂ）を含む：
（ａ）段落Ｑ２の方法におけるステップを実行し、
（ｂ）ステップ（ａ）の後、関連体積からの分析物に関連した信号を計測し、
前記関連体積は、試料の全体積の少なくとも一部である。
【０５８４】
段落Ｑ５〜６のいずれかの方法において、いくつかの実施形態において、さらに、関連体積の体積に基づいて、試料の関連体積からの分析物に関連した信号を分割することにより、分析物濃度を計算するステップを含む。
【０５８５】
段落Ｑ５〜６のいずれかの方法において、１つ又は両方のプレートは、さらに、結合部位、貯蔵部位又は両方を含む。
【０５８６】
段落Ｑ５〜６のいずれかの方法において、いくつかの実施形態において、分析物に関連した信号は、直接的に分析物から又は分析物に付けられた標識からの信号である。
【０５８７】
Ｑ７．  試料の関連体積における分析物を定量化する方法は、以下のステップ（ａ）、（ｂ）を含む：
（ａ）１つ又は両方のプレートは結合部位を含むことを特徴とする段落Ｑ１の方法におけるステップを実行し、
（ｂ）ステップ（ａ）の後、関連体積からの分析物に関連した信号を計測し、
前記関連体積は、試料の一部又は全体積である。
【０５８８】
Ｑ８．  試料の関連体積における分析物を定量化する方法は、以下のステップ（ａ）、（ｂ）を含む：
（ａ）１つ又は両方のプレートは結合部位を含むことを特徴とする段落Ｑ２の方法におけるステップを実行し、
（ｂ）ステップ（ａ）の後、関連体積からの分析物に関連した信号を計測し、
前記関連体積は、試料の一部又は全体積である。
【０５８９】
段落Ｑ７〜８のいずれかの方法において、いくつかの実施形態において、分析物に関連した信号は、直接的に結合部位に結合した分析物からの信号又は結合部位に結合した分析物に付けられた標識からの信号である。
【０５９０】
１２．５  試料中の関連体積内の分析物濃度を定量化するためのプレート
Ｑ９．  試料中の関連体積内の分析物濃度を定量化するためのプレートは、
その表面に、（ｉ）所定のスペーサ間の距離及び高さを有するスペーサと、（ｉｉ）定量化される関連体積での分析物濃度を有する試料と接触させるための試料接触領域とを含み、少なくとも１つのスペーサは、試料接触領域の内部にあるプレートを含む。
【０５９１】
１２．６  試料の関連体積中の分析物濃度を定量化するための装置
試料中の標的分析物及び／又は実体の数が定量化され、かつ試料の関連体積も定量化されると、試料中の標的分析物及び／又は実体の濃度を定量化又は制御することができる。
【０５９２】
Ｑ１０．  試料の関連体積における分析物濃度を定量化するための装置は、
第１のプレート及び第２のプレートを含み、それは、（ａ）異なる構成になるように互いに対して移動可能であり、（ｂ）それぞれ、定量化される関連体積での分析物濃度を有する試料と接触させるための試料接触領域を有し、１つ又は両方のプレートは、その表面に、所定のスペーサ間の距離及び高さを有するスペーサを含み、各スペーサはそれぞれのプレートに固定され、
構成の１つは、開放構成であり、２つのプレートが離され、プレート間の間隔がスペーサにより調節されず、試料を１つ又は両方のプレートに付着させ、
別の構成は、開放構成で試料を付着させた後に構成された閉鎖構成であり、前記閉鎖構成で、プレートは互いに対向し、スペーサ及び試料の関連体積はプレートの間に位置し、試料の関連体積の厚さは、プレート及びスペーサにより調節され、かつプレートが開放構成にある時に比べて小さく、少なくとも１つのスペーサは、試料内部にあり、
試料の関連体積での分析物濃度は、閉鎖構成で定量化され、関連体積は、試料の体積全体の少なくとも一部である。
【０５９３】
段落Ｑ９及びＱ１０のいずれかの装置において、プレートは、さらに、結合部位又は貯蔵部位又は両方を含む。結合部位の１つの実施形態は、試料中の分析物に結合した結合部位である。
【０５９４】
段落Ｑ９及びＱ１０のいずれの装置において、スケールマークは、プレートは、さらに、１つ以上のスケールマーカーを含み、スケールマーカーのいくつかの実施形態は、セクション２に記載される。
【０５９５】
段落Ｑ１〜１０のいずれかの方法又は装置において、いくつかの実施形態において、計測装置は、撮像装置及びカメラのうちの少なくとも１つを含む。
【０５９６】
段落Ｑ１〜１０のいずれかの方法又は装置において、いくつかの実施形態において、計測装置は、試料の関連体積の横方向面積を撮像するように構成される。
【０５９７】
段落Ｑ１〜１０のいずれかの方法又は装置において、いくつかの実施形態において、計測装置は、試料の関連体積の横方向面積を照らすための光源を含む。
【０５９８】
段落Ｑ１〜１０のいずれかの方法又は装置において、いくつかの実施形態において、濃度を計算するステップは、関連試料体積で、総標的分析物又は実体を割ることである。
【０５９９】
段落Ｑ１〜１０のいずれかの方法又は装置において、いくつかの実施形態において、計測信号は、光学撮像装置を用いて、標的分析物又は実体を計数する。例えば、計測は、光学顕微鏡を用いて、血液試料中の血液細胞（赤血球、白血球、血小板）を計測することであってもよい。
【０６００】
段落Ｑ１〜１０のいずれかの方法又は装置において、いくつかの実施形態において、試料中の標的分析物又は実体の数の計測は、表面の標的分析物又は実体を捕捉する表面固定化アッセイの実施形態であってもよい。
【０６０１】
いくつかの実施形態において、試料の体積を定量化するか又は試料中の分析物を検出／定量化する装置は、段落Ｑ１〜１０のいずれかの装置、（１）光学撮像装置、及び／又は（２）光源及び光学撮像装置等を含む。光学撮像装置は、フォトセンサ、光学レンズ、フィルタ、偏光子、波長板、ビームスプリッタ、機械マウント、又はそれらの任意の組み合わせを含む。
【０６０２】
いくつかの実施形態において、関連試料面積又は体積の計測は、（ｉ）第１のプレート、カバープレート、それらの間、又はそれらの任意の組み合わせにマーカーを付け、（ｉｉ）光学撮像し（例えば、試料の２Ｄ（２次元）／３Ｄ（３次元）画像を撮像する）、該撮像を、異なる視野角、異なる波長、異なる位相、及び／又は異なる偏光で複数回行い、（ｉｉｉ）、メーカー及び試料画像に基づいて画像を処理することを含む。関連方法は、標的分析物濃度の決定に関連する。
【０６０３】
走査  いくつかの実施形態において、試料からの信号の読み取りは、走査方法を使用し、ここで、リーダ（例えば、光検出器又はカメラ）は、試料（又はプレート）の一部を読み取り、その後に試料（又はプレート）の他の部分に移動し、このようなプロセスは、試料（又はプレート）の特定の予め指定された部分が読み取られるまで行われる。試料への走査と読み取りは、試料（又はプレート）のすべての部分又は試料（又はプレート）の一部をカバーする。いくつかの実施形態において、走査と読み取りは、試料（又はプレート）を指示する位置マーカーにより、補助される。位置マーカーの一例は、固定された周期及び位置を有する周期的スペーサであり、又は試料又はプレートの位置を指示する所定の位置及び寸法も有する関連領域用のマーカーである。
【０６０４】
１３  分析物及びその他の検出及び定量化（Ｄ）
特定の実施形態において、分析物に関連した信号を計測することにより、分析物を検出及び／又は定量化（すなわち、アッセイ）する。該信号は、光学信号、電気信号、機械的信号、化学−物理的信号、又はそれらの任意の組み合わせである。いくつかの実施形態において、ＣＲＯＦ装置内の２つのプレートが互いに接近している時に、分析物アッセイが実行される。いくつかの実施形態において、ＣＲＯＦ装置内の２つのプレートが互いに離された時に、分析物アッセイが実行される。
【０６０５】
いくつかの実施形態において、光学信号は、光反射、散乱、透過、吸収、スペクトル、色、発光、強度、波長、位置、偏光、冷光、蛍光、電子発光、化学発光、電気化学発光、又はそれらの任意の組み合わせを含むが、それらに限定されない。光学信号は、光学画像（すなわち、光信号と試料又は装置の位置）又は所定の面積又は体積からのすべての光子の総数の形態である。光の好ましい波長は、４００ｎｍ〜１１００ｎｍの範囲、５０ｎｍ〜４００ｎｍの範囲、１ｎｍ〜５０ｎｍの範囲、又は１１００ｎｍ〜３００００ｎｍの範囲内にある。他の好ましい波長は、テラヘルツである。
【０６０６】
電気信号は、電荷、電流、インピーダンス、容量、抵抗、又はそれらの任意の組み合わせを含むが、それらに限定されない。機械信号は、機械波、音波、衝撃波、又は振動を含むが、それらに限定されない。化学−物理的信号は、反応において生成されたＰＨ値、イオン、熱、気泡、色変化を含むが、それらに限定されない。
【０６０７】
例えば、標識はビーズであり、かつ標識が、分析物特異的結合プロセス（すなわち、検出剤を用いてビーズを分析物に取り付けること、捕捉剤を用いて分析物及びビーズを捕捉すること、捕捉剤を用いて分析物を結合して、次に検出剤を用いてビーズを付けること、又は他の手段）により、標識に付けられる（捕捉剤と検出剤は分析物に特異的に結合することに留意されたい）。その後に計測を用いて、分析物に付けられた各ビーズを識別し、それらを計数する。
【０６０８】
いくつかの実施形態において、各分析物又はビーズを、光学手段（例えば、（ｉ）光学標識及び標識の読み取り、（ｉｉ）表面プラズモン共鳴、（ｉｉｉ）光学干渉、（ｉｖ）電気的方法（例えば、容量、抵抗、インピーダンス等）又は他の手段により、検知し、計数する。センサは、第１のプレート及び／又は第２のプレートの表面に位置することができる。
【０６０９】
特定の実施形態は、（ａ）表面固定化アッセイ、（ｂ）バルクアッセイ（例えば、血球計数）及び（ｃ）他のもので分析物濃度を決定することを含む。いくつかの実施形態において、試料体積、試料の関連体積、又は濃度の方法は、スマートフォンを使用する。
【０６１０】
段落Ｑ１〜１０のいずれかの方法又は装置において、いくつかの実施形態において、信号計測は、試料中の分析物の数を計測するか、又は試料中の分析物に付けられた標識の数を計測することである。段落Ｑ５の他の実施形態において、「計測信号」は、（ａ）各分析物又は各分析物に付けられた各標識を識別し、（ｂ）その数を計数する。
【０６１１】
いくつかの実施形態において、電極が１つ又は両方の第１及び第２のプレートに置かれた場合（これはＣＲＯＦを使用するいずれの方法及び装置に適用される）、分析物検出は、電気的方法である。電極は、試料の電荷、電流、容量、インピーダンス又は抵抗、又はそれらの任意の組み合わせを計測する。電極は、試料中の電解質を計測する。電極は、スペーサの厚み以下の厚みを有する。いくつかの実施形態において、電極は、スペーサの一部として機能する。電極は、様々な導電性材料により製造される。好ましい電極材料は、金、銀、アルミニウム、銅、白金、カーボンナノチューブ、又はそれらの任意の組み合わせである。
【０６１２】
段落Ｑ１〜１０のいずれかの方法又は装置において、いくつかの実施形態において、計測は、カメラ又は光検出器である装置と、計測を行うように構成されたプロセッサとを使用する。
【０６１３】
段落Ｑ１−１０のいずれかの方法又は装置において、いくつかの実施形態において、濃度決定装置は、計測値（体積、面積、厚さ、分析物の数、強度）に基づいて濃度を決定するように構成されたプロセッサを含む。
【０６１４】
段落Ｑ１−１０のいずれかの方法又は装置において、いくつかの実施形態において、計測された横方向面積、厚さ及び標的分子の数に基づいて、関連体積における標的分析物の濃度を決定するように構成された濃度決定装置をさらに含む。
【０６１５】
画素化した読み取り及び分析を用いる信号検出の詳細
本発明では、いくつかの実施形態において、試料、分析物、実体、結合部位、試薬、ＣＲＯＦプレート又はそれらの任意の組み合わせからの信号を、検出し、分析する。画素化した読み取り及び分析を用いる信号検出のいくつかの実施形態は、本発明に記載され、いくつかの他の実施形態は、公報番号ＷＯ２０１４１４４１３３Ａ及び出願番号ＰＣＴ／ＵＳ２０１４／０２８４１７（Ｃｈｏｕら、「Ａｎａｌｙｔｅ  Ｄｅｔｅｃｔｉｏｎ  Ｅｎｈａｎｃｅｍｅｎｔ  Ｂｙ  Ｔａｒｇｅｔｅｄ  Ｉｍｍｏｂｉｌｉｚａｔｉｏｎ、Ｓｕｒｆａｃｅ  Ａｍｐｌｉｆｉｃａｔｉｏｎ、Ａｎｄ  Ｐｉｘｅｌａｔｅｄ  Ｒｅａｄｉｎｇ  Ａｎｄ  Ａｎａｌｙｓｉｓ」）に記載され、それらは、あらゆる目的のために参照により本明細書に組み込まれる。
【０６１６】
いくつかの実施形態において、信号は、異なる周波数、光強度、蛍光、色度、発光（電気及び化学発光）、ラマン散乱、時間分解信号（点滅を含む）を有する電気及び光学信号を含む電磁信号である。信号は、さらに、局部電気、局部機械、局部生物学又はプレートと読み取り装置との間の局部光学相互作用による力であってもよい。信号は、さらに、信号の空間的（すなわち、位置）、時間的及びスペクトル分布を含む。検出信号も吸収することができる。
【０６１７】
分析物は、タンパク質、ペプチド、ＤＮＡ、ＲＮＡ、核酸、小分子、細胞、及び異なる形状のナノ粒子を含む。標的分析物は、溶液又は空気又は気相のいずれかであってもよい。検知は、存在の検出、濃度の定量化、標的分析物の状態の決定を含む。
【０６１８】
いくつかの実施形態において、電界は、分子選択性、又は結合及び検出を補助するために用いられる。
【０６１９】
検出／読み取り方法
光学検出（すなわち、電磁放射による検出）のいくつかの実施形態において、方法は、遠視野光学方法、近接場光学方法、落射蛍光分光法、共焦点顕微鏡法、２光子顕微鏡法、及び全反射顕微鏡法を含むが、それらに限定されず、標的分析物は電磁放射エミッタにより標識され、これらの顕微鏡中の信号は、ＣＲＯＦプレートの増幅表面により増幅することができる。
【０６２０】
いくつかの実施形態において、信号は、位置、局部強度、局部スペクトル、局部偏波、局部位相、前記信号の局部ラマンシグネチャ、又はそれらの任意の組み合わせの情報を含む。
【０６２１】
いくつかの実施形態において、信号検出は、ある領域からの一括信号（すなわち、領域内のとの位置かに関わらず、領域からの信号）を計測することである。
【０６２２】
特定の実施形態において、信号検出は、ある領域の信号画像（すなわち、信号と位置）を検出することであり、すなわち、該領域を複数の画素に分割し、該領域の各画素中の信号を個別に検出することであり、「ＰＩＸ」又は「画素化画像検出」とも呼ばれる。各画素の個々の計測は、並行又は順次又は混合であってもよい。
【０６２３】
いくつかの実施形態において、読み取りは、適切な検出システムを使用して、信号を順次又は並行して、又はそれらの組み合わせで検出する。順次検出においては、１つ又は複数の画素を１回に検出し、かつスキャナを用いて検出をＳＡＬの他の領域に移動する。並行検出においては、撮像カメラ（例えばＣＣＤカメラ）のようなマルチ画素検出器アレイを使用して、異なる画素からの信号を同時に検出する。走査は、単一のパス又は異なる画素寸法を有するマルチパスである。ＰＣＴ／ＵＳ２０１４／０２８４１７の図２Ｃは、ｘ、ｙ、ｚ状態での画素化した読み取りを概略的に示す。
【０６２４】
読み取り／検出のための画素寸法は、光学解像度と全読み取り時間のバランスのために調節される。小さな画素寸法は、ＳＡＬの全体又は一部の読み取り／走査により長い時間がかかる。一般的な画素寸法は、１μｍ〜１０μｍである。画素の形状は、円形、正方形、長方形である。画素寸法の下限は、顕微鏡システムの光学解像度により決定され、画素寸法の上限は、撮像装置（光学収差、照明均一度等）の不均一な光学応答による読み取りエラーを回避するために、決定される。
【０６２５】
読み取りシステム
ＰＣＴ／ＵＳ２０１４／０２８４１７の図面を参照すると、読み取りシステムの一実施形態は、（ａ）ＣＲＯＦ用の１つ又は複数のプレートと、（ｂ）個々の標的分析物の結合事象を表す、前記プレートの表面から発する信号の画像を生成するための読み取り装置２０５と、（ｃ）プレートと撮像装置を保持する装置アセンブリ３００と、（ｄ）前記画像を記憶するための電子機器及びデータ記憶装置３０１と、（ｅ）画像のある領域内の個々の結合事象を識別し計数するためのプログラミングを含むコンピュータとを含む。
【０６２６】
装置アセンブリ３００は、信号を読み取るために、３つ（ｘ，ｙ，ｚ）の直交方向の少なくとも１つで、プレートと読み取り装置との間の相対位置を制御し、変更する。装置アセンブリの実施形態は、走査機３０１を含む。いくつかの実施形態において、走査機３０１は、３つ（ｘ，ｙ，ｚ）の直交方向の少なくとも１つを走査する。
【０６２７】
いくつかの実施形態において、読み取り装置３０２は、ＣＣＤカメラである。いくつかの実施形態において、読み取り装置３０２は、光学フィルタ３０３、分光計、レンズ３０４、アパーチャ、ビームスプリッタ３０５、ミラー３０６、偏光子３０７、波長板及びシャッタから選択される１つ以上の他の光学機器を含む光検出器である。いくつかの実施形態において、読み取り装置３０２は、ローカル及びリモート通信機能を有するスマートフォン又は携帯電話である。読み取り装置は、前記信号の位置、局部強度、局部スペクトル、局部ラマンシグネチャ、又はそれらの任意の組み合わせを収集する。
【０６２８】
いくつかの実施形態において、光学フィルタ３０３、光ビームスプリッタ３０５、光ファイバ、光検出器（例えば、ｐｎ接合、ダイオード、ＰＭＴ（光電子増倍管）、又はＡＰＤ（アバランシェフォトダイオード））、撮像カメラ（例えば、ＣＣＤカメラ又は携帯電話のカメラ））、及び分光計は、装置アセンブリ３０１により提供される走査機と共に、遠視野共焦点設定又は広視野設定を使用する顕微鏡システムに結合される。
【０６２９】
いくつかの実施形態において、共焦点設定では、読み取りは、１つ以上の画素の輝度、時間変化及びスペクトル変化を１回記録し、ＳＡＬの関心領域全体をラスタ走査することにより、実行される。いくつかの実施形態において、広視野設定では、カメラは、ＳＡＬ領域の全体又は一部の輝度及び時間変化を記録するために使用される。いくつかの実施形態において、適切な光学フィルタ及び光ビームマニピュレータ（偏光子、ビームスプリッタ、光ファイバ等）は、所望の信号のみが収集し、検出されるように確保するために、必要とされる。ＰＣＴ／ＵＳ２０１４／０２８４１７の図９は、このシステム用の構成要素の一配置を概略的に示す。いくつかの実施形態では、分析は、Ｏｐｅｎ−ＣＶ又はＩｍａｇｅ−Ｊにおける方法を含むが、これらに限定されない画像化処理方法を含む。
【０６３０】
画素化した分析（ＰＩＸ）  ＰＩＸのいくつかの実施形態において、画素化した方法で検出された信号は、特定の画素又は複数の画素での特定の分子の数及び／又はタイプを決定するために分析され、次に、それは、標的分析物のタイプ及び／又は濃度を定量化するために使用される。用語「画素化方法による信号検出」とは、信号を有する領域を複数の画素に分割し、かつ該領域の各画素からの信号を個別に検出する方法を指し、「ＰＩＸ」又は「画素化画像検出」とも呼ばれる。各画素の個々の計測値は、並行又は順次又は混合であってもよい。
【０６３１】
いくつかの実施形態において、分析は、信号の空間、テンポ、スペクトル情報を分析することを含む。いくつかの実施形態では、分析は、統計分析、比較、統合等を含むが、それらに限定されない。ＰＣＴ／ＵＳ２０１４／０２８４１７の図５は、該方法の一実施形態のフローチャートを示す。
【０６３２】
１４  標識
本開示全体に記載された光標識の実施形態の１つ又は任意の組み合わせは、本発明の説明全体に記載されたすべての方法及び装置に適用される。
【０６３３】
いくつかの実施形態において、標識は、検出剤、分析物又は実体（複数可）に付けられる。特定の実施形態において、前記標識は、光標識、電気的標識、光学的又は電気的信号を生成するために用いられる酵素、又はそれらの任意の組み合わせである。特定の実施形態において、検出剤、分析物又は実体（複数可）は、その後に標識に付けられる接続分子（例えば、タンパク質、核酸、又は他の化合物）に付けられる。いくつかの実施形態において、細胞（例えば血球、細菌等）又はナノ粒子は、標識により染色される。いくつかの実施形態において、光標識は、光信号を生成可能な物体であり、光信号の生成は、光（すなわち、光子）の反射、散乱、透過、吸収、スペクトル、色、放射、強度、波長、位置、偏光、発光、蛍光、エレクトロルミネッセンス、フォトルミネセンス（蛍光）、化学発光、電気化学発光又はそれらの任意の組み合わせを含むが、これらに限定されない。いくつかの実施形態において、光信号は、光学画像（すなわち、光信号と試料又は装置の位置）又は所定の面積又は体積からのすべての光子の総数の形態である。光の好ましい波長は、４００ｎｍ〜１１００ｎｍの範囲、５０ｎｍ〜４００ｎｍの範囲、１ｎｍ〜５０ｎｍの範囲、又は１１００ｎｍ〜３００００ｎｍの範囲内にある。他の好ましい波長は、テラヘルツである。
【０６３４】
ビーズ、ナノ粒子及び量子ドット  いくつかの実施形態において、光標識は、ビーズ、ナノ粒子、量子ドット、又はそれらの任意の組み合わせである。
【０６３５】
いくつかの実施形態において、ビーズ、ナノ粒子又は量子ドットの直径は、１ｎｍ以下、２ｎｍ以下、５ｎｍ以下、１０ｎｍ以下、２０ｎｍ以下、３０ｎｍ以下、４０ｎｍ以下、５０ｎｍ以下、６０ｎｍ以下、７０ｎｍ以下、８０ｎｍ以下、１００ｎｍ以下、１２０ｎｍ以下、２００ｎｍ以下、３００ｎｍ以下、５００ｎｍ以下、８００ｎｍ以下、１０００ｎｍ以下、１５００ｎｍ以下、２０００ｎｍ以下、３０００ｎｍ以下、５０００ｎｍ以下、又はこれらの値のいずれか２つの間の範囲である。
【０６３６】
いくつかの実施形態において、ビーズ又は量子ドットは標識として使用され、かつそれらはＣＲＯＦのプレート上に予め塗布され、２つのプレート間の内部間隔は、１μｍ以下、１０μｍ以下、５０μｍ以下、又はこれらの値のいずれか２つの間の範囲である。
【０６３７】
いくつかの実施形態における、溶液中のビーズ間の分離
・拡散時間。（搬送媒体の関連体積の厚さは、厚さ全体にわたる光標識の拡散時間が１ｍｓ未満であることをもたらし、
・溶解時間を制御することができる。光子、熱量又は他の励起及びそれらの組み合わせを用いて制御することができる。励起エネルギーが印加されるまで、溶解は開始しない。
【０６３８】
標識のいくつかの実施形態において、１０ｎｍ以上の直径を有するナノ粒子である。このような大きな直径のナノ粒子は、拡散定数が小さな分子（質量＜１０００Ｄａ）及び大きな分子（質量＝１０００〜１００００００ダルトン（ｄａ））よりも小さく、所定の溶液及び距離に対する拡散時間が長くなる。拡散時間の短縮は、拡散距離を減少させることである。
【０６３９】
光標識が数ナノメートルより大きい直径を有するビーズ又は他のナノ粒子である場合、それらは従来技術に対して特別な利点を有する。これは、液体中の物体の拡散定数が、１次近似に対して、物体の直径に反比例するからである（アインシュタイン・ストークス方程式による）。
【０６４０】
例えば、それぞれ直径２０ｎｍ、２００ｎｍ及び２０００ｎｍを有するビーズ光標識は、拡散定数を有し、従って、２ｎｍのビーズより１０倍、１００倍及び１０００倍大きい拡散時間を有する。現在アッセイで使用される典型的な拡散距離に対して、これはＰｏＣ（ポイントオブケア）アプリケーション用の実際の飽和インキュベーション時間が長いことをもたらす。
【０６４１】
しかし、本発明は、数ナノメートルより大きい直径を有する光標識用のインキュベーション時間が長いという問題を解決した。本発明は、プレート表面に貯蔵された光標識を有し、次に、サブミリメートル、ミクロン又はナノメートルスケールで（２つの間の）別個の距離を有する結合部位に隣接する貯蔵表面に置き、搬送媒体で分離隙間を充填する（貯蔵された光標識が搬送媒体に溶解し、結合部位に拡散する）。本発明は、さらに、大きな結合部位の領域にわたってこのような小さな距離を均一に制御することができ、かつスペーサ技術を使用することによって容易に制御することができる。
【０６４２】
分析物を標識することは、例えば、検出可能な標識を含む分析物特異的結合メンバーのような標識剤を使用することを含んでもよい。検出可能な標識には、蛍光標識、比色標識、化学発光標識、酵素結合試薬、多色試薬、アビジン−ストレプトアビジン関連検出試薬などを含むが、これらに限定されない。特定の実施形態において、検出可能な標識は蛍光標識である。蛍光標識は、蛍光検出器によって検出可能な標識部分である。例えば、関心対象の分析物への蛍光標識の結合は、関心対象の分析物を蛍光検出器によって検出することを可能にしてもよい。蛍光標識の実施例は、試薬と接触すると蛍光を発する蛍光分子、電磁放射線（例えば、ＵＶ、可視光線、Ｘ線など）で照射される場合に蛍光を発する蛍光分子などを含むが、これらに限定されない。
【０６４３】
特定の実施形態において、標識用の適切な蛍光分子（蛍光体）は、ＩＲＤｙｅ８００ＣＷ、Ａｌｅｘａ  ７９０、Ｄｙｌｉｇｈｔ  ８００、フルオレセイン、フルオレセインイソチオシアネート、カルボキシフルオレセインのスクシンイミジルエステル、フルオレセインのスクシンイミジルエステル、フルオロセインジクロロトリアジンの５−異性体、ケージドカルボキシフルオレセイン−アラニン−カルボキシアミド、オレゴングリーン４８８、オレゴングリーン５１４、ルシファーイエロー、アクリジンオレンジ、ローダミン、テトラメチルローダミン、テキサスレッド、ヨウ化プロピジウム、ＪＣ−１（５，５’，６，６’−テトラクロロ−１，１’，３，３’−テトラエチルベンゾイミダゾイルカルボシアニンヨウ化物）、テトラブロモローダミン１２３、ローダミン６Ｇ、ＴＭＲＭ（テトラメチルローダミンメチルエステル）、ＴＭＲＥ（テトラメチルローダミンエチルエステル）、テトラメチルロサミン、ローダミンＢ及び４−ジメチルアミノテトラメチルロサミン、緑色蛍光タンパク質、青色偏移緑色蛍光タンパク質、シアン偏移緑色蛍光タンパク質、赤色偏移緑色蛍光タンパク質、黄色偏移緑色蛍光タンパク質、４−アセトアミド−４’−イソチオシアネートスチルベン−２，２’ジスルホン酸、アクリジン、アクリジンイソチオシアネートなどのアクリジン及び誘導体、５−（２’−アミノエチル）アミノナフタリン−１−スルホン酸（ＥＤＡＮＳ）、４−アミノ−Ｎ−［３−ビニルスルホニル）フェニル］ナフト−アリミド−３，５ジスルホン酸塩、Ｎ−（４−アニリノ−１−ナフチル）マレイミド、アントラニルアミド、４，４−ジフルオロ−５−（２−チエニル）−４−ボラ−３ａ，４ａジアザ−５−インダセン−３−プロピオニ−ｃ酸ＢＯＤＩＰＹ、カスケードブルー、ブリリアントイエロー、クマリン、７−アミノ−４−メチルクマリン（ＡＭＣ、クマリン１２０）、７−アミノ−４−トリフルオロメチルクマリン（クマリン１５１）のようなクマリン及び誘導体、シアニン色素、シアノシン、４’，６−ジアミニジノ−２−フェニルインドール（ＤＡＰＩ）、５’，５”−ジブロモピロガロール−スルホナフタレイン（ブロモピロガロールレッド）、７−ジエチルアミノ−３−（４’−イソチオシアナトフェニル）−４−メチルクマリン、ジエチレントリアミンペンタアセテート、４，４’−ジイソチオシアナートジヒドロ−スチルベン−２−，２’−ジスルホン酸、４，４’−ジイソチオシアナートスチルベン−２，２’−ジスルホン酸、５−（ジメチルアミノ］ナフタリン−１−スルホニルクロリド（ＤＮＳ、ダンシルクロリド）、４−ジメチルアミノフェニルアゾフェニル−４’−イソチオシアネート（ＤＡＢＩＴＣ）、エオシン、エオシンイソチオシアネートのようなエオシン及び誘導体、エリスロシンＢ、エリスロシン、イソチオシアネートのようなエリスロシン及び誘導体、エチジウム、５−カルボキシフルオレセイン（ＦＡＭ）、５−（４，６−ジクロロトリアジン−２−イル）アミノ−−フルオレセイン（ＤＴＡＦ）、２’，７’ジメトキシ−４’５’−ジクロロ−６−カルボキシフルオレセイン（ＪＯＥ）、フルオレセイン、フルオレセインイソチオシアネート、ＱＦＩＴＣ、（Ｘ��ＩＴＣ）のようなフルオレセイン及び誘導体、フルオレスカミン、ＩＲ１４４、ＩＲ１４４６、マラカイトグリーンイソチオシアネート、４−メチルウンベリ−フェロネオルトクレゾールフタレイン、ニトロチロシン、パラローザニリン、フェノールレッド、Ｂ−フィコエリトリン、ｏ−フタルジアルデヒド、ピレン、ピレン酪酸、スクシンイミジル１−ピレンのようなピレン及び誘導体、ブチラート量子ドット、６−カルボキシ−Ｘ−ローダミン（ＲＯＸ）、６−カルボキシローダミン（Ｒ６Ｇ）、リサミンローダミンＢスルホニルクロリドローダミン（Ｒｈｏｄ）、ローダミンＢ、ローダミン１２３、ローダミンＸイソチオシアネート、スルホローダミンＢ、スルホローダミン１０１、スルホローダミン１０１のスルホニルクロリド誘導体（テキサスレッド）のようなリアクティブレッド４（チバクロン（商標）ブリリアントレッド３Ｂ−Ａ）ローダミン及び誘導体、Ｎ，Ｎ，Ｎ’，Ｎ’−テトラメチル−６−カルボキシローダミン（ＴＡＭＲＡ）、テトラメチルローダミン、テトラメチルホダミンイソチオシアネート（ＴＲＩＴＣ）、リボフラビン、５−（２’−アミノエチル）アミノナフタリン−１−スルホン酸（ＥＤＡＮＳ）、４−（４’−ジメチルアミノフェニルアゾ）安息香酸（ＤＡＢＣＹＬ）、ロゾール酸、ＣＡＬ  Ｆｌｕｏｒ  Ｏｒａｎｇｅ  ５６０、テルビウムキレート誘導体、Ｃｙ３、Ｃｙ５、Ｃｙ５．５、Ｃｙ７、ＩＲＤ７００、ＩＲＤ８００、ラヨラブルー、フタロシアニン、及びナフタロシアニン、クマリン及び関連色素、キサンテン色素、例えば、ロードール、レソルフィン、ビマン、アクリジン、イソインドール、ダンシル色素、アミノフタルヒドラジド、例えばルミノール、及びイソルミノール誘導体、アミノフタルイミド、アミノナフタルイミド、アミノベンゾフラン、アミノキノリン、ジシアノヒドロキノン、蛍光ユーロピウム及びテルビウム錯体、これらの組み合せなどを含むが、これらに限定されない。適切な蛍光タンパク質及び発色性タンパク質は、オワンクラゲに由来するＧＦＰ又はその誘導体、例えば増強ＧＦＰなどの「ヒト化」誘導体、ウミシイタケ、レニラムレリ、チロサルクスゲルニのような別の種からのＧＦＰ、「ヒト化」組み換えＧＦＰ（ｈｒＧＦＰ）、花虫類種からの様々な蛍光及び着色タンパク質のいずれか、それらの組み合せなどを含むが、これらに限定されない。
【０６４４】
特定の実施形態において、色素は、血球を染色するために用いられ、色素は、ライト染色（エオシン、メチレンブルー）、ギムザ染色（エオシン、メチレンブルー、アズールＢ）、メイ−グリンヴァルト色素、リーシュマン染色（「多色性」メチレンブルー（つまり、脱メチル化して様々な青色になる）及びエオシン）、エリスロシンＢ染色（エリトロシンＢ）及び他の蛍光染色を含み、これらの蛍光染色は、アクリジンオレンジ色素、３，３−ジヘキシルオキサカルボシアニン（ＤｉＯＣ６）、ヨウ化プロピジウム（ＰＩ）、フルオレセインイソチオシアネート（ＦＩＴＣ）及びベーシックオレンジ２１（ＢＯ２１）色素、臭化エチジウム、ブリリアントスファフラビン及びスチベンジスルホン酸誘導体、エリスロシンＢ又はトリパンブルー、ヘキスト３３３４２、三塩酸塩、三水和物及びＤＡＰＩ（４’，６−ジアミジノ−２−フェニルインドール、二塩酸塩）を含むが、これらに限定されない。
【０６４５】
特定の実施形態において、標識剤は、関心対象の分析物に特異的に結合するように構成される。特定の実施形態において、試料をＣＲＯＦ装置に適用する前に、標識剤はＣＲＯＦ装置内に存在してもよい。他の実施形態において、試料をＣＲＯＦ装置に適用した後に、標識剤はＣＲＯＦ装置に適用されてもよい。特定の実施形態において、試料をＣＲＯＦ装置に適用した後、ＣＲＯＦ装置を洗浄して、試料中の非結合分析物及び他の非分析物成分のようないずれかの非結合成分を除去し、かつ洗浄後に標識剤をＣＲＯＦ装置に適用して結合分析物を標識してもよい。いくつかの実施形態において、標識剤を分析物捕捉剤複合体に結合した後にＣＲＯＦ装置を洗浄して、分析物−捕捉剤複合体に結合していない任意の過剰な標識剤をＣＲＯＦ装置から除去する。
【０６４６】
特定の実施形態において、分析物をＣＲＯＦ装置に結合した後、例えば、分析物をＣＲＯＦ装置（例えば、サンドイッチ型アッセイ内）に結合し、同時に捕捉剤として分析物に結合可能な標識結合剤を使用して、分析物を標識する。いくつかの実施形態において、核酸分析物をＣＲＯＦ装置に捕捉してもよく、かつ標識された核酸は、核酸分析物がＣＲＯＦ装置に結合される捕捉剤として分析物に同時にハイブリダイズすることができる。
【０６４７】
特定の態様では、ＣＲＯＦ装置は、分析物に直接的又は間接的に結合され、次にＣＲＯＦ装置に結合される検出可能な標識によって生成される蛍光又は発光のような光信号を増強する。特定の実施形態において、信号は、信号増幅の物理的プロセスによって増強される。いくつかの実施形態において、光信号は、ナノプラズモン効果（例えば、表面増強ラマン散乱）によって増強される。例えば、ＬｉらのＯｐｔｉｃｓ  Ｅｘｐｒｅｓｓ  ２０１１  １９：３９２５−３９３６及びＷＯ２０１２／０２４００６は、ナノプラズモン効果による信号増強の例を記載しており、参照文献として本明細書に組み込まれる。特定の実施形態において、信号の生物学的／化学的増幅を使用せずに信号の増強を達成する。信号の生物学的／化学的増幅は、信号の酵素的増幅（例えば、酵素結合免疫吸着アッセイ（ＥＬＩＳＡ）に使用される）及び信号のポリメラーゼ連鎖反応（ＰＣＲ）増幅を含んでもよい。他の実施形態において、物理的プロセス及び生物学的／化学的増幅によって信号の増強を達成してもよい。
【０６４８】
感度  特定の実施形態において、ＣＲＯＦ装置は、０．１ｎＭ以下、例えば、１０ｐＭ以下、又は１ｐＭ以下、又は１００ｆＭ以下、例えば、１ｆＭ以下、又は０．５ｆＭ以下、又は１００ａＭ以下、又は５０ａＭ以下、又は２０ａＭ以下を含む１０ｆＭ以下の検出感度を有するように構成される。特定の実施形態において、ＣＲＯＦ装置は、１０ａＭ〜０．１ｎＭ、例えば、１００ａＭ〜１００ｆＭを含む２０ａＭ〜１０ｐＭ、５０ａＭ〜１ｐＭの検出感度を有するように構成される。場合によっては、ＣＲＯＦ装置は、１ｎｇ／ｍＬ以下、例えば、１０ｐｇ／ｍＬ以下、１ｐｇ／ｍＬ以下、１００ｆｇ／ｍＬ以下、１０ｆｇ／ｍＬ以下、又は５ｆｇ／ｍＬ以下を含む１００ｐｇ／ｍＬ以下の濃度で分析物を検出できるように構成される。場合によっては、ＣＲＯＦ装置は、１ｆｇ／ｍＬ〜１ｎｇ／ｍＬ、例えば、１０ｆｇ／ｍＬ〜１０ｐｇ／ｍＬを含む５ｆｇ／ｍＬ〜１００ｐｇ／ｍＬの濃度で分析物を検出できるように構成される。特定の実施形態において、ＣＲＯＦ装置は、７桁以上を含む６桁以上のような５桁以上のダイナミックレンジを有するように構成される。
【０６４９】
読み取り  場合によっては、試料のＣＲＯＦ装置への適用からＣＲＯＦ装置への読み取りまでの期間は、１秒〜３０分、例えば、１分〜５分を含む１０秒〜２０分、３０秒〜１０分の範囲にあってもよい。場合によっては、試料の信号増強検出器への適用から装置によって受信可能な出力の生成までの期間は、１時間以下、３０分以下、１５分以下、１０分以下、５分以下、３分以下、１分以下、５０秒以下、４０秒以下、３０秒以下、２０秒以下、１０秒以下、５秒以下、２秒以下、１秒以下であってもよく、あるいはさらに短くてもよい。場合によっては、試料の信号増強検出器への適用から装置によって受信可能な出力の生成までの期間は、２００ミリ秒以上を含む１００ミリ秒以上、例えば、５００ミリ秒以上、１秒以上、１０秒以上、３０秒以上、１分以上、５分以上であってもよく、あるいはさらに長くてもよい。
【０６５０】
任意の適切な方法を使用して、ＣＲＯＦ装置を読み取って、試料中の分析物の量の計測値を取得することができる。いくつかの実施形態において、ＣＲＯＦ装置への読み取りは、ＣＲＯＦ装置内の分析物に結合した検出可能な標識から電磁信号を得ることを含む。特定の実施形態において、電磁信号は光信号である。得られる光信号は、光の強度、光の波長、光源の位置などを含むことができる。特定の実施形態において、標識によって生成される光信号は、３００ｎｍ〜９００ｎｍの範囲内の波長を有する。特定の実施形態において、光信号は、ＣＲＯＦ装置の視像の形態で読み取られる。
【０６５１】
特定の実施形態において、ＣＲＯＦ装置への読み取りは、光源のような電磁放射線源をＣＲＯＦ装置内のバイオマーカーに結合された検出可能な標識の励起源として提供することを含む。光源は、検出可能な標識を励起するための任意の適切な光源であってもよい。例示的な光源は、日光、外乱光、ＵＶランプ、蛍光ランプ、発光ダイオード（ＬＥＤ）、フォトダイオード、白熱灯、ハロゲンランプなどを含むが、これらに限定されない。
【０６５２】
ＣＲＯＦ装置への読み取りは、試料内に存在し、かつＣＲＯＦ装置に結合した分析物の量を測定するための任意の適切な方法によって達成され得る。特定の実施形態において、ＣＲＯＦ装置は、ＣＲＯＦ装置内の分析物に結合した検出可能な標識から光信号を得るように構成された装置によって読み取られる。場合によっては、装置は、携帯電話又はスマートフォンのようなハンドヘルドデバイスである。ＣＲＯＦ装置を読み取るように構成された任意の適切なハンドヘルドデバイスは、本発明の装置、システム及び方法に使用されてもよい。ＣＲＯＦ装置を読み取るように構成された特定の装置の実施形態は、２０１４年１０月２１日に出願された米国仮特許出願第６２／０６６，７７７号に記載され、該出願は参照文献として本明細書に組み込まれる。
【０６５３】
いくつかの実施形態において、装置は、ＣＲＯＦ装置からの光信号を取得し、例えば、ＣＲＯＦ装置の画像を取得するように構成された光記録装置を含む。場合によっては、光記録装置は、デジタルカメラのようなカメラである。用語「デジタルカメラ」とは、光学画像を形成するための撮像レンズシステム、光学画像を電気信号に変換するための画像センサ及び他の部品を備えた撮像装置を主部品とする任意のカメラであり、そのようなカメラの例は、デジタルスチルカメラ、デジタルムービーカメラ及びウェブカメラ（すなわち、ネットワークに直接接続されたものと、情報処理能力を有するパーソナルコンピュータのような装置を介してネットワークに接続されたものとの両方を含む画像の交換を可能にするために、ネットワークに接続された装置に公的に又は私的に接続されたカメラ）を含む。一例において、ＣＲＯＦ装置への読み取りは、経時変化を捕捉してもよいビデオ撮像を含んでもよい。例えば、ビデオを取得してＣＲＯＦ装置に適用された試料の動的変化に関する評価を提供してもよい。
【０６５４】
特定の実施形態において、光記録装置は、研究／臨床実験室装置に使用された高感度光記録装置の感度よりも低い感度を有する。場合によっては、本方法に用いられた光記録装置は、研究／臨床実験室装置に使用された高感度光記録装置の感度よりも、２００倍以上、５００倍以上、１０００倍以上を含む１００倍以上のような１０倍以上低い感度を有する。
【０６５５】
特定の実施形態において、該装置は、ビデオディスプレイを有してもよい。ビデオディスプレイは、ディスプレイページがユーザに知覚可能な方法で表示されてもよいコンポーネント、例えば、コンピュータモニタ、陰極線管、液晶ディスプレイ、発光ダイオードディスプレイ、タッチパッド又はタッチスクリーンディスプレイ、及び／又は視覚的に知覚可能な出力を発するための当技術分野で知られている他の手段を含んでもよい。特定の実施形態において、装置は、検出器から取得された画像及び／又は処理されたデータから生成されたレポートなどの情報を表示し、情報が対象によって入力されることを可能にするためのタッチスクリーンを備える。
【０６５６】
１５  多重化
本明細書に記載の任意の実施形態において、システムは、多重アッセイを実施するように設計されてもよく、かつ複数の貯蔵部位、複数の結合部位、又は複数の貯蔵部位及び複数の結合部位を含むことにより、異なるアッセイを１つのプレートの表面上の異なる領域で実施することができる。例えば、一実施形態において、１つのプレートは、それぞれ異なる捕捉剤を含む複数の結合部位を含んでもよく、従って、同じアッセイにおける試料中の複数の分析物の検出を可能にする。これらの部位は、互いに近位であるが、空間的に分離されもよい。
【０６５７】
図１０は、本発明の例示的な実施形態、すなわち１つのプレートの１つの結合部位と他のプレートの複数の貯蔵部位を使用する単一のＣＲＯＦ装置における多重検出を概略的に示す。図（ａ）及び（ｂ）は、それぞれ例示的な装置の斜視図及び断面図である。例示的な場合では、多重化されたＣＲＯＦ装置は、第１のプレート及び第２のプレートを含み、前記第１のプレートの１つの表面は１つの結合部位を有し、前記第２のプレートの１つの表面は複数の貯蔵部位を有し、異なる貯蔵部位は、異なる濃度を有する同じ検出剤を有することができ、あるいは、同じ又は異なる濃度を有する異なる検出剤を有することができる。いくつかの実施形態において、結合部位の面積は、各貯蔵部位の面積よりも大きい。いくつかの実施形態において、結合部位の面積は、すべての貯蔵部位の総面積よりも大きく、及び／又は結合部位は貯蔵部位と整列される（すなわち、それらは相互の上部にあり、すなわち、結合部位と貯蔵部上の点との間の最短距離は同じであるか又はほぼ同じである）。
【０６５８】
図１１は、本発明のさらなる例示的な実施形態、すなわち１枚のプレートの１つの貯蔵部位と他のプレートの複数の結合部位を使用する単一のＣＲＯＦ装置における多重検出を概略的に示す。図（ａ）及び（ｂ）は、それぞれ例示的な装置の斜視図及び断面図である。例示的な場合では、多重化されたＣＲＯＦ装置は、第１のプレート及び第２のプレートを含み、前記第１のプレートの１つの表面は複数の結合部位を有し、前記第２のプレートの１つの表面は１つの貯蔵部位を有し、異なる結合部位は、異なる濃度を有する同じ捕捉剤を有することができ、あるいは、同じ又は異なる濃度を有する異なる捕捉剤を有することができる。いくつかの実施形態において、貯蔵部位の面積は、各結合部位の面積よりも大きい。いくつかの実施形態において、貯蔵部位の面積は、すべての結合部位の総面積よりも大きく、及び／又は貯蔵部位は結合部位と整列される（すなわち、それらは相互の上部にある）。
【０６５９】
図１２は、本発明のさらなる例示的な実施形態、すなわち１枚のプレートの複数の結合部位と他のプレートの複数の対応する貯蔵部位を使用する単一のＣＲＯＦ装置における多重検出を概略的に示す。図（ａ）及び（ｂ）は、それぞれ例示的な装置の斜視図及び断面図である。例示的な場合では、多重化されたＣＲＯＦ装置は、第１のプレート及び第２のプレートを含み、前記第１のプレートの１つの表面は複数の結合部位を有し、前記第２のプレートの１つの表面は複数の対応する貯蔵部位を有し、各対応する貯蔵部位は、第１のプレート上の結合部位の位置に対応する第２のプレート上の位置に配置されることにより、プレートが対向して配置される場合、各結合部位は１つの貯蔵部位のみと重なり、各貯蔵部位は１つの貯蔵部位のみと重なり、異なる貯蔵部位は、異なる濃度を有する同じ検出剤を有することができ、あるいは、同じ又は異なる濃度を有する異なる検出剤を有することができ、異なる貯蔵部位は、異なる濃度を有する同じ捕捉剤を有することができ、あるいは、同じ又は異なる濃度を有する異なる捕捉剤を有することができる。
【０６６０】
特定の実施形態において、図１０、１１及び１２のいずれか１つの装置において、第１のプレートは、その表面に、第１の所定のアッセイ部位及び第２の所定のアッセイ部位をさらに含み、プレートが閉鎖位置にある時に、複数のアッセイ部位に近接した縁部の間の距離は、均一な厚さの層の厚さより実質的に大きく、試料の均一な厚さの層の少なくとも一部は、所定のアッセイ部位の上方に位置し、試料は、試料に拡散できる１つ以上の分析物を有する。アッセイの飽和インキュベーションが２つの隣接する部位間の顕著な相互拡散の間に完了することができるので、隣接する複数のアッセイ部位の縁部間の距離を試料の厚さよりも大きくすることにより、試料の異なる部分を流体的に隔離することなく複数の結合部位を有することが可能になる。隣接する距離と試料の厚さの比を適切に選択し、かつアッセイの飽和インキュベーション時間より長いが２つの隣接する部位の間の顕著な相互拡散の時間より短い計測時間を適切に選択することにより、試料の異なる部分を離すことなく、ＣＲＯＦにより多重化を行うことができる。いくつかの実施形態において、閉鎖構成における試料厚さに対する隣接する距離の比は、１．５以上、３以上、５以上、１０以上、２０以上、３０以上、５０以上、１００以上、２００以上、１０００以上、１００００以上、又はこれらの値のいずれか２つの間の範囲である。この比は、好ましい実施形態において３以上であり、他の好ましい実施形態において５以上であり、特定の好ましい実施形態において１０以上であり、別の好ましい実施形態において３０以上であり、別の好ましい実施形態において１００以上である。
【０６６１】
特定の実施形態において、図１０、１１及び１２のいずれか１つの装置では、第１のプレートは、その表面に、少なくとも３つの分析物アッセイ部位を有し、プレートが閉鎖位置にある時に、任意の２つの隣接したアッセイ部位の縁部間の距離は、均一な厚さの層の厚さより実質的に大きく、均一な厚さの層の少なくとも一部は、アッセイ部位の上方に位置し、試料は、試料に拡散できる１つ以上の分析物を有する。
【０６６２】
特定の実施形態において、図１０、１１及び１２のいずれか１つの装置では、第１のプレートはその表面に、プレートが閉鎖位置にある時に、均一な厚さの層の厚さより実質的に大きい距離により分離されない少なくとも２つの隣接した分析物アッセイ部位を有し、均一な厚さの層の少なくとも一部は、アッセイ部位の上方に位置し、試料は、試料に拡散できる１つ以上の分析物を有する。
【０６６３】
段落Ｕ１〜６、Ｘ−６、Ｐ１−８、Ｗ１〜６、Ｖ１−４、ＵＡＢ１−８、Ｍ１−２、Ｓ１−２、Ｑ１１０及びＨ１のいずれか、ならびにそれらの任意の組み合わせの方法又は装置では、第１及び第２のプレートは、多重化検出のために図１０、図１１、又は図１２に記載されるように、結合部位及び貯蔵部位をさらに含む。
【０６６４】
これらの実施形態において、該装置は、流体分離（すなわち、アッセイ領域間の物理的障壁がない）がない状況下で液体試料を比較し、多重化し、アッセイすることができる。該装置は、第１のプレート及び第２のプレートを含み、ｉ．プレートは、異なる構成になるように互いに対して移動可能であり、１つ又は両方のプレートは可撓性であり、ｉｉ．前記プレートの１つ又は両方は、それぞれのプレートに固定されたスペーサを含み、かつスペーサは、所定の実質的に均一な高さ、及び所定の一定のスペーサ間距離を有し、ｉｉｉ．各プレートは、それらのそれぞれの表面上に、試料内に拡散できる１つ以上の標的分析物を含む、試料と接触するための試料接触領域を有し、ｉｉｉ．第１のプレートは、その表面に、各々が試料の対応する標的分析物に結合しかつそれを固定する捕捉剤含有の所定の領域を有する１つ以上の結合部位を有し、ｉｖ．第２のプレートは、その表面に、各々が試料と接触する場合に試料内に溶解しかつ試料内に拡散する濃度の検出剤を含み、かつ所定の領域を有する１つ以上の対応する貯蔵部位を有し、各捕捉剤、標的分析物及び対応する検出剤は、第１のプレートの結合部位で捕捉剤−標的分析物−検出剤サンドイッチを形成することができ、１つの構成は、開放構成であり、２つのプレートが部分的に又は完全に離され、プレート間の間隔がスペーサにより調節されず、試料がプレートの１つ又は両方に付着し、別の構成は、開放構成で試料を付着させた後に構成された閉鎖構成であり、前記閉鎖構成で、ｉ．少なくとも一部の試料は、厚さが均一な層へと圧縮され、該層が２つのプレートの内表面と接触して限定し、かつそれにより１つ以上の結合部位と１つ以上の貯蔵部位を覆い、ｉｉ．１つ以上の対応する貯蔵部位は１つ以上の結合部位の上方にあり、ｉｉｉ．層の均一な厚さをスペーサ及びプレートにより調節し、それは２５０μｍより小さく、各貯蔵部位の所定の領域の線形寸法より実質的に小さく、ｉｖ．結合部位及び／又は貯蔵部位の間に流体的隔離がなく、隣接する貯蔵部位の縁部の間の分離部と隣接する結合部位の縁部の間の分離部は、標的分析物又は検出剤の関連時間内の拡散可能な距離より大きく、かつ結合部位及び／又は貯蔵部位の間に流体的隔離がない。
【０６６５】
いくつかの実施形態において、第１のプレートは、その表面に、複数（少なくとも２箇所、少なくとも４箇所、又は少なくとも１６箇所又はそれ以上）の結合部位を有する。
【０６６６】
いくつかの実施形態において、各結合部位は、異なる標的分析物に結合される。
【０６６７】
いくつかの実施形態において、第２のプレートは、その表面に、複数（少なくとも２箇所、少なくとも４箇所、又は少なくとも１６箇所又はそれ以上）の対応する貯蔵部位を有する。
【０６６８】
いくつかの実施形態において、各対応する貯蔵部位は、異なる標的分析物に結合される。
【０６６９】
いくつかの実施形態において、第１のプレートは、その表面に、複数の結合部位を有し、第２のプレートは、その表面に、複数の対応する貯蔵部位を有し、プレートが閉鎖構成にある時、各結合部位は対応する貯蔵部位に対向する。
【０６７０】
いくつかの実施形態において、第１のプレートは、その表面に、複数の結合部位を有し、第２のプレートは、その表面に、１つの貯蔵部位を有し、プレートが閉鎖構成にある時に、結合部位のうちの少なくともいくつかの結合部位は貯蔵部位中の１つの領域に対向する。
【０６７１】
いくつかの実施形態において、第１のプレートは、その表面に、１つの結合部位を有し、第２のプレートは、その表面に、複数の貯蔵部位を有し、プレートが閉鎖構成にある時、貯蔵部位のうちの少なくともいくつかの貯蔵部位は結合部位中の１つの領域に対向する。
【０６７２】
いくつかの実施形態において、第１のプレートは、その表面に、複数の結合部位を有し、結合部位は、同じ標的分析物に結合し、固定する異なる捕捉剤を含む。
【０６７３】
いくつかの実施形態において、第１のプレートは、その表面に、複数の結合部位を有し、結合部位は、同じ捕捉剤を含む。
【０６７４】
いくつかの実施形態において、捕捉剤は、異なる結合部位において密度が異なる。これらの実施形態は、試料中の分析物の量を定量化する方法を提供するために使用されてもよい。
【０６７５】
いくつかの実施形態において、２つの隣接する結合部位又は２つの隣接する貯蔵部位の間に分離部が存在し、閉鎖構成での試料の厚さに対する分離の比は、少なくとも３であり、例えば少なくとも５、少なくとも１０、少なくとも２０又は少なくとも５０である。
【０６７６】
いくつかの実施形態において、スペーサ間距離は、１μｍ〜１２０μｍの範囲内にある。
【０６７７】
いくつかの実施形態において、可撓性プレートの厚さは、２０μｍ〜２５０μｍの範囲内（例えば５０μｍ〜１５０μｍの範囲内）にあり、かつヤング率は０．１ＧＰａ〜５ＧＰａの範囲内（例えば、０．５ＧＰａ〜２ＧＰａの範囲内）にあってもよい。
【０６７８】
いくつかの実施形態において、可撓性プレートの厚さに可撓性プレートのヤング率を乗算した値は、６０ＧＰａ−μｍ〜７５０ＧＰａ−μｍの範囲内にある。
【０６７９】
いくつかの実施形態において、該方法は以下のステップ（ａ）〜（ｅ）を含む：
（ａ）試料内に拡散できる１つ以上の標的分析物を含有する試料を取得し、
（ｂ）異なる構成になるように互いに対して移動可能な第１のプレート及び第２のプレートを取得し、
ｉ．前記プレートの１つ又は両方は、それぞれのプレートに固定されたスペーサを含み、前記プレートの１つ又は両方のプレートは可撓性であり、
ｉｉ．スペーサは、所定の実質的に均一な高さ、及び所定の一定のスペーサ間距離を有し、
ｉｉｉ．第１のプレートは、その表面に、（ａ）における対応する標的分析物に結合して固定化する捕捉剤を含む所定の領域をそれぞれ有する１つ以上の結合部位を有し、
ｉｖ．第２のプレートは、その表面上に、所定の領域をそれぞれ有し、試料に接触した後に試料に溶解して拡散するある濃度の検出剤を含む１つ以上の対応する貯蔵部位を含み、各捕捉剤、標的分析物及び対応する検出剤は、第１のプレートの結合部位に捕捉剤−標的分析物−検出剤のサンドイッチを形成でき、
（ｃ）プレートが開放構成に構成されている時に、１つ又は両方のプレートに試料を付着させ、
開放構成とは、２つのプレートが部分的に又は完全に離され、プレート間距離がスペーサにより調節されない構成を指し、
（ｄ）（ｃ）の後、２つのプレートを閉鎖構成にすることにより試料を圧縮し、
閉鎖構成は、
ｉ．試料の少なくとも一部が、２つのプレートの内表面に接触して限定され、１つ以上の結合部位及び１つ以上の貯蔵部位に接触する均一な厚さの層へと圧縮され、
ｉｉ．１つ以上の対応する貯蔵部位が１つ以上の結合部位上にあり、
ｉｉｉ．層の均一な厚さがスペーサ及びプレートにより調節され、２５０μｍより小さく、各貯蔵部位の所定の領域の線形寸法より実質的に小さ（ｅ）（ｄ）の後に、プレートが閉鎖構成にある時に、
（１）関連時間長さで試料をインキュベーションし、次にインキュベーションを停止し、あるいは
（２）関連時間長さの最小値以上の時間で試料をインキュベーションし、次に、関連時間長さの最大値以下の時間内に、各標的分析物の結合部位への結合を評価し、前記関連時間長さは、
ｉ．（ａ）の標的分析物が閉鎖構成で均一な厚さの層の厚さにわたって拡散することに必要な時間以上であり、かつ
ｉｉ．（ａ）の標的分析物が貯蔵部位又は結合部位の所定の領域の最小線形寸法にわたって横方向に拡散する時間より著しく短く、従って、（１）におけるインキュベーションの終了で又は（２）における評価中に、各結合部位に結合した捕捉剤−標的分析物−検出剤サンドイッチの大部分が試料の対応する関連体積から由来し、インキュベーションにより、各標的分析物が結合部位及び検出剤に結合することを可能にし、対応する試料の関連体積は、閉鎖構成で対応する貯蔵部位の上にある試料の一部分であり、隣接した貯蔵部位のエッジの間の距離と隣接した結合部位のエッジとの間の距離は、標的分析物又は検出剤が関連時間内に拡散できる距離より大きく、結合部位及び／又は貯蔵部位の間に流体的隔離がない。
【０６８０】
上記多重化アッセイ装置の任意の実施形態は、この方法に使用されてもよい。
【０６８１】
１６  広いウェル内の少量の試料又は試薬（Ｅ）
いくつかの応用において、プレート上のウェルは、試料がカバーしなければならないウェルの領域に対して小さい試料体積を有する試料を検査するために使用される。本発明の１つの態様は、広いウェル内の少量の試料又は試薬のアッセイ及び他の化学反応を可能にする方法及び装置である。用語「ウェル」は、ウェルの内部に付着した液体が、ウェルの固体底部及び密閉された側壁によってウェルの外側に流れることを防止する、表面での中空の区画、くぼんだ領域、又はくぼみを指す（図８）。ウェルの領域は、側壁によって囲まれた領域である。用語「小体積の試料」と「広いウェル」は、試料がウェルの底部に滴下され、試料を分散するための装置がない場合、ウェル底部との接触領域を有するウェル底部上の試料の体積は、ウェルの領域よりも小さい（すなわち、前記「小」と「広さ」とは、試料の自然接触領域とウェルの底部領域との比較である）。ウェルは密閉スペーサ（Ｅ）の作用を果たす。
【０６８２】
図８及び図９は、試料の厚さ調整のためのプレート及び密閉スペーサ（ウェル）の特定の実施形態を示す。（ａ）第１のプレートは、ウェルの内側に１つの密閉スペーサ（ウェル）及び少なくとも１つのスペーサを有し（図９）、（ｂ）第１のプレートは、ウェルの内側にスペーサを備えない（図８）という２つの例示的な実施形態が示される。別の実施形態は、第１及び第２のプレートが閉鎖構成にある前に、密閉スペーサがその中の１つのプレートにあり、隔離されたスペーサが別のプレート上にあり、プレートの閉鎖構成では、隔離されたスペーサがウェルの内側にあることである。
【０６８３】
１つの実施形態において、プレートのウェルに付着した試料の体積は、ウェルの内部体積（体積を特定の体積に測定する）にほぼ等しい所定の体積（内側のウェル領域とウェルの高さとの積）を有することができ、それによりプレートが閉鎖構成にある時に、試料はほぼ完全にウェルを充填し、ウェルから流れ出る試料がないか又はほぼない。
【０６８４】
別の実施形態において、プレートのウェルに付着した試料の体積は測定されず、かつプレートの閉鎖構成では、試料の一部はウェルをほぼ完全に充填し、試料の他の部分はウェルから流出する。
【０６８５】
別の実施形態において、複数のウェルは１つのプレートである。いくつかの実施形態において、ウェルからオーバーフローする試料のためのウェル間に溝（ダンピング空間）がある。ダンピング空間は、１つのウェルからオーバーフローする試料が他のウェルに流れることを防止する。
【０６８６】
Ｅ１.  図８に示すように、広いウェルにおいて少量の試料を用いてアッセイ及び／又は化学反応を行う方法は、以下のステップ（ａ）〜（ｄ）を含む：
（ａ）異なる構成になるように互いに対して移動可能な第１のプレート及び第２のプレートを取得し、
前記第１のプレートが、その表面に、所定の寸法（ウェル底部、深さ及び縁部を含む）を有するウェルと、前記ウェルの底部に結合部位とを有し、
（ｂ）（ｉ）結合部位に結合しかつ試料において拡散することができる標的実体を含み、（ｉｉ）体積及び湿潤特性を有し、それにより第２のプレートと接触せずにウェルの底部のみに付着した試料の接触領域がウェルの底部の領域よりも小さい試料を取得し、
（ｃ）プレートが開放構成に構成されている時に、ウェル内又は第２のプレートの対応する領域上に、又はその両方に試料を付着させ、
前記開放構成で、２つのプレートが部分的に又は完全に離され、第２のプレートとウェルの底部との間の間隔がウェルの縁部（すなわち、ウェルの深さ）により調節されない、ステップ；
（ｄ）（ｃ）の後、プレートを閉鎖構成にして前記試料を広げ、
閉鎖構成で、第２のプレートがウェルに被覆され、結合部位上の試料がスペーサ及び第２のプレートにより調節され、試料とウェルの底部との接触面積が、プレートが開放構成にある時よりも大きく、
第２のプレートの対応する領域は、閉鎖構成でウェルの頂部及びウェルの縁部の内側にある領域である。
【０６８７】
段落Ｅ１の方法において、プレートは、少なくともウェルの内部の隔離されたスペーサ（すなわちウェルスペーサ）をさらに含む。
【０６８８】
段落Ｅ１の方法において、いくつかの実施形態において、試料の体積が計測される（例えば、選択された体積を有するために）。計量された体積は、ウェルの体積とほぼ等しいか、小さいか、又は大きい。
【０６８９】
段落Ｅ１の方法において、いくつかの実施形態において、プレートの外側からの圧縮力は、プレートを閉鎖構成に保持するように構成される。
【０６９０】
段落Ｅ１の方法において、いくつかの実施形態において、毛細管力は、プレートを閉鎖構成に保持するように構成される。
【０６９１】
図８ｄに示すように、段落Ｅ１の方法において、いくつかの実施形態において、ウェルの底部、第２のプレートの対応する領域、又はその両方が所定の高さのスペーサで取り付けられ、閉鎖構成では、試料の厚さは、スペーサ、縁部、又はその両方によって調整される。
【０６９２】
いくつかの実施形態において、スペーサの高さはウェルの深さと等しいか、それよりも小さいか、又は大きい。ウェルの底部は平面状（すなわち平坦）又は湾曲している。いくつかの実施形態において、スペーサ（１）は、所定のスペーサ間距離を有し、（２）試料の内部にあり、（３）それぞれのプレートに固定されるか、又はそれらの任意の組み合わせである。
【０６９３】
いくつかの実施形態において、試料の体積はウェルの体積からスペーサの体積を引いたものにほぼ等しい。いくつかの実施形態において、第２のプレートはウェルを密封するように構成される。
【０６９４】
いくつかの実施形態において、ウェル領域とウェル深さ平方との比は、３以上、５以上、１０以上、２０以上、３０以上、５０以上、１００以上、２００以上、１０００以上、１００００以上、又はこれらの値のいずれか２つの間の範囲である。
【０６９５】
ウェル領域とウェル深さ平方との比は、好ましい実施形態において３〜２０であり、別の好ましい実施形態において２０〜１００であり、別の好ましい実施形態において１００〜１０００であり、別の好ましい実施形態において１０００〜１００００である。
【０６９６】
１７  非試料体積による影響を補正する定量化（Ｃ）
ＣＲＯＦプロセスでは、試料は常に、スペーサ、気泡、塵埃又はそれらの任意の組み合わせを含むがこれらに限定されない、試料ではない物体に起因する試料なし体積と混合される。気泡又は塵埃は、ＣＲＯＦプロセスにおける試料付着又は他のプロセスを使用して導入されてもよい。これらの試料なし物体は、試料の関連体積（関心対象の体積）を決定する時に修正する必要がある体積を占有し、かつ試料内にある。本発明の１つの態様は、２つのプレートの間の試料の関連体積内の非試料体積で生成される影響を補正することであり、関連体積の厚さがスペーサにより調節される。
【０６９７】
Ｃ１．  ２つのプレートの間の試料の関連体積を決定する時に、非試料材料により生成される影響を補正する方法は、以下のステップ（ａ）〜（ｆ）を含む：
（ａ）試料の関連体積が定量化される試料を取得し、
（ｂ）異なる構成になるように互いに対して移動可能な２つのプレートを取得し、
前記プレートの一つ又は両方が、所定のスペーサ間距離及び高さを有し、それぞれのプレートに固定されたスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にし、
閉鎖構成では、プレートが互いに対向して、スペーサ及び試料の関連体積がプレートの間に位置し、試料の関連体積の厚さがプレート及びスペーサにより調節され、プレートの開放構成では、該厚さが試料の最も大きい厚さより薄く、関連体積が非試料材料の体積を含む可能性があり、
（ｅ）プレートが閉鎖構成にある時に、（ｉ）試料の関連体積の横方向面積及び（ｉｉ）非試料材料の体積を計測し、
（ｆ）スペーサにより調節される関連体積の厚さを用いて試料の関連体積を計算して、非試料材料の影響を補正し、
関連体積は、試料の全体積の少なくとも一部であり、非試料材料は、試料に由来しない材料である。
【０６９８】
−２つのプレートの間の試料を画像化することにより非試料体積を計測する。
【０６９９】
１８  距離の二重チェックによる高精度定量化
ＣＲＯＦにおいて、与えられた一組の条件に対して、スペーサ及びプレートが閉鎖構成で所定の試料厚さを与えることができても、特定のＣＲＯＦの間に、実際の一組の条件は、期待されるものと異なる可能性があり、所定の最終試料厚さの誤差をもたらす。このような誤差を低減するために、本発明の一態様は、閉鎖構成で最終試料厚さを二重チェックすることである。
【０７００】
Ｃ２．  ２つのプレートの間の試料の関連体積の厚さを決定しチェックする方法は、以下のステップ（ａ）〜（ｆ）を含む：
（ａ）試料の関連体積が定量化される試料を取得し、
（ｂ）異なる構成になるように互いに対して移動可能な２つのプレートを取得し
前記プレートの一つ又は両方は、所定のスペーサ間距離及び高さを有し、それぞれのプレートに固定されたスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にし、
閉鎖構成では、プレートが互いに対向して、スペーサ及び試料の関連体積がプレートの間に位置し、試料の関連体積の厚さがプレート及びスペーサにより調節され、プレートの開放構成では、該厚さが試料の最も大きい厚さより薄く、関連体積が非試料材料の体積を含む可能性があり、
（ｅ）プレートが閉鎖構成にある時に、（ｉ）試料の関連体積の横方向面積及び（ｉｉ）非試料材料の体積を計測し、
（ｆ）非試料材料の影響を補正することにより、試料の関連体積を計算し、
前記関連体積は、試料の全体積の少なくとも一部であり、非試料材料は、試料に由来しない材料である。
【０７０１】
１９  洗浄（ＷＳ）
本発明では、本明細書に記載されたプレートプレスと保持の実施形態の１つ又は任意の組み合わせが、本発明の説明全体に記載された全ての方法及び装置において使用される。
【０７０２】
アッセイにおける洗浄ステップのための方法は、
上記方法の１つ又は任意の組み合わせにおけるステップを実行するステップと、
プレート間の試料又は搬送媒体を洗い流すステップとを含む。
【０７０３】
ＣＲＯＦを使用する方法において、プレートを閉鎖構成に保持することにより洗浄する。
【０７０４】
ＣＲＯＦを使用する方法において、閉鎖構成からプレートを離すことにより洗浄する。
【０７０５】
２０  多重ステップのアッセイ（ＭＡ）
本発明において、本開示によって記載された実施形態（すなわち、全てのセクション）は、
（ａ）一実施形態を他の実施形態と組み合わせること；
（ｂ）同じ実施形態を１回より多く使用すること；
（ｃ）（ａ）と（ｂ）の任意の組み合わせ、により使用することができる。
【０７０６】
ＭＡ１．  試料中の分析物をアッセイする方法は、以下のステップを含む：
（ａ）分析物を含有する試料を取得し、
（ｂ）ＣＲＯＦを使用する方法を実行し、
（ｃ）プレートを離し、ＣＲＯＦを使用する方法を実行する。
【０７０７】
段落ＭＡ１の方法では、いくつかの実施形態において、ＭＡ１のステップ（ｃ）の後に、ＭＡ１の方法における全てのステップの同じステップを少なくとも１回繰り返すステップをさらに含む。
【０７０８】
ＭＡ２．  試料中の分析物をアッセイする方法は、以下のステップを含む：
（ａ）分析物を含有する試料を取得し、
（ｂ）ＣＲＯＦを使用する方法を実行し、
（ｃ）プレートを離し、ＣＲＯＦを使用する方法（洗浄）を実行し、
（ｄ）ＣＲＯＦを使用する方法を実行する。
【０７０９】
段落ＭＡ２の方法では、いくつかの実施形態において、ＭＡ２のステップ（ｄ）の後、ＭＡ２の方法における全てのステップの同じステップを少なくとも１回繰り返すステップをさらに含む。
【０７１０】
段落ＭＡ２の方法では、いくつかの実施形態において、ＭＡ２のステップ（ｃ）の後、ＭＡ１の方法における全てのステップの同じステップを少なくとも１回繰り返すステップをさらに含む。
【０７１１】
ＭＡ３．  試料中の分析物をアッセイするキットは、
ＣＲＯＦを使用する第１のＣＲＯＦ装置と、
第１のＣＲＯＦ装置のプレートが離されたとき、第１のＣＲＯＦ装置のプレートの１つと組み合わせて第２のＣＲＯＦ装置を形成する第３のプレートとを含む。
【０７１２】
ＭＡ４．  試料中の分析物をアッセイするキットは、
ＣＲＯＦを使用する第１のＣＲＯＦ装置と、
ＣＲＯＦ装置のプレートの試料接触領域上にある少なくとも１つの結合部位又は貯蔵部位と、
第１のＣＲＯＦ装置のプレートが離されたとき、第１のＣＲＯＦ装置のプレートの１つと組み合わせて第２のＣＲＯＦ装置を形成する第３のプレートとを含む。
【０７１３】
結合部位は、標的分析物をプレートの表面に結合し、貯蔵部位は、試料と接触すると試料に溶解しかつ試料中に拡散することができる試薬を有する。
【０７１４】
画像化は、スマートフォンの使用を含む。このセクションの方法は、光源による照明のステップをさらに含む。光源は、レーザ、ＬＥＤ、ランプ、又はカメラフラッシュライトであってもよい。
【０７１５】
試料中の標的実体を検出するアッセイを行うためのキット（ＭＱＸＡ）
試料中の標的実体をアッセイするためのキットは、
ａ．その１つの表面に、標的実体を固定化することができ、標的実体に結合する結合パートナーを有する１つ以上の結合部位を有する、第１のプレートと、
ｂ．カバープレートと、
ｃ．試料中で移動可能な前記標的実体を含み、形状が変形可能であり、第１のプレートと第２のプレートが互いに対して移動可能であり、形状が内表面にほぼ一致し、少なくとも一部が結合部位と接触し、インキュベーションの間に内側の間隔が一定の距離より小さく、前記結合部位と接触し、カバープレートと第１のプレートとの間の内部空間にある、試料と、
ｄ．第１のプレートの表面及び／又はカバープレートの表面に画像化を行うことができる画像化装置と、
ｅ．内部空間の間隔を計測することができる計測装置とを含む。
【０７１６】
このセクションの方法は、スマートフォンの使用を含む。このセクションの方法は、照明装置の使用を含む。照明装置は、レーザ、ＬＥＤ、ランプ、又はカメラフラッシュライトを含む。
【０７１７】
２１  プレートプレス及び保持（Ｈ）
圧縮力  ＣＲＯＦプロセスにおいて、力を入れて２つのプレートを圧縮してプレートを開放構成から閉鎖構成にする。圧縮力は、プレートの内表面間の間隔を減少させ、これによりプレート間の試料の厚さを減少させる。本発明において、圧縮力は、機械的力、毛細管力（表面張力による）、静電力、電磁力（光を含む）、及びそれらの任意の組み合わせを含むが、これらに限定されない。
【０７１８】
プレートを開放構成から閉鎖構成にするいくつかの実施形態において、第１のプレートと第２のプレートとを互いに向かって押し付けるための外からの力を加える。
【０７１９】
プレートを開放構成から閉鎖構成にするいくつかの実施形態において、第１のプレートと第２のプレートの外側に外からの力を加えてプレートを互いに向かって押し付け、前記圧力はプレート内の圧力よりも高い。プレート外の圧力をプレート内の圧力よりも高くするための装置が使用される。この装置は、密封装置のみに限定されている。
【０７２０】
いくつかの実施形態において、圧力は、第１のプレートと第２のプレートとの間の液体及び対応する表面の張力とプレートとの相互作用に起因する毛細管力によって少なくとも部分的に提供される。いくつかの実施形態において、液体は試料自体であるか、又は液体と混合された試料である。特定の実施形態において、毛細管力は、他の力とともに使用される。多くの場合、試料は液体中にあることが多く、表面張力は毛細管力を挿入するのに適する。いくつかの実施形態において、毛細管力が試料を変形させることに必要な力に等しい場合に、プレートによる試料の変形は自動的に停止することができる。
【０７２１】
特定の実施形態において、第１のプレートと第２のプレートとの間の圧力（内部圧力）をプレートの外側（外部圧力）から隔離し、次いで内部圧力を外部圧力よりも低くすることによって、圧縮力（これにより試料変形）が生成される。隔離は、真空密封又は他の装置を用いて行うことができる。
【０７２２】
いくつかの実施形態において、それは、上記方法の組み合わせである。
【０７２３】
段階的プレス  特定の実施形態において、プレートを閉鎖構成にする圧縮力は、「段階的プレス」という過程において加えられ、それは、まずプレートの１つの位置でプレス（すなわち、圧力を加える）を加え、その後に試料の他の位置に段階的に加えることを含む。段階的プレスのいくつかの実施形態において、ある位置で試料を所望の厚さに変形させた後に、該位置の圧縮力（試料自体の毛管力を除く）は、（ｉ）プレス及び試料変形の全体プロセスにおいて維持され、（ｉｉ）他の位置でプレスされる時に除去され、あるいは（ｉｉｉ）（ｉ）のプレートのある部分に使用され、（ｉｉ）の試料のある部分に使用される。
【０７２４】
段階的プレスの一実施形態において、ローラを使用して、第１のプレート及び第２のプレート（試料がプレートの間に位置し、プレートが僅かに可撓性である）を別のローラ又は平坦な表面に押し付ける。
【０７２５】
別の実施形態において、人の指は、プレート（従って試料）をプレスするためのツールである。プレスは、人の手の一部が人体の他の部分（人の手の他の部分を含む）と接触するか又は人の手が物体（例えば、テーブル面）と接触することである。一実施形態において、プレスは、試料のある位置から開始しかつ試料の他の位置に徐々に移動する。
【０７２６】
段階的プレスの一実施形態において、プレスされた空気ジェットは、最初にプレート対のある位置（例えば中心）（第１のプレートと第２のプレートの間にあり、そのうちの１つのプレートが僅かに可撓性である）に案内され、該圧縮力はプレート対の別の部分に徐々に拡張する。
【０７２７】
別の実施形態において、第１のプレートと第２のプレートの１つ又は両方は可撓性であり、かつ試料のある位置と接触し、その後に該位置の毛管力は、プレート対を一緒に引っ張って（相互に向かって）試料を変形させる。
【０７２８】
段階的プレスの利点は、小さい力で試料を変形させる（力が同じである場合、プレス面積が小さいほど圧力が大きくなるからである）ことを可能にし、試料の移動（変形）、及び／又は試料中の気泡の減少に役立つことを含む。圧力が大きいほど、試料の変形は大きくなる。段階的プレスは、変形した試料の厚さ均一性を改善することができる。
【０７２９】
プレス装置  ＣＲＯＦにおける試料変形用の圧縮力を決定する装置は、様々な実装を有する。いくつかの実施形態において、人の手を用いて、例えば、人の指を用いてプレスする。特定の実施形態において、プレス装置は、人の手、機械的クリップ、機械プレス、機械的クランプ、機械的スライダ、機械的装置、電磁気装置、表面を転がるローラ、対向する２つのローラ、流体プレス、油圧装置又はそれらの任意の組み合わせを含むが、これらに限定されない。特定の実施形態において、加圧された液体（加圧空気を含む）を用いて第１のプレート及び／又は第２のプレートを直接又は間接的にプレスする。「直接」とは、加圧された液体を第１のプレート及び／又は第２のプレートに直接加えることを指し、「間接的」とは、第３の物体により加えることを指す。プレスの特定の実施形態は、プレス装置及び方法の上記実施形態の組み合わせを使用する。
【０７３０】
また、試料変形の特定の実施形態において、プレス及び試料変形は監視される。監視は、プレス及び試料変形を制御するために用いることができる。変形の監視は、機械的方法、電気的、光学的、化学的、磁気的及びそれらの任意の組み合わせを含むが、これらに限定されない。機械的方法は、機械的ゲージ、スペーサ（機械的ストッパ、以下に詳細に説明する）及び音波を含むが、これらに限定されない。
【０７３１】
ＣＲＯＦにおいて、間隔制御装置は、機械的プレス、機械的移動ステージ、人の指、プレートを互いに向かって引っ張る毛細管力を提供する液体、プレートに圧力を加える液体（空気を含む）又はそれらの組み合わせを含む。
【０７３２】
特定の実施形態において、（並進及び／又は回転）機械的ステージは、試料変形及び試料厚さの制御に使用され、かつ監視システムとともに動作する。
【０７３３】
いくつかの実施形態において、圧縮力の少なくとも一部は、プレートを一緒に取り付けて閉鎖構成に形成するように構成されたプレス（プレートを閉鎖構成に変形させる装置）によって提供される。
【０７３４】
いくつかの実施形態において、人の手でプレートをプレスする。人は、検査される人又は検査を行う人、又は試料を採取する人であってもよい。
【０７３５】
いくつかの実施形態において、プレートのプレスは、毛管力を使用して２つのプレートを一緒に保持することである。毛管力は、１つ又は両方のプレートの内表面の少なくとも一部を親水性にすることにより生成される。プレートを閉鎖構成に圧縮するために使用された力の一部又は全部（毛管力を除く）が除去されても、適切な毛管力で、２つのプレートは、プレートが最初に閉鎖構成にある時と同じプレート間隔及び同じ試料の関連体積の厚さを保持することができる。
【０７３６】
いくつかの実施形態において、プレートの外表面に圧縮力を加えてプレートの内表面の間隔を減少させる装置は、プレートの外表面に適合する接触表面を含み、装置の接触表面は、プレートの外表面と接触する装置の表面であり、「プレートの外表面に適合する」とは、装置の表面が圧縮中に変形して、その形状がプレートの外表面の形状と一致することを指す。例示的な実施形態において、圧縮装置は、人の指を指す。別の例示的な実施形態において、圧縮装置は、軟質プラスチック又はゴムで作られた接触面を有する。
【０７３７】
自己保持（圧縮力を除去した後に最終の試料厚さを保持すること）  ＣＲＯＦをプレスするいくつかの実施形態において、閉鎖構成で試料が変形した後、一部の圧縮力は除去され、かつ試料は、圧縮力が存在する時と同じ最終の試料厚さを保持する。このような状況は、「自己保持」と呼ばれる。自己保持の１つの理由は、プレート対の外側から挿入された圧縮力を除去した後、プレートの内表面の間に依然として他の力（例えば、毛管力）が存在して、プレート対を一緒に保持することである。毛管力は、プレート上の試料の湿潤特性に起因する。
【０７３８】
自己保持を有するために、プレートの表面の湿潤特性、試料とプレートとの全接触面積、閉鎖構成での最終の試料厚さ又はそれらの組み合わせを制御する必要がある。
【０７３９】
自己保持を達成するためのいくつかの実施形態において、プレートの内表面の１つ又は両方は親水性である。すなわち、親水性の内表面を有するいずれか１つのプレート、又は親水性の内表面を有する両方のプレートである。
【０７４０】
毛管力は、液体表面の半径曲率に依存し、曲率が小さいほど、毛細管力が高くなる。２つのプレート（すなわち、プレート対）の間に小さい間隔（従って試料厚さ）を使用することにより、小さい曲率を達成することができる。いくつかの実施形態において、自己保持を達成するための最終試料厚さは、１０ｎｍ以下、１００ｎｍ以下、５００ｎｍ以下、１μｍ（マイクロメートル）以下、２μｍ以下、３μｍ以下、５μｍ以下、１０μｍ以下、２０μｍ以下、５０μｍ以下、７０μｍ以下、１００μｍ以下、１５０μｍ以下、３００μｍ以下、５００μｍ以下、７００μｍ以下、１０００μｍ以下、１２００μｍ以下、又はこれらの値のいずれか２つの間の範囲である。
【０７４１】
いくつかの実施形態において、自己保持用のプレートと接触する試料の面積は、最大１０μｍ２、最大１００μｍ２、最大２００μｍ２、最大５００μｍ２、最大１０００μｍ２、最大２０００μｍ２、最大５０００μｍ２、最大８０００μｍ２、最大０．０１ｍｍ２、最大０．０５ｍｍ２、最大０．１ｍｍ２、最大０．５ｍｍ２、最大１ｍｍ２、最大５ｍｍ２、最大１０ｍｍ２、最大５０ｍｍ２、最大１００ｍｍ２、最大５００ｍｍ２、最大１０００ｍｍ２、最大２０００ｍｍ２、最大５０００ｍｍ２、最大１００００ｍｍ２、最大１０００００ｍｍ２、又はこれらの値のいずれか２つの間の範囲である。
【０７４２】
いくつかの実施形態において、自己保持をよりよくするために、プレートの内表面のうちの１つ又は両方の湿潤特性は変更される。
【０７４３】
ＨＳ．１  いくつかの実施形態において、ＣＲＯＦプロセスにおいて、装置を使用して圧縮力を挿入してプレートを閉鎖構成にし、閉鎖構成になると、装置による圧縮力は除去され、かつ試料厚さ及びプレートの内表面の間隔は、装置による圧縮力を除去する前にほぼ同じである。いくつかの実施形態において、前段落の方法は、プレート又はプレート間から信号を読み取るステップを含み、信号は、分析物、実体、標識、試料体積、物質（すなわち、化学物質）の濃度、又はそれらの任意の組み合わせに関連する信号を含むが、これらに限定されない。
【０７４４】
段落ＳＨ．１の方法では、装置は、人の手、機械的クリップ、機械プレス、機械的クランプ、機械的スライダ、機械的装置、電磁気装置、表面を転がるローラ、対向する２つのローラ、流体プレス、油圧装置又はそれらの任意の組み合わせである。
【０７４５】
段落ＳＨ．１の方法において、いくつかの実施形態において、「試料の厚さ及びプレートの内表面間隔は、装置による圧縮力を除去する前とほぼ同じである」は、圧縮力除去前後の試料厚さとプレート内表面間隔の相対差が０．００１％以下、０．０１％以下、０．１％以下、０．５％以下、１％以下、２％以下、５％以下、８％以下、１０％以下、１５％以下、２０％以下、３０％以下、４０％以下、５０％以下、６０％以下、７０％以下、８０％以下、９０％以下、９９．９％以下であるか、又はこれらの任意の数値の間の範囲であることを指す。
【０７４６】
段落ＳＨ．１の方法では、いくつかの実施形態において、装置による圧縮力を除去した後の試料厚さとプレート内表面間隔が予め定められ、予め定められることは、所定の圧縮条件で圧縮力を加える前に、圧縮力を除去した後の厚さ及び間隔が既知であることを指す。
【０７４７】
Ｈ１．  試料の関連体積の厚さを減少させかつ該減少された厚さを保持する方法は、以下のステップ（ａ）〜（ｅ）を含む：
（ａ）関連体積の厚さが減少される試料を取得し、
（ｂ）異なる形態になるように互いに対して移動可能な２つのプレートを取得し、
前記プレートの一つ又は両方は、所定のスペーサ間距離及び高さを有し、それぞれのプレートに固定されたスペーサを含み、
（ｃ）プレートが開放構成に構成されている時に、プレートのうちの１つ又は両方に試料を付着させ、
前記開放構成とは、２つのプレートが部分的に又は完全に離され、プレート間の間隔がスペーサにより調節されない構成であり、
（ｄ）（ｃ）の後、プレートを閉鎖構成にするプレス装置を使用して前記試料を広げ、
閉鎖構成では、プレートが互いに対向して、スペーサ及び試料の関連体積がプレートの間に位置し、試料の関連体積の厚さがプレート及びスペーサにより調節され、プレートの開放構成では、該厚さが試料の最も大きい厚さより薄く、少なくとも１つのスペーサが試料内に位置し、
（ｅ）（ｄ）の後、装置を解放し、プレス装置を解放した後、プレート間の間隔は、装置を適用する時と同じか又はほぼ同じであるように保持する。
前記関連体積は、試料の一部又は全体積である。
【０７４８】
段落Ｈ１の方法において、プレート間の間隔とほぼ同じである割合は、最大１％、最大２％、最大５％、最大１０％、最大２０％、最大５０％、最大６０％、最大７０％、最大８０％、最大９０％、又はこれらの値のいずれか２つの間の範囲である。
【０７４９】
例えば、ＣＲＯＦにおいて、人の手で２つのプレートを閉鎖位置に圧縮し、その後に手及び手による圧縮力を除去するが、最終の試料厚さは、依然として手による圧縮力が存在する時と同じである。
【０７５０】
２２  他の組み合わせ
本発明において、本開示の各実施形態（すなわち、全てのセクション）は、
（ａ）単独で使用すること；
（ｂ）他の実施形態と組み合わせること；
（ｃ）複数回使用すること；
（ｄ）（ａ）〜（ｃ）の任意の組み合わせにより使用することができる。
【０７５１】
本発明において開示された方法及び装置は、単独で又はそれらの任意の組み合わせで使用することができる。「ＱＭＡＸ」方法又は装置という用語は、本明細書に記載された実施形態の方法又は装置を指す。
【０７５２】
いくつかの実施形態において、本発明において開示された方法及び装置は、Ｑ、Ｘ、Ａ、Ｍ、ＱＸ、ＱＡ、ＱＭ、ＸＡ、ＸＭ、ＡＭ、ＱＸＡ、ＱＡＭ、ＸＡＭ及びＱＸＡＭの形態で使用することができる。
【０７５３】
表面固定化アッセイへのＱ、Ｘ、Ａ及びＭの応用のいくつかの実施形態は、以下の態様ａ〜ｆを含む：
ａ．第１のプレートを有し、
第１のプレート表面は、既知の深さ及び体積の少なくとも１つのウェルを有し、該ウェルの底面は、試料中の標的実体を固定化することができる１以上の結合部位を有し、
ｂ．ウェル体積とほぼ同じ試料をウェル内に付着させ、
前記試料は前記標的実体を含み、標的実体は試料内で移動可能であり、試料の形状が変形可能であり、試料はウェルの一部のみを被覆し（従って、ウェル深さよりも大きな厚さを有する）、
ｃ．カバープレートを有し、
ｄ．第１のプレートとカバープレートを互いに向かい合わせることにより、試料は第１のプレートと第２のプレートの内表面の間にあり、
ｅ．第１のプレートと第２のプレートの内表面間の間隔を減少させることにより試料の厚さを減少させ、
ｆ．減少した試料厚さで試料を一定の時間インキュベートする。
【０７５４】
これらの方法の１つの変動は、１つ以上の上記ステップを９６ウェルプレート又は他のプレートに適用することである。
【０７５５】
本発明のセクション１、２、３、５に開示された方法及び装置は、単独で又はそれらの任意の組み合わせで使用することができる。具体的には、セクション１及びセクション２に開示された発明に対してＱを使用し、セクション３及びセクション５に開示された発明に対してＡを使用し、セクション４及びセクション５に開示された発明に対してＸを使用し、セクション６に開示された発明に対してＭを使用する。従って、セクション１、２、３及び５に開示される発明の方法及び装置は、Ｑ、Ｘ、Ａ、Ｍ、ＱＸ、ＱＡ、ＱＭ、ＸＡ、ＸＭ、ＡＭ、ＱＸＡ、ＱＡＭ、ＸＡＭ、及びＱＸＡＭの形態で使用することができる。
【０７５６】
表面固定化アッセイへのＱ、Ｘ、Ａ及びＭの応用のいくつかの実施形態は、以下の態様ａ〜ｆを含む：
ａ．第１のプレートを有し、
第１のプレート表面は、既知の深さ及び体積の少なくとも１つのウェルを有し、該ウェルの底面は、試料中の標的実体を固定化することができる１以上の結合部位を有し、
ｂ．ウェル体積とほぼ同じ試料をウェル内に付着させ、
前記試料は前記標的実体を含み、標的実体は試料内で移動可能であり、試料の形状が変形可能であり、試料はウェルの一部のみを被覆し（従って、ウェル深さよりも大きな厚さを有する）、
ｃ．カバープレートを有し、
ｄ．第１のプレートとカバープレートを互いに向かい合わせることにより、試料は第１のプレートと第２のプレートの内表面の間にあり、
ｅ．第１のプレートと第２のプレートの内表面間の間隔を減少させることにより試料の厚さを減少させ、
ｆ．減少した試料厚さで試料を一定の時間インキュベートする。
【０７５７】
この方法の１つのバリエーションは、１つ以上の上記ステップを９６ウェルプレート又は他のプレートに適用することである。
【０７５８】
前記方法、装置及びシステムのいくつかの実施形態は、試料体積量（Ｑ）、試薬添加（Ａ）及び／又はアッセイ加速（Ｘ）（対応する頭字語ＱＡ、ＱＸ、ＡＸ及びＱＡＸと呼ばれる）の１つ以上の特徴を組み合わせる。Ｑ、Ａ、Ｘ、ＱＡ、ＱＸ、ＡＸ及びＱＡＸの方法及び装置のいくつかの実験的実証を以下に説明する。
【０７５９】
２３  試薬
特に断らない限り、用語「試薬」とは、生物剤、生化学剤及び／又は化学薬品のうちの一種又は複数種を指す。例えば、試薬は、捕捉剤、検出剤、化学化合物、光標識、放射性標識、酵素、抗体、タンパク質、核酸、ＤＮＡ、ＲＮＡ、脂質、炭水化物、塩、金属、界面活性剤、溶媒又はそれらの任意の組み合わせを含むことができる。
【０７６０】
いくつかの実施形態において、プレート上の試薬は、液体、固体、分子蒸気又はそれらの組み合わせの形態で存在してもよい。試薬の付着は、堆積、配置、印刷、スタンピング、液体分配、蒸発（熱蒸発、蒸気蒸発、ヒト呼吸）、化学気相成長、及び／又はスパッタリングを含むが、これらに限定されない。異なる試薬は、異なる位置に存在してもよい。試薬は、試薬の小さいドットで印刷されてもよく、かつ／又は付着してもよい。
【０７６１】
いくつかの実施形態において、まず試薬を液体又は蒸気の形態でプレートに付着させ、その後にＣＲＯＦプロセスの前に乾燥してプレート上の乾燥試薬にする。
【０７６２】
試薬放出時間の制御  Ａ方法は、試薬放出時間（すなわち、試薬が試料中でどのくらい速く溶解するかを計測する時間）を制御するステップをさらに含む。試薬の試薬放出時間を制御するいくつかの実施形態は、試薬の頂部に試薬放出に影響する一種又は複数種の「放出制御材料」を混合するか又は塗布するステップを含む。いくつかの態様においては、放出制御材料は、別の試薬であってもよい。例えば、ＡとＢの２種類の試薬を有し、試薬Ａは、試薬Ｂの上面に塗布され、一定の条件下で、試薬Ａは、試薬Ｂの前に試料中に溶解する。
【０７６３】
また、第１のプレート及び第２のプレートの表面特性を使用して試薬放出を制御することができる。１つの実施例は、表面の湿潤特性を制御することである。多くの試薬において、疎水性表面が試薬に十分に結合するため、試薬は試料中に放出されるか又は放出されず（試薬層の厚さに依存する）、親水性表面が試薬に不十分に結合するため、試薬は試料中に迅速に放出される。
【０７６４】
試薬の乾燥  いくつかの実施形態において、試薬付着ステップ（ｃ）の後、試料付着ステップ（ｄ）の前に、Ａ方法は、ステップ（ｃ）で付着させた試薬の一部又は全部を乾燥するステップをさらに含む。
【０７６５】
試薬の位置  試薬は、１つ又は両方のプレートに適用及び／又は配置することができる。試薬は、プレート上の貯蔵部位（位置）に存在してもよく、各貯蔵部位は一種又は複数種の試薬を含む。異なる貯蔵部位は異なる試薬、同じ試薬又は一種又は複数種の一般的な試薬を含むことができる。
【０７６６】
添加された試薬の濃度制御  いくつかの実施形態において、前記方法は、貯蔵部位（すなわち、試薬を有する表面）上の試料の厚さを制御することにより、添加された試薬の濃度を制御するステップをさらに含むことができる。
【０７６７】
本発明で使用される試薬は、アッセイに必要な任意の適切な試薬、例えば、標識又は非標識抗体、標識又は非標識核酸、親和性部分を含有してもしなくてもよい酵素等であってもよい。いくつかの実施形態において、上記のように、貯蔵された試薬は、分析物の存在について血液又は他の液体試料を検査するために設計されたアッセイ成分であってもよい。例えば、塩化物イオンは、以下の方法のいずれかによって計測することができ、かつこれらのアッセイ成分は貯蔵部位に存在することができる。比色法：塩化物イオンはチオシアン酸水銀からチオシアネートを置換する。遊離チオシアネートは、第二鉄イオンと反応して、測光法で計測された着色複合体−チオシアン酸第二鉄を形成する。電量測定法：銀電極間に一定の直流電流が流れることにより、塩化物イオンと反応して塩化銀を形成する銀イオンを生成する。全ての塩化物イオンが銀イオンと結合した後、遊離銀イオンは蓄積し、電極間の電流は増加し、反応の終点を示す。水銀法：塩化物イオンを水銀イオンの標準溶液で滴定し、ＨｇＣｌ２可溶性錯体を形成する。過剰の水銀イオンが指示色素のジフェニルカルバゾンに結合して青色を形成する時に、反応の終点は、比色的に検出される。同様に、マグネシウムと反応すると赤紫色に変色するカルマジトを使用して、マグネシウムを測色的に計測することができ、ホルマザン色素検査により、マグネシウムと反応するか、又はマグネシウムに結合して青色の錯体を形成するメチルチモールブルーを使用する時に、６００ｎｍで発光する。同様に、Ｏ−クレゾールフタレイン複合体とカルシウムが反応すると紫色を呈するＯ−クレゾールフタレインを使用して、比色法でカルシウムを検出することができる。同様に、ホスホエノールピルビン酸カルボキシラーゼ（ＰＥＰＣ）によって触媒される反応において炭酸水素イオン（ＨＣＯ３−）及びホスホエノールピルビン酸（ＰＥＰ）がオキサロ酢酸及びリン酸に変換されるため、炭酸水素イオンを二色性で検査することができる。リンゴ酸デヒドロゲナーゼ（ＭＤ）は、還元ニコチンアミドアデニンジヌクレオチド（ＮＡＤＨ）の付随した酸化を伴い、オキサロ酢酸のリンゴ酸への還元を触媒する。このＮＡＤＨの酸化は、試料の炭酸水素イオンに比例して、３８０／４１０ｎｍで二色性で計測した反応混合物の吸光度の減少をもたらす。血中尿素窒素は、ジアセチル又はフェアロンが尿素を含む黄色の色原体を生成し、かつ測光法又は尿素をアンモニア及び炭酸に変換する酵素ウレアーゼの複数回使用により定量することができるという比色試験で検出することができ、それは、例えばｉ）アンモニアがα−ケトグルタル酸と反応する時に３４０ｎｍでの吸光度を減少させ、ｉｉ）尿素が加水分解される溶液の伝導率の増加率を計測することによりアッセイすることができる。同様に、クレアチニンは、試料をアルカリ性ピクリン酸塩溶液で処理して赤色錯体を得ることによって比色分析で計測することができる。さらに、クレアチンは、クレアチニンがクレアチニンイミノヒドロラーゼによって加水分解されるときに生成されたアンモニアを計測する非Ｊａｆｆｅ反応を用いて計測することができる。グルコースは、濃度を推定するために血液を一定量のグルコースオ���シダーゼに一定の時間曝露するアッセイにおいて計測することができる。特定の時間後に、余分な血液を除去し、かつ発色することを可能して、それによりグルコース濃度を推定することができる。例えば、グルコースオキシダーゼとグルコースは反応して新生酸素を形成し、それはヨウ化カリウムを（濾紙中）ヨウ素に変換して茶色を形成する。グリコシル化ヘモグロビンの濃度は、血液中のグルコースレベルの間接的な読み値とする。赤血球の溶血にクロマトグラフ分析を行うとき、ヘモグロビンＡ１ａ、Ａ１ｂ及びＡ１ｃと名付けられた３つ以上の小さなピークは、主要ヘモグロビンＡピークの前に溶出される。これらの「迅速」ヘモグロビンは、二段階反応におけるグルコースとヘモグロビンとの不可逆的結合によって形成される。ヘキソキナーゼは、グルコースがヘキソキナーゼ（ＨＫ）によりアデノシン三リン酸（ＡＴＰ）及びマグネシウムイオンの存在下でリン酸化されて、グルコース−６−リン酸及びアデノシン二リン酸（ＡＤＰ）を生成する測定において計測することができる。グルコース−６−リン酸デヒドロゲナーゼ（Ｇ６Ｐ−ＤＨ）は、グルコース−６−リン酸をグルコン酸−６−リン酸に特異的に酸化し、同時にＮＡＤ＋をＮＡＤＨに還元する。３４０ｎｍでの吸光度の増加は、試料中のグルコース濃度に比例する。ＨＤＬ、ＬＤＬ、トリグリセリドは、加水分解及びコレステロールの抽出後に、６２０ｎｍでのＬｉｅｂｅｒｍａｎｎ−Ｂｕｒｃｈａｒｄ試薬（無水酢酸、氷酢酸及び濃硫酸の混合試薬）による発色を含むＡｂｅｌｌ−Ｋｅｎｄａｌｌ方法を用いて計測することができる。蛍光分析を使用してトリグリセリド基準値を決定することができる。ヘパリン−塩化マンガンにより全血漿（ＬＤＬ及びＶＬＤＬ）におけるアポタンパク質Ｂ含有リポタンパク質を沈殿した後、血漿総コレステロールと同じ手順で血漿高密度リポタンパク質コレステロール（ＨＤＬ−Ｃ）を計測する。これらの化合物は、また、コレステロールエステル及び遊離コレステロールの両方を定量する酵素駆動反応に基づくアッセイにおいて比色検出を行うことができる。コレステロールエステルは、コレステロールエステラーゼを介してコレステロールに加水分解され、その後にコレステロールオキシダーゼによってコレスタ−４−エン−３−オンと過酸化水素に酸化される。その後に特異性の高い比色プローブで過酸化水素を検出する。西洋ワサビペルオキシダーゼは、１：１の比で結合されるプローブと過酸化水素との反応を触媒する。試料は、コレステロール標準の既知の濃度と比較することができる。
【０７６８】
２４  応用、試料及びより多くのバイオ／化学バイオマーカー
本発明の応用は、（ａ）感染症及び寄生虫疾患、傷害、心臓血管疾患、がん、精神障害、神経精神障害及び器質性疾患（例えば肺疾患、腎疾患）などの特定の疾患の段階と相関する化合物又は生体分子の検出、精製及び定量、（ｂ）水、土壌などの環境、又は組織、体液などの生体試料からのウイルス、真菌及び細菌などの微生物の検出、精製及び定量化、（ｃ）食品安全性又は国家安全保障に危険をもたらす有害廃棄物、炭疽菌などの化学物質又は生体試料の検出、定量化、（ｄ）グルコース、血液酸素レベル、全血球数などの医学又は生理学的モニタにおける重要なパラメータの定量化、（ｅ）細胞、ウイルス、体液などの生体試料からの特異的ＤＮＡ又はＲＮＡの検出及び定量化、（ｆ）ゲノム解析のための染色体及びミトコンドリア中のＤＮＡ中の遺伝子配列の配列決定及び比較、又は（ｇ）例えば、医薬品の合成又は精製中の反応生成物の検出を含むが、これらに限定されない。本発明は、さらにヒト、獣医学、農業、食品、環境、薬物検査などを含むが、これらに限定されない様々な分野で使用することができる。
【０７６９】
検出は、細胞、組織、体液及び糞便などの様々な試料マトリックス中で実行することができる。関心対象となる体液は、羊水、房水、硝子体液、血液（例えば全血、分画血液、血漿、血清等）、母乳、脳脊髄液（ＣＳＦ）、耳垢（耳あか）、乳糜、糜汁、内リンパ液、外リンパ液、糞便、胃酸、胃液、リンパ液、粘液（鼻漏及び粘液質を含む）、心膜液、腹膜液、胸膜液、膿液、炎症性分泌物、唾液、皮脂（皮膚の油）、精液、喀痰、汗、滑液、涙液、嘔吐物、尿及び呼気凝縮液を含むが、これらに限定されない。いくつかの実施形態において、試料はヒト体液を含む。いくつかの実施形態において、試料は、細胞、組織、体液、糞便、羊水、房水、硝子体液、血液、全血、分画血液、血漿、血清、母乳、脳脊髄液、耳垢、乳糜、糜汁、内リンパ液、外リンパ液、糞便、胃酸、胃液、リンパ液、粘液、鼻漏、粘液質、心膜液、腹膜液、胸膜液、膿液、炎症性分泌物、唾液、皮脂、精液、喀痰、汗、滑液、涙液、嘔吐物、尿及び呼気凝縮液のうちの少なくとも１種を含む。
【０７７０】
いくつかの実施形態において、試料は、生体試料、環境試料、生化学試料のうちの少なくとも１種である。
【０７７１】
いくつかの実施形態において、試料は、生体試料、環境試料、生化学試料のうちの少なくとも１種である。
【０７７２】
任意の実施形態において、ＣＲＯＦ装置は、マイクロ流体デバイスに配置されてもよく、ステップｂ）の適用は、ＣＲＯＦ装置を含むマイクロ流体デバイスへの試料の適用を含むことができる。
【０７７３】
任意の実施形態において、読み取りステップｄ）は、ＣＲＯＦ装置からの蛍光信号又は発光信号の検出を含むことができる。
【０７７４】
任意の実施形態において、読み取りステップｄ）は、ＣＲＯＦ装置を読み取るように構成されたハンドヘルドデバイスを使用して、ＣＲＯＦ装置を読み取ることを含むことができる。ハンドヘルドデバイスは、スマートフォンのような携帯電話であってもよい。
【０７７５】
任意の実施形態において、ＣＲＯＦ装置は、ＣＲＯＦ装置上の分析物−捕捉剤複合体に結合可能な標識剤を含むことができる。
【０７７６】
任意の実施形態において、本発明の装置、システム及び方法は、ステップｃ）及びｄ）の間に、ＣＲＯＦ装置上の分析物−捕捉剤複合体に結合した標識剤をＣＲＯＦ装置に適用するステップと、ＣＲＯＦ装置を洗浄するステップとをさらに含むことができる。
【０７７７】
任意の実施形態において、読み取りステップｄ）は、ＣＲＯＦ装置の識別子を読み取ることを含むことができる。識別子は、光学バーコード、無線周波数ＩＤタグ又はそれらの組み合わせであってもよい。
【０７７８】
任意の実施形態において、本発明の装置、システム及び方法は、分析物に結合する捕捉剤を含む対照ＣＲＯＦ装置に、既知の検出可能な量の分析物を含む対照試料を適用することと、対照ＣＲＯＦ装置を読み取ることにより、試料中の既知の検出可能な量の分析物の対照計測値を得ることとをさらに含む。
【０７７９】
任意の実施形態において、試料は、対象から得られた診断試料であってもよく、分析物はバイオマーカーであってもよく、試料から計測した分析物の量は、病気又は病状を診断することができる。
【０７８０】
試料の量は約１滴の試料であってもよい。試料の量は、刺された指又は指先から採取した量であってもよい。試料の量は、マイクロニードル又は静脈ドローから採取した量であってもよい。
【０７８１】
試料源から得た後、試料をさらに処理せずに使用してもよく、あるいは処理して、関心対象の分析物の濃縮、大きな粒子状物質の除去、固体試料の溶解又は再懸濁等を達成してもよい。
【０７８２】
任意の適切な方法で試料をＣＲＯＦ装置に適用することができる。適切な方法は、ピペット、滴下器、注射器等を使用することを含む。特定の実施形態において、ＣＲＯＦ装置がディップスティック形式の支持具に配置される場合、以下に説明するように、ディップスティックの試料受容領域を試料に浸漬することにより、試料をＣＲＯＦ装置に適用することができる。
【０７８３】
試料は一回で採取されてもよく、あるいは複数回で採取されてもよい。経時的に採取された試料は、（本明細書に記載されるように、ＣＲＯＦ装置に適用し、かつ試料中の分析物の計測量を得ることにより）集約及び／又は個別に処理されてもよい。いくつかの実施例において、経時的に得られた計測結果は集約されてもよく、またスクリーニング、診断、治療及び／又は疾患予防を促進するために、縦断的解析に経時的に使用されてもよい。
【０７８４】
上記のように、任意の便利な方法でＣＲＯＦ装置を洗浄して、結合していない試料成分を除去することができる。特定の実施形態において、結合緩衝液を使用してＣＲＯＦ装置の表面を洗浄して、結合していない試料成分を除去する。
【０７８５】
分析物の検出可能な標識は、任意の便利な方法で完了することができる。分析物は、直接的又は間接的に標識されてもよい。直接標識において、試料をＣＲＯＦ装置に適用する前に試料中の分析物を標識する。間接標識において、以下に説明するように、試料をＣＲＯＦ装置に適用した後、標識されない試料中の分析物を標識して、標識されない分析物を得る。
【０７８６】
データ処理
特定の実施形態において、本発明の装置は、ＣＲＯＦ装置を読み取って取得されたデータを処理するように構成される。該装置は、本発明の方法におけるデータを処理するために、任意の適切な方式で構成されてもよい。特定の実施形態において、該装置は、データ格納及び／又はデータ処理用の命令の格納及び／又はデータベース格納用メモリ位置を有する。データは、任意の適切なフォーマットでメモリに格納することができる。
【０７８７】
特定の実施形態において、該装置は、データを処理するためのプロセッサを有する。特定の実施形態において、データを処理するための命令は、プロセッサに格納されてもよく、あるいは別個のメモリ位置に格納されてもよい。いくつかの実施形態において、該装置は、処理を実装するためのソフトウェアを含むことができる。
【０７８８】
特定の実施形態において、ＣＲＯＦ装置から取得されたデータを処理するように構成された装置は、処理を実行するソフトウェア実装方法を含む。ソフトウェア実装方法は、画像取得アルゴリズム、画像処理アルゴリズム、ユーザと計算装置との間の相互作用を容易にし、データ収集、送信及び分析、通信プロトコルのための手段として機能するユーザインタフェース方法、及びデータ処理アルゴリズムのうちの１つ以上を含むことができる。特定の実施形態において、画像処理アルゴリズムは、粒子数、ＬＵＴ（ルックアップテーブル）フィルタ、粒子フィルタ、パターン認識、形態学的決定、ヒストグラム、ラインプロファイル、地形表現、２進数換算又はカラーマッチングプロファイルのうちの１つ以上を含む。
【０７８９】
特定の実施形態において、該装置は、表示ページが装置のメモリに常駐するソフトウェアによって解釈される時に、ビデオディスプレイ又はタッチスクリーンディスプレイで情報を表示するように構成される。本明細書で説明する表示ページは、例えば、ハイパーテキストマークアップ言語（「ＨＴＭＬ」）、ダイナミックハイパーテキストマークアップ言語（「ＤＨＴＭＬ」）、拡張可能ハイパーテキストマークアップ言語（「ＸＨＴＭＬ」）、拡張可能マークアップ言語（「ＸＭＬ」）、又はユーザによって知覚可能な方法でビデオ又は他のディスプレイに表示可能なコンピュータファイルを作成するように使用されてもよい別のソフトウェア言語などの任意の適切なソフトウェア言語を使用して作成することができる。論理、コード、データ、命令を有する任意のコンピュータ可読媒体を使用して、任意のソフトウェア又はステップ又は方法を実施することができる。ネットワークがインターネットを含む場合、表示ページは、適切なタイプのウェブページを含むことができる。
【０７９０】
本発明に係る表示ページは、例えば、ＶＢＳｃｒｉｐｔルーチン、ＪＳｃｒｉｐｔルーチン、ＪａｖａＳｃｒｉｐｔルーチン、Ｊａｖａアプレット、ＡｃｔｉｖｅＸコンポーネント、ＡＳＰ．ＮＥＴ、ＡＪＡＸ、Ｆｌａｓｈアプレット、Ｓｉｌｖｅｒｌｉｇｈｔアプレット、又はＡＩＲルーチンのようなメモリ装置に格納されたソフトウェアプログラムを含む組み込み機能を含むことができる。
【０７９１】
表示ページは、例えば、フレーム、ウィンドウ、スクロールバー、ボタン、アイコン、及びハイパーリンクなどのグラフィカルユーザインタフェース技術の周知の特徴と、「クリック」インタフェース又はタッチスクリーンインタフェースのような周知の特徴とを含む。グラフィカルユーザインタフェースボタン、アイコン、メニューオプション、又はハイパーリンクをポイントしてクリックすることは、ボタン、オプション、又はハイパーリンクを「選択」することとしても知られている。本発明に係る表示ページは、マルチメディア機能、マルチタッチ、ピクセルセンス、ＩＲ  ＬＥＤベースの表面、カメラの有無にかかわらず視覚に基づく相互作用を組み込むことができる。
【０７９２】
ユーザインタフェースは、ビデオディスプレイ及び／又は表示ページに表示されてもよい。ユーザインタフェースは、以下にさらに説明するように、試料に関する分析データに基づいて生成されたレポートを表示することができる。
【０７９３】
プロセッサは、任意の適切な方式で本発明の方法に使用されるデータを処理するように構成することができる。データは、例えば、ビニングされたデータ、変換されたデータ（例えば、フーリエ変換によって周波数領域に変換された時間領域データ）に処理されるか、又は他のデータと組み合わされて処理される。該処理は、データを所望の形式にすることができ、データのフォーマットを変更することを含むことができる。処理は、試料からの信号の検出、試料を検査するために使用された装置又は試薬に特有の数学的操作又は補正及び／又は較正に基づく生データの補正、濃度値などの値の計算、（ベースライン、閾値、標準曲線、履歴データ又は他のセンサからのデータなどとの）比較、検査が正確であるか否かの決定、（正常範囲又は許容範囲を上回るか又は下回るか、又は異常状態を示すなどの）異常値であるか又は懸念の原因となり得る値又は結果の強調表示、又は異常条件の存在を共に示すことができる結果の組み合わせ、カーブフィッティング、数学的又は他の分析的推論（演繹的、誘導的、ベイジアン、又は他の推論を含む）の基礎としてのデータの使用及び他の適切な処理形式を含むことができる。特定の実施形態において、処理は、処理されたデータを装置に格納されたデータベースと比較して、対象によって実行される一連の動作のための命令を検索することを含むことができる。
【０７９４】
特定の実施形態において、装置は、入力データをメモリに格納されたデータベースと比較することにより入力データを処理して、対象によって実行される一連の動作のための命令を検索するように構成されてもよい。いくつかの実施形態において、データベースは、関心対象の分析物の閾値を含む、格納された情報を含むことができる。閾値は、１つ以上の分析物の存在又は濃度を決定するために使用されてもよい。閾値は、アラートが有用である状況を検出するために使用されてもよい。データ格納ユニットは、試料に関するレポートの生成に有用な記録又は他の情報を含むことができる。
【０７９５】
特定の実施形態において、装置は、ＣＲＯＦ装置からのデータを受信するように構成されてもよい。従って、場合によっては、装置は、対象によって提供された試料に関連しないが診断に関連するデータを受信するように構成されてもよい。これらのデータは、年齢、性別、身長、体重、個人及び／又は家族の病歴などを含むが、それらに限定されない。特定の実施形態において、該装置は、ＣＲＯＦ装置に適用された試料から導出されるか、又は該試料から独立するデータを処理するように構成される。
【０７９６】
ネットワーク  特定の実施形態において、装置は、ローカルエリアネットワーク（ＬＡＮ）などのネットワーク、インターネットなどの広域ネットワーク（ＷＡＮ）、パーソナルエリアネットワーク、電話ネットワークなどの電気通信ネットワーク、携帯電話ネットワーク、移動ネットワーク、無線ネットワーク、データ提供ネットワーク、又は任意の他の種類のネットワークを介して通信するように構成されてもよい。特定の実施形態において、装置は、ブルートゥース（登録商標）又はＲＴＭ技術などの無線技術を利用するように構成されてもよい。いくつかの実施形態において、装置は、モデムを使用するダイヤルアップ有線接続、ＴＩ、統合サービスデジタルネットワーク（ＩＳＤＮ）又はケーブル回線などの直接リンクのような様々な通信方法を利用するように構成されてもよい。いくつかの実施形態において、無線接続は、セルラ、サテライト、又はページャーネットワーク、（汎用パケット無線サービス）ＧＰＲＳ、又はＬＡＮ上のイーサネット又はトークンリングなどのローカルデータ転送システムのような例示的な無線ネットワークを使用することができる。いくつかの実施形態において、該装置は、赤外線通信コンポーネントを使用して無線通信することができる。
【０７９７】
特定の実施形態において、該装置は、ネットワークを介してサーバから送信され、メモリに記憶されたコンピュータファイルを受信するように構成される。装置は、装置の永続的なメモリ又は一時的なメモリに記憶される命令、ロジック、データ、又はコードを含むことができる有形のコンピュータ可読媒体を受信してもよく、又は装置により動作に影響を及ぼすか、又は動作を開始してもよい。１つ以上の装置は、他のコンピュータファイルへのアクセスを提供できるコンピュータファイル又はリンクと通信することができる。
【０７９８】
いくつかの実施形態において、装置は、パーソナルコンピュータ、サーバ、ラップトップコンピュータ、モバイル装置、タブレット、携帯電話、移動電話、衛星電話、スマートフォン（例えば、ｉＰｈｏｎｅ（登録商標）、Ａｎｄｒｏｉｄ、Ｂｌａｃｋｂｅｒｒｙ、Ｐａｌｍ、Ｓｙｍｂｉａｎ、Ｗｉｎｄｏｗｓ）、パーソナルデジタルアシスタント、ブルートゥース（登録商標）装置、ページャ、固定電話、又は他のネットワーク装置である。このような装置は、通信可能な装置であってもよい。本明細書で使用される「携帯電話」という用語は、セルラネットワークで動作することができる電話ハンドセット、セッション開始プロトコル（ＳＩＰ）のようなボイスオーバーＩＰ（ＶｏＩＰ）ネットワーク、又は８０２．１１ｘプロトコルを使用する無線ローカルエリアネットワーク（ＷＬＡＮ）、又はそれらの任意の組合せを指す。特定の実施形態において、該装置は、消費者の財布及び／又はポケット（例えば、ポケットサイズ）に適合することができるように、手持ち式かつコンパクトである。
【０７９９】
環境検査  上に要約したように、本発明の装置、システム及び方法は、環境試料（例えば、水、土壌、産業廃棄物等の試料）における環境マーカーの有無を分析するために用いられてもよい。環境マーカーは、捕捉剤で構成されたＣＲＯＦ装置内の環境マーカーに特異的に結合する捕捉剤により捕捉され得るいずれかの適切なマーカーである。環境試料は、川、海、湖、雨、雪、汚水、汚水処理排水、農業排水、工業排水、水道水又は飲料水等のいずれかの適切な供給源から得てもよい。いくつかの実施形態において、本発明の装置及びシステムは、水中の鉛又は毒素の濃度を検出する。いくつかの実施形態において、試料中の環境マーカーの有無又は定量レベルは、試料が得られた環境の状態を示してもよい。場合によっては、環境マーカーは、環境に曝露されるヒト、伴侶動物、植物等に有毒であるか又は有害である物質であってもよい。場合によっては、環境マーカーは、環境に曝露されるいくつかの個体においてアレルギー反応を引き起こしてもよいアレルゲンであってもよい。場合によっては、試料における環境マーカーの有無又は定量レベルは、環境の健康全般と相関する可能性がある。このような場合、環境の健康全般は、数週間、数ヶ月間、数年間又は数十年間のような期間にわたって計測されてもよい。
【０８００】
いくつかの実施形態において、本発明の装置、システム及び方法は、さらに報告書を受信するか又は提供することを含み、報告書は、試料が環境マーカーの測定量を含む情報に基づいて得られた環境に曝される対象の安全性又は有害性を示す。環境の安全リスク又は健康を評価するために用いられる情報は、環境マーカーのタイプ及び測定量以外のデータを含んでもよい。これらの他のデータは、位置、高度、温度、日／月／年の時間、圧力、湿度、風向と速度、天気等を含んでもよい。このデータは、所定の期間（数分間、数時間、数日間、数週間、数ヶ月、数年間等）にわたる平均値又は傾向、又はより短い期間（数ミリ秒間、数秒間、数分間等）にわたる瞬時値を表してもよい。
【０８０１】
この報告書は、ＣＲＯＦ装置を読み取るように構成された装置により生成されてもよく、あるいは環境マーカーの測定量を含むデータを送信する際に遠隔地で生成されてもよい。場合によっては、専門家は、遠隔地にいるか又は遠隔地に送信されたデータにアクセスしてもよく、かつデータを分析するか又はレビューして報告書を生成してもよい。専門家は、米国疾病対策センター（ＣＤＣ）又は米国環境保護庁（ＥＰＡ）のような政府機関、大学のような研究機関、又は私企業での科学者又は管理者であってもよい。特定の実施形態において、専門家は、装置により送信されたデータ及び／又は遠隔地で分析されたデータに基づいた指示又は推奨をユーザに送信してもよい。
【０８０２】
食品検査  上に要約したように、本発明の装置、システム及び方法は、食品試料（例えば、未加工食品、加工食品、調理済食品、飲料水等の試料）における食品マーカーの有無を分析するために用いられてもよい。食品マーカーは、捕捉剤で構成されたＣＲＯＦ装置内の食品マーカーに特異的に結合する捕捉剤により捕捉され得る以下の表Ｂ９に示されるようないずれかの適切なマーカーであってもよい。環境試料は、水道水、飲料水、加工調理済食品、調理済食品又は未加工食品等どのいずれかの適切な供給源から得られてもよい。いくつかの実施形態において、試料中の食品マーカーの有無又は定量レベルは、食品が消費された場合、対象に対する安全性又は有害性を示してもよい。いくつかの実施形態において、食品マーカーは、試料が得られた食物における生物の存在を示す病原性生物又は微生物に由来する物質である。いくつかの実施形態において、食品マーカーは、対象により消費されると、毒性又は有害物質である。いくつかの実施形態において、食品マーカーは、生理活性化合物であってもよく、それは対象により消費されると、意図せずに、又は意外に生理機能を変えてもよい。いくつかの実施形態において、食品マーカーは、食品が得られた方法（栽培、獲得、捕獲、収穫、加工、調理等）を示す。いくつかの実施形態において、食品マーカーは、食品の栄養成分を示す。いくつかの実施形態において、食品マーカーはアレルゲンであり、該アレルゲンは、試料が得られた食品が対象により消費されると、アレルギー反応を誘発する可能性がある。
【０８０３】
いくつかの実施形態において、本発明の装置、システム及び方法は、さらに報告書を受信するか又は提供することを含み、報告書は、試料が食品マーカーの測定レベルを含む情報に基づいて得られた食品を消費する対象の安全性又は有害性を示す。消費用の食品の安全性を評価するために使用される情報は、食品マーカーのタイプ及び測定量以外のデータを含んでもよい。これらの他のデータは、消費者に関連するいずれかの健康状態（アレルギー、妊娠、慢性又は急性疾患、現在の処方薬等）を含んでもよい。
【０８０４】
この報告書は、ＣＲＯＦ装置を読み取るように構成された装置により生成されてもよく、あるいは食品マーカーの測定量を含むデータを送信する際に遠隔地で生成されてもよい。場合によっては、食品安全専門家は、遠隔地にいるか又は遠隔地に送信されたデータにアクセスしてもよく、かつデータを分析するか又はレビューして報告書を生成してもよい。食品安全専門家は、米国食品医薬品局（ＦＤＡ）又は米国疾病対策センター（ＣＤＣ）のような政府機関、大学のような研究機関、又は私企業での科学者又は管理者であってもよい。特定の実施形態において、食品安全専門家は、装置により送信されたデータ及び／又は遠隔地で分析されたデータに基づいた指示又は推奨をユーザに送信してもよい。
【０８０５】
２５  血液検査
本発明のアプリケーションのいくつかの例示的な実施形態は、スマートフォンを使用して血球を簡単かつ迅速に計数する。
【０８０６】
いくつかの実施形態において、第１のプレート及び第２のプレートは、相対的に平坦な表面の、薄いガラススライド（例えば０．２ｍｍの厚さ）又は薄いプラスチックフィルム（例えば１５ｍｍの厚さ）から選択され、各々は約０．５ｃｍ〜１０ｃｍの長さと幅を有する領域を有する。スペーサは、ガラス、プラスチック、又は押圧下で大きく変形しない他の材料で作られている。試料付着の前に、スペーサは、第１のプレート、第２のプレート又はその両方に配置され、第１のプレート、第２のプレート又はその両方に、血液計数（染色色素及び／又は抗凝血剤）を促進する試薬が任意で被覆される。第１のプレート及び第２のプレートは、輸送を容易にしかつ保存期間を長くにするためバッグに任意で封入され得る。
【０８０７】
血球計数検査では、わずかに約１ｕＬ（マイクロリットル）（又は約０．１ｕＬ〜３ｕＬ）の血液が、指又は他の人体位置から取られる試料に関して必要である。血液試料は、希釈せずに、人体（例えば、指）から第１のプレート及び第２のプレートに直接付着し得る。次に、第１のプレートと第２のプレートを互いに向かい合わせることにより、血液試料は第１のプレートと第２のプレートの内面の間にある。いずれかの試薬を予め付着させる場合（染色色素又は抗凝血剤）、それらは試料と混合するために内面に付着させる。次いで、第１のプレート及び第２のプレートは、指又は簡単な機械的装置（例えば、ばねを用いて押すクリップ）により押圧される。押圧下で、内側の間隔は減少し、減少は、最終的にスペーサの高さにより設定された値で停止し、最終的な試料の厚さに達し、該最終試料の厚さは最終的な内部間隔に等しい。最終的な内部間隔が既知であるので、最終的な試料の厚さは既知になり、すなわちこの方法で定量化（計測）される。
【０８０８】
血液試料が希釈されていない場合、押圧（試料変形）後に、従って、スペーサ及び最終的な試料の厚さは薄く、例えば、１μｍよりも小さく、２μｍよりも小さく、３μｍよりも小さく、４μｍよりも小さく、５μｍよりも小さく、７μｍよりも小さく、１０μｍよりも小さく、１５μｍよりも小さく、２０μｍよりも小さく、３０μｍよりも小さく、４０μｍよりも小さく、５０μｍよりも小さく、６０μｍよりも小さく、８０μｍよりも小さく、１００μｍよりも小さく、１５０μｍよりも小さく、又はこれらの値のいずれか２つの間のいずれかの範囲にある。最終的な試料の厚さが厚い場合、イメージング中に多くの赤血球が重なり合う可能性があることで、細胞計数が不正確になる可能性があるので、薄い最終的な試料は有用である可能性がある。例えば、希釈されていない厚さが約４μｍの全血は、約１層の血液赤血球を与える。
【０８０９】
押圧後、試料は、スマートフォンにより、直接的に、又は追加の光学素子（例えば、必要なレンズ、フィルタ、又は光源）を介して画像化されてもよい。試料の画像は、細胞のタイプ及び細胞の数量を識別するために処理される。画像処理は、画像を撮る同じスマートフォンでローカルに行うか、又はリモートで行うことができるが最終的な結果はスマートフォンに送信される（画像は遠隔地に送信され、かつそこで処理される）。スマートフォンは、特定の細胞の、細胞の数量を示す。場合によっては、特定のアドバイスを表示する。アドバイスは、検査の前にスマートフォンに格納されるか又はリモートマシン又は専門家に由来し得る。
【０８１０】
特定の実施形態において、セクション５（試薬混合）に記載された方法及び装置を用いて、試薬を第１のプレート及び／又は第２のプレートの内面に置く。
【０８１１】
血液検査用の装置又は方法は、（ａ）本明細書に記載された段落における装置又は方法と、（ｂ）閉鎖構成でのプレート間隔（すなわち、２つのプレートの内面の間の距離）又はそのような間隔の使用とを含み、プレート間隔における希釈されていない全血は、赤血球（ＲＢＣ）の横方向の平均細胞間距離がＲＢＣのディスク形状の平均直径よりも大きい。
【０８１２】
非球形細胞の配向を配列する装置又は方法は、（ａ）本明細書に記載された装置又は方法と、（ｂ）閉鎖構成でのプレート間隔（すなわち、２つのプレートの内面の間の距離）又はそのような間隔の使用とを含み、間隔は、その長さ方向（長さ方向は細胞の最大寸法方向である）において細胞の平均寸法よりも小さい。このような配列は、試料体積（例えば、赤血球体積）の測定値を改善することができる。
【０８１３】
本発明では、血液検査中の分析物は、タンパク質マーカーを含み、タンパク質マーカーのリストは、米国臨床化学協会のウェブサイトで見つけることができる）。
【０８１４】
２６  包装
本発明の別の態様は、使用される試薬の寿命を延ばし、かつ使用を容易にする包装に関する。
【０８１５】
いくつかの実施形態において、試薬を有するか又は有さないＣＲＯＦにおけるプレートは包装の中に置かれ、１つの包装に１つのプレートを置くか又は１つの包装に１つ以上のプレートを置く。一実施形態において、第１のプレート及び第２のプレートは、使用前に異なる包装に包装される。いくつかの実施形態において、異なるアッセイは、共通の第１のプレート又は共通の第２のプレートを共有する。
【０８１６】
いくつかの実施形態において、各包装は密閉されている。いくつかの実施形態において、密閉は、包装の外部の空気、化学薬品、湿気、汚染物、又はそれらのいずれかの組合せが包装の内部に入るのを防止するために用いられる。いくつかの実施形態において、包装は、真空密閉されているか又は窒素ガス又は内部ガスで充填されている。いくつかの実施形態において、プレート及び／又は試薬（捕捉剤、検出剤などを含む）の保存期間を延ばすことができる材料は、プレートとともに包装内に包装される。
【０８１７】
いくつかの実施形態において、包装材料が薄い層の形態であるので、包装は人間の手により容易に引き裂かれ得る。
【０８１８】
２７  ＰｏＣ、スマートフォン、ネットワーク
本発明の一態様は、対象の健康状態を監視する方法に関し、該方法は、対象から提供された試料を、試料を表す出力を示すように構成されたＣＲＯＦベースの検出器に適用し、検出器の出力を入力データとして取得し、入力データを分析してレポートを生成するように構成された装置で検出器の出力を処理し、そしてレポートを受信することを含む。信号増強検出器は、迅速に検出し、読みやすく（例えば、スマートフォンで従来の大型の典型的なリーダを代替する）、コストが低いという利点を提供する。
【０８１９】
体液  特定の実施形態において、試料は異なる液体又は固体の試料を含むことができる。いくつかの実施例において、試料は対象からの体液試料であってもよい。いくつかの実施例において、固体又は半固体の試料を提供してもよい。これらの試料は対象から採取される組織及び／又は細胞を含んでもよい。試料は生体試料であってもよい。生物学的試料の例は、血液、血清、血漿、鼻腔スワブ、鼻咽頭洗浄液、唾液、尿、胃液、脊髄液、涙、便、粘液、汗、耳垢、油、腺分泌物、脳脊髄液、組織、精液、膣液、腫瘍組織由来の間質液、眼液、脊髄液、咽頭スワブ、呼気、髪、指の爪、皮膚、生検、胎盤液、羊水、臍帯血、リンパ液、腔液、痰、膿、微生物叢、胎便、母乳及び／又は他の排泄物を含むことができるが、これらに限定されない。試料は鼻咽頭洗浄液を含んでもよい。鼻スワブ、咽頭スワブ、大便試料、髪、指の爪、耳垢、呼気、及び他の固体、半固体、又は液体試料は例えば一定又は可変の時間量で分析前に抽出緩衝液中に処理してもよい。場合によっては、抽出緩衝液又はその等分試料は次に他の液体試料と同様に処理されてもよい。対象の組織試料の実例は、結締組織、筋肉組織、神経組織、上皮組織、軟骨、がん性試料又は骨を含むが、それらに限定されることはない。
【０８２０】
特定の実施形態において、対象は、ヒト又は非ヒトの動物であってもよい。対象は、哺乳動物、脊椎動物、例えば、ネズミ、サル、ヒト、家畜、スポーツ動物又はペットであってもよい。いくつかの実施形態において、対象は患者であってもよい。他の実施形態において、対象は、疾患と診断されてもよく、又は対象は疾患と診断されなくてもよい。いくつかの実施形態において、対象は健康な対象であってもよい。
【０８２１】
装置の読取
以上要約したように、本方法の態様は、検出器の出力を入力データとして取得し、入力データを処理してレポートを生成するように構成された装置を用いて信号増強検出器の出力を処理することを含む。検出器の出力を入力データとして取得し、入力データを処理してレポートを生成するのに適した任意の装置を使用することができる。いくつかの実施形態において、装置は、入力データとして光検出器の出力を取得するように構成された光記録装置を含む。場合によっては、光記録装置は、デジタルカメラのようなカメラである。用語「デジタルカメラ」とは、光学画像を形成するための撮像レンズシステム、光学画像を電気信号に変換するための画像センサ及び他の部品を備えた撮像装置を主部品とする任意のカメラであり、そのようなカメラの例は、デジタルスチルカメラ、デジタルムービーカメラ及びウェブカメラ（すなわち、ネットワークに直接接続されたものと、情報処理能力を有するパーソナルコンピュータのような装置を介してネットワークに接続されたものとの両方を含む画像の交換を可能にするために、ネットワークに接続された装置に公的に又は私的に接続されたカメラ）を含む。一例において、入力データは、経時的な変化を捕捉できるビデオ撮像を含むことができる。例えば、ビデオを取得して試料の動的変化に関する評価を提供することができる。
【０８２２】
特定の実施形態において、装置は、装置と検出器との間のインタフェースを形成するアダプタによって、検出器の出力を取得する。特定の実施形態において、インタフェースは、一般的なもので、本発明の方法の実行に適した任意の装置と互換性がある。関心対象のインタフェースは、ＵＳＢ、ファイヤワイヤ、イーサネットなどを含むが、それらに限定されない。特定の実施形態において、装置は、セルラ、ブルートゥース（登録商標）、ＷｉＦｉなどを含む無線通信によって検出器の出力を取得する。
【０８２３】
特定の実施形態において、該装置は、ビデオディスプレイを有してもよい。ビデオディスプレイは、ディスプレイページがユーザに知覚可能な方法で表示されてもよいコンポーネント、例えば、コンピュータモニタ、陰極線管、液晶ディスプレイ、発光ダイオードディスプレイ、タッチパッド又はタッチスクリーンディスプレイ、及び／又は視覚的に知覚可能な出力を発するための当技術分野で知られている他の手段を含んでもよい。特定の実施形態において、装置は、検出器から取得された入力データ及び／又は処理されたデータから生成されたレポートなどの情報を表示し、情報が対象によって入力されることを可能にするためのタッチスクリーンを備える。
【０８２４】
特定の実施形態において、装置は、例えば、検出器の出力を処理する際に生成されたレポートの方法として、又は検出器からの出力を取得するための準備で、対象に警告する振動機能を備える。
【０８２５】
特定の実施形態において、該装置は、表示ページが装置のメモリに常駐するソフトウェアによって解釈される時に、ビデオディスプレイ又はタッチスクリーンディスプレイで情報を表示するように構成される。本明細書で説明する表示ページは、例えば、ハイパーテキストマークアップ言語（「ＨＴＭＬ」）、ダイナミックハイパーテキストマークアップ言語（「ＤＨＴＭＬ」）、拡張可能ハイパーテキストマークアップ言語（「ＸＨＴＭＬ」）、拡張可能マークアップ言語（「ＸＭＬ」）、又はユーザによって知覚可能な方法でビデオ又は他のディスプレイに表示可能なコンピュータファイルを作成するように使用されてもよい別のソフトウェア言語などの任意の適切なソフトウェア言語を使用して作成することができる。論理、コード、データ、命令を有する任意のコンピュータ可読媒体を使用して、任意のソフトウェア又はステップ又は方法を実施することができる。ネットワークがインターネットを含む場合、表示ページは、適切なタイプのウェブページを含むことができる。
【０８２６】
本発明に係る表示ページは、例えば、ＶＢＳｃｒｉｐｔルーチン、ＪＳｃｒｉｐｔルーチン、ＪａｖａＳｃｒｉｐｔルーチン、Ｊａｖａアプレット、ＡｃｔｉｖｅＸコンポーネント、ＡＳＰ．ＮＥＴ、ＡＪＡＸ、Ｆｌａｓｈアプレット、Ｓｉｌｖｅｒｌｉｇｈｔアプレット、又はＡＩＲルーチンのようなメモリ装置に格納されたソフトウェアプログラムを含む組み込み機能を含むことができる。
【０８２７】
表示ページは、例えば、フレーム、ウィンドウ、スクロールバー、ボタン、アイコン、及びハイパーリンクなどのグラフィカルユーザインタフェース技術の周知の特徴と、「クリック式」インタフェース又はタッチスクリーンインタフェースのような周知の特徴とを含む。グラフィカルユーザインタフェースボタン、アイコン、メニューオプション、又はハイパーリンクをポイントしてクリックすることは、ボタン、オプション、又はハイパーリンクを「選択」することとしても知られている。本発明による表示ページはまた、マルチメディア機能、マルチタッチ、ピクセルセンス、ＩＲ  ＬＥＤベースの表面、カメラの有無にかかわらず視覚ベースの相互作用を組み込むことができる。
【０８２８】
特定の実施形態において、装置は、信号増強検出器からの出力ではないデータを取得するように構成されてもよい。従って、場合によっては、装置は、対象によって提供された試料を代表しないが対象を依然として代表するデータを取得するように構成されてもよい。これらのデータは、年齢、性別、身長、体重、個人及び家族の病歴などを含むが、それらに限定されない。特定の実施形態において、装置は、検出器の出力から取得された入力データを、検出器の出力と独立して取得されたデータと組み合わせて処理するように構成される。
【０８２９】
特定の実施形態において、装置は、ローカルエリアネットワーク（ＬＡＮ）などのネットワーク、インターネットなどの広域ネットワーク（ＷＡＮ）、パーソナルエリアネットワーク、電話ネットワークなどの電気通信ネットワーク、携帯電話ネットワーク、移動ネットワーク、無線ネットワーク、データ提供ネットワーク、又は任意の他の種類のネットワークを介して通信するように構成されてもよい。特定の実施形態において、装置は、ブルートゥース（登録商標）又はＲＴＭ技術などの無線技術を利用するように構成されてもよい。いくつかの実施形態において、装置は、モデムを使用するダイヤルアップ有線接続、ＴＩ、ＩＳＤＮ又はケーブル回線などの直接リンクのような様々な通信方法を利用するように構成されてもよい。いくつかの実施形態において、無線接続は、セルラ、サテライト、又はページャーネットワーク、ＧＰＲＳ、又はＬＡＮ上のイーサネット又はトークンリングなどのローカルデータ転送システムのような例示的な無線ネットワークを使用することができる。いくつかの実施形態において、該装置は、赤外線通信コンポーネントを使用して無線通信することができる。
【０８３０】
特定の実施形態において、該装置は、ネットワークを介してサーバから送信され、メモリに記憶されたコンピュータファイルを受信するように構成される。装置は、装置の永続的なメモリ又は一時的なメモリに格納されてもよい命令、ロジック、データ、又はコードを含むことができる有形のコンピュータ可読媒体を受信してもよく、又は装置によって何らかの形で影響を及ぼすか、又は動作を開始してもよい。１つ以上の装置は、他のコンピュータファイルへのアクセスを提供できるコンピュータファイル又はリンクと通信することができる。
【０８３１】
いくつかの実施形態において、装置は、パーソナルコンピュータ、サーバ、ラップトップコンピュータ、モバイル装置、タブレット、携帯電話、移動電話、衛星電話、スマートフォン（例えば、ｉＰｈｏｎｅ（登録商標）、Ａｎｄｒｏｉｄ、Ｂｌａｃｋｂｅｒｒｙ、Ｐａｌｍ、Ｓｙｍｂｉａｎ、Ｗｉｎｄｏｗｓ）、パーソナルデジタルアシスタント、ブルートゥース（登録商標）装置、ページャ、固定電話、又は他のネットワーク装置である。このような装置は、通信可能な装置であってもよい。本明細書で使用される「携帯電話」という用語は、セルラネットワークで動作することができる電話ハンドセット、セッション開始プロトコル（ＳＩＰ）のようなボイスオーバーＩＰ（ＶｏＩＰ）ネットワーク、又は８０２．１１ｘプロトコルを使用する無線ローカルエリアネットワーク（ＷＬＡＮ）、又はそれらの任意の組合せを指す。特定の実施形態において、該装置は、消費者の財布及び／又はポケット（例えば、ポケットサイズ）に適合することができるように、手持ち式及びコンパクトである。
【０８３２】
特定の実施形態において、方法は、試料由来のデータを、送信されたデータが分析される遠隔地に送信することを含む。遠隔地は、装置が配置された位置と異なる位置であってもよい。遠隔地は、病院、診療所又は他の医療施設、又は研究室を含むことができるが、これらに限定されない。いくつかの例において、遠隔地は、ネットワークを介して装置と通信する（すなわち、装置から情報を受信し、また装置に情報を送信する）ように構成されたコンピュータ、例えばサーバを有してもよい。いくつかの実施形態において、装置は、データをクラウドコンピューティングインフラストラクチャに送信することができる。装置は、クラウドコンピューティングインフラストラクチャにアクセスすることができる。いくつかの実施形態において、計算リソース（データ、ソフトウェア）のオンデマンド提供は、ローカルコンピュータからではなく、コンピュータネットワークを介して行われてもよい。装置は、インターネットに接続された基本的な表示端末として機能する、ごくわずかなソフトウェア又はデータ（恐らく最小のオペレーティングシステム及びウェブブラウザのみ）を含むことができる。クラウドは基本的な配信メカニズムである可能性があるため、クラウドベースのアプリケーション及びサービスは、あらゆる種類のソフトウェアアプリケーション又はサービスをサポートすることができる。装置によって提供され、及び／又は装置によってアクセスされた情報は、様々な計算リソースに分布されてもよい。あるいは、情報は、１つ以上の固定データ格納ユニット又はデータベースに格納されてもよい。
【０８３３】
特定の実施形態において、遠隔地は、装置から送信されたデータを受信し分析するデータ格納ユニットに格納された中央データベースを含む。データ格納ユニットは、プロセッサが１つ以上のステップを実行するためのコード、ロジック又は命令を含むことができるコンピュータ可読媒体を格納することができる。いくつかの実施形態において、受信されたデータは、中央データベースに含まれたデータと比較して分析され、またその結果が対象に返送された。分析は、試料を検査するために使用された装置又は試薬に特有の数学的操作又は補正及び／又は較正に基づく生データの補正、濃度値などの値の計算、（ベースライン、閾値、標準曲線、履歴データ又は他のセンサからのデータなどとの）比較、検査が正確であるか否かの決定、（正常範囲又は許容範囲を上回るか又は下回るか、又は異常状態を示すなどの）異常値であるか又は懸念の原因となり得る値又は結果の強調表示、又は異常条件の存在をともに示すことができる結果の組み合わせ、カーブフィッティング、数学的又は他の分析的推論（演繹的、誘導的、ベイジアン、又は他の推論を含む）の基礎としてのデータの使用及び他の適切な処理形式を含むことができる。
【０８３４】
特定の実施形態において、分析は、分析されたデータを遠隔地のデータ格納ユニットに格納されたデータベースと比較して、対象によって実行される行動コースのための命令を検索することを含むことができる。いくつかの実施形態において、データベースは、関心対象の分析物の閾値を含む、格納された情報を含むことができる。閾値は、１つ以上の分析物の存在又は濃度を決定することに有用であり得る。閾値は、アラートが有用である状況を検出するために使用されてもよい。データ格納ユニットは、試料上で実行されてもよい試料調製又は臨床検査に関する任意の他の情報を含むことができる。データ格納ユニットは、分析されたデータに関するレポートを生成するために有用である可能性がある記録又は他の情報を含むことができる。
【０８３５】
特定の実施形態において、医療従事者は遠隔地にいる。他の実施形態において、医療従事者は、遠隔地又は装置の位置と異なる第３の位置で、装置によって送信されたデータにアクセスする。医療専門家は、ヘルスケアシステムに関連付けられている個人又は団体を含んでもよい。医療専門家は、医療従事者であってもよい。医療専門家は、医者であってもよい。医療専門家は、予防的、治療的、促進的又はリハビリなヘルスケアサービスを、個人、家庭及び／又は地域社会に系統的に提供する個人又は機関であってもよい。医療専門家の例は、医師（一般開業医及び専門家を含む）、歯科医、医師助手、看護師、助産師、薬理学者／薬剤師、栄養士、セラピスト、心理学者、指圧師、臨床職員、理学療法士、採血専門家、作業療法士、検眼医、救急医療技師、医療補助員、医療検査技術者、医療補綴技術者、レントゲン技師、ソーシャルワーカー、各種のヘルスケアサービスを提供するために訓練された多種多様な人材を含んでもよい。医療専門家は、処方箋を書くことが認可されてもよいか又は認可されなくてもよい。医療専門家は、病院、ヘルスケアセンター及び他のサービス提供ポイント、又は学術的訓練、研究及び管理で働くか又は属してもよい。いくつかの医療専門家は、民家で患者にケア及び治療サービスを提供してもよい。コミュニティーの保健医療労働者は、正式なヘルスケア機関外で働いてもよい。ヘルスケアサービス、診療記録の管理者と医療情報技術者及びその他の支援労働者は、医療専門家であってもよいか又は医療提供者に属してもよい。
【０８３６】
いくつかの実施形態において、医療専門家は、対象と馴染んでいるか又は対象と連絡している可能性がある。対象は、医療専門家の患者であってもよい。いくつかの実施例では、医療専門家は、対象が臨床検査を受けるように指示してもよい。一例では、医療専門家は、対象のプライマリケア医であってもよい。医療専門家は、対象（一般開業医及び専門家を含む）用のいずれかのタイプの医師であってもよい。
【０８３７】
従って、医療従事者は、装置から送信されたデータ及び／又は遠隔地で実行された分析の結果を分析又は検討することができる。特定の実施形態において、医療専門家は、装置により送信されたデータ及び／又は遠隔地で分析されたデータに基づいた指示又は推奨を対象に送信してもよい。
【０８３８】
２８  スペーサを使用しない試料の厚さの制御及び計測
本発明のいくつかの実施形態において、試料又は試料の関連体積を調節するために使用されるスペーサは、（ａ）プレート間の間隔を計測することができる位置決めセンサ、及び（ｂ）プレート位置を制御し、センサにより提供された情報に基づいてプレートを所望のプレート間の間隔に移動させることができる装置によって置き換えられる。いくつかの実施形態において、全てのスペーサは、移動ステージ、監視センサ及びフィードバックシステムにより置き換えられる。
【０８３９】
光学的方法を用いた間隔及び／又は試料の厚さの計測  いくつかの実施形態において、内表面間の間隔の計測（ｆ）は、光学干渉の使用を含む。光学干渉は、複数の波長を使用することができる。例えば、第１のプレートと第２のプレートの内表面で反射された光の干渉による光信号は、光の波長で振動する。振動から、内表面間の間隔を決定することができる。干渉信号を補強するために、１つ又は両方の内表面を光反射材料で被覆することができる。
【０８４０】
いくつかの実施形態において、内表面間の間隔の計測（ｆ）は、光学撮像（例えば、試料の２Ｄ（２次元）／３Ｄ（３次元）画像を撮像し、該撮像は、異なる視野角、異なる波長、異なる位相、及び／又は異なる偏光で行うことができる）及び画像処理を含む。
【０８４１】
光学的方法を用いた試料全体の面積又は体積の計測  いくつかの実施形態において、試料全体の面積又は体積の計測（ｆ）は、光学撮像（例えば、試料の２Ｄ（２次元）／３Ｄ（３次元）画像を撮像し、該撮像は、異なる視野角、異なる波長、異なる位相、及び／又は異なる偏光で行うことができる）及び画像処理を含む。試料の面積は、第１のプレート及び第２のプレートにほぼ平行な方向の面積を指す。３Ｄ画像化は、オブジェクトの３次元（３Ｄ）画像を取得するための最も一般的な方法の１つである干渉縞投影プロフィロメトリー（ＦＰＰ）の方法を使用することができる。
【０８４２】
いくつかの実施形態において、画像化による試料の面積又は体積の計測は、（ａ）面積又は体積が既知の試料を使用して画像スケールを較正すること（例えば、撮像装置はスマートフォンであり、該スマートフォンで撮像された画像の寸法は、同一のスマートフォンで撮像された寸法が既知の試料の画像と比較することにより較正できる）、（ｂ）画像と、第１のプレート及び第２のプレートに又はその近くに配置されたスケールマーカー（定規）とを比較すること（本明細書でさらに論じる）、及び（ｃ）それらの組み合わせを含む。
【０８４３】
本明細書で使用されるように、光は、可視光、紫外光、赤外光、及び／又は近赤外光を含むことができる。光は、２０ｎｍ〜２００００ｎｍの範囲の波長を含むことができる。
【０８４４】
２９  実施形態のその他の説明
以下の方法、装置及びシステムを提供する。これらの実施形態は、上記又は下記の構成要素、材料、パラメータ又はステップのいずれかを使用して実施することができる。次の実施形態は、ＣＲＯＦプレートを使用する。
【０８４５】
実施形態１．
液体試料を分析する方法は、以下のステップ（ａ）〜（ｅ）を含む：
（ａ）分析物を含有する試料を取得し、
（ｂ）異なる構成になるように互いに対して移動可能な第１のプレートと第２のプレートを取得し、
それぞれのプレートが実質的に平坦な試料接触面を有し、１つ又は両方のプレートが可撓性であり、前記プレートのうちの１つ又は両方がスペーサを含み、これらのスペーサが各々の試料接触面に固定され、前記スペーサが所定の実質的に均一な高さと所定の一定のスペーサ間距離を有し、前記距離が前記分析物のサイズよりも少なくとも約２倍大きく、最大２００μｍ（マイクロメータ）になり、
（ｃ）プレートが開放構成に構成されている時に、試料をプレートのうちの１つ又は両方に付着させ、
前記開放構成とは、２つのプレートが部分的に又は完全に離され、かつプレート間の距離がスペーサにより調節されない構成であり、
（ｄ）（ｃ）の後、前記２つのプレートを用いて前記試料の少なくとも一部を略均一な厚さの層へと圧縮し、
前記均一な厚さが前記プレートの前記試料接触面に制限され、前記層の前記均一な厚さが前記スペーサと前記プレートに規制され、前記圧縮は、以下：
前記２つのプレートを一体に合わせることと、
閉鎖構成へと前記プレートを押し付けるように、並行して又は順次のいずれかで前記プレートのうち少なくとも１つのプレートの１つの領域を適切に押すことを含み、前記適切に押すことにより前記試料の前記少なくとも一部を介して前記プレートに略均一な圧力を発生させ、前記押すことにより前記試料の前記少なくとも一部を前記プレートの前記試料接触面間に横方向に広げ、前記閉鎖構成が、均一な厚さ領域の前記層において前記プレート間の前記距離が前記スペーサにより調節される構成であり、
（ｅ）前記プレートが前記閉鎖構成にある時に、前記均一な厚さの層内の前記分析物を分析し、
前記適切に押すことは、前記プレートの外面の形状の違いに関わらず、ある領域に加えた圧力を実質的に一定にする方法であり、
前記並行して押すことは、同時に所望の領域に圧力を加え、前記順次押すことは、所定の領域の一部に圧力を加え、かつ徐々に他の領域に移行する。
【０８４６】
実施形態２．
液体試料を分析する装置は、
第１のプレート及び第２のプレートを含み、
ｉ．前記プレートは、異なる構成になるように互いに対して移動可能であり、
ｉｉ．１つ又は両方のプレートは可撓性であり、
ｉｉｉ．各プレートは、そのそれぞれの表面に、分析物を含む試料と接触するための試料接触領域を有し、
ｉｖ．前記プレートの１つ又は両方は、それぞれの試料接触領域に固定されたスペーサを含み、前記スペーサは、所定の実質的に均一な高さ、及び分析物の寸法より少なくとも約２倍大きく、最大２００μｍの所定の一定のスペーサ間の距離を有し、少なくとも１つのスペーサは、前記試料接触領域内にあり、
前記構成の１つは、開放構成であり、２つのプレートが離され、プレート間の間隔がスペーサにより調節されず、試料を１つ又は両方のプレートに付着させ、
別の構成は、開放構成で試料を付着させた後に構成された閉鎖構成であり、前記閉鎖構成で、試料の少なくとも一部は、２つのプレートにより非常に均一な厚さの層へと圧縮され、該層の均一な厚さは、プレートの試料接触表面により限定され、スペーサ及びプレートにより調節される。
【０８４７】
実施形態３．
血液試料を分析する方法は、以下のステップ（ａ）〜（ｅ）を含む：
（ａ）血液試料を取得し、
（ｂ）異なる構成になるように互いに対して移動可能な第１のプレート及び第２のプレートを取得し、
各プレートが、実質的に平坦な試料接触表面を有し、１つ又は両方のプレートが可撓性であり、１つ又は両方のプレートが、それぞれの試料接触表面に固定されたスペーサを含み、スペーサは、
ｉ．所定の実質的に均一な高さと、
ｉｉ．実質的に均一な断面及び平坦な上面を有する柱の形状と、
ｉｉｉ．１以上の、高さに対する幅の比と、
ｉｖ．１０μｍ〜２００μｍの範囲内の所定の一定のスペーサ間の距離と、
ｖ．１％以上の充填率と、
ｖｉ．スペーサの充填率とヤング率との２ＭＰａ以上の積とを有し、
（ｃ）プレートが開放構成に構成されている時に、１つ又は両方のプレートに血液試料を付着させ、
前記開放構成とは、２つのプレートが部分的に又は完全に離され、プレート間の間隔がスペーサにより調節されない構成であり、
（ｄ）（ｃ）の後、２つのプレートを用いて、血液試料の少なくとも一部を、プレートの試料接触表面により限定された実質的に均一な厚さの層へと圧縮し、
該層の均一な厚さが、スペーサ及びプレートにより調節され、１０％より小さいばらつきで１．８μｍ〜３μｍの範囲内にある平均値を有し、前記圧縮は、以下：
前記２つのプレートを一体に合わせることと、
閉鎖構成へと前記プレートを押し付けるように、並行して又は順次のいずれかで前記プレートのうち少なくとも１つのプレートの１つの領域を適切に押すことを含み、前記適切に押すことにより前記試料の前記少なくとも一部を介して前記プレートに略均一な圧力を発生させ、前記押すことにより前記試料の前記少なくとも一部を前記プレートの前記試料接触面間に横方向に広げ、前記閉鎖構成が、均一な厚さ領域の前記層において前記プレート間の前記距離が前記スペーサにより調節される構成であり、
（ｅ）プレートが閉鎖構成にある時に、均一な厚さの層内の血液を分析し、
前記充填率が、総プレート面積に対するスペーサ接触面積の比であり、
前記適切に押すことが、前記プレートの外面の形状の違いに関わらず、ある領域に加えた圧力を実質的に一定にする方法であり、
前記並行して押すことが、同時に所望の領域に圧力を加え、前記順次押すことが、所定の領域の一部に圧力を加え、かつ徐々に他の領域に移行する。
【０８４８】
実施形態４．
液体試料を分析する装置は、
第１のプレート及び第２のプレートを含み、
ｖ．前記プレートは、異なる構成になるように互いに対して移動可能であり、
ｖｉ．１つ又は両方のプレートは可撓性であり、
ｖｉｉ．各プレートは、そのそれぞれの表面に、血液試料と接触するための試料接触領域を有し、
ｖｉｉｉ．前記プレートの１つ又は両方は、それぞれのプレートに固定されたスペーサを含み、スペーサは、所定の実質的に均一な高さ、及び７μｍ〜２００μｍの範囲内の所定の一定のスペーサ間の距離を有し、少なくとも１つのスペーサは、試料接触領域内にあり、
前記構成の１つは、開放構成であり、２つのプレートが離され、プレート間の間隔がスペーサにより調節されず、試料を前記プレートの１つ又は両方に付着させ、
別の構成は、開放構成で試料を付着させた後に構成された閉鎖構成であり、前記閉鎖構成で、試料の少なくとも一部は、２つのプレートにより非常に均一な厚さの層へと圧縮され、該層の均一な厚さは、２つのプレートの試料内表面により限定され、スペーサ及びプレートにより調節され、小さいばらつきで１．８μｍ〜３μｍの範囲内にある平均値を有する。
【０８４９】
実施形態５．
標的実体を液体試料の一部に局所的に結合する方法は、以下のステップ（ａ）〜（ｅ）を含む：
（ａ）試料内に拡散できる標的実体を含有する試料を取得し、
（ｂ）異なる構成になるように互いに対して移動可能な第１のプレート及び第２のプレートを取得し、
１つ又は両方のプレートが、それぞれのプレートに固定され、所定の実質的に均一な高さを有するスペーサを含み、第１のプレートが、その表面に、所定の領域を有し、標的実体に結合して固定化した結合部位を含み、
（ｃ）プレートが開放構成に構成されている時に、試料をプレートのうちの１つ又は両方に付着させ、
前記開放構成とは、２つのプレートが部分的に又は完全に離され、かつプレート間の距離がスペーサにより調節されない構成であり、
（ｄ）（ｃ）の後、２つのプレートを閉鎖構成にすることにより試料を圧縮し、
閉鎖構成は、試料の少なくとも一部が、２つのプレートの内表面に接触し、それによって限定され、かつ結合部位に接触する均一な厚さの層へと圧縮される構成であり、層の均一な厚さがスペーサ及びプレートにより調節され、２５０μｍより小さく、結合部位の所定の領域の線形寸法より実質的に小さく、
（ｅ）（ｄ）の後、プレートが閉鎖構成にある時に、
（１）関連のある時間長さで試料をインキュベーションし、次にインキュベーションを停止し、あるいは、
（２）関連のある時間長さの最小値以上の時間で試料をインキュベーションし、次に、関連のある時間長さの最大値以下の時間内に、標的分析物の結合部位への結合を評価し、
前記関連のある時間長さは、
ｉ．標的実体が閉鎖構成で均一な厚さの層の厚さにわたって拡散することに要する時間以上であり、そして
ｉｉ．標的実体が横方向に結合部位の最小の横方向寸法にわたって拡散することに要する時間より顕著に短く、
（１）におけるインキュベーションが終了する時又は（２）における評価期間において、結合部位に結合される大部分の標的実体は試料関連体積から由来し、
インキュベーションにより、標的実体が結合部位に結合することを可能にし、関連体積は、閉鎖構成で結合部位にある試料の一部である。
【０８５０】
実施形態６．
標的実体を液体試料の一部に局所的に結合するための装置は、
第１のプレート及び第２のプレートを含み、
ｉ．プレートは、異なる構成になるように互いに対して移動可能であり、１つ又は両方のプレートは可撓性であり、
ｉｉｉ．各プレートは、そのそれぞれの表面に、試料内に拡散できる実体を含む試料と接触するための試料接触領域を有し、
ｉｖ．前記プレートの１つは、その試料接触領域上に、所定の領域を有し、前記標的実体に結合して固定化した結合部位を有し、
ｖ．前記プレートの１つ又は両方は、それぞれのプレートに固定されたスペーサを含み、スペーサは、所定の実質的に均一な高さ、及び所定の一定のスペーサ間の距離を有し、少なくとも１つのスペーサは、試料接触領域内にあり、
前記構成の１つは、開放構成であり、２つのプレートが部分的に又は完全に離され、プレート間の間隔がスペーサにより調節されず、試料を前記プレートの１つ又は両方に付着させ、
別の構成は、開放構成で試料を付着させた後に構成された閉鎖構成であり、前記閉鎖構成で、試料の少なくとも一部は、２つのプレートにより均一な厚さの層へと圧縮され、均一な厚さの層の少なくとも一部は、結合部位にあり、かつ層の均一な厚さは、２つのプレートの試料内表面により限定され、スペーサ及びプレートにより調節され、２５０μｍより小さく、結合部位の所定の領域の平均線形寸法より実質的に小さい。
【０８５１】
実施形態７．
液体試料の一部に試薬を局所的に放出する方法は、以下のステップ（ａ）〜（ｅ）を含む：
（ａ）試料を取得し、
（ｂ）異なる構成になるように互いに対して移動可能な第１のプレート及び第２のプレートを取得し、
（ｉ）１つ又は両方のプレートが、それぞれのプレートに固定されたスペーサを含み、
（ｉｉ）スペーサが、所定の均一な高さを有し、
（ｉｉｉ）第１のプレートが、その表面に、所定の領域を有し、試料に接触すると試料に溶解して試料内に拡散する試薬を含む貯蔵部位を含み、
（ｃ）プレートが開放構成に構成されている時に、試料をプレートのうちの１つ又は両方に付着させ、
前記開放構成とは、２つのプレートが部分的に又は完全に離され、かつプレート間の距離がスペーサにより調節されない構成であり、
（ｄ）（ｃ）の後、２つのプレートを閉鎖構成にすることにより試料を圧縮し、
閉鎖構成は、試料の少なくとも一部が、２つのプレートの内表面によって限定され、かつ貯蔵部位を被覆する均一な厚さの層へと圧縮される構成であり、層の均一な厚さがスペーサ及びプレートによって調節され、２５０μｍより小さく、貯蔵部位の所定の領域の線形寸法より局所的に小さく、
（ｅ）（ｄ）の後、プレートが閉鎖構成にある時に、関連のある時間長さで試料をインキュベーションし、次にインキュベーションを停止し、
前記関連のある時間長さは、
ｉ．閉鎖構成で、標的実体が均一な厚さの層の厚さにわたって拡散することに必要な時間以上であり、そして
ｉｉ．標的実体が結合部位の所定の領域の線形寸法にわたって横方向に拡散することに要する時間より短く、
従って、インキュベーションの後、最初に貯蔵部位にある試薬の大部分は、試料の関連体積内にあり、
インキュベーションは、試薬が試料と結合又は混合することを可能にする過程であり、前記関連体積は、閉鎖構成で結合部位にある試料の一部分である。
【０８５２】
実施形態８．
液体試料の一部に試薬を局所的に放出する装置は、
第１のプレート及び第２のプレートを含み、
ｉ．前記プレートは、異なる構成になるように互いに対して移動可能であり、ｉｉ．１つ又は両方のプレートは可撓性であり、
ｖｉ．各プレートは、そのそれぞれの表面に、試料と接触するための試料接触領域を有し、
ｖｉｉ．プレートの１つは、その試料接触領域に、所定の領域を有し、試料に接触すると試料に溶解して試料内に拡散し、標的実体に結合する試薬を含む貯蔵部位を含み、
ｖｉｉｉ．前記プレートの１つ又は両方は、それぞれのプレートに固定されたスペーサを含み、スペーサは、（ａ）２５０μｍ以下で、試薬部位の所定の領域の平均線形寸法より実質的に小さい所定の実質的に均一な高さ、及び（ｂ）２００μｍ以下の範囲内の所定の一定のスペーサ間の距離を有し、少なくとも１つのスペーサは、試料接触領域内にあり、
前記構成の１つは、開放構成であり、２つのプレートが部分的に又は完全に離され、プレート間の間隔がスペーサにより調節されず、試料を１つ又は両方のプレートに付着させ、
別の構成は、開放構成で試料を付着させた後に構成された閉鎖構成であり、前記閉鎖構成で、試料の少なくとも一部は、２つのプレートにより均一な厚さの層へと圧縮され、均一な厚さの層の少なくとも一部は、結合部位にあり、かつ層の均一な厚さは、２つのプレートの試料内表面により限定され、スペーサ及びプレートにより調節される。
【０８５３】
実施形態９．
試料の関連体積中の標的実体をプレート表面の結合部位に結合するための時間を短縮する方法は、以下のステップ（ａ）〜（ｄ）を含む：
（ａ）試料内に拡散できる標的実体を含有する試料を取得し、
（ｂ）異なる構成になるように互いに対して移動可能な第１のプレート及び第２のプレートを取得し、
前記プレートの１つ又は両方が、それぞれのプレートに固定され、所定の実質的に均一な高さ及び所定の一定のスペーサ間の距離を有するスペーサを含み、１つ又は両方のプレートが可撓性であり、第１のプレートが、その表面に、所定の領域を有し、標的実体に結合して固定化した結合部位を含み、
（ｃ）プレートが開放構成に構成されている時に、試料をプレートのうちの１つ又は両方に付着させ、
前記開放構成とは、２つのプレートが部分的に又は完全に離され、かつプレート間の距離がスペーサにより調節されない構成であり、
（ｄ）（ｃ）の後、２つのプレートを閉鎖構成にすることにより試料を圧縮し、
閉鎖構成は、試料の関連体積の厚さが、プレートの開放構成の場合と比較して、少なくとも１ｍｍ２の横方向面積を有し、２つのプレートの内表面によって限定され、かつ結合部位を被覆する実質的に均一な厚さの層に減少される構成であり、該層の均一な厚さがスペーサ及びプレートによって調節され、２５０μｍより小さく、結合部位の所定の領域の線形寸法より実質的に小さく、関連体積は、試料の体積の一部又は全部であり、
試料の関連体積の厚さを減少させることは、関連体積における結合部位と標的実体との間の結合が平衡に達する時間を短縮する。
【０８５４】
実施形態１０．
標的実体を液体試料の一部に局所的に結合するための装置は、
第１のプレート及び第２のプレートを含み、
ｉ．プレートは、異なる構成になるように互いに対して移動可能であり、１つ又は両方のプレートは可撓性であり、
ｉｉｉ．各プレートは、そのそれぞれの表面に、試料内に拡散できる実体を含む試料と接触するための試料接触領域を有し、
前記プレートの１つは、その試料接触領域上に、所定の領域を有し、前記標的実体に結合して固定化した結合部位を有し、
ｖ．前記プレートの１つ又は両方は、それぞれのプレートに固定されたスペーサを含み、スペーサは、所定の実質的に均一な高さ、及び所定の一定のスペーサ間の距離を有し、少なくとも１つのスペーサは、試料接触領域内にあり、
前記構成の１つは、開放構成であり、２つのプレートが部分的に又は完全に離され、プレート間の間隔がスペーサにより調節されず、試料を１つ又は両方のプレートに付着させ、
別の構成は、開放構成で試料を付着させた後に構成された閉鎖構成であり、前記閉鎖構成で、試料の少なくとも一部は、２つのプレートにより均一な厚さの層へと圧縮され、均一な厚さの層の少なくとも一部は、結合部位にあり、かつ層の均一な厚さは、２つのプレートの試料内表面により限定され、スペーサ及びプレートにより調節され、２５０μｍより小さく、結合部位の所定の領域の平均線形寸法より実質的に小さく、
試料の関連体積の厚さを減少させることは、関連体積における結合部位と標的実体との間の結合が平衡に達する時間を短縮する。
【０８５５】
実施形態１１．
流体的隔離がない状況下で液体試料を比較し、多重化し、アッセイする方法は、以下のステップ（ａ）〜（ｅ）を含む：
（ａ）試料内に拡散できる１つ以上の標的分析物を含有する試料を取得し、
（ｂ）異なる構成になるように互いに対して移動可能な第１のプレート及び第２のプレートを取得し、
ｉ．前記プレートの１つ又は両方が、それぞれのプレートに固定されたスペーサを含み、１つ又は両方のプレートが可撓性であり、
ｉｉ．スペーサが、所定の実質的に均一な高さ、及び所定の一定のスペーサ間の距離を有し、
ｉｉｉ．第１のプレートが、その表面に、（ａ）における対応する標的分析物に結合して固定化する捕捉剤を含む所定の領域をそれぞれ有する１つ以上の結合部位を有し、
ｉｖ．第２のプレートが、その表面に、所定の領域をそれぞれ有し、試料に接触すると試料に溶解して試料内に拡散するある濃度の検出剤を含む１つ以上の対応する貯蔵部位を含み、
各捕捉剤、標的分析物及び対応する検出剤が、第１のプレートの結合部位に捕捉剤−標的分析物−検出剤のサンドイッチを形成でき、
（ｃ）プレートが開放構成に構成されている時に、試料をプレートのうちの１つ又は両方に付着させ、
前記開放構成とは、２つのプレートが部分的に又は完全に離され、かつプレート間の距離がスペーサにより調節されない構成であり、
（ｄ）（ｃ）の後、２つのプレートを閉鎖構成にすることにより試料を圧縮し、
閉鎖構成で、
ｉ．試料の少なくとも一部が、２つのプレートの内表面に接触し、それによって限定され、かつ１つ以上の結合部位及び１つ以上の貯蔵部位に接触する均一な厚さの層へと圧縮され、
ｉｉ．１つ以上の対応する貯蔵部位が１つ以上の結合部位にあり、
ｉｉｉ．層の均一な厚さがスペーサ及びプレートによって調節され、２５０μｍより小さく、各貯蔵部位の所定の領域の線形寸法より実質的に小さい構成であり、
（ｅ）（ｄ）の後、プレートが閉鎖構成にある時に、
（１）関連のある時間長さで試料をインキュベーションし、次にインキュベーションを停止し、あるいは、
（２）関連のある時間長さの最小値以上の時間で試料をインキュベーションし、次に、関連のある時間長さの最大値以下の時間内に、各標的分析物の結合部位への結合を評価し、
前記関連のある時間長さは、
ｉ．閉鎖構成で、（ａ）における標的分析物が均一な厚さの層の厚さにわたって拡散することに要する時間以上であり、そして、
ｉｉ．（ａ）における標的分析物が結合部位の所定の領域の線形寸法にわたって横方向に拡散することに要する時間より短く、
それにより、（１）におけるインキュベーションの終了の場合又は（２）における評価中に、各結合部位に結合した捕捉剤−標的分析物−検出剤サンドイッチの大部分が試料のそれぞれの関連体積に由来する反応が発生し、
インキュベーションにより、各標的分析物が結合部位及び検出剤に結合することを可能にし、それぞれの関連体積は、閉鎖構成でそれぞれの貯蔵部位にある試料の一部分であり、隣接した貯蔵部位のエッジと隣接した結合部位のエッジとの間の間隔は、標的分析物又は検出剤が関連時間内に拡散できる距離より大きく、結合部位及び／又は貯蔵部位の間に流体的隔離がない。
【０８５６】
実施形態１２．
流体的隔離がない状況下で液体試料を比較し、多重化し、アッセイする装置は、第１のプレート及び第２のプレートを含み、
ｉ．プレートは、異なる構成になるように互いに対して移動可能であり、１つ又は両方のプレートは可撓性であり、
ｉｉ．前記プレートの１つ又は両方は、それぞれのプレートに固定されたスペーサを含み、スペーサは、所定の実質的に均一な高さ、及び所定の一定のスペーサ間距離を有し、
ｉｉｉ．各前記プレートは、そのそれぞれの表面に、試料内に拡散できる１つ以上の標的分析物を含む試料と接触するための試料接触領域を有し、
ｉｖ．前記第１のプレートは、その表面に、試料の対応する標的分析物に結合して固定する捕捉剤を含む所定の領域をそれぞれ有する１つ以上の結合部位を有し、
ｖ．第２のプレートは、その表面上に、所定の領域をそれぞれ有し、試料に接触すると試料に溶解して試料内に拡散するある濃度の検出剤を含む１つ以上の対応する貯蔵部位を有し、
各捕捉剤、標的分析物及び対応する検出剤は、第１のプレートの結合部位に捕捉剤−標的分析物−検出剤のサンドイッチを形成でき、
前記構成の１つは、開放構成であり、２つのプレートが部分的に又は完全に離され、プレート間の間隔がスペーサにより調節されず、試料を１つ又は両方のプレートに付着させ、
別の構成は、開放構成で試料を付着させた後に構成された閉鎖構成であり、前記閉鎖構成で、
ｉ．試料の少なくとも一部が、２つのプレートの内表面に接触し、それによって限定され、かつ１つ以上の結合部位及び１つ以上の貯蔵部位に接触する均一な厚さの層へと圧縮され、
ｉｉ．１つ以上の対応する貯蔵部位が１つ以上の結合部位にあり、
ｉｉｉ．層の均一な厚さがスペーサ及びプレートによって調節され、２５０μｍより小さく、貯蔵部位の所定の領域の線形寸法より実質的に小さく、
ｉｖ．結合部位及び／又は貯蔵部位の間に流体的隔離がなく、
隣接した貯蔵部位のエッジと隣接した結合部位のエッジとの間の間隔は、標的分析物又は検出剤が関連のある時間内に拡散できる距離より大きく、結合部位及び／又は貯蔵部位の間に流体的隔離がない。
【０８５７】
実施形態１３Ａ．
携帯電話を用いて試料を迅速に分析するシステムは、
（ａ）１つ又は両方のプレートが、異なる構成になるように互いに対して移動可能であり、
ｉ．構成の１つは、２つのプレートが部分的に又は完全に離され、プレート間の間隔がスペーサにより調節されず、試料を１つ又は両方のプレートに付着させる開放構成であり、
ｉｉ．別の構成は、開放構成で試料を付着させた後に構成された閉鎖構成であり、前記閉鎖構成で、試料の少なくとも一部は、２つのプレートにより均一な厚さの層へと圧縮され、均一な厚さの層は、２つのプレートの試料内表面に接触し、それにより限定され、スペーサ及びプレートにより調節されるＣＲＯＦ装置と、
（ｂ）
ｉ．試料を検出及び／又は画像化するための１つ以上のカメラ、
ｉｉ．検出された信号及び／又は試料の画像を受信及び／又は処理し、遠隔通信するための電子機器、信号プロセッサ、ハードウェア及びソフトウェア
を含む移動通信装置と、
（ｃ）移動通信装置又は外部源のいずれか一方からの光源と、を含む。
【０８５８】
実施形態１３Ｂ．
携帯電話を用いて試料を迅速に分析する方法は、以下のステップを含む：
（ａ）実施形態１３ＡのシステムのＣＲＯＦ装置に試料を付着させ、
（ｂ）ＣＲＯＦ装置に付着させた試料をアッセイして、結果を生成し、
（ｃ）移動通信装置からの結果を移動通信装置から離れた位置に伝達する。
【０８５９】
実施形態１４．
液体試料を分析する方法は、以下のステップ（ａ）〜（ｆ）を含む：
（ａ）試料内に拡散できる分析物を含有する試料を取得し、
（ｂ）異なる構成になるように互いに対して移動可能な第１のプレート及び第２のプレートを取得し、
１つ又は両方のプレートが、それぞれのプレートに固定され、所定の均一な高さを有するスペーサを含み、第１のプレートが、その表面に、所定の領域を有する分析物アッセイ領域を含み、
（ｃ）プレートが開放構成に構成されている時に、試料をプレートのうちの１つ又は両方に付着させ、
前記開放構成とは、２つのプレートが部分的に又は完全に離され、かつプレート間の距離がスペーサにより調節されない構成であり、
（ｄ）（ｃ）の後、２つのプレートを用いて、試料の少なくとも一部を、２つのプレートの内表面により限定された均一な厚さの層へと圧縮し、
層の均一な厚さが、スペーサ及びプレートにより調節され、分析物アッセイ領域の所定の横方向領域の線形寸法より実質的に小さく、前記圧縮は、以下：
前記２つのプレートを一体に合わせることと、
プレートを一緒にプレスして閉鎖構成にするように、プレートの外表面に外からの力を加えることを含み、前記力は、試料の少なくとも一部の上方に位置するプレート上に圧力を生成し、圧力は、前記試料の少なくとも一部をプレートの内表面の間に横方向に広げ、前記閉鎖構成は、均一な厚さ領域の層内のプレート間の間隔がスペーサにより調節される構成であり、
（ｅ）プレートが閉鎖構成にある時に、（ｉ）分析物が均一な厚さの層の厚さ全体にわたって拡散することに必要な時間以上で、（ｉ）分析物が分析物アッセイ領域全体にわたって拡散することに要する時間より著しく短い時間で試料をインキュベーションし、
（ｆ）（ｅ）の直後に、
アッセイ領域内の分析物のインキュベーション及び計測を停止するか、あるいは、プレートの閉鎖構成で、インキュベーションを継続し、分析物が分析物アッセイ領域全体にわたって拡散することに要する時間より著しく短い時間で、アッセイ領域内の分析物を計測する。
【０８６０】
以下の説明は、上記の実施形態１〜１４に適用されてもよい。
【０８６１】
ＣＲＯＦを使用する任意の実施形態において、スペーサは、試料厚さ制御の良好な均一性のために、試料領域の内にあり、試料の関連する領域の内側にある。
【０８６２】
ＣＲＯＦを使用する任意の実施形態において、２つのプレートのうちの少なくとも１つは、厚さが１μｍ〜５０μｍのプラスチックフィルムであってもよい。
【０８６３】
ＣＲＯＦを使用する任意の実施形態において、２つのプレートのうちの少なくとも１つは、厚さが５０μｍ〜１００μｍのプラスチックフィルムであってもよい。
【０８６４】
ＣＲＯＦを使用する任意の実施形態において、２つのプレートのうちの少なくとも１つは、厚さが１００μｍ〜１５０μｍのプラスチックフィルムであってもよい。
【０８６５】
ＣＲＯＦを使用する任意の実施形態において、２つのプレートのうちの少なくとも１つは、厚さが１５０μｍ〜２５０μｍのプラスチックフィルムであってもよい。
【０８６６】
ＣＲＯＦを使用する任意の実施形態において、２つのプレートは、各プレートの厚さが１０μｍ〜３００μｍから独立して選択される薄いプラスチックフィルムであってもよい。
【０８６７】
ＣＲＯＦを使用する任意の実施形態において、２つのプレートは、各プレートの厚さが１００μｍ〜２００μｍから独立して選択される薄いプラスチックフィルムであってもよい。
【０８６８】
ＣＲＯＦを使用する任意の実施形態において、２つのプレートは、各プレートの厚さが１０μｍ〜１００μｍから独立して選択される薄いプラスチックフィルムであってもよい。
【０８６９】
ＣＲＯＦを使用する任意の実施形態において、プレート上のスペーサの高さは５ｎｍ〜１００ｎｍの範囲にあってもよい。
【０８７０】
ＣＲＯＦを使用する任意の実施形態において、プレート上のスペーサの高さは１００ｎｍ〜５００ｎｍの範囲にあってもよい。
【０８７１】
ＣＲＯＦを使用する任意の実施形態において、プレート上のスペーサの高さは５００ｎｍ〜１μｍの範囲にあってもよい。
【０８７２】
ＣＲＯＦを使用する任意の実施形態において、プレート上のスペーサの高さは１μｍ〜２μｍの範囲にあってもよい。
【０８７３】
ＣＲＯＦを使用する任意の実施形態において、プレート上のスペーサの高さは２μｍ〜５μｍの範囲にあってもよい。
【０８７４】
ＣＲＯＦを使用する任意の実施形態において、プレート上のスペーサの高さは５μｍ〜１０μｍの範囲にあってもよい。
【０８７５】
ＣＲＯＦを使用する任意の実施形態において、プレート上のスペーサの高さは１０μｍ〜３０μｍの範囲にあってもよい。
【０８７６】
ＣＲＯＦを使用する任意の実施形態において、プレート上のスペーサの高さは３０μｍ〜５０μｍの範囲にあってもよい。
【０８７７】
ＣＲＯＦを使用する任意の実施形態において、プレート上のスペーサの高さは５０μｍ〜１００μｍの範囲にあってもよい。
【０８７８】
ＣＲＯＦを使用する任意の実施形態において、スペーサ間距離（ＩＳＤ）は２００μｍ以下である。
【０８７９】
ＣＲＯＦを使用する任意の実施形態において、スペーサ間距離（ＩＳＤ）は１５０μｍ以下である。
【０８８０】
ＣＲＯＦを使用する任意の実施形態において、スペーサ間距離（ＩＳＤ）は１００μｍ以下である。
【０８８１】
ＣＲＯＦを使用する任意の実施形態において、スペーサ間距離（ＩＳＤ）は８０μｍ以下、例えば、６０μｍ以下、４０μｍ以下、又は２０μｍ以下である。
【０８８２】
ＣＲＯＦを使用する任意の実施形態において、スペーサのアスペクト比は少なくとも１．５（例えば、少なくとも２、少なくとも３、少なくとも４又は少なくとも５）である。
【０８８３】
ＣＲＯＦを使用する任意の実施形態において、柱の高さに対する柱幅の比は少なくとも１、少なくとも２、少なくとも５、又は少なくとも１０であってもよい。
【０８８４】
ＣＲＯＦを使用する任意の実施形態において、プレートの間の距離は２〜５０μｍの範囲にあり、かついかなるアッセイも１分間より少ない飽和時間を有する。
【０８８５】
ＣＲＯＦを使用する任意の実施形態において、方法は洗浄を含む。
【０８８６】
ＣＲＯＦを使用する任意の実施形態において、方法は洗浄を含まない。
【０８８７】
ＣＲＯＦを使用する任意の実施形態において、１分間未満のインキュベーション後に、方法は、１ｎＭ未満の感度を有し、例えば、０．１ｎｍｏｌ、１０ｐｍｏｌ、１ｐｍｏｌ、０．１ｐｍｏｌ、１０ｆｍｏｌ、１ｆｍｏｌ又は０．１ｆｍｏｌである。
【０８８８】
ＣＲＯＦを使用する任意の実施形態において、特に柱の高さが約１００μｍ未満である場合、スペーサの幅に対する周期の比は約７．０未満（例えば、約７．０〜１．０）であってもよい。
【０８８９】
ＣＲＯＦを使用する任意の実施形態において、プレートは、２０〜２００μｍ、例えば１０〜５０μｍ又は５０〜２００μｍの厚さを有してもよい。
【０８９０】
ＣＲＯＦを使用する任意の実施形態において、試料の体積は０．５μｍ未満、例えば０．５μｍ未満、０．４μｍ未満、０．３μｍ未満、０．２μｍ未満、又は０．１μｍ未満であってもよい。
【０８９１】
ＣＲＯＦを使用する任意の実施形態において、スペーサ間の距離は２００μｍ未満、例えば、２０〜２００μｍ、２０〜５０μｍ又は５０〜２００μｍであってもよい。
【０８９２】
他の実施形態結合プロセス、試薬混合プロセス、２つの組み合わせ、又は他のプロセスの飽和インキュベーション時間を短縮するための好ましい実施形態において、閉鎖構成での最終のサンプルの厚さは０．５μｍ（ミクロン）未満である。別の好ましい実施形態において、最終のサンプルの厚さは０．５μｍ〜１μｍの範囲である。別の好ましい実施形態において、最終のサンプルの厚さは１μｍ〜４μｍの範囲である。別の好ましい実施形態において、最終のサンプルの厚さは４μｍ〜１０μｍの範囲である。別の好ましい実施形態において、最終のサンプルの厚さは１０μｍ〜３０μｍの範囲である。別の好ましい実施形態において、最終のサンプルの厚さは３０μｍ〜１００μｍの範囲である。
【０８９３】
結合プロセス、試薬混合プロセス、２つの組み合わせ、又は他のプロセスの飽和インキュベーション時間を短縮するための好ましい実施形態において、最終のサンプルの厚さは、飽和インキュベーション時間が２秒未満になるように選択される。別の好ましい実施形態において、最終の試料の厚さは、飽和インキュベーション時間が４秒未満、８秒未満、１２秒未満、２０秒未満、３０秒未満、４０秒未満、６０秒未満、１２０秒未満、３００秒未満、４２０秒未満、又はこれらの値のいずれか２つの間の範囲内であるように選択される。
【０８９４】
ＣＲＯＦを使用する任意の実施形態において、装置は、１分間より少なく、例えば、１０秒より少ない期間、手でプレスされてもよい。
【０８９５】
特定の実施形態において、ＣＲＯＦ装置は、一体化されたマイクロ流体プラットフォーム又はマイクロ流体装置である。マイクロ流体装置は、試料を受け入れ、ＣＲＯＦ装置を用いて試料中の分析物を検出し、リザーバ内の廃棄物を収集するための異なる領域を有するように構成される。従って、特定の実施形態において、上記のように、マイクロ流体チャネルプラットフォームは、マイクロ流体装置の試料受け入れ領域に適用された試料を、分析物を検出するように構成されたＣＲＯＦ装置に案内する流体ハンドリング構成要素を含むことができる。流体ハンドリング構成要素は、１つ以上の流体をマイクロ流体装置に案内するように構成されてもよい。いくつかの実例において、流体ハンドリング構成要素は、試料溶液、緩衝液などの流体を案内するように構成されるが、それらに限定されない。流体ハンドリング構成要素は、パッシブポンプ及びマイクロ流体チャネルを含むが、これらに限定されない。場合によっては、パッシブポンプは、本明細書で開示されるマイクロ流体装置を通じた毛管作用駆動のマイクロ流体ハンドリング及び流体ルーティングのために構成される。特定の実例において、マイクロ流体ハンドリング構成要素は、例えば１００μＬ以下、５０μＬ以下、又は２５μＬ以下、又は１０μＬ以下、又は５μＬ以下、又は１μＬ以下を含む５００μＬ以下、１ｍＬ以下などの少量の流体を送達するように構成される。従って、特定の実施形態において、マイクロ流体装置を操作し、本発明の装置、システム及び方法を実行するために外部電源は必要とされない。
【０８９６】
特定の実施形態において、マイクロ流体装置は、５０ｍｍ×５０ｍｍ以下、例えば２５ｍｍ×２５ｍｍ以下、又は１０ｍｍ×１０ｍｍ以下の寸法を含む５ｍｍ×５ｍｍ〜１００ｍｍ×１００ｍｍの範囲内の寸法を有する。特定の実施形態において、マイクロ流体装置は、２ｍｍ〜０．３ｍｍ、又は１ｍｍ〜０．４ｍｍを含む５ｍｍ〜０．１ｍｍ、例えば３ｍｍ〜０．２ｍｍの範囲内の厚さを有する。
【０８９７】
特定の実施形態において、ＣＲＯＦ装置は、容器、例えばマルチウェルプレートのウェル内に配置される。ＣＲＯＦ装置は、また、マルチウェルプレートのウェルの底部又は壁に一体化されてもよい。
【０８９８】
いくつかの実施形態において、マイクロ流体装置又はマルチウェルプレートのようなＣＲＯＦ装置を含むサポートは、サポートに含まれるＣＲＯＦ装置の識別子を有することができる。識別子は、マイクロ流体装置のようなサポートに形成された物理的物体であってもよい。場合によっては、上述したように、識別子は、携帯電話又はスマートフォンのようなハンドヘルド装置により読み取られてもよい。
【０８９９】
いくつかの実施形態において、カメラが識別子の画像を取り込み、該画像を分析してマイクロ流体装置に含まれるＣＲＯＦ装置を識別することができる。１つの実例において、識別子はバーコードであってもよい。バーコードは、１Ｄ又は２Ｄバーコードであってもよい。いくつかの実施形態において、識別子は、信号増強検出器を識別できる１つ以上の信号を発することができる。例えば、識別子は、ＣＲＯＦ装置の識別情報を示すことができる赤外線、超音波、光、音声、電気又は他の信号を提供することができる。識別子は、無線周波数識別（ＲＦＩＤ）タグを利用することができる。
【０９００】
識別子は、マイクロ流体装置又はマルチウェルプレートに存在するＣＲＯＦ装置の特定のタイプの決定を可能にする情報を含むことができる。特定の実施形態において、識別子は、各識別子キーをマイクロ流体装置又はマルチウェルプレートに存在するＣＲＯＦ装置のタイプの固有情報に関連付けるキーをデータベースに提供する。ＣＲＯＦ装置のタイプに固有の情報は、ＣＲＯＦ装置が検出するように構成された分析物の識別、特定の分析物がＣＲＯＦ装置に結合することができる位置の座標、各分析物のための検出感度などを含むが、それらに限定されない。データベースは、有効期限、ロット番号などを含む特定のＣＲＯＦ装置に関連する他の情報を含むことができる。データベースは、ハンドヘルド装置に存在し、コンピュータ可読媒体に提供されてもよいか、又はハンドヘルド装置によってアクセス可能な遠隔サーバにあってもよい。
【０９０１】
特定の実施形態において、ＣＲＯＦカード（例えば、ＣＲＯＦプレート）が閉鎖構成にある時に、ＣＲＯＦカードの総厚さは、１０μｍ〜３ｍｍ（例えば、１０μｍ〜１００μｍ、１００μｍ〜５００μｍ、５００μｍ〜１ｍｍ、１ｍｍ〜２ｍｍ、又は２ｍｍ〜３ｍｍ）の範囲であり、ＣＲＯＦカードの横方向の寸法は、２ｍｍ〜５０ｍｍ（例えば、２ｍｍ〜５ｍｍ、５ｍｍ〜１０ｍｍ、１０ｍｍ〜２０ｍｍ、２０ｍｍ〜３０ｍｍ、３０ｍｍ〜４０ｍｍ又は４０ｍｍ〜５０ｍｍ）の範囲であり、ｘ方向及びｙ方向はそれぞれ該範囲の値をとる。
【０９０２】
特定の実施形態において、ＣＲＯＦプレートは検査のために光アダプタに出入りする。
【０９０３】
特定の実施形態において、光アダプタの厚さは、２ｍｍ〜４０ｍｍ（例えば、２ｍｍ〜５ｍｍ、５ｍｍ〜１０ｍｍ、１０ｍｍ〜２０ｍｍ、２０ｍｍ〜３０ｍｍ、又は３０ｍｍ〜４０ｍｍ）の範囲であり、横方向の寸法は、１０ｍｍ〜１００ｍｍ（例えば、１０ｍｍ〜２０ｍｍ、２０ｍｍ〜３０ｍｍ、３０ｍｍ〜４０ｍｍ、４０ｍｍ〜５０ｍｍ、５０ｍｍ〜６０ｍｍ、５０ｍｍ〜６０ｍｍ、６０ｍｍ〜７０ｍｍ、７０ｍｍ〜８０ｍｍ、又は８０ｍｍ〜１００ｍｍ）の範囲であり、特定の厚さ、ｘ横方向の寸法及びｙ横方向の寸法はそれぞれ該範囲の値をとる。
【０９０４】
特定の実施形態において、白血球を検査するためのスペーサは、２μｍ〜４０μｍ（例えば、２μｍ〜１０μｍ、１０μｍ〜２０μｍ、２０μｍ〜３０μｍ、又は３０μｍ〜４０μｍ）の範囲である。
【０９０５】
３０  信号増幅表面を用いた均一アッセイ
アッセイの多くの応用において、特にＰｏＣ又は他の迅速アッセイにおいて、洗浄ステップを回避することが望ましい。本発明の一態様は、アッセイ洗浄を回避できる装置、システム及び方法に関する。
【０９０６】
信号増幅表面を含有及び／又は使用することにより、開示された装置、システム及び方法は、洗浄しない状況でアッセイの実行を容易にすることができる。表面増幅表面は、表面から短距離（例えば、２０ｎｍ、又は５０ｎｍ、又は１００ｎｍ）に放射された光のみを増幅することができる。表面増幅層の一実施例は、Ｄ２ＰＡである。
【実施例】
【０９０７】
３１  リング状（囲い）スペーサ付きのＣＲＯＦを用いるアッセイ加速の実施例
ポリスチレン薄膜を一方のＣＲＯＦプレートとし、薄板ガラスを他方のプレートとし、ワックスリングをスペーサとしかつポリスチレンプレートに固定するアッセイ加速の実験を行う。ＣＲＯＦプロセスにおいて、リング状スペーサ内に、２ｕＬ（マイクロリットル）の試料を滴下し（かつ中心に、滴下する時に小さな液滴を形成する）、かつ２つのプレートでより薄いフィルムに圧縮し、プレートの間の距離をリング状スペーサにより調節する（すなわち、２つのＣＲＯＦプレートの閉鎖構成である）。プレートを手でプレスする。試料厚さがプレートの閉鎖構成において均一であることが見出された。均一である主な理由は、試料の体積がリング状スペーサと２つのプレートとの間の体積と同じであることである。免疫学的アッセイとＤＮＡハイブリダイゼーションアッセイをいずれも実行する。
【０９０８】
免疫学的アッセイ検査（高さが約４０μｍ、直径が０．８ｃｍのワックスリング状スペーサ）において、プロテインＡを捕捉剤としてポリスチレン表面に塗布して、標識されたＩｇＧを分析物として使用する。プロテインＡと標識されたＩｇＧとの結合のためにインキュベーションした後、結合しないＩｇＧを洗浄し、かつ捕捉されたＩｇＧ標識を計測する。異なるインキュベーション時間を試験する。本発明者の実験によると、結合は、１分より少ないインキュベーション時間内に飽和する（すなわち、１分を超えると、捕捉されたＩｇＧ標識の信号はインキュベーション時間とともに変化しない）。このような短い飽和インキュベーション時間は、溶液中で４０μｍの距離にわたるＩｇＧの拡散時間が約数秒であるため、４０μｍの間隔（その故に試料厚さ）の場合に期待される。
【０９０９】
本発明者はさらに、厚さが３ｍｍの試料厚さを有する通常の９６ウェルプレートでこのような直接アッセイのインキュベーションを試験し、典型的な飽和インキュベーション時間が約１２０分であることを発見した。インキュベーションプロセスが、標識されたＩｇＧの拡散によって制限される場合、試料厚さを３ｍｍから４０μｍに減少させることにより、インキュベーション時間を約１２０分から１．２８秒に減少させることができ、それは１分以下の飽和インキュベーション時間の観察と一致する。
【０９１０】
ＤＮＡハイブリダイゼーション試験（高さが約５２μｍ、直径が０．７ｃｍのワックスリング状スペーサ）において、ストレプトアビジン−ＢＳＡはポリスチレン基材上の分子連結層であり、かつビオチン化捕捉鎖に連結され、捕捉鎖はハイブリダイゼーションにより標識された標的鎖を捕捉する。インキュベーション後に、ハイブリダイゼーションしない標的鎖を洗浄し、標識信号を試験する。異なるインキュベーション時間を試験する。本発明者の実験によると、ハイブリダイゼーションは、３０秒のインキュベーション時間内に飽和する（すなわち、１分を超えると、捕捉されたＩｇＧ標識の信号はインキュベーション時間とともに変化しない）。このような短い飽和インキュベーション時間は、溶液中で５２μｍの距離にわたる標的プローブの拡散時間が約数秒であるため、５２μｍの間隔（その故に試料厚さ）の場合に期待される。（実験の詳細は、例えば仮出願番号第６２／２０２、９８９号において開示される）。
【０９１１】
参照として、より厚い試料の厚さを有する同じアッセイを試験し、厚さが１ｍｍの試料では、飽和インキュベーションに達するまでに約２０分を必要とすることを見出した（実験の詳細は、例えば仮出願番号第６２／２０２、９８９号に開示されている）。
【０９１２】
３２  柱状スペーサ付きのＣＲＯＦを用いるアッセイ加速（ＱＡＸ及びＱＭＡＸ）の実施例
Ｅ−１．１  飽和インキュベーション時間が３０秒未満であるアッセイを達成するために、３０μｍのスペーサ高さの柱状スペーサアレイのＣＲＯＦ装置を用いるＱＡＸアッセイ
ＣＲＯＦによるＱＡＸを試験し、かつ約３０秒の飽和時間を達成する。図１３ａ及び１３ｂは、この実験を示す。実験において、ＣＲＯＦプロセスの前に、ＣＲＯＦプレートのうちの一方に捕捉剤及び標識検出剤を予め付着させかつ乾燥し、その後に試料をプレートに滴下し、ＣＲＯＦプロセスにより他方のプレートで閉鎖する。試料の滴下には数秒かかり、ＣＲＯＦプロセスは、１０秒未満で完了した。本発明者の実験によると、３０μｍのスペーサの高さの場合、飽和インキュベーション時間は３０秒以内である。
【０９１３】
プレート、試料、試薬  （１）自己保持ＣＲＯＦ装置を用いたＣＲＯＦは、（ｉ）１７５μｍのＰＭＭＡフィルムで作られて、試料接触領域にスペーサアレイを有する２．５ｃｍ×２．５ｃｍ面積のＸ−プレートであって、前記スペーサアレイが、１２０μｍ／１１０μｍ（それぞれｘ及びｙの横方向）の一定周期を有する長方形格子を有し、全てのスペーサが柱状で、同じ３０μｍの高さ、ｘ方向の４０μｍの幅、及びｙ方向の３０μｍの幅を有する同じ長方形形状を有し、前記スペーサが、プレートと同じ試料材料（ＰＭＭＡフィルム）をモールドでナノインプリントにより製造される（従って、スペーサは所定のスペーサ高さ及び８０μｍのスペーサ間間隔でプレートに固定される）、Ｘ−プレートと、（ｉｉ）表面が平坦なガラス板（厚さが１ｍｍ、３ｃｍ×５ｃｍ）と、を含む。Ｘ−プレートとガラス板は未処理であり、かつ試料に対して親水性である。（２）試料滴下とＣＲＯＦプロセスの前に、ガラス板に乾燥した抗ＩｇＧの捕捉剤（ｃＡｂ）を予め塗布し、（３）試料滴下とＣＲＯＦプロセスの前に、Ｘ−プレートに乾燥した抗ＩｇＧの検出剤（ｄＡｂ）を予め塗布し、（４）試料は、規定濃度の異なるＢＳＡ緩衝液中のヒトＩｇＧである。
【０９１４】
実験ステップ及び結果  分析物（ヒトＩｇＧ）含有の少量の試料を、Ｅ２−１に記載のＣＲＯＦ装置のうちの一方のプレートの表面に滴下する。最初にプレート上の試料は水溜まりを形成するが、ＣＲＯＦ装置の他方のプレートを水溜まりに配置しかつ２つのプレートを共に圧縮することにより、元の血溜りは、スペーサアレイによって調節された、大面積かつ超薄型試料フィルム（約３０μｍ）に広がり、その中に広がった試料がある。その後、人の手でガラス板に触れて液滴上でＸ−プレートを（中心と中心を合わせ）、均一に５〜１０秒プレスし、手を放し、３０秒待ち、かつプレートをその閉鎖構成に保持する。
【０９１５】
その後、異なる試料（異なるＣＲＯＦ装置とともに）を異なる時間内にインキュベーションし、洗浄しかつ計測する（光信号）。結果は図１３ｂに示され、図１３ａに記載のＱＡＸアッセイの飽和インキュベーション時間が３０秒未満であることを示す。
【０９１６】
Ｅ．１．２  ＱＭＡＸアッセイと均一アッセイ
信号を増幅するために、Ｍ−プレート（例えばＤ２ＰＡ）を用いて、ＱＭＡＸを実験的に試験する。また、ＱＭＡＸアッセイを、信号を増幅するＭ０ＰａｔｅがないＱＡＸアッセイと比較する。不均一アッセイ（洗浄）と均一アッセイ（洗浄しない）を試験する。試験アッセイは、ＱＡＸとＱＭＡＸを用いるヒトＩｇＧ蛍光免疫アッセイである。
【０９１７】
材料及び方法：  （３０μｍの柱の高さ、３０μｍ×４０μｍの柱寸法、８０μｍのＩＳＤ）２５ｍｍ×２５ｍｍのＸ−プレート；  寸法が２５ｍｍ×２５ｍｍのＭ−プレート；  （塗布順に）（ａ）ＤＳＵ、プロテインＡ、抗ヒトＩｇＧ（基板プレートに塗布しかつ乾燥する）、（ｂ）ヒトＩｇＧ（分析物）、及び（ｃ）抗ヒトＩｇＧ−ＩＲ８００試薬（Ｘ−プレートの貯蔵部位に塗布しかつ乾燥する）であるアッセイ試薬。
【０９１８】
結果（図１４に示される）：  本発明者の実験によると、閉鎖構成における３０μｍの間隔のＣＲＯＦ装置に対して、飽和インキュベーションは１分以内であり、かつＱＭＡＸ洗浄を伴う場合に、総読み取り感度がＬｏＤ＝２ｐＭであり、ＱＭＡＸ洗浄がない（不均一）場合、総読み取り感度がＬｏＤ＝１０ｐＭであり、ＱＡＸ洗浄を伴う場合に総読み取り感度がＬｏＤ＝２００ｐＭであり、ＱＡＸ洗浄がない（不均一）場合に総読み取り感度がＬｏＤ＝（読み取ることができず、異なる分析物濃度の差はない）であることが示された。
【０９１９】
３３  追加の例示的な実験検査及び好ましい実施形態
この部分では、以下の条件を用いて以下の共通の観察を共有する本発明の追加の例示的な実験検査及び観察、並びに追加の好ましい実施形態を提供する。
【０９２０】
付着した試料の体積  特に断らない限り、ＣＲＯＦプレートに付着した全ての試料は、未知の体積を有し、すなわち、正確な体積は付着時には未知である。
【０９２１】
プレート  この部分で使用されるＣＲＯＦ装置において、特に断らない限り、２つのプレートのうちの一方は「Ｘ−プレート」と呼ばれ、スペーサを有する唯一のプレートである。他方のプレートは「基板プレート」と呼ばれ、平坦な表面を有し、かつ任意のスペーサを有しない。プレート及びスペーサのための異なる材料（ガラス、ＰＭＭＡ（ポリメタクリレート）、及びＰＳ（ポリスチレン）を含む）、異なるプレートの厚さ及びスペーサの幾何学（形状及び寸法）を試験する。各プレートの試料接触表面は、一般的に３０ｎｍより小さい表面平滑度変化を有する平坦な表面（突出スペーサを除く）であるが、多くの平坦な表面は、プレートの柔軟性、固有の表面平坦度（プレートの柔軟性に関係しない）、又は両者による表面平坦度変化を有する。いくつかのプレートは、３０ｎｍより大きい内表面平滑度変化を有する。特に断らない限り、実施例に使用されるプレートは、一般的な寸法は、幅が少なくとも２５ｍｍで、長さが少なくとも２５ｍｍである。
【０９２２】
スペーサ  特に断らない限り、このセクションの全てのスペーサは、（ｉ）Ｘ−プレートの試料表面に固定され、かつ表面をエンボス加工すること（これによりスペーサの材料がＸ−プレートと同じである）によって製造され、（ｉｉ）丸い角、法線からの５度未満の傾斜角を有するほぼ真っ直ぐな側壁、平坦な上面、及び均一なスペーサの高さを有する長方形又は正方形のほぼ均一な断面を有する柱状アレイであり、（ｉｉｉ）それぞれＸ方向及びＹ方向において固定された内部スペーサ間の距離（ＩＳＤ）（Ｘ方向の間隔はＹ方向の間隔と異なる場合があることに注意する）（図１７．ｂ参照）を有する。また、柱状スペーサの横方向の形状は正方形又は丸い角付きの長方形であり、異なるスペーサの高さ、寸法、スペーサ間の距離、形状及び材料を試験する。
【０９２３】
スペーサの製造  Ｘ−プレート表面にエンボス加工されたスペーサをナノインプリントにより製造し、金型をプレートに直接プレスし、かつ元々完全に平坦な表面を、表面から突出した柱状スペーサを有する平坦な表面へとエンボス加工する。プラスチック材料が流動可能なエンボス加工において、プラスチック材料のガラス転移温度よりも高い温度を使用する。リトグラフ及びエッチングにより金型を製造し、場合によっては、マスターモデルに電気めっきすることにより製造する。金型はケイ素、二酸化ケイ素又はニッケルで製造される。
【０９２４】
図１７は、プレートに製造されたスペーサの実施例を示す。金型を用いてプラスチックプレート表面を直接エンボス加工してスペーサを製造する。図１７（ａ）と１７（ｂ）は、正方形スペーサ格子の光学顕微鏡写真の上面図である。（ａ）柱状スペーサの寸法が４６μｍ×４６μｍでありかつ柱間の距離が５４μｍであり、また（ｂ）柱状スペーサの寸法が１０μｍ×７０μｍでありかつ柱間の距離が１０μｍの画像の上面図であり、また（ｃ）柱状スペーサの寸法が３０μｍ×４０μｍでありかつスペーサの高さが２μｍであり、また（ｄ）柱状スペーサの寸法が３０μｍ×４０μｍでありかつスペーサの高さが３０μｍの眺望図ＳＥＭである。顕微鏡写真は、（１）柱状スペーサの頂部が非常に平坦であることと、（２）スペーサはほぼ均一な断面を有することと、（３）柱状スペーサの角が丸く、約１μｍの曲率半径を有することとを示す。円形エッジに比べて鋭いエッジは、細胞を溶解させるか又は流体の流動に影響するため、好ましくは大きな曲率半径（例えば、小さい鋭いエッジ）である。
【０９２５】
表面形状測定装置を用いて、本発明者は、Ｘ−プレートの２ｃｍ×２ｃｍ領域の柱の高さを計測する。上記方法で製造されたＸ−プレートの柱状スペーサの高さの一般的な均一性は、それぞれ２μｍ、５μｍ及び３０μｍのスペーサ高さに対して、４ｎｍ、１０ｎｍ、１００ｎｍの平均変化量と、０．２％、０．２％及び０．３３％の相対平均変化を有する。
【０９２６】
一般的な実験過程  図１５に示すように、１番目に、小さい体積（数μＬ以下）の試料を基板又はＸ−プレートに付着させ、水溜まりを形成する。２番目に、プレートの試料表面が重なるように、プレートを一緒にする。３番目に、試料が、面積が元の水溜まりよりも大きいフィルムになる閉鎖構成へと、プレートを手でプレスする。４番目に、手に関連する。そして５番目に、閉鎖構成で様々な計測を実行する。ステップの詳細を以下に示す。
【０９２７】
試料付着方法  ２種類の試料付着方法を使用する。１つの方法において、ピペットで試料をプレートに付着させる。別の方法において、対象の血液とプレートとを接触させることにより、血液試料を対象の指（器具で取られる）から直接付着させる。指からプレートに直接付着させた血液は希釈しない。本発明者の実験において、特別に説明しない限り、最終の実験結果は試料付着方法とは独立していることを見出した。
【０９２８】
試料付着は、室内で、任意の特別な温度制御又は除塵濾過を使用せずに標準的な室内条件で行われる。このような条件の下で、（１）塵埃に適合して使用された可撓性プレートは、他の領域の試料厚さがスペーサによって調節されかつ試料厚さの自己保持に影響しないことを可能にし、（２）塵埃のある領域は利用可能な総領域のうち非常に小さい部分であり、かつ計測は塵埃による影響を受けない領域で行われるため、試料に落ちた塵埃は、最終計測結果に影響しないことを見出した。塵埃が無い領域の選択は、光画像により行った。
【０９２９】
場合によっては、２つのプレートは、プレートに落ちる塵埃の数を減少させるための表面保護カバーを有する。場合によっては、塵埃及び他の汚染を防止するために、２つのプレートを試料の内部表面とともに配置する。
【０９３０】
プレートの表面濡れ性  本発明者は、例示的な実験において使用された異なるプレートの表面湿潤特性を計測した。下記表は、５μＬの試料の計測接触角を示す。これは、異なるプレート材料（ガラス、ＰＭＭＡ及びＰＳ）と異なる表面形状（平坦な表面及びＸ−プレートの試料表面）を有する未処理又は処理後の表面に、異なる試料形式（水、ＰＢＳ緩衝液（リン酸緩衝食塩水）及び血液）置かれ、Ｘ−プレートは１７５μｍの厚さのＰＭＭＡであり、かつその試料表面は２μｍの高さ、３０μｍ×４０μｍの横方向寸法、及び１１０μｍ／１２０μｍの周期（すなわち、スペーサ間距離が８０である）の柱状アレイ（すなわち、スペーサ）を有する。
【０９３１】
2020128999.tif 000035
【０９３２】
実験によると、（１）ガラス、ＰＭＭＡ及びＰＳの未処理表面は、すべて親水性表面（すなわち、接触角が９０度未満である）を有し、（２）未処理のガラス表面は、未処理のＰＭＭＡ及びＰＳより小さい濡れ角（より大きい親水性）を有し、（３）水、ＰＢＳ及び血液の接触角は同様であり、血液は、水及びＰＢＳより僅かに優れた湿潤性を有し、（４）未処理のＰＭＭＡのＸ−プレートは、未処理のＰＭＭＡプレートとほぼ同じ試料接触角を有し、かつ（５）予想通り、表面湿潤特性は、表面処理によって、より親水性又は疎水性になるように大きく変化し得る。
【０９３３】
プレートの表面疎水性は、表面処理により変化することができる。例えば、ＰＭＭＡのＸ−プレートに対して、酸素プラズマ中で表面を露出させることにより親水性を向上させ、かつトリデカフルオロ−１，１，２，２−テトラヒドロオクチルトリクロロシランで表面を処理することにより、疎水性を向上させた。水、ＰＢＳ緩衝液及び血液試料に対して、接触角は、それぞれ疎水性処理後のＸ−プレートについては２５、２７、２８度であり、親水性処理後のＸ−プレートについては１０５、１０４及び１０３度であった。
【０９３４】
以下の説明において、特別に説明しない限り、プレートの全ての試料表面（すなわち、試料と接触した内表面）はいずれも未処理である。
【０９３５】
付着試料の面積及び高さ  ピペットで水試料を開放構成のプレートに付着させる時に、プレート上の試料の面積及び高さを計測した。
【０９３６】
2020128999.tif 000036
【０９３７】
実験は、開放構成でプレートに付着させた一般的な試料は、閉鎖構成よりもはるかに大きい厚さを有することを示した。
【０９３８】
プレートの閉鎖構成の下で、（１）総試料面積は、数ミリメートルの直径から数センチメートル（スペーサの高さに応じて）に拡大することと、（２）スペーサアレイが正方形格子を有する場合、プレートの閉鎖構成における試料の領域も、試料のエッジがスペーサの正方形格子の方向に位置合わせされる、ほぼ正方形であることとが観察された。従って、スペーサの異なる間隔配置により、閉鎖構成の下の最終試料領域を制御することができることが示された。スペーサが長方形格子を有すると、閉鎖構成の最終試料領域は長方形のはずである。スペーサが放射状の円形パターンであると、閉鎖構成の最終試料領域は円形であり得る。
【０９３９】
ハンドプレス  セクション３０の全ての実験において、ＣＲＯＦプロセスにおけるプレートを一緒にしかつ人の手でプレートの閉鎖構成に圧縮した。ＣＲＯＦプレートの広い領域で最後にプレスして均一な試料厚さを取得して、一般的には親指で１つの領域をプレスしかつＣＲＯＦプレートの異なる領域を摩擦する。手でＣＲＯＦ装置（プレート）を閉鎖構成にプレスする過程を「ハンドプレス」と呼ぶ。
【０９４０】
自己保持  観察によると、特に断らない限り、ＣＲＯＦプレートを最終状態にプレスしかつ圧縮力（例えば手をプレスし）を解放した後、２つのプレートの間の試料厚さは、依然としてスペーサの高さによって調節され、かつ長期間（試料が最終的に乾燥するまで）一定の厚さに保持された。この観察結果は、「自己保持」と呼ばれる。自己保持は、表面張力によって引き起こされる、プレート、液体試料及び環境（例えば空気）の間の毛細管力である。図Ｅ−１に示すように、ＣＲＯＦ装置のハンドプレス及び自己保持は、良好な試料厚さを与えることを観察した。
【０９４１】
プレート間隔及び試料の厚さの計測  全ての実験において、閉鎖構成の２つのプレートの内表面（すなわち、試料表面）の間の距離は、プレートの内表面によって引き起こされるファブリ・ペロー空洞共振（ＦＰ共振）により計測された。試料（及び空気）と内表面の間の光学的屈折率の差により、プレートの各内表面は光反射器として作用し、かつ２つの内表面は光共振器を形成する。ＦＰ共鳴スペクトルは周期的であり、かつ光学測定点における内表面間隔ｈ（従って試料厚さ）は、以下の式から計算可能であり：
2020128999.tif 000037
ここで、ｃは光速であり、Δｖは周波数領域における期間であり、ｎはプレート間の試料の屈折率である。
【０９４２】
本発明者のＦＰ共鳴検査において、光源は約２μｍ×２μｍの面積を有した。一般的に、本発明者は、ＣＲＯＦ装置の中心周囲の１．６ｃｍ×１．６ｃｍの領域内の２５個の異なる点でプレートの内表面の間隔を計測した。２５個の点は、４ｍｍ周期（すなわち、２つの隣接する点の間の距離）を有する５×５の正方形の格子である。スペーサ（すなわち、柱体）によって占有された領域は計測しなかった。
【０９４３】
プレートの閉鎖構成で内表面が試料と接触するため、計測した内表面の間隔は計測点の試料厚さと同じである。
【０９４４】
平均試料厚さ、Ｈ。  平均試料厚さＨは、２５個の点で計測されたプレートの間隔及び以下の式により計算される。
2020128999.tif 000038
【０９４５】
試料の厚さの偏差は、所定のスペーサの高さＨ０に対する、所定の領域上の試料平均厚さＨの、偏差：（Ｈ−Ｈ０）を指す。相対的な試料の厚さの偏差は、所定のスペーサの高さで割った偏差（［（Ｈ−Ｈ０）／Ｈ０］）を指す。正の厚さ偏差とは、試料がスペーサの高さよりも平均的に厚いことを指し、負の厚さの偏差は、試料がスペーサの高さより平均的に薄いことを指す。
【０９４６】
試料厚さ均一性  所定の領域上の試料厚さの均一性は、所定の領域上の試料厚さの標準偏差として定義される。
2020128999.tif 000039
【０９４７】
３２．１  ハンドプレス及び自己保持におけるＣＲＯＦ中の厚さの偏差と均一性
実験的に、本発明者は、ＣＲＯＦ装置及びプロセスにおいて、手を放した後にプレートの閉鎖構成の試料厚さの偏差及び均一性に影響する可能性のあるパラメータを研究した。パラメータは、スペーサ間距離（ＩＳＤ）、スペーサの形状及び寸法（例えば、スペーサの横方向寸法、スペーサの高さ、スペーサのアスペクト比、スペーサ領域充填率（総面積に対するスペーサ面積の比又はスペーサの周期と幅との比）、スペーサとプレートの材料の機械的強度（ヤング率）、プレートの厚さ、及び各プレートの表面平坦度を含むが、これらに限定されないことを見出した。以下に実験から得られたある発見と好ましい実施形態を示す。スペーサの高さ、ＩＤＳ、周期及びスペーサの横方向寸法の定義は、図１６に示される。
【０９４８】
Ｅ−１．１  ＩＤＳ（スペーサ間距離）、プレートの厚さ及び材料による試料の厚さへの影響
実験的に、本発明者は、周期的スペーサアレイのスペーサ間の距離（ＩＳＤ）がＣＲＯＦプロセスにおける閉鎖構成の試料の厚さの偏差（スペーサの高さ由来）及び均一性に顕著に影響する可能性のあることを観察した。
【０９４９】
図１８は、ＩＤＳ、プレートの厚さ及び材料による試料の厚さへの影響を示す。異なるプレート及びスペーサ材料、異なるプレートの厚さ及び異なる試料での、スペーサ間の距離（ＩＤＳ）に対する、試料の厚さの偏差及び均一性の計測値。スペーサは周期的アレイであり、かつ５μｍのスペーサの高さ、平坦な頂部、正方形形状（１０×１０μｍの柱横方向寸法、ほぼ均一な断面、及び丸い角）を有する。ＩＤＳはそれぞれ２０μｍ、５０μｍ、１００μｍ、２００μｍ及び５００μｍであった。基板は、未処理の２５０μｍの厚さの平坦な表面（面積が１インチ×１インチ）のＰＭＭＡプレートであった。スペーサが直接作成されたＸ−プレートは、それぞれ未処理の１７５μｍ及び５０μｍの厚さのＰＭＭＡプレート、及び未処理の１２５μｍ及び２５μｍの厚さのＰＳであった。試料は、それぞれ２μＬの血液（指と直接接触させて滴下する）、唾液又はＰＢＳ（ピペットで滴下する）であった。ＣＲＯＦ装置を手でプレスしかつ１インチ×１インチの領域で擦り、かつプレス後に自己保持した。試料厚さは、ＣＲＯＦ装置の閉鎖構成で計測した。
【０９５０】
図１８に示すように、所定の実験条件及び正方形形状のスペーサ（１０×１０μｍの柱横方向寸法、ほぼ均一な断面、及び丸い角）に対して、
（１）ＩＳＤが２０μｍ、５０μｍ、１００μｍである場合、平均最終試料の厚さは５．１μｍ〜５．２μｍであり、所定の５μｍのスペーサの高さに非常に近く、かつ４％未満の厚さの偏差及び均一性（すなわち、ＩＳＤが約１２０μｍ以下であれば、偏差及び均一性は４％未満であってもよい）を有する。
【０９５１】
（２）しかし、ＩＳＤが２００μｍ及び５００μｍである場合、平均最終試料の厚さは、それぞれ４．３μｍ及び３．５μｍになり、所定のスペーサの高さ（５μｍ）より明らかに小さく、かつそれぞれ−１３．９％及び−３０．９％の厚さの偏差とそれぞれ１０．９％及び２７．７％の均一性を有する。これは、ＩＳＤが約２００μｍより大きい場合、厚さの平均値は顕著に低下するだけでなく、均一性も非常に低くなることを示す。
【０９５２】
４０μｍ×４０μｍの横方向寸法の柱状スペーサアレイ（図１８）に対して、ＩＳＤが６０μｍ、１５０μｍ、１００μｍである場合、平均最終試料の厚さは５．１μｍ〜５．２μｍであり、所定の５μｍのスペーサの高さに非常に近く、かつ４％未満の厚さの偏差及び均一性（すなわち、ＩＳＤが約１００μｍ以下であれば、偏差及び均一性は４％未満であってもよい）を有する。
【０９５３】
Ｅ−１．２  ＩＳＤ／（Ｅｂ＾３）による試料厚さへの影響
本発明者の実験によると（図１９に示すように）、小さい試料厚さの差と良好な均一性を達成するために、Ｘ−プレートのＳＤ４／（ｈｘＥ）（図中ｘ＝１）は１０＾６μｍ＾３／ＧＰａ未満であるべきであり、ＩＳＤはスペーサ間の距離であり、ｈは材料の高さ（厚さ）であり、Ｅは材料のヤング率である。
【０９５４】
ＣＲＯＦを使用する全ての方法及び装置において、特定の実施形態において、ＳＤ４／（ｈｘＥ）（図中ｘ＝１）の値は、１０＾６μｍ＾３／ＧＰａ未満、５×１０＾５未満、１×１０＾６未満、５×１０＾６未満等である。
【０９５５】
任意の実施形態において、可撓性プレートは、２０μｍ〜２５０μｍ範囲内（例えば５０μｍ〜１５０μｍの範囲内）の厚さを有し、かつヤング率は範囲０．１〜５ＧＰａ（例えば、０．５〜２ＧＰａの範囲内）である。
【０９５６】
任意の実施形態において、可撓性プレートの厚さと可撓性プレートのヤング率との乗積は、６０〜７５０ＧＰａ−μｍの範囲内にあってもよい。
【０９５７】
Ｅ−１．３  スペーサ寸法と高さによる試料厚さへの影響
本発明者の実験によると（例えば、図２０）、小さい試料厚さの偏差を達成するために、所定のプレートの厚さ、試料及びプレスに対して、ＩＤＳは約１５０μｍ以下であるべきである。
【０９５８】
Ｅ−１．４  スペーサのアスペクト比による試料厚さへの影響
本発明者の実験によると（例えば図２１）、小さい試料厚さの偏差を達成するために、所定のプレートの厚さ、試料及びプレスに対して、ＩＳＤは２０μｍ〜１５０μｍであり、柱体のアスペクト比（ＷＲＨ）が１よりも大きく、かつある実施形態において、好ましくは２以上である。
【０９５９】
ＷＲＨが約１以上である場合、スペーサは、ハンドプレスの加圧と擦りを維持するのに十分に強く、そうでなければ、全てのＩＳＤに対して、偏差及び均一性の両方は低くかつ大きいことを示す。
【０９６０】
Ｅ−１．５  スペーサの充填因子による試料厚さへの影響
本発明者の実験によると（例えば図２２）、小さい試料厚さの偏差と良好な厚さ均一性を達成するために、所定のプレートの厚さ、試料に対して、スペーサの充填因子は約２．３以上であるべきである。
【０９６１】
例えば、図２２において達成した４％未満の偏差及び均一性は、所定の柱体面積及びＩＤＳ、及び所定のスペーサの領域充填率（例えば、総面積に対する柱状断面の比）に対して、ＰＳ柱体は、ハンドプレスの加圧及び擦りを支持するのに十分に強い。ＰＳ柱体の変形は、親指圧力が約１〜１０ｋｇ／ｃｍ２（１０＾５Ｐａ）であり、ＰＳのヤング率が約３ＧＰａであり、かつ幅２０μｍの柱状スペーサ充填率及び１００μｍのＩＳＤが約４％であることに基づいて推定され、それにより柱体の親指のプレスでの相対的な変形（圧力）は１％〜０．１％であり、これは本発明者の実験的観察と一致する。
【０９６２】
Ｅ−１．６  プレート厚さによる試料厚さへの影響
本発明者の実験によると（例えば図２３）、（ｉ）小さい試料厚さの偏差（５％以下）と良好な厚さ均一性を達成するために、所定のプレートの厚さ、試料に対して、少なくとも１つのプレートは、２００μｍ未満のプレート厚さを有するべきであり、（ｉｉ）Ｘ−プレートと基板がいずれも２００μｍよりも厚いと、それらは硬すぎ、塵埃を克服できず、より低いスペーサの均一性／偏差をもたらす。
【０９６３】
Ｅ−１．７  基板プレートによる試料厚さへの影響
本発明者の実験によると（例えば、図２５）、厚い（１ｍｍ）ガラス基板プレートを使用すると、小さい試料厚さの偏差と良好な厚さ均一性の最大のＩＤＳは、ＰＭＭＡ基板に対して１５０μｍから２００μｍに拡張することができることが見出された。
【０９６４】
Ｅ−１．８  プレートの表面湿潤特性の修正による自己保持への影響
本発明者の実験によると（例えば図２４）、以下が見出された：（１）ＣＲＯＦ装置の良好な自己保持は、ＣＲＯＦ装置の２つの内表面の少なくとも１つが親水性であることを必要とする。（２）ＣＲＯＦ装置の両方の内表面がいずれも親水性であると、それは最も良い自己保持と試料厚さの調節及び均一性を提供する。（３）ＣＲＯＦ装置の一方の内表面が親水性でかつ他方の内表面が疎水性であると、良好な自己保持を得るために、試料面積は０．５ｃｍ２より大きい必要がある。（４）両方の内表面がいずれも疎水性であると、自己保持は不十分又は不合格（不安定）である。（図中の線は視線誘導のためのものである。）。
【０９６５】
Ｅ−１．９  ハンドプレス時間による試料厚さへの影響
本発明者らの実験は、ＣＲＯＦ装置が１秒〜６０秒のプレス時間で自己保持でき、かつ同様の良好な性能を有することを見出した。プレスされない（０秒プレスする）場合、ＣＲＯＦ装置は、性能が低く、かつ自己保持することができない。
【０９６６】
Ｅ−１．１０．  周期柱状スペーサ及びランダムボールスペーサの試料厚さに与える影響の比較
図２７の計測結果は、所与の実験条件で、周期柱状スペーサを有するＣＲＯＦ装置がランダムボール（例えばビーズ）スペーサよりもはるかに小さい試料厚さ偏差とより高い均一性（両方とも５％未満）を有することを示す。具体的には、２０μｍ、５０μｍ及び１００μｍＩＳＤについて、周期的で、均一断面の柱状スペーサの平均厚さ偏差及び均一性は２．３％及び約３．４％である。しかし、平均ＩＳＤが２０μｍ、５０μｍ、１００μｍのランダムボールスペーサを用いた場合、厚さが２２０μｍのガラスカバープレートを用いる平均厚さ偏差及び均一性は１１．２％及び１２．５％であり、厚さが１７５μｍのＰＭＭＡカバープレートを用いる試料厚さ偏差及び均一性は１０．８％及び２０％であり、約５倍以上の試料厚さ偏差及びより低い均一性を有する。
【０９６７】
Ｅ１．１２．他の発見
図２８は、異なるＸ−プレート厚さ及び基板厚さの、試料厚さへの影響を示す。
【０９６８】
本発明者らの実験は、指から直接的にピペットによって落とされた液体が最終的な試料厚さ及び均一性において同様の性能を有することを見出した。
【０９６９】
本発明者らの実験は、基材又はＸ−プレートに滴下された液体が、測定された試料厚さ及び均一性において同様の性能を有することも見出した。
【０９７０】
３２．２  自己保持型ＣＲＯＦを用いた未希釈全血の完全血球数
Ｅ２．１  使用されるＣＲＯＦ装置
実施例３２．２のすべての試験で用いられるＣＲＯＦ装置は、Ｘ−プレート及び平坦なガラスプレートを含む。Ｘ−プレートは、面積が２．５ｃｍ×２．５ｃｍで厚さが１７５μｍのＰＭＭＡであり、かつ試料接触区域において周期的スペーサアレイを有する。ガラスプレートは、厚さが１ｍｍで面積が３ｃｍ×５ｃｍの平坦な表面である。Ｘ−プレート上のスペーサは、初期平坦なＰＭＭＡ膜に直接的にエンボス加工され、これによりＰＭＭＡ（Ｘ−プレートと同じ材料）で製造され、かつＸ−プレートと接触する。
【０９７１】
各スペーサは、ほぼ均一な横断面、平坦な頂部、及びｘ及びｙ横方向におけるそれぞれ幅が４０ｕｍ及び３０ｕｍの長方形を有する柱である。所与のＸ−プレート上のすべてのスペーサは同じスペーサの高さを有する。周期的スペーサアレイは、一定周期が１２０μｍ及び１１０μｍ（それぞれｘ及びｙ）の長方形格子を有し、所与の一定スペーサ間隔（ＩＤＳ）が８０μｍである。
【０９７２】
Ｘ−プレートとガラスプレートの表面は、未処理であり、かつ接触角が約４０〜５０度の表面に滴下したヒトの血液に対しては親水性である。両方のプレートは、可視光透明である。
【０９７３】
Ｅ２．２  試料、製造、付着、ＣＲＯＦプロセス、自己保持
特に断らない限り、全ての血液試料は、健康な対象に由来し、新鮮であり、かつＣＲＯＦプレートに直接付着させ、希釈せず、抗凝固剤は添加しなかった。
【０９７４】
実施例３の全ての実験において、特に断らない限り、血液がヒトの指から採取され、血液とプレートとの直接接触により血液がＣＲＯＦプレートに付着させた。通常、直接的な接触は、プレートの表面に約０．１〜１μＬの血液を付着させる。血液付着から約６０秒内に、ＣＲＯＦプロセスを適用して血液試料を薄膜に圧縮させ、次に測定を実施した。特に断らない限り、抗凝固剤も液体希釈剤も血液試料に添加されなかった。
【０９７５】
ＷＢＣの染色を必要とする特定の実験において、血液検査の前に、ＣＲＯＦ装置のプレートの１つの内面（試料接触表面）に試薬、すなわち乾燥アクリジンオレンジ色素層を予め塗布した。乾燥色素層の塗布は、順に、以下のステップを含む：（ａ）水中、濃度が２０μｇ／ｍＬであるアクリジンオレンジ色素、３０μＬをガラスプレートに滴下し、（ｂ）それを約１ｃｍ２の領域に広げ、（ｃ）約１時間乾燥させる。
【０９７６】
ＣＲＯＦプレートの１つに約１μＬ以下の体積の血液を付着させる方法にかかわらず、プレートに付着させた血液は、数ミリメートル以下の直径の血溜りを形成した。次に、ＣＲＯＦ装置の２枚のプレートを手で閉鎖構成状態にし、数秒間手でプレスして、元の血液体を２つのプレートによって大面積の薄い血液膜（横方向寸法が約１〜３ｃｍである）に圧縮した。本発明者らは、実施例３の全てにおいて、特に断らない限り、手でプレスされたＣＲＯＦ装置は、スペーサによって調節された均一な試料厚さを有し、手を放した後に均一な試料厚さを自己保持することができた。試料は、通常の室内条件で付着させた。本発明者らは、大きな試料面積上に所定の最終的な試料厚さを達成することに塵埃が影響しないことを見出した。本発明者らはまた、最終的な血液試料が、丸い角を有する矩形形状に広がっていることも見出した。これは、周期的スペーサの矩形格子によって引き起こされるからだと考えている。このステップを図１５に示す。
【０９７７】
プレートに乾燥色素を用いた試料については、試料は、測定前に３０秒間待機した。
【０９７８】
プレートに直接付着した血液試料は、液体で希釈されず（すなわち、液体希釈がない）、プレートに塗布された乾燥試薬のみと混合されていた。
【０９７９】
全てのスペーサは、同じスペーサ高さが２μｍの矩形形状を有する。
【０９８０】
２μｍのスペーサの高さは、赤血球（ＲＢＣ）の厚さ（２〜２．５μｍ）にほぼ等しいＣＲＯＦ装置の閉鎖構成の最終的な血液試料の間隔を約２μｍにするように選択されるが、ＲＢＣの直径（６．２〜８．２μｍ）よりはるかに小さい。このような最終的な試料厚さは、ＣＲＯＦの閉鎖構成において、各ＲＢＣが互いに良好に分離され、異なるＲＢＣの間の重複又は積み重なりがなく、試料領域の画像を撮ることによるＲＢＣの正確な計数を可能にする。
【０９８１】
Ｅ２．３  血液細胞の画像化
特に断らない限り、閉鎖構成における２つのＣＲＯＦプレートの間の試料を用い、かつ商用のＤＳＬＲカメラ（Ｎｉｋｏｎ）及びｉＰｈｏｎｅ（登録商標）をそれぞれ用いて、実施例３の血液試料の画像化を行った。各タイプのカメラの結果は類似する。特に断らない限り、画像は、透明であるプレートの１つを通る試料の上面図である（すなわち、プレートの表面に平行な平面上の試料の２次元画像）。
【０９８２】
Ｎｉｋｏｎカメラ  試料は、２つのフィルタ（励起フィルタとしての４７０±２０ｎｍのバンドパスフィルタ及び放射フィルタとしての５００ｎｍのロングパスフィルタ）と、１つの光源（キセノンランプ）と、ある倍率／焦点レンズセットとを有する通常の商用ＤＳＬＲカメラ（Ｎｉｋｏｎ）によって観察される。明視野モードでは、いずれのフィルタも用いない広帯域白色光源である。蛍光モードでは、４７０±２０ｎｍのフィルタをキセノンランプの前に置き、４７０ｎｍの波長の狭い帯域の励起源を作り出し、カメラに入る５００ｎｍ未満の波長の光を遮断するために、５００ｎｍのロングパスフィルタをカメラの前に置いた。
【０９８３】
携帯電話  本発明者らの実験にはｉＰｈｏｎｅ（登録商標）−６を用いた。
【０９８４】
Ｅ２．４  スペーサの高さ（試料厚さ）の血液細胞及び赤血球計数への影響
本発明者らの実験において、試料厚さがスペーサの高さと同じになるように制御した。本発明者らは、ＣＲＯＦプロセスにおいてスペーサの高さ（従って試料厚さ）が血液細胞に及ぼす影響、ならびにそれらの画像化及び計数に及ぼす影響を実験的に調べた。用いたＣＲＯＦ装置及びプロセスならびに血液付着は、実施例２のこのセクションの始めに記載されたものである。血液試料は、同じ健康な対象由来であった。本発明者らの実験の１つにおいて、４つの異なるスペーサの高さ（１μｍ、２μｍ、３μｍ及び５μｍ）を試験した。
【０９８５】
図２９は、４つの異なるＣＲＯＦ装置内でＣＲＯＦが行われた血液試料の光学顕微鏡図（明視野光学顕微鏡）の上面図を示し、各ＣＲＯＦ装置が周期的スペーサの矩形格子と、１μｍ（ａ）、２μｍ（ｂ）、３μｍ（ｃ）及び５μｍ（ｄ）の異なる一定のスペーサ高さを有する。血液試料を、対象の指によってＣＲＯＦ装置のプレートに直接付着させ、抗凝固剤も液体希釈剤も血液に添加されなかった。
【０９８６】
明視野光学顕微鏡において、ＲＢＣ細胞はＷＢＣよりはるかに容易に見える。赤血球（ｅｒｙｔｈｒｏｃｙｔｅ）とも呼ばれる赤血球（ＲＢＣ）は、約６．２〜８．２μｍのディスク直径及び２〜２．５μｍの最も厚い点の（ディスクの縁の付近）、及び０．８〜１μｍの中心箇所の最小の厚さを有する。
【０９８７】
本発明者らの光学顕微鏡による観察は、１μｍのスペーサの高さに対して、約９９％のＲＢＣが溶解されることを示した。例えば、図２９（ａ）は、ＲＢＣのみが観察領域に残ったことを示している。１μｍのスペーサの高さは、平均ＲＢＣ厚さよりも著しく小さい。該実験は、最終的なプレートスペーサ（スペーサの高さの制御による）を細胞の最小寸法より小さくすることによって、細胞を溶解するためにＣＲＯＦ装置及びプロセスを用いることができることを実証した。
【０９８８】
本発明者らの光学顕微鏡による観察（例えば、図２９）は、２μｍのスペーサの高さ（試料厚さ）について、ＲＢＣが全て互いに分離し、それらの間に実質的に重なりがなく、かつほぼ丸く対称な形状を有することを示した。各ＲＢＣ間の距離は、２Ｄ顕微鏡画像内の各ＲＢＣの完全な円形の暗い境界線によって明確に示される（すなわち、境界線はそれぞれの（かつ１つだけの）細胞の周囲を完全に回っている）。さらに、顕微鏡による観察は、ＲＢＣの中心が細胞の中心において縁部の中心よりも暗いことを示し、スペーサの２μｍの高さ（試料厚さ）で、ＲＢＣの中心が依然として縁部より薄いことを示した。
【０９８９】
本発明者らの光学顕微鏡による観察（例えば、図２９）は、スペーサの高さ（従って試料厚さ）が３μｍである場合、血液試料の画像が２μｍのスペーサの高さとはいくつかの点で大きく異なっていたが、これらに限られず、（１）ＲＢＣは顕著に重なり、大部分のＲＢＣが２μｍスペーサの高さに存在するように各細胞を隔てる完全な円形の暗い境界線を有さず、むしろいくつかのＲＢＣは長い円形ではない単一の暗い境界線を共有し、（２）いくつかのＲＢＣは、２μｍのスペーサの高さにおいてほぼ丸い形状で現れ、より楕円形状で現れず、２μｍのスペーサ高さで透明である各ＲＢＣの中心のダークディスクは見えにくくなる。スペーサの高さが５μｍになると、ＲＢＣはより多くの重なりを有し、より多くの赤血球は非円形の形状を有し、ほとんど見えない暗い中心を有した（例えば、図２９）。
【０９９０】
空間で限定されない血液において、ＲＢＣが互いに重なり合いやすいことがよく知られている（例えば、積み重なりを含む）。スペーサの高さ及びプレートを用いて間隔が２μｍの２つの平面プレートの間の血液試料を限定することによって、血液の厚さは、ＲＢＣ（これは２〜２．５μｍ）の最も厚い点にほぼ等しく、従って、プレート表面上の所与の位置において、限定により、一つのＲＢＣのみが２つのプレートの間を出て、かつプレート表面に平行なディスクを向けるようにＲＢＣを配向させ、トップビュー光学顕微鏡法を用いて観察した場合、ＲＢＣ間の良好な分離である完全円形の暗い境界線とほぼ丸い形状がもたらされる。
【０９９１】
スペーサの高さ及びこれによる試料厚さが３μｍ及び５μｍのスペーサの高さのように大きくなると、試料厚さは、プレートの位置において２つのプレート間に２つ以上のＲＢＣを許容し、ＲＢＣ重複及び各ＲＢＣの明確な境界の消失をもたらし、ＲＢＣを２つのプレートの間で回転させ、プレートの表面位置に平行なディスクから回転させ、ＲＢＣの上面図の画像が非円形の形状を呈することをもたらす。
【０９９２】
（例えば、ＲＢＣ濃度測定に用いられる）ＲＢＣの数を計数するために、試料厚さを２μｍ（例えば、２μｍのスペーサの高さを用いる）にすることは、試料厚さ３μｍ及び５μｍの試料厚さよりも容易かつ正確であることが実験的に明確に示された。
【０９９３】
スペーサの高さ（従って、２つのプレートの間の距離と血液試料厚さ）を約２μｍにして、赤血球（ＲＢＣ）の厚さ（２〜２．５μｍ）にほぼ等しいが、ＲＢＣ（６．２〜８．２μｍ）の直径よりも小さくすると、より大きな試料の厚さの場合よりも血球計数ははるかに容易で正確である。
【０９９４】
最終的な試料厚さが、２〜２．５μｍ、又は好ましくは１．９μｍ〜２．２μｍである場合、ＣＲＯＦが閉鎖構成では、各ＲＢＣが互いに良好に分離され、異なるＲＢＣの間の重複又は積み重なりがなくなり、試料領域の画像を撮ることによるＲＢＣの正確な計数が可能になる。
【０９９５】
他方では、本発明者らは、１μｍのスペーサ高さのＣＲＯＦ装置で、ＲＢＣの大部分が溶解されたが、ＷＢＣ又は血小板が溶解されなかったことを観察した。本発明者らの実験において、ＣＲＯＦの上部（すなわち、ＣＲＯＦプレートは、顕微鏡又はカメラの画像化平面にほぼ平行である）からの光学画像化は、（ａ）領域内の細胞の数及び（ｂ）その領域の横方向の寸法を決定する。ＣＲＯＦ装置の横方向の寸法は、事前較正によって決定することができる。又は、スペーサの横方向の寸法をマーカーとして用いて、画像化を行っている間に、ＣＲＯＦ装置の領域の横方向の寸法を決定することができる。本発明者らの実験においては、両方を用いた。
【０９９６】
実施例２の実験において、所与のＣＲＯＦプレートについて、２つのＣＲＯＦプレートの間の距離（従って、血液試料厚さ）は、スペーサの高さと５％以内で同じであった。この試料厚さ情報を、光学的画像化から決定された所与の領域の横方向寸法とともに用いると、所与の領域に関連する試料体積が決定され、これは試料の横方向の面積×試料厚さに等しい。試料体積と体積内の細胞数（画像化によって決定される）を知ることによって、本発明者らは、その試料体積内の細胞の濃度を決定することができた。
【０９９７】
図２９ｂは、さらに（ｂ）赤血球面積（２Ｄ上面図から測定）とＣＲＯＦプレートの横方向総面積との比を示す。プレート間隔（すなわち、サンプルの厚さ）が２μｍである場合にそれは最も大きい。その原因は、２μｍ未満の場合にはいくつかのＲＢＣが溶解し、２μｍより大きい場合にはＲＢＣが重なりかつ回転することにって２Ｄ画像でのＲＢＣ面積が小さくなるからである。
【０９９８】
以下の実験からの１つの結論は、血球計数（ＲＢＣ及びＷＢＣ）のＣＲＯＦ装置の最適化された間隔の寸法は、１．９μｍ〜２．２μｍ、又は２μｍ〜２．２μｍ、又は２μｍ〜２．１μｍであるということである。
【０９９９】
別の、本発明者らが見出したことは、２つのプレートの間に１μｍの間隔を有するＣＲＯＦ装置は、大部分の赤血球を溶解するが、ＷＢＣを溶解しないことである：ＣＲＯＦ装置
本発明者らは、ＣＲＯＦ装置のギャップ間隔がＲＢＣの厚さ（例えば、１μｍのプレート間の距離）よりはるかに小さい場合、ＲＢＣが溶解されることを見出した。ＷＢＣはより弾力性があり、それらの大部分が溶解されない可能性があることが依然として観察される。
【１０００】
Ｅ３．５  ＲＢＣ（赤血球）計数
１つの実施形態において、ＲＢＣは、フィルタなしで、明視野モードで計数された。４倍、１０倍、２０倍、又は４０倍の倍率で写真を撮影した。各倍率のＸ−プレートのギャップ間隔（ｔ）と視野（Ａ）は既知である（スペーサ及びそれらの周期はスケールマーカー（すなわち定規）として用いられた）ので、血液試料中のＲＢＣ濃度が計算される。例えば、１つの視野内のＮ  ＲＢＣの計数について、血液におけるＲＢＣ濃度（Ｃ）はＣ＝Ｎ／ｔ／Ａである。この計算方法はＷＢＣ、ＰＬＴ濃度計測にも同様に適用される。
【１００１】
Ｅ２．６．ＷＢＣ及び血小板計数
白血球細胞（ｌｅｕｃｏｃｙｔｅ）又は白血球（ｌｅｕｃｏｃｙｔｅ）と呼ばれる、各白血球細胞（ＷＢＣ）もまた、典型的な約１０〜１５μｍのディスク直径を有する。典型的な血小板（ＰＬＴ）は１〜２μｍの典型的な寸法を有する。ＷＢＣ及びＰＬＴは、それ自体で目に見える色素を有していないので、通常の顕微鏡検査ではＲＢＣよりも観察されにくい。１つの実施形態において、ＷＢＣ及びＰＴＬを計数する際により目立たせるために、アクリジンオレンジ（ＡＯ）色素でＷＢＣ及びＰＴＬを染色する。
【１００２】
アクリジンオレンジは、核酸に対する天然の親和性を有する安定な色素である。ＤＮＡに結合すると、ＡＯは単量体としてＤＮＡとインターカレートされ、青色励起で強い緑色蛍光（ＷＢＣに対する４７０ｎｍ励起、５２５ｎｍ緑色発光）を生じる。ＲＮＡ及びタンパク質に結合すると、アクリジンオレンジは、青色励起で赤色蛍光（ＷＢＣ、ＰＬＴに対する４７０ｎｍ励起、６８５ｎｍ赤色発光）を生じるポリマー形態の静電複合体を形成する。ＲＢＣは核酸を有さず、従って染色することができない。ＷＢＣは、核を有し、ＤＮＡ及びＲＮＡの両方を有し、従って強く染色される。ＰＬＴは、微量のＲＮＡを有し、従って弱く染色される。図３３を参照されたい。
【１００３】
ＷＢＣは、４７０±２０ｎｍの励起フィルタの蛍光モードで計数され、かつ発光フィルタは、５００ｎｍのロングパスフィルタであり、撮影する場合に４ｘ、１０ｘ、２０ｘ又は４０ｘの拡大倍率を選択した。これらの実施形態を用いて、ＷＢＣ及びＰＬＴを適切に計数した。
【１００４】
Ｅ２．７  異なるＷＢＣの計測
ＷＢＣは、好中球、好酸球、好塩基球、リンパ球及び単球の５つの主なサブクラスに分類でき、又は時には、顆粒球、リンパ球及び単球の３つの主なクラスに分類することができる。ウイルス、バクテリア、若しくは真菌による異なる感染、又はアレルギーが、特定のＷＢＣサブクラス濃度の濃度を変化させる可能性があるため、対象の血液中の各クラスの濃度は、臨床的意義を有する可能性がある。
【１００５】
ＷＢＣは、有核赤血球及び血小板からそれらを区別する有核である。さらに、ＷＢＣの異なるサブクラスは、ＤＮＡとＲＮＡ及びタンパク質との異なる比を有するため、適切な色素を用いてそれらを区別することによってＤＮＡ及びＲＮＡを別々に染色することができる。
【１００６】
例えば、ＡＯ色素は単量体としてＤＮＡとインターカレートされ、青色励起で強い緑色蛍光（ＷＢＣに対する４７０ｎｍ励起、５２５ｎｍ緑色発光）を生じる。ＲＮＡ及びタンパク質に結合すると、アクリジンオレンジは、青色励起で赤色蛍光（ＷＢＣ、ＰＬＴに対する４７０ｎｍ励起、６８５ｎｍ赤色発光）を生じるポリマー形態の静電複合体を形成する。従って、異なるＷＢＣは、ＡＯで染色された後に、異なるＲ／Ｇ色彩比（緑色発光及び赤色発光）を有する。
【１００７】
ＡＯ色素は、顆粒球（好中球、好酸球、好塩基球を含む）、リンパ球、単球の３つのＷＢＣを区別することができる。さらに、本発明者らは、ＲＧＢフィルタセットに内蔵されたカメラ（又はｉＰｐｈｏｎｅ）を直接的に用いて、１つの写真からＧチャンネルとＲチャンネルの緑色と赤色発光を区別することができる。従って、本発明者らは、２つの別個のフィルタセット（５２５ｎｍ及び６８５ｎｍバンドパスフィルタ）を用いる必要がある。
【１００８】
図３４に示すように、合計で５９４個の白血球が計数され、プロットされている。本発明者らは、３つの主な白血球亜集団に対応する３つの異なる領域（眼のためのガイドとして提供される陰影領域）に細胞がクラスター化することを明確に見ることができる。各亜集団の百分率は表に示されており、正常なヒトの血液値とよく一致している。
【１００９】
Ｅ２．８．  ヘマトクリット値の計測
血中血球容積（ＰＣＶ）又は赤血球容積率（ＥＶＦ）とも呼ばれるヘマトクリット値（Ｈｔ又はＨＣＴ）は、血液における赤細胞の体積百分率（％）である。Ｘ−ＣＢＣ設定において、本発明者らは、基板とＸ−ＰｌａｔｅによってすべてのＲＢＣをしっかりとパックする２μｍのギャップ間隔を用いる。従って、この場合のＨＣＴは、総血液量に対するＲＢＣ体積に等しい。
【１０１０】
Ｅ２．１０．  乾燥ＡＯ色素によるＷＢＣ染色速度
３０秒、１０分、３０分、９０分後に、ＷＢＣを乾燥ＡＯ色素で染色した。プレート表面上の乾燥ＡＯ色素を用いたＣＲＯＦプロセスにおいて、ＡＯ色素は、ＷＢＣを１分未満で完全に染色することができ、長時間経過しても他の領域には影響を及ぼさない。また、結合ＡＯは、非結合色素よりも強い蛍光を発するので、洗浄工程が必要ではなかった。
【１０１１】
Ｅ２．１１．  ＷＢＣを染色する他の非蛍光色素
ＷＢＣを染色する非蛍光色素は、ＷＢＣ計数ステップを簡略化することができる。クリスタルバイオレット又はゲンチアナバイオレット（メチルバイオレット１０Ｂ又はヘキサメチルパラクロロアニリンクロライドとしても呼ばれる）は、ＷＢＣの核を染色するために用いることができるトリアリールメタン色素である。ＡＯ色素と同様に、水中、１ｍｇ／ｍＬであるアクリジンオレンジ色素３０μＬをガラススライド上の１ｃｍ２の面積で１時間乾燥させた。次に、Ｘ−ＣＢＣ実験プロセスを繰り返す。ＷＢＣは紫色に染色される。この方法の１つの欠点は、ＷＢＣ亜集団を区別することが難しいことである。
【１０１２】
Ｅ２．１２．  ＣＲＯＰによる抗凝固剤が不要な血液試験
本発明の１つの利点は、実験的に観察されるように、計数を支援するために抗凝固剤を用いる必要がないことである。本発明者らの実験において、ＣＲＯＦ装置において間隔が２μｍ、３μｍ及び１０μｍで、血液面積が１ｃｍ×１ｃｍのＸ−プレート上の血液試料を試験した。０分から８０分までの期間において、１０分ごとに、中心から縁部までの５つの典型的な点での試料の写真を撮影した。検査したすべての試料は、抗凝固剤を含まない。所与の実験条件で、観察期間において閉鎖構成で血液試料が凝集しなかったことが観察された。これは、（１）約２μｍ間隔（閉鎖構成での試料厚さ）を有するＣＲＯＦが血液細胞を互いに分離し、（２）ＣＲＯＦプレートが血液細胞の大部分を酸素から保護するためである。
【１０１３】
Ｅ２．１３  ＣＲＯＦ及びｉＰｈｏｎｅ（登録商標）を使用する血球計数における更なる実験
他の実験において、本発明者は、個人がその個人自身によりスマートフォンを用いて１滴未満の血液（＜１μＬ）で２０秒内に血球計数を行うことを可能にする技術及び小型使いやすい装置を試験しかつ検証する。人が行う必要があるのは、刺された指からの微量（任意の未知量）の血液をカードと接触させ、カードを閉じてスマートフォンで撮影することである。
【１０１４】
本発明の一態様は、１細胞のみの赤血球の厚さ（約２ｕｍ）であり、かつ２つのプレートの間に閉じ込められた均一な血液層に、血液滴を正確に再形成することにより、血球計数における前例のない利点を提供する観察である。利点は、（ｉ）抗凝固剤が添加されない新鮮な未希釈の全血であるため、血球は互いによく分離され、凝固せず、撮像によって容易に認識することができること、並びに（ｉｉ）試料は、蒸発（試験領域において）がほぼゼロであり、長期間にわたって血球濃度を一定に保持することを含む。本発明者が開発した第２の重要な技術は、ＣＲＯＦカード（手で操作された折り畳み可能、使い捨て、切手サイズ（幅が１インチで、紙のように薄い）のプラスチックフィルム）を使用して、血液再形成を実行し、再形成された血液試料の厚さ（これにより体積）を計測し、予め塗布した乾燥試薬を血液に（必要に応じて）混合する（すべての機能を１回で５秒内に完了する）、「圧縮調節開放流」（ＣＲＯＦ）と呼ばれるものである。ここで報告された最近の２つの技術は、スマートフォン撮像用の小型マッチボックスサイズの光学アダプタ、及びスマートフォンを制御して画像を分析するためのソフトウェアである。スマートフォンによる方法（「ＣＲＯＦと撮像を使用する血球計数」又はＢＣＩ）を、標準市販機械、市販の手動血球計及び顕微鏡撮像（スマートフォンの代わりに）と比較して検証する。２タイプ（対象に貯蔵された新鮮な）の血液を使用する４２以上の試験を各方法について行い、赤血球（ＲＢＣ）、白血球（ＷＢＣ）、血小板、３つのＷＢＣ差分、ヘマトクリット値（ＨＣＴ）及び平均赤血球体積（ＭＣＶ）を計測する。検証によると、スマートフォンによるＢＣＩは、市販の手動血球計（さらに改善することができる）と同じ精度又はそれ以上の精度を有し、かつ市販の機器と同じ日常の安定性を有する。明らかに、ＢＣＩ技術は、細胞イメージング、免疫学的アッセイ、核酸アッセイ、個人健康モニタリング及び他の生化学的検出において、広くかつ重要な応用を有する。
【１０１５】
ＢＣＩ装置は、使い捨ての切手サイズのプラスチック製ＣＲＯＦカード（１インチ×１インチの面積、紙のように薄い）、スマートフォン、及びマッチボックスサイズの光学アダプタ（１．５×１．５×０．７インチ（Ｌ×Ｗ×Ｈ））の３つのハードウェアコンポーネントと、スマートフォンを制御し、ユーザインタフェースを作成し、血球を分析するソフトウェアとを含む。それらのすべて（スマートフォンを除く）は、発明者によって設計されかつ開発される。レンズ、ミラー、及びフィルタを含む光学アダプタ（「アダプタ」）は、スマートフォンに取り付けられ、スマートフォンのフラッシュライト及びカメラをそれぞれ光源及び試験用撮像装置とする。光学アダプタはさらに、ＣＲＯＦカードをカメラ正面の適切な位置にスライドさせるためのスロット（図３０）を有する。本発明者の現在の試験において、ｉＰｈｏｎｅ（登録商標）−６を使用する。
【１０１６】
ＢＣＩを使用した血液試験（図３０）では、まず１人が指を刺した後、カードに触れて少量（任意の未知の体積）の血液（例えば１滴未満（＜１μＬ））を指からＣＲＯＦカードに直接付着させ、カードを閉じ、カードを光学アダプタに挿入し、最後にスマートフォンを使用して該カードを撮影する。ソフトウェアは、撮影された写真を分析し、かつ血球数及び他のパラメータを与える。
【１０１７】
ＣＲＯＦカードへの血液の付着から血球数の表示までの合計時間は、スマートフォン上の結果が約１２〜１９秒であり、ＣＲＯＦカードに血液を付着させるために１〜２秒で、カードを閉じるために３〜５秒で、カードをアダプタに挿入するために約２〜４秒で、画像を撮像するために約３〜５秒で、及び分析を終了して血球数の結果を表示するために３秒である。
【１０１８】
ＢＣＩの重要な革新は、本発明者が開発したＣＲＯＦカード技術［Ｒｅｆ］である。ＣＲＯＦカードは、２枚の薄いプラスチックを含み、それぞれ面積が約１インチ×１インチであり、１枚の紙の厚さであり、１つのエッジで別のプラスチックとヒンジ結合される（ヒンジ結合は必要ではないが、便利であることに留意されたい）（図３０）。ＣＲＯＦカードは、血液試料の処理時に、（ｉ）ＣＲＯＦの２つのプレートによって閉じ込められた重要な領域（約５００ｍｍ２）で、付着させた形状（例えば、直径２ｍｍ、高さ０．４ｍｍの水たまり）から血液試料を厚さが２μｍ（元の厚さの約１／２００）の均一なフィルムに迅速に（例えば１秒）広げる機能と、（ｉｉ）２μｍの厚さに達すると、試料の厚さの更なる減少を停止する機能と、（ｉｉｉ）手がプレスから解放されても、均一な２ｕｍの厚さを保持する（すなわち、血液とプレートとの間の毛細管力に起因する自己保持）機能と、（ｉｖ）このような薄い厚さで、試料の蒸発を防止する（すなわち、２つのプレートによって閉じ込められることにより、蒸発は血液膜の縁部のみで発生し、かつ試料の試験領域において長時間にわたって蒸発がゼロである）機能という重要な機能を提供する。実験的に、光学干渉（すなわち、ＣＲＯＦカードの２つの内表面からのファブリ・ペロー効果）を使用して、本発明者は、Ｅｓｓｅｎｌｉｘ会社のＣＲＯＦカードが少なくとも２０ｍｍ×２０ｍｍの面積内に、５％の均一性（すなわち、１００ｎｍ）で２μｍの均一な厚さを保持することができることを見出した。
【１０１９】
従来の方法に比べて、ＣＲＯＦカードは、血球計数に重要でかつ前例のない利点をいくつか提供する。最も顕著な利点は、本発明者の観察した結果、血液滴が１細胞のみの赤血球（約２ｕｍ）の厚さに再形成され、かつ２つのプレートの間の均一な血液層に閉じ込められる時に、（ｉ）抗凝固剤が添加されない新鮮な未希釈の全血中の血球は互いによく分離され、凝固せず、血球の動きがはるかに少なく、かつ撮像により容易に認識することができること、並びに（ｉｉ）試料は、試験領域において蒸発がほぼゼロであり、これにより長期間にわたって血球濃度を一定に保持することを含む。
【１０２０】
ＣＲＯＦカードの第２の重要な利点は、（試料厚さが決定されるので）血液試料の体積の「自動」計測である。第３の重要な利点は、血液試料の最小量を使用することである（流体の入口又は出口、又は任意の試料転送チャネル及び／又は装置がないため）。他の利点は、（ｉ）数秒でＣＲＯＦカードの表面上の乾燥試薬と試料を混合することができ、（ｉｉ）簡単かつ迅速であり、手で操作され、（ｉｉｉ）便利でコストが低いことである。
【１０２１】
２つのプレートの間に閉じ込められた血液試料を撮像することによる血球計数の方法は、１５０年以上の歴史を持ち、かつ市販の手動血球計の基礎であるが、私たちの知る限りでは、誰も１細胞の赤血球の厚さのような均一な厚さのプレートに閉じ込められた血液層を使用して、血球計数を行ったことはなく、かつ誰も１細胞の赤血球の厚さ又はその付近にある均一な閉じ込められた血液試料で血球挙動を試験したことはない。従来の撮像に基づく方法においては、血液試料の閉じ込め間隔は赤血球の厚さより大きいため、赤血球の重なり（これによるミスカウント）を回避するために、血液試料を希釈する（常に抗凝固剤を使用する）必要がある。
【１０２２】
本発明者の研究において、２つのプレートの間に閉じ込められ、かつ１細胞の赤血球の厚さ又はそれより僅かに大きい又は小さい厚さの均一な試料厚さを有する全血試料中の血球の興味深い挙動を観察する。ＣＲＯＦカードの閉じ込めギャップ（すなわち、試料厚さ）に応じて、血球の挙動は大幅に異なる。
【１０２３】
まず、刺された指からＣＲＯＦカードへ移した、抗凝固剤が添加されない新鮮な未希釈の全血を観察する（図３１．ａ）。２ｕｍの閉じ込めギャップについて、光学顕微鏡画像によると、全ての血液細胞（ＲＢＣ、ＷＢＣ、ＰＬＴ）は、試料の平面内で互いに分離され（すなわち、重なることはない）、かつ各ＲＢＣは、陰影のある中心を有する各細胞を取り囲む明確な境界を有し、かつ各境界は他のＲＢＣの境界と交差しない。さらに、撮像の間に、細胞運動はほとんど観察されなかった。このような挙動の１つの説明は、２ｕｍの閉じ込めギャップが赤血球の平均厚さより僅かに小さく、各ＲＢＣは、閉じ込めプレートによって僅かに挟まれ、他の細胞が重なる空間を残さないため、移動することができないことである。明らかに、２ｕｍのギャップにおける細胞の挙動は、撮像による細胞計数に最適な条件を与える。
【１０２４】
しかしながら、２．２ｕｍのギャップの場合、いくつかのＲＢＣは、他のＲＢＣと重なり始めるが、血小板が重なることは観察されない。考えられる理由は、血小板がＰＬＴと重なるために十分な空間がないことである。２．６ｕｍ及び３ｕｍのギャップにおいては、より多くのＲＢＣが重なり、３つのＲＢＣの重なりが目に見えるようになり、かつ血小板がＲＢＣと重なる。これらの重なりは、ギャップとともに増加する。これらの撮像による血球計数は、２．２ｕｍ、２．６ｕｍ及び３ｕｍのギャップの場合で可能であるが、ギャップの増加とともに精度が低下する。５ｕｍ及び１０ｕｍのギャップの場合、大量の細胞が重なり（例えば、凝固）、ＲＢＣの重なりが見え、かつ多くのＲＢＣは、撮像面に対するＲＢＣの回転（大きいギャップが回転を可能にする）による狭い楕円形を有する。明らかに、これらのギャップで血球を正確に計数することは、不可能ではないにしても、非常に困難である。
【１０２５】
貯蔵された抗凝固剤含有の未希釈の全血（商業サービス（Ｂｉｏｒｅｃｌａｍａｔｉｏｎ会社）によって収集された対象物）を観察すると、本発明者の研究（図３１．ｂ）によると、抗凝固剤が添加されない新鮮な未希釈の血液に比べて、それはＣＲＯＦカードの閉じ込めギャップに異なる応答を有する。２ｕｍのギャップの場合、貯蔵された血液中での血球挙動は、抗凝固剤が添加されない新鮮な血液と同様である。しかしながら、より大きいギャップの場合、貯蔵された抗凝固剤含有の血液は、抗凝固剤が添加されない新鮮な血液と異なる２Ｄ画像挙動を有する。抗凝固剤含有の２ｕｍの閉じ込めギャップの場合、ＲＢＣは凝固しないが、（ａ）互いの頂部に重なり、（ｂ）２Ｄ平面画像で狭い楕円形に回転し、これらはいずれも細胞計数精度を大幅に低下させる。
【１０２６】
ここで示されたスマートフォンＢＣＩによる血球計数において、ＣＲＯＦカードの閉じ込めギャップ（これにより試料厚さ）を５％より高い精度で２ｕｍに予め設定する。試料の体積は、ＣＲＯＦカードによって予め設定された試料の厚さと、スマートフォンが撮影した関連領域の画像とによって決定される。血球濃度（ＲＢＣ、ＷＢＣ、ＰＬＴ）は、スマートフォンで撮影した画像から関連領域で細胞を計数し、かつ関連体積で除算することにより決定される。ＲＢＣの平均赤血球体積（ＭＣＶ）は、予め設定された２μｍの試料厚さを使用して、２Ｄ平面画像の各ＲＢＣの面積及び各ＲＢＣに関連する平均全体積を計測することにより決定される。ヘマトクリット値は、ＭＣＶとＲＢＣ濃度の積から決定される。
【１０２７】
３つのＷＢＣ差分（顆粒球、リンパ球、単球）を計数するために、本発明者は、乾燥したアクリジンオレンジ（ＡＯ）色素層をＣＲＯＦカードのうちの１つの表面に置くことにより、血液試料を染色した。ＡＯが核酸を染色し、かつＤＮＡとＲＮＡを異なって染色するため、ＷＢＣ及びＰＬＴのみを染色し、かつ各細胞中のＤＮＡ及びＲＮＡの数量及び割合に応じて異なって染色し、ＲＢＣを染色しない。染色の差異により、異なる蛍光波長（例えば、染色されたＤＮＡに対して、５２５ｎｍの緑色発光で、染色されたＲＮＡに対して、６８５ｎｍの赤色発光である）及び強度を取得して、３つのＷＢＣ差分のそれぞれとＰＬＴを認識することが可能である。ＣＲＯＦカードを使用すると、小さい試料厚さ及びこれによる短い色素拡散時間のために、ＷＢＣは５秒内に予め塗布したＡＯ色素層により染色されることを見出した。ＷＢＣの色素染色及びその蛍光提供に対して、明視野顕微鏡に加えて、ＷＢＣを計測する別の方法が、以下の検証で使用された。
【１０２８】
光学アダプタは、ＲＢＣの場合に０．８４ｍｍ×０．６３ｍｍ、ＷＢＣの場合に２．８ｍｍ×２．１ｍｍ、ＰＬＴの場合に半径０．２ｍｍの円の有効視野を可能にする。現在、光学アダプタは、ＲＢＣとＷＢＣを分離するためにスライダ内で移動する必要があり、約５秒の操作時間が追加される。次世代では、スライダを必要としない複合光学アダプタが開発されると考えられる。画像分析、ユーザインタフェース及びｉＰｈｏｎｅ（登録商標）コントロール用の全てのソフトウェアは、独自のコードを作成し、特定のオープンソースコードを使用して構築される。現在、本明細書で提示された全ての血球分析は、次世代では５秒未満になると考えられるＰＬＴ分析を除き、画像から血球計数まで２秒未満で、本発明者のソフトウェアによって完了された。
【１０２９】
スマートフォンＢＣＩを検証するために、本発明者はそれを以下の４つの異なる参照方法（ＲＭ）と比較した。ＲＭ−１は、高解像度顕微鏡（ニコンジアフォト反転顕微鏡）と、ｉＰｈｏｎｅ（登録商標）ではないＤＳＬＲカメラ（Ｎｉｋｏｎ  Ｄ５１００）と、光アダプタとを使用して現在のｉＰｈｏｎｅ（登録商標）  ＢＣＩと同じ読取領域でＣＲＯＦカードを読み取る。ＣＲＯＦカードの読取領域が８ｍｍ周期を有する３×３アレイ（合計で９個の読取領域）に拡張し、１６ｍｍ×１６ｍｍのＣＲＯＦカードの領域に均一に分布されることを除いて、ＲＭ−２はＲＭ−１と同じである。ＲＭ−３は、市販手動血球計（Ｓｉｇｍａ−Ａｌｄｒｉｃｈから購入され、Ｚ３５９６２９）と、ＲＭ１及び２同じ顕微鏡及びカメラとを使用して撮像するが、撮像領域が３ｍｍ×３ｍｍである。手動血球計は、２つのチャンバを有し、各計測領域が３ｍｍ×３ｍｍであり、かつギャップが１００μｍである。ＰＬＴを計測するためには、１００倍の血液希釈とＲＢＣの溶解が必要である。ＲＭ−４は、市販ＰｏＣ血球計（最大の血液試験装置企業の１社によって製造される）を使用し、それはフローサイトメトリーを使用し、かつ寸法は約１立方フィートで重量が約２０ポンドで、コストは約２００００ドルである。ＰｏＣ装置は、少なくとも１０μＬの血液（１０滴以上）、血液希釈液、３種類の液体試薬（溶解、希釈及び洗浄）、５分間の操作時間及び３０分間の毎日較正を必要とする。比較により、個々の機能と、ＣＲＯＦカード、光学アダプタ及びスマートフォンによる撮像、及び血球計数においてそれらの性能に関連する顕微鏡による撮像の組み合わせ機能とを試験することを可能にする。
【１０３０】
検証には、（ｉ）市販のベンダー（Ｂｏｒｅｃｌａｍａｔｉｏｎ会社）から購入され、抗凝固剤（ＥＤＴＡ）と混合された貯蔵血液と、（ｉｉ）２人のボランティアの指から取られた新鮮な血液と（各試験において、指から取られた新鮮な血液を指から、（ａ）ＣＲＯＦカード試験用のＣＲＯＦカードに、（ｂ）市販のＰｏＣ及び手動血球計用のＥＤＴＡ被覆チューブに直ちに直接付着させる）の２種類の血液を使用する。数日間にわたって、各方法に合計４２の試料を試験した。
【１０３１】
異なる４日に合計２４個の試料（３種、３種、３種及び１５種の試料）を試験した。血液試料は最初の３日間は同じロットのものであるが、最終日は異なるロットのものであった。新鮮な血液試料において、異なる３日間に合計１８の試料（６種、６種、及び６種の試料）を試験した。
【１０３２】
試験結果は、多くの重要な事実を示した。（１）所定の血液試料に対して、毎日の透視投影ＣＶ（変動係数、平均値に対する標準偏差の比）において、スマートフォンＢＣＩ（ｐ−ＢＣＩ）の血球数の日間平均値と４つの参照方法の全ては互いに一致する。
【１０３３】
（２）ｐ−ＢＣＩとＲＭ−１と比較によると、所定のＣＲＯＦカード試料に対して、本発明者が開発した、ｉＰｈｏｎｅ（登録商標）及び光学アダプタを使用する血球計数は、高解像度顕微鏡及びＤＳＬＲカメラを使用する場合と同じ精度（ＣＶ）有する（例えば、ＲＢＣについていずれも約１２％のＣＶを有する）ことが示された（図３２）。
【１０３４】
（３）ＲＭ−１とＲＭ−２との比較によると、ＣＲＯＦカードのマルチフィールド撮像は、現在の単一フィールド撮像より高い精度を提供することが示された。ＲＢＣについて、ＣＶは約１２％から約６％に改善された。マルチフィールドの表示機能は、より高い精度のために、次世代のスマートフォンＢＣＩに実装されると考えられる。
【１０３５】
（４）ＲＭ−２とＲＭ−３との比較によると、（ｉ）ＣＲＯＦカードは、使用しやすいだけでなく、血球計数において市販の手動血球計と同じか又はそれより良好な細胞計数精度を提供し、（ｉｉ）、（ｉ）の事実とＲＭ１とＲＭ２の比較を考慮して、マルチフィールドのスマートフォンＢＣＩは、血球計数において市販の手動血球計と同じ又はそれ以上の精度を有するべきであるという結論に至る。現在のＣＲＯＦカードと手動血球計で同じであるが、変動は様々な理由から生じることをさらに指摘しておきたい。血球計については、この変動は希釈、溶解及び手動計数から生じるが、ＣＲＯＦカードについては、現在の変動（ＲＢＣに対して約７％）は主に試料厚さの変化（約５％）から生じ、それはさらに改善することができる。
【１０３６】
（５）スマートフォンＢＣＩは、染色により３つのＷＢＣ差分をそれぞれ識別し、かつ緑色の蛍光強度と赤色の蛍光強度との比の関数として、各ＷＢＣ細胞の強度の比を計測することができる。標準偏差は、他の血球計測の標準偏差と同様である。それは、白血球の各サブタイプが蛍光色の特殊比（それらのＲＮＡ（赤色蛍光）とＤＮＡ（緑色蛍光）の相対量に依存する）を有し、顆粒球が大量のＲＮＡ及び顆粒（従って赤色蛍光が高く緑色蛍光が低い）を有し、リンパ球が少量のＲＮＡ量及び大量のＤＮＡ（従って、赤色蛍光が低く緑色蛍光が高い）を有し、単球が顆粒球とリンパ球との間の赤色蛍光と緑色蛍光との比を有するためである。
【１０３７】
（６）統計的有意性の範囲内で、試験された全ての５種類の方法の日間（すなわち、毎日の）変動は本質的に同じであり、それはスマートＢＣＩが試験を実施した複数日の期間にわたって、非常に安定していることを示す。
【１０３８】
最後に、（７）本発明者らの現在の光学撮像ハードウェア及びソフトウェアを使用した場合、撮像による血球計数は、市販のフローサイトメトリーＰｏＣ装置ほど正確ではない（例えば、ＲＢＣについて約７％対１％）。しかしながら、（ｉ）現在の精度により、ここで実証されたｐ−ＢＣＩは、健康監視上の重要な価値と、遠隔地や発展途上国での臨床的価値を持ち、（ｉｉ）より良好な精度を得るために、ｐ−ＢＣＩの精度をさらに向上させることができる、という２つの重要な事実を認識する必要がある。明らかに、ＢＣＩ技術は、細胞イメージング、免疫学的アッセイ、核酸アッセイ、個人健康モニタリング及び他の生化学的検出において、広くかつ重要な応用を有する。
【１０３９】
本発明の特定の態様は、
２０１２年４月１０日出願の米国仮出願第６１／６２２，２２６号の利益を主張し、２０１１年５月２０日出願の第ＵＳ２０１１／０３７４５５号の§３７１出願であり、かつ２０１０年５月２１日出願の米国仮出願第６１／３４７，１７８号の利益を主張する２０１３年６月１３日出願の米国出願第１３／６９９，２７０号の一部継続出願である、２０１３年３月１５日出願の米国出願第１３／８３８，６００号（ＮＳＮＲ−００３）、
２０１０年５月２１日出願の米国仮出願第６１／３４７，１７８号の利益を主張し、２０１１年５月２０日出願の国際出願シリアル第ＵＳ２０１１／０３７４５５号の§３７１出願である、２０１３年６月１３日出願の米国出願第１３／６９９，２７０号（ＮＳＮＲ−００１）、
２０１３年３月１５日出願の米国仮出願第６１／８０１，４２４号（ＮＳＮＲ−００４ＰＲＶ）、２０１３年３月１５日出願の米国仮出願第６１／８０１，０９６号（ＮＳＮＲ−００５ＰＲＶ）、２０１３年３月１５日出願の米国仮出願第６１／８００，９１５号（ＮＳＮＲ−００６ＰＲＶ）、２０１３年３月１５日出願の米国仮出願第６１／７９３，０９２号（ＮＳＮＲ−００８ＰＲＶ）、２０１３年３月１５日出願の米国仮出願第６１／８０１，９３３号（ＮＳＮＲ−００９ＰＲＶ）、２０１３年３月１５日出願の米国仮出願第６１／７９４，３１７号（ＮＳＮＲ−０１０ＰＲＶ）、２０１３年３月１５日出願の米国仮出願第６１／８０２，０２０号（ＮＳＮＲ−０１１ＰＲＶ）及び２０１３年３月１５日出願の米国仮出願第６１／８０２，２２３号（ＮＳＮＲ−０１２ＰＲＶ）
という文献に記載され、かつこれらの文献は様々な目的のために参照により組み込まれる。
【１０４０】
本発明の主題のさらなる例は、以下の列挙された段落で説明される。
【１０４１】
本明細書で使用されるように、用語「適応する」と「構成する」とは、部品、コンポーネント又は所定の機能を実行するために設計及び／又は意図される他の主題を指す。従って、用語「適応する」と「構成する」の使用は、所定の部品、コンポーネント又は所定の機能を実行「可能」な他の主題ではなく、部品、コンポーネント及び／又は他の主題は、機能を実行する目的のために選択され、作成され、実装され、利用され、プログラム及び／又は設計されることを指す。本開示の範囲内で、特定の機能の実行に適する部品、コンポーネント及び／又は他の主題は、その機能を実行するように構成されるものとして追加的又は代替的に説明され、逆でも同じである。同様に、特定の機能を実行するように構成されるものとして説明される主題は、その機能を実行するように動作可能なものとして追加的又は代替的に説明することができる。
【１０４２】
本明細書で使用されるように、本発明に係る１つ以上の部品、特徴、詳細、構造、実施例及び／又は方法を参照して使用される場合、語句「例えば」、語句「例として」及び／又は単に用語「例」及び「例示的」は、説明された部品、特徴、詳細、構造、実施例及び／又は方法は例示的なものであり、本発明に係る部品、特徴、詳細、構造、実施例及び／方法の限定的な例ではないことを伝えることを意図する。従って、記載された部品、特徴、詳細、構造、実施例及び／又は方法は、限定的、要求及び排他的／網羅的であることを意図するものではなく、構造的及び／又は機能的に類似及び／又は等価な部品、特徴、詳細、構造、実施例及び／又は方法を含む他の特徴、詳細、構造、実施例及び／又は方法は本開示の範囲内である。
【１０４３】
本明細書で使用されるように、１つ以上の実体リストを参照する時に使用される用語「少なくとも１つ」及び「１つ以上」とは、実体リストのうちの任意の１つ以上を指し、かつ実体リスト内に特に記載された各実体と各実体の少なくとも１つに限定されない。例えば、「ＡとＢの少なくとも１つ」（又は同等に「Ａ又はＢの少なくとも１つ」又は同等に「Ａ及び／又はＢの少なくとも１つ」）は、Ａのみ、Ｂのみ、ＡとＢとの組み合わせであってもよい。
【１０４４】
本明細書で使用されるように、第１の実体と第２の実体の間に置かれる「及び／又は」との用語は、（１）第１の実体、（２）第２の実体、及び（３）第１の実体及び第２の実体のうちの１つを指す。「及び／又は」で列挙された複数の実体は、同じ方式で解釈されるべきであり、例えば、そのように結合された「１つ以上」の実体である、「及び／又は」用語によって具体的に特定された実体以外に、他の実体は、特定された実体に関連するか否かに関わらず、任意に存在してもよい。従って、非限定的な例として、「Ａ及び／又は」は、「含む」等のオープンエンド言語と組み合わせて使用される場合、いくつかの実施例において（Ｂ以外の実体を任意に含む）Ａのみを指し、特定の実施例において、（Ａ以外の実体を任意に含む）Ｂのみを指し、更なる別の実施例において（他の実体を任意に含む）Ａ及びＢの両方を指すことができる。これらの実体は部品、動作、構造、ステップ、操作、値等であってもよい。
【１０４５】
任意の特許、特許出願又は他の参考文献が参照により本明細書に組み込まれ、かつ（１）矛盾方式で用語を定義し、及び／又は（２）他の方式で本開示の組み込まれていない部分又は他の組み込まれた参考文献のいずれかと矛盾する場合、本発明の組み込まれていない部分を制御し、かつその中の用語又は組み込まれた開示は、用語が定義される参照及び／又は組み込まれた開示が本来存在する参照に関してのみを制御するべきである。
【１０４６】
以下の特許請求の範囲は、開示された発明に向けられた新規かつ非自明な特定の組み合わせと部分的組み合わせを特に指摘すると考えられる。特徴、機能、要素及び／又は特性の他の組み合わせ又は部分的組み合わせに具体化された発明は、本発明の請求項の補正又は本願又は関連出願における新規の請求の提示によって要求されてもよい。そのような修正又は新しい請求項は、それらが異なる発明に向けられたものであっても、同じ発明に向けられたものであっても、異なり、より広く、より狭く、あるいは元の特許請求の範囲に等しいか否かに関わらず、本開示の発明の主題内に含まれるものとも見なされる。
【図１】
2020128999.tif 000040
【図２】
2020128999.tif 000041
【図３】
2020128999.tif 000042
【図４】
2020128999.tif 000043
【図５】
2020128999.tif 000044
【図６】
2020128999.tif 000045
【図７】
2020128999.tif 000046
【図８】
2020128999.tif 000047
【図９】
2020128999.tif 000048
【図１０】
2020128999.tif 000049
【図１１】
2020128999.tif 000050
【図１２】
2020128999.tif 000051
【図１３】
2020128999.tif 000052
【図１４】
2020128999.tif 000053
【図１５】
2020128999.tif 000054
【図１６】
2020128999.tif 000055
【図１７】
2020128999.tif 000056
【図１８】
2020128999.tif 000057
【図１９】
2020128999.tif 000058
【図２０】
2020128999.tif 000059
【図２１】
2020128999.tif 000060
【図２２】
2020128999.tif 000061
【図２３】
2020128999.tif 000062
【図２４】
2020128999.tif 000063
【図２５】
2020128999.tif 000064
【図２６】
2020128999.tif 000065
【図２７】
2020128999.tif 000066
【図２８】
2020128999.tif 000067
【図２９】
2020128999.tif 000068
【図３０】
2020128999.tif 000069
【図３１】
2020128999.tif 000070
【図３２】
2020128999.tif 000071
【図３３】
2020128999.tif 000072
【図３４】
2020128999.tif 000073
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
明細書に記載されたとおりの発明。